(57)【要約】【課題】専門知識のない個人ユーザが簡単に個人放送局を実現でき、コンテンツを提供しなくても、ＣＭスポンサーからの利益を配分できるインターネット放送番組制作支援システムを提供する。【解決手段】コンテンツ提供者からのコンテンツデータ受付手段１０１と、ＣＭスポンサーからのＣＭデータ受付手段１０２と、所望のコンテンツ及びＣＭデータを選択して番組を設定可能なインターネット放送番組用データ申し込み受付手段１０３と、受付手段１０１〜１０３を介して登録されたユーザ情報管理部１０４ａと、コンテンツデータ管理部１０４ｂと、ＣＭデータ管理部１０４ｃと、番組データ設定記録部１０４ｅと、番組アクセス数計数記録部１０４ｄと、番組のＣＭ収益を、番組製作者とコンテンツ提供者とに所定の割合で分配するＣＭ収益管理部１０４ｆを備えたデータベース部１０４と、番組データ提供手段６０２を有する。【選択図】図２
2008042589.tif 000002
【特許請求の範囲】
【請求項１】
インターネットを利用したウェブシステムであって、
コンテンツ提供者に関する識別情報を登録する機能と該コンテンツ提供者からのコンテンツデータを受付ける機能と該コンテンツデータに関する所定事項を該コンテンツ提供者の指定に応じて設定する機能とを少なくとも備えるコンテンツデータ受付手段と、
ＣＭスポンサーに関する識別情報を登録する機能と該ＣＭスポンサーからのＣＭデータを受付ける機能と該ＣＭデータに関する所定事項を該ＣＭスポンサーの指定に応じて設定する機能とを少なくとも備えるＣＭデータ受付手段と、
インターネット放送番組製作者に関する識別情報を登録する機能と所望の前記コンテンツデータ及び前記ＣＭデータを選択して番組を設定可能な機能とを少なくとも備えるインターネット放送番組用データ申し込み受付手段と、
前記コンテンツデータ受付手段を介して登録されたコンテンツ提供者に関する識別情報と前記ＣＭデータ受付手段を介して登録されたＣＭスポンサーに関する識別情報と前記インターネット放送番組用データ申し込み受付手段を介して登録されたインターネット放送番組製作者に関する識別情報とを蓄積管理するユーザ管理部と、前記コンテンツ提供者からのコンテンツデータを蓄積管理するコンテンツデータ管理部と、前記ＣＭスポンサーからのＣＭデータを蓄積管理するＣＭデータ管理部と、前記インターネット放送番組製作者を介して設定された番組データを記録管理する設定番組記録管理部と、提供される番組へのアクセス数を計数し記録する番組アクセス数計数記録部と、前記番組に含まれるＣＭデータのＣＭスポンサーから提供されるＣＭ収益を、前記番組アクセス数計数記録部を介して記録されたアクセス数に応じて、該番組を設定した前記インターネット放送番組製作者と該番組に含まれるコンテンツを提供したコンテンツ提供者とに所定の割合で分配するＣＭ収益管理部を備えたデータベース部と、
前記番組データを提供する番組データ提供手段と、を有することを特徴とするインターネット放送番組制作支援システム。
【請求項２】
前記コンテンツデータ受付手段が、前記コンテンツ提供者が指定するコンテンツデータに関する所定事項に、コンテンツデータのカテゴリを含むとともに、
前記ＣＭデータ受付手段が、前記ＣＭスポンサーが指定するＣＭデータに関する所定事項に、ＣＭデータのカテゴリを含んでおり、
前記インターネット放送番組用データ申し込み受付手段において前記インターネット放送番組製作者を介して任意のコンテンツデータが選択されたときに、該コンテンツデータのカテゴリに一致したＣＭデータを前記データベース部の前記ＣＭデータ管理部に蓄積されたＣＭデータから抽出し、抽出されたＣＭデータの中から所望のＣＭデータを該インターネット放送番組製作者が選択できるように構成されていることを特徴とする請求項１に記載のインターネット放送番組制作支援システム。
【請求項３】
前記ＣＭデータ受付手段が、前記ＣＭスポンサーが指定するＣＭデータに関する所定事項に、ＣＭの掲載期間及びＣＭの予算を含んでおり、
前記インターネット放送番組用データ申し込み受付手段において前記インターネット放送番組製作者が、前記抽出されたＣＭデータの中から所望のＣＭデータを選択する際に、前記抽出されたそれぞれのＣＭにおける掲載期間及び予算を確認できるとともに、当該ＣＭを視聴することができるように構成されていることを特徴とする請求項２に記載のインターネット放送番組制作支援システム。
【請求項４】
前記インターネット放送番組用データ申し込み受付手段において前記インターネット放送番組製作者が前記コンテンツデータ及び前記ＣＭデータを選択して番組を設定するときに、１つのコンテンツに対して少なくとも１つ以上のＣＭデータを組合せたものを１つの基本セットとし、１回の外部からのアクセスに対して４セットまでの番組を放送でき、且つ、回数を無制限に放送できるようにしたことを特徴とする請求項１に記載のインターネット放送番組制作支援システム。
【請求項５】
さらに、前記インターネット放送番組用データ申し込み受付手段において前記インターネット放送番組製作者が前記コンテンツデータ及び前記ＣＭデータを選択して番組を設定するときに、ＣＭデータのみからなる番組、又はコンテンツのみからなる番組を選択設定可能としたことを特徴とする請求項４に記載のインターネット放送番組制作支援システム。
【請求項６】
前記コンテンツデータ受付手段が、前記コンテンツデータに関する所定事項として、コンテンツデータのカテゴリ、コンテンツの著作権情報、著作者情報、提供者のメールアドレス、コメントを前記コンテンツ提供者の指定に応じて設定することができるように構成されており、
前記インターネット放送番組制作者が、前記インターネット放送番組用データ申し込み受付手段において、前記コンテンツデータのカテゴリ、コンテンツの著作権情報、著作者情報、提供者のメールアドレス、コメントのそれぞれをキーとしてコンテンツデータを検索することができるようにしたことを特徴とする請求項１に記載のインターネット放送番組制作支援システム。
【請求項７】
前記コンテンツ提供者から提供されるコンテンツの種類は、映像コンテンツ、画像コンテンツ、音楽（音声）コンテンツ、文字コンテンツであり、
インターネット放送番組用データ申し込み受付手段においてインターネット放送番組製作者がこれらのコンテンツを単独及び組合せて用いることができるようにしたことを特徴とする請求項１に記載のインターネット放送番組制作支援システム。
【請求項８】
前記コンテンツ提供者から提供されるコンテンツを、前記インターネット放送番組製作者を介して評価できるようにするとともに、その評価内容に応じて、コンテンツの利用に制限を加えることができるようにしたシステムを備えたことを特徴とする請求項１に記載のインターネット放送番組制作支援システム。
【請求項９】
前記コンテンツデータ受付手段において前記コンテンツ提供者が提供するコンテンツ毎に利用範囲を設定することが可能に構成されていることを特徴とする請求項１に記載のインターネット放送番組制作支援システム。
【請求項１０】
前記インターネット放送番組製作者が、他のインターネットウェブサイトから配信されているプログラムから特定の情報を抽出して、配信ツールから配信することができるシステムをも備えたことを特徴とする請求項１に記載のインターネット放送番組制作支援システム。
【請求項１１】
前記インターネット放送番組用データ申し込み受付手段において前記インターネット放送番組製作者が配信用ツールのデザインを随時変更することができるようにしたことを特徴とする請求項１に記載のインターネット放送番組制作支援システム。
【請求項１２】
前記インターネット放送番組用データ申し込み受付手段において前記インターネット放送番組製作者がテキスト入力することで配信用ツールに該テキストを配信することができるように構成されていることを特徴とする請求項１に記載のインターネット放送番組制作支援システム。
【請求項１３】
前記インターネット放送番組用データ申し込み受付手段において前記インターネット放送番組製作者が、パソコンに接続されたカメラやマイクなどを介した、映像、音声又は音楽のリアルタイム配信、又は録画、録音による配信を行うことができるように構成されていることを特徴とする請求項１に記載のインターネット放送番組制作支援システム。
【請求項１４】
配信される番組に随時インターネット放送番組制作支援システム管理者が提供するコンテンツを組み入れることができるようにしたことを特徴とする請求項１に記載のインターネット放送番組制作支援システム。
【請求項１５】
前記インターネット放送番組製作者が配信ツールを利用する場合に、利用する情報端末の種別に応じて、貼り付けるための配信ツール用プログラムを選択することができるようにしたことを特徴とする請求項１に記載のインターネット放送番組制作支援システム。
【請求項１６】
前記アクセス数が、当該番組を放送した回数を示すインプレッション数と視聴者が当該番組においてＣＭデータにアクセスした回数を示すインタラクション数を含み、
前記番組に含まれるＣＭデータのＣＭスポンサーから提供されるＣＭ収益が、前記インプレッション数に対する前記インタラクション数の割合であるインタラクション率に応じて、該番組を設定した前記インターネット放送番組製作者と該番組に含まれるコンテンツを提供したコンテンツ提供者とに所定の割合で分配されるようにしたことを特徴とする請求項１に記載のインターネット放送番組制作支援システム。
【発明の詳細な説明】
【技術分野】
【０００１】
本発明は、個人ユーザによるインターネット放送番組の制作を支援するシステムに関する。
【背景技術】
【０００２】
従来、映像や音声などからなるコンテンツを、インターネットを利用して視聴者に提供する場合、一般的には、コンテンツ提供者は、自らが作成したコンテンツを自らが開設したホームページ上において提供するという手法が採られている。この手法では、コンテンツ提供者は、自らが開設するホームページを、インターネットプロバイダのサーバに蓄積させておく。そして、視聴者からのアクセスに対してホームページを表示し、視聴者がホームページ上に設けられた所望のコンテンツのアンカーをクリックしたときにコンテンツを提供している。
また、近年ではネットワーク回線の高速化に伴い、映像などの動画情報や音楽などの音声情報などのコンテンツを視聴者に対してダウンロードしながら再生するいわゆるストリーミング配信が行われるようになって来ている。
【０００３】
ところで、コンテンツの提供に合わせてＣＭを提供することが一般に行われている。ＣＭは、ＣＭスポンサーを介して製作され、インターネットプロバイダのサーバに蓄積される。そして、ＣＭスポンサーが、ＣＭを掲載したホームページ所有者に対してＣＭ掲載費用を支払うといった手法が一般化している。
【０００４】
例えば、従来の静止画配信によるＣＭの提供では、バナー広告などの静止画広告が用いられている。コンテンツのアンカーが設けられたホームページ上に、ＣＭのアンカーを設けておき、ＣＭのアンカーをクリックしたときにＣＭが表示されるようにすることが多い。
また、近年普及して来ている動画配信によるＣＭの提供では、動画広告が用いられている。
【０００５】
ところで、このようなインターネットを利用した配信システムにおいては、視聴者がＣＭのアンカーをクリックしないような場合や、動画ＣＭの部分を早送り等によってスキップした場合、コンテンツのみ視聴されて、効率的なＣＭ効果が得られないという問題や、ＣＭのアクセス数に応じた正当な利益還元がコンテンツ提供者に対してなされないという問題があった。
しかるに、視聴者がホームページ上でコンテンツを視聴するときに、ＣＭを意識させることなく強制的に当該視聴者に視聴させることができるようにしたシステムや、コンテンツ再生時に視聴者によるＣＭの早送り操作を無効にすることができるようにしたシステムや、視聴者が視聴したＣＭアクセス数に応じて、ＣＭ提供者からホームページを製作したコンテンツ提供者に所定の割合で収益が還元されるようにしたシステムが、例えば、次の特許文献１〜３に開示されている。
【特許文献１】特開２００１−２８３０８８号公報
【特許文献２】特開２００２−３６６８３５号公報
【特許文献３】特開２００１−２８５８２５号公報
【発明の開示】
【発明が解決しようとする課題】
【０００６】
ところで、インターネットを利用している一般の個人がインターネットの放送局を立ち上げるためには、ネットワーク、サーバ、プログラム、映像、音楽、画像などの専門的な知識と技術が必要となる。また、サーバ等、通信設備等のコストも負担となる。
しかるに、特許文献１〜３に記載のシステム等、従来のインターネットを利用したコンテンツ配信システムによれば、インターネットプロバイダが通信設備等を請け負うので、サーバ等、通信設備等のコストの負担は多少軽減できる。
【０００７】
しかし、特許文献１〜３に記載のシステム等、従来のインターネットを利用したコンテンツ配信システムでは、一般に、放送局の開設者がコンテンツ提供者を兼ねている。このため、個人で、放送局を立ち上げたいという希望があっても、ネットワーク、サーバ、プログラム、映像、音楽、画像などの専門的な知識と技術を十分には持っていない人にとっては、個人放送局を立ち上げることは、非常に困難であった。また、個人放送局を立ち上げることができたとしても、個人では、番組に用いるコンテンツを自らで製作するのは煩雑であり、一般視聴者に提供できるコンテンツの数にも限界が生じてしまう。
【０００８】
また、特許文献１〜３に記載のシステム等、従来のインターネットを利用した放送局を実現するためのシステムのように、個人放送局の開設者がコンテンツ提供者を兼ねたのでは、コンテンツの提供がそのコンテンツの提供者が開設するホームページに限定される上、コンテンツに各種の情報を付加してカスタマイズして配信することができない。
そして、従来は、個人が、他のコンテンツ提供者が提供する様々な既成のコンテンツを組合せ、これをカスタマイズして番組を制作し、製作した番組を個人放送局より配信できる仕組みは存在しなかった。
【０００９】
さらに、特許文献１〜３に記載のシステム等、従来のインターネットを利用した放送局を実現するためのシステムのように、個人放送局の開設者がコンテンツ提供者を兼ねたのでは、コンテンツの提供機会が限定されたものとなる上、コンテンツ提供者の提供するコンテンツを備えたホームページ自体が、視聴者にアクセスされるものでない場合には、ＣＭを効率的に提供できる余地がないという問題がある。
【００１０】
さらに、上述のように、インターネット番組の放送局の立ち上げに関する十分な専門知識を有さず、コンテンツ提供者を兼ね難い個人のユーザが個人放送局を立ち上げることは困難であるため、従来は、コンテンツ提供者を兼ねない個人放送者や、個人放送者にコンテンツを提供するのみで個人放送局は開設しないコンテンツ提供者に対し、ＣＭのアクセス数に応じてＣＭスポンサーからの利益を配分して還元するような仕組み自体が存在しなかった。
【００１１】
本発明は上記従来の問題に鑑みてなされたものであり、インターネット番組の放送局の立ち上げに関する十分な専門知識を有さず、コンテンツ提供者を兼ね難い個人ユーザが簡単に個人放送局を実現することができ、また、放送番組に応じてコンテンツを様々に組合せてカスタマイズして配信することができ、しかも、個人放送者にコンテンツを提供するのみで個人放送局は開設しないコンテンツ提供者とともに、コンテンツ提供者を兼ねない個人ユーザに対しても、ＣＭのアクセス数に応じてＣＭスポンサーからの利益を配分して還元することが可能なインターネット放送番組制作支援システムを提供することを目的とする。
【課題を解決するための手段】
【００１２】
上記目的を達成するため、本発明によるインターネット放送番組制作支援システムは、インターネットを利用したウェブシステムであって、コンテンツ提供者に関する識別情報を登録する機能と該コンテンツ提供者からのコンテンツデータを受付ける機能と該コンテンツデータに関する所定事項を該コンテンツ提供者の指定に応じて設定する機能とを少なくとも備えるコンテンツデータ受付手段と、ＣＭスポンサーに関する識別情報を登録する機能と該ＣＭスポンサーからのＣＭデータを受付ける機能と該ＣＭデータに関する所定事項を該ＣＭスポンサーの指定に応じて設定する機能とを少なくとも備えるＣＭデータ受付手段と、インターネット放送番組製作者に関する識別情報を登録する機能と所望の前記コンテンツデータ及び前記ＣＭデータを選択して番組を設定可能な機能とを少なくとも備えるインターネット放送番組用データ申し込み受付手段と、前記コンテンツデータ受付手段を介して登録されたコンテンツ提供者に関する識別情報と前記ＣＭデータ受付手段を介して登録されたＣＭスポンサーに関する識別情報と前記インターネット放送番組用データ申し込み受付手段を介して登録されたインターネット放送番組製作者に関する識別情報とを蓄積管理するユーザ管理部と、前記コンテンツ提供者からのコンテンツデータを蓄積管理するコンテンツデータ管理部と、前記ＣＭスポンサーからのＣＭデータを蓄積管理するＣＭデータ管理部と、前記インターネット放送番組製作者を介して設定された番組データを記録管理する設定番組記録管理部と、提供される番組へのアクセス数を計数し記録する番組アクセス数計数記録部と、前記番組に含まれるＣＭデータのＣＭスポンサーから提供されるＣＭ収益を、前記番組アクセス数計数記録部を介して記録されたアクセス数に応じて、該番組を設定した前記インターネット放送番組製作者と該番組に含まれるコンテンツを提供したコンテンツ提供者とに所定の割合で分配するＣＭ収益管理部を備えたデータベース部と、前記番組データを提供する番組データ提供手段と、を有することを特徴としている。
【００１３】
また、本発明のインターネット放送番組制作支援システムにおいては、前記コンテンツデータ受付手段が、前記コンテンツ提供者が指定するコンテンツデータに関する所定事項に、コンテンツデータのカテゴリを含むとともに、前記ＣＭデータ受付手段が、前記ＣＭスポンサーが指定するＣＭデータに関する所定事項に、ＣＭデータのカテゴリを含んでおり、前記インターネット放送番組用データ申し込み受付手段において前記インターネット放送番組製作者を介して任意のコンテンツデータが選択されたときに、該コンテンツデータのカテゴリに一致したＣＭデータを前記データベース部の前記ＣＭデータ管理部に蓄積されたＣＭデータから抽出し、抽出されたＣＭデータの中から所望のＣＭデータを該インターネット放送番組製作者が選択できるように構成されているのが好ましい。
【００１４】
また、本発明のインターネット放送番組制作支援システムにおいては、前記ＣＭデータ受付手段が、前記ＣＭスポンサーが指定するＣＭデータに関する所定事項に、ＣＭの掲載期間及びＣＭの予算を含んでおり、前記インターネット放送番組用データ申し込み受付手段において前記インターネット放送番組製作者が、前記抽出されたＣＭデータの中から所望のＣＭデータを選択する際に、前記抽出されたそれぞれのＣＭにおける掲載期間及び予算を確認できるとともに、当該ＣＭを視聴することができるように構成されているのが好ましい。
【００１５】
また、本発明のインターネット放送番組制作支援システムにおいては、前記インターネット放送番組用データ申し込み受付手段において前記インターネット放送番組製作者が前記コンテンツデータ及び前記ＣＭデータを選択して番組を設定するときに、１つのコンテンツに対して少なくとも１つ以上のＣＭデータを組合せたものを１つの基本セットとし、１回の外部からのアクセスに対して４セットまでの番組を放送でき、且つ、回数を無制限に放送できるようにするのが好ましい。
【００１６】
また、本発明のインターネット放送番組制作支援システムにおいては、さらに、前記インターネット放送番組用データ申し込み受付手段において前記インターネット放送番組製作者が前記コンテンツデータ及び前記ＣＭデータを選択して番組を設定するときに、ＣＭデータのみからなる番組、又はコンテンツのみからなる番組を選択設定可能とするのが好ましい。
【００１７】
また、本発明のインターネット放送番組制作支援システムにおいては、前記コンテンツデータ受付手段が、前記コンテンツデータに関する所定事項として、コンテンツデータのカテゴリ、コンテンツの著作権情報、著作者情報、提供者のメールアドレス、コメントを前記コンテンツ提供者の指定に応じて設定することができるように構成されており、前記インターネット放送番組制作者が、前記インターネット放送番組用データ申し込み受付手段において、前記コンテンツデータのカテゴリ、コンテンツの著作権情報、著作者情報、提供者のメールアドレス、コメントのそれぞれをキーとしてコンテンツデータを検索することができるようにするのが好ましい。
【００１８】
また、本発明のインターネット放送番組制作支援システムにおいては、前記コンテンツ提供者から提供されるコンテンツの種類は、映像コンテンツ、画像コンテンツ、音楽（音声）コンテンツ、文字コンテンツであり、インターネット放送番組用データ申し込み受付手段においてインターネット放送番組製作者がこれらのコンテンツを単独及び組合せて用いることができるようにするのが好ましい。
【００１９】
また、本発明のインターネット放送番組制作支援システムにおいては、前記コンテンツ提供者から提供されるコンテンツを、前記インターネット放送番組製作者を介して評価できるようにするとともに、その評価内容に応じて、コンテンツの利用に制限を加えることができるようにしたシステムを備えるのが好ましい。
【００２０】
また、本発明のインターネット放送番組制作支援システムにおいては、前記コンテンツデータ受付手段において前記コンテンツ提供者が提供するコンテンツ毎に利用範囲を設定することが可能に構成されているのが好ましい。
【００２１】
また、本発明のインターネット放送番組制作支援システムにおいては、前記インターネット放送番組製作者が、他のインターネットウェブサイトから配信されているプログラムから特定の情報を抽出して、配信ツールから配信することができるシステムをも備えるのが好ましい。
【００２２】
また、本発明のインターネット放送番組制作支援システムにおいては、前記インターネット放送番組用データ申し込み受付手段において前記インターネット放送番組製作者が配信用ツールのデザインを随時変更することができるようにするのが好ましい。
【００２３】
また、本発明のインターネット放送番組制作支援システムにおいては、前記インターネット放送番組用データ申し込み受付手段において前記インターネット放送番組製作者がテキスト入力することで配信用ツールに該テキストを配信することができるように構成されているのが好ましい。
【００２４】
また、本発明のインターネット放送番組制作支援システムにおいては、前記インターネット放送番組用データ申し込み受付手段において前記インターネット放送番組製作者が、パソコンに接続されたカメラやマイクなどを介した、映像、音声又は音楽のリアルタイム配信、又は録画、録音による配信を行うことができるように構成されているのが好ましい。
【００２５】
また、本発明のインターネット放送番組制作支援システムにおいては、配信される番組に随時インターネット放送番組制作支援システム管理者が提供するコンテンツを組み入れることができるようにするのが好ましい。
【００２６】
また、本発明のインターネット放送番組制作支援システムにおいては、前記インターネット放送番組製作者が配信ツールを利用する場合に、利用する情報端末の種別に応じて、貼り付けるための配信ツール用プログラムを選択することができるようにするのが好ましい。
【００２７】
また、本発明のインターネット放送番組制作支援システムにおいては、前記アクセス数が、当該番組を放送した回数を示すインプレッション数と視聴者が当該番組においてＣＭデータにアクセスした回数を示すインタラクション数を含み、前記番組に含まれるＣＭデータのＣＭスポンサーから提供されるＣＭ収益が、前記インプレッション数に対する前記インタラクション数の割合であるインタラクション率に応じて、該番組を設定した前記インターネット放送番組製作者と該番組に含まれるコンテンツを提供したコンテンツ提供者とに所定の割合で分配されるようにするのが好ましい。
【発明の効果】
【００２８】
本発明によれば、個人放送番組製作者がコンテンツ提供者から提供されるコンテンツを任意に組合せてカスタマイズして配信することができるので、インターネット番組の放送局の立ち上げに関する十分な専門的な知識を持たない個人ユーザであっても個人放送局を容易に立ち上げることができる。
また、本発明によれば、番組を構成するコンテンツに所望のＣＭを組合せることができるので、ＣＭスポンサーにとって、多様な形態の番組においてＣＭを提供する機会を得ることができる。
さらに、本発明によれば、ＣＭのアクセス数に応じて個人放送番組製作者や、個人放送者にコンテンツを提供するのみで個人放送局は開設しないコンテンツ提供者に対しても、ＣＭスポンサーからの収益を配分して還元することができ、結果として個人放送番組製作者のＣＭ付き番組制作のインセンティブやコンテンツ提供者のコンテンツ提供のインセンティブを向上させることによって、より多くのＣＭ提供の機会を得ることができる。
このように、本発明によれば、インターネット番組の放送局の立ち上げに関する十分な専門知識を有さず、コンテンツ提供者を兼ね難い個人ユーザが簡単に個人放送局を実現することができ、また、放送番組に応じてコンテンツを様々に組合せてカスタマイズして配信することができ、しかも、個人放送者にコンテンツを提供するのみで個人放送局は開設しないコンテンツ提供者とともに、コンテンツ提供者を兼ねない個人ユーザに対し、ＣＭのアクセス数に応じてＣＭスポンサーからの利益を配分して還元することが可能なインターネット放送番組制作支援システムが得られる。
【発明を実施するための最良の形態】
【００２９】
図１は本発明の一実施形態にかかるインターネット放送番組制作支援システムの概略構成を示す説明図、図２は図１のシステムを構成する要部の具体的なデータ構成を示す説明図である。
本実施形態のインターネット放送番組制作支援システムは、インターネットを利用したウェブシステムであり、図１に示すように、サーバ１００を有して構成されている。サーバ１００は、インターネット２００を介して、コンテンツ提供者３００、ＣＭスポンサー４００、個人放送番組製作者５００及び番組を視聴する一般視聴者６００、システム管理者７００の携帯やパソコンその他の通信端末に接続可能に構成されている。
【００３０】
サーバ１００
サーバ１００は、図２に示すように、コンテンツデータ受付手段１０１と、ＣＭデータ受付手段１０２と、インターネット放送番組用データ申し込み受付手段１０３と、データベース部１０４と、ウェブサーバ部１０５と、未変換データ格納用サーバ部１５０と、サンプル受信端末配信ツール６０１と、受信端末配信ツール６０２と、システム管理手段１０７を有している。
【００３１】
コンテンツデータ受付手段１０１
コンテンツデータ受付手段１０１は、本実施形態のインターネット放送番組制作支援システムにおける所定のウェブページ上にコンテンツ提供会員専用の入力管理画面（以下、「コンテンツ会員管理画面」）を備えて構成されている。そして、コンテンツ提供者３００に関する識別情報を登録する機能と、コンテンツ提供者３００からのコンテンツデータを受付ける機能と、該コンテンツデータに関する所定事項をコンテンツ提供者３００の指定に応じて設定する機能とを、少なくとも備えている。
【００３２】
詳しくは、コンテンツ会員管理画面は、図２に示すように、コンテンツ会員ＩＤ登録画面１０１ａと、コンテンツ会員管理画面入室画面１０１ｂと、コンテンツアップロード画面１０１ｃと、コンテンツ一覧画面１０１ｄと、視聴数（インプレッション数）／収益確認画面１０１ｅを有している。
【００３３】
コンテンツ会員ＩＤ登録画面１０１ａ
コンテンツ会員ＩＤ登録画面１０１ａは、コンテンツ会員の申し込み希望者にコンテンツ会員ＩＤ登録フォームからコンテンツ会員登録を行わせ、コンテンツ会員毎にそれぞれのＩＤを発行するとともにパスワードを設定させて、そのＩＤ及びパスワードをデータベース部１０４のユーザ管理部１０４ａへ記録し、保管管理するための入力画面である。
詳しくは、コンテンツ会員ＩＤ登録画面１０１ａは、例えば、図３(a)〜図３(c)に示すように、規約条項表示項目１０１ａ−１ａと、規約条項同意確認選択入力項目（同意する、同意しないを選択して入力可能なボタン）１０１ａ−１ｂ，１ｃと、氏名１０１ａ−２、メールアドレス１０１ａ−３、コンテンツ会員ＩＤ１０１ａ−４及びパスワード１０１ａ−５の入力項目を備えている。
【００３４】
コンテンツ会員の申し込み希望者が、自らの端末３００からインターネット２００を介してシステムのコンテンツ会員ＩＤ登録画面１０１ａに接続すると、システムは、図３(a)に示す規約条項表示項目１０１ａ−１ａに本実施形態のインターネット放送番組制作支援システムの利用規約条項（コンテンツ会員の申し込み希望者に対する本実施形態のシステム側とのコンテンツ使用許諾契約内容を含む）を示した画面を表示する。
次いで、コンテンツ会員の申し込み希望者が、図３(a)に示す規約条項同意確認選択入力項目１０１ａ−１ｂ，１０１ａ−１ｃのうち、同意する旨のボタン１０１ａ−１ｃを選択して押すと、システムは、図３(b)、図３(c)に示す項目を備えた登録フォームを表示する。
【００３５】
次いで、コンテンツ会員の申し込み希望者が、氏名１０１ａ−２、メールアドレス１０１ａ−３を入力すると、システムは、図２に示すウェブサーバ部１０５の入出力制御部１０５ｆを介して、コンテンツ会員ＩＤを作成し、コンテンツ会員の申し込み希望者が入力したメールアドレスへ送信する。なお、システムは、このとき後述のコンテンツ会員管理画面入室画面１０１ｂを表示するためのＵＲＬの情報も併せて送信する。
【００３６】
次いで、コンテンツ会員の申し込み希望者が、送信されたコンテンツ会員ＩＤ１０１ａ−４を入力するとともに、パスワード１０１ａ−５を任意に設定して入力すると、システムは、コンテンツ会員の申し込み希望者が入力した登録フォームの情報を、データベース部１０４のユーザ管理部１０４ａに記録する。
【００３７】
コンテンツ会員管理画面入室画面１０１ｂ
コンテンツ会員管理画面入室画面１０１ｂは、コンテンツ会員ＩＤ登録済みの会員（コンテンツ会員）を対象とする画面であり、例えば、図４、図５に示すように、コンテンツ会員ＩＤ１０１ｂ−１、パスワード１０１ｂ−２、ライセンス設定１０１ｂ−３の入力項目と、「コンテンツアップロード」、「コンテンツ一覧」、「視聴数（インプレッション数）／収益確認」等の処理を選択するための処理選択メニュー１０１ｂ−５を備えている。
また、コンテンツ会員管理画面入室画面１０１ｂは、一部の領域にサンプル受信端末配信ツール６０１の画面が表示されるようにレイアウトされている。
【００３８】
コンテンツ会員が、図４において、コンテンツ会員ＩＤ１０１ｂ−１とパスワード１０１ｂ−２を入力すると、システムは、図２に示すウェブサーバ部１０５のパラメータ解析部１０５ａを介して、入力されたコンテンツ会員ＩＤ及びパスワードをユーザ管理部１０４ａに記録されているコンテンツ会員ＩＤ及びパスワードと照合し、一致した場合に以後の画面入力を許可する。
【００３９】
コンテンツ会員は、画面入力が許可された場合、ライセンス設定１０１ｂ−３の入力を行うことができる。
ライセンス設定１０１ｂ−３は、コンテンツの利用者側に対する、コンテンツの利用範囲や利用条件などを、コンテンツ会員が著作権者の立場で設定する入力項目であり、例えば、次の項目１０１ｂ−３−１〜１０１ｂ−３−８について入力を行うことで利用範囲や利用条件などをディフォルト情報として設定できるようになっている。
１．提供するコンテンツを利用することができる主体の範囲（選択入力）
２．提供するコンテンツを翻案・改変することへの許可・不許可（選択入力）
２−１．許可を選択した場合における翻案・改変の同一ジャンル・他ジャンル（選択入力）
３．提供するコンテンツを営利目的で利用することへの許可・不許可（選択入力）
４．提供するコンテンツの利用を許諾する地域（選択入力）
５．提供するコンテンツの利用を許諾する期間（選択入力）
６．提供するコンテンツの利用を許諾するライセンス料率（選択入力）
７．著作権者（コンテンツ提供者）の氏名／著作権表示入力（テキスト入力）
８．著作権者（コンテンツ提供者）のＵＲＬ入力（テキスト入力）
【００４０】
システムは、番組制作者が当該コンテンツを選択して番組を製作した場合、その番組が一般視聴者に視聴されるときに、当該コンテンツ会員により当該コンテンツについて設定されたライセンス設定情報を受信端末配信ツール６０２へ配信し、メニューボタン６０２ｇ−ａの押下により、そのライセンス設定情報を反映したメニュー表示スクリーン６０２ｇ−ｂ（図示省略）を表示するように構成されている。
しかるに、コンテンツ会員が、上記ライセンス設定をすると、後述する以降のコンテンツアップロードデータやリアルタイムでの録画、録音のデータについて、事前にライセンスの初期設定をしておくことができるようになる。
コンテンツ会員が送信ボタン１０１ｂ−４を押すと、システムは、図２に示すウェブサーバ部１０５の入出力制御部１０５ｆを介してコンテンツＩＤとして所定のディフォルト値を付与する。また、システムは、ライセンス設定１０１ｂ−３−１〜１０１ｂ−３−３の選択内容に対応して所定のライセンス種類を付加する。そして、システムは、コンテンツ会員ＩＤ１０１ｂ−１、パスワード１０１ｂ−２の入力内容、コンテンツＩＤのディフォルト値及びライセンス種類を、データベース部１０４のユーザ管理部１０４ａに記録するとともに、ライセンス設定１０１ｂ−３の各入力内容を、コンテンツ会員ＩＤ１０１ｂ−１及びコンテンツＩＤのディフォルト値とともに、未変換データ格納用サーバ部１５０のライセンス管理部１５０ｂに記録する。
【００４１】
次いで、システムは、図５に示すように、コンテンツアップロード１０１ｂ−５−１と、コンテンツ一覧１０１ｂ−５−２と、視聴数（インプレッション数）／収益確認１０１ｂ−５−３の処理ボタンを選択肢として備えた処理選択メニュー１０１ｂ−５を表示する。
コンテンツ会員は、所望の処理を選択入力することができる。
【００４２】
コンテンツアップロード画面１０１ｃ
コンテンツアップロード画面１０１ｃを図６に示す。
なお、コンテンツアップロード画面１０１ｃは、一部の領域にサンプル受信端末配信ツール６０１の画面が表示されるようにレイアウトされている。
コンテンツアップロード画面１０１ｃは、コンテンツ会員が自ら制作し、または撮影したコンテンツデータを、コンテンツ会員を介してシステムのデータベース部１０４にアップロードさせるために、次の選択入力項目を備えている。システムは、コンテンツ会員が選択入力した情報に基づいて、コンテンツデータ及びコンテンツデータに関する所定の管理情報を図２に示したデータベース部１０４の変換コンテンツデータ保管部１０４ｇ、コンテンツデータ管理部１０４ｂ、未変換データ格納用サーバ部１５０の未変換コンテンツデータ保管部１５０ａ、及びライセンス管理部１５０ｂへ記録する。
【００４３】
[項目１０１ｃ−１]（ファイル選択）
コンテンツ会員が、図６において、ファイル選択ボタン１０１ｃ−１を押すと、システムは、コンテンツ会員端末３００のローカルなハードディスク内のフォルダ及びファイル等を表示する。そして、コンテンツ会員が、アップロードを所望するコンテンツデータを、コンテンツ会員端末３００のローカルなハードディスク内のファイルから選択することができるようになっている。
【００４４】
[項目１０１ｃ−２]（カテゴリ選択）
カテゴリ選択１０１ｃ−２は、プルダウンボタン１０１ｃ−２ａと、テキスト入力欄１０１ｃ−２ｂを有してなる。
コンテンツ会員が、プルダウンボタン１０１ｃ−２ａを押すと、システムは、例えば、図７に示すように、カテゴリの大項目としての「映像」，「音楽」，「ＶＯＩＣＥ」，「効果音／ｅｔｃ」，「インタラクション／ゲーム／ｅｔｃ」，「画像／イラスト／ｅｔｃ」、「映像」に対するカテゴリの中項目としての「ＭＯＶＩＥ」，「アニメーション」，「ニュース＆ビジネス経済」，「スポーツ」，「エンターテイメント」，「外国語放送」，「バラエティ」、「音楽」に対するカテゴリの中項目としての「Ｊ−ＰＯＰ」，「ＲＯＣＫ」，「ＤＡＮＣＥ」，「ＳＯＵＬ」、「ＶＯＩＣＥ」に対するカテゴリの中項目としての「実況中継」，「会話・議論」、「効果音／ｅｔｃ」に対するカテゴリの中項目としての「自然」，「乗り物」、「インタラクション／ゲーム／ｅｔｃ」に対するカテゴリの中項目としての「アクションゲーム」，「知能」、「画像／イラスト／ｅｔｃ」に対するカテゴリの中項目としての「写真」を選択肢として表示する。そして、コンテンツ会員が、表示されたカテゴリの中からコンテンツ内容に合致する大、中項目のカテゴリを選択入力することができるようになっている。
なお、本実施形態のシステムでは、コンテンツ会員がアップロードするコンテンツのカテゴリとＣＭ会員がアップロードしたＣＭコンテンツのカテゴリとを合致させることができるように、コンテンツ会員が選択できる大、中項目のカテゴリを、ＣＭコンテンツのカテゴリと同等（の種類、個数）にして備えている。
また、テキスト入力欄１０１ｃ−２ｂには、カテゴリの中項目の下位概念に相当する小項目としてのカテゴリ名を、コンテンツ会員が任意に入力することができるようになっている。
なお、本実施形態のシステムでは、入力された大、中、小項目のカテゴリを、後述するコンテンツ登録ボタン１０１ｃ−６が押下されたときに、コンテンツデータ管理部１０４ｂに記録するようになっている。
【００４５】
[項目１０１ｃ−３]（データ種類）
データ種類１０１ｃ−３は、コンテンツ会員がアップロードするコンテンツについて、プルダウンもしくはラジオボタンで用意された、ｉ)動画データ、ii）写真データ、iii）デザインデータ、iv）イラストデータ、ｖ）音楽データ、vi）音声データ、vii）テキストデータの選択入力項目で構成されている。そして、コンテンツ会員に、これらの選択入力項目の中から所望の種類を任意に選択入力させることによって、コンテンツのデータの種類分けをさせることができるようになっている。
【００４６】
[項目１０１ｃ−４]（ライセンス設定）
ライセンス設定１０１ｃ−４は、コンテンツの利用者側に対する、コンテンツの利用範囲や利用条件などを、コンテンツ会員が著作権者の立場で設定する入力項目である。システムは、図４に示したコンテンツ会員管理画面入室画面１０１ｂのライセンス設定１０１ｂ−３において入力され、コンテンツ会員ＩＤ、ディフォルト値のコンテンツＩＤとともに、コンテンツデータ管理部１０４ｂ、及びライセンス管理部１５０ｂに記録した内容をディフォルト表示する。そして、コンテンツ会員が次の項目１０１ｃ−４−１〜１０１ｃ−４−１０についての入力を行うことで、アップロードする個々のコンテンツについての利用範囲や利用条件などを更新又は新規設定できるようになっている。
１．提供するコンテンツを利用することができる主体の範囲（選択入力）
２．提供するコンテンツを翻案・改変することへの許可・不許可（選択入力）
２−１．許可を選択した場合における翻案・改変の同一ジャンル・他ジャンル（選択入力）
３．提供するコンテンツを営利目的で利用することへの許可・不許可（選択入力）
４．提供するコンテンツの利用を許諾する地域（選択入力）
５．提供するコンテンツの利用を許諾する期間（選択入力）
６．提供するコンテンツの利用を許諾するライセンス料率（選択入力）
７．提供するコンテンツのタイトル（テキスト入力）
８．提供するコンテンツに対する作者（提供者）のコメント（テキスト入力）
９．著作権者（コンテンツ提供者）の氏名／著作権表示入力（テキスト入力）
１０．著作権者（コンテンツ提供者）のＵＲＬ入力（テキスト入力）
【００４７】
[項目１０１ｃ−５]（サンプル画面表示指示ボタン）
サンプル画面表示指示（サンプル画面で見る）ボタン１０１ｃ−５を押すと、システムは、項目１０１ｃ−１（ファイル選択）〜１０１ｃ−３（データ種類）での設定内容をサンプル受信端末配信ツール６０１の映像、アニメーション表示部６０１ｂ、字幕、テキスト表示部６０１ｃへ反映して表示するとともに、メニューボタン６０１ｇ−ａの操作を介して、項目１０１ｃ−４（ライセンス設定）での設定内容を反映したメニュー表示スクリーン６０１ｇ−ｂ（図示省略）をサンプル受信端末配信ツール６０１のモニタ画面上に重ねて表示するようになっている。なお、メニューボタン６０１ｇ−ａの操作によって、項目１０１ｃ−４（ライセンス設定）での設定内容を反映したメニュー表示スクリーン６０１ｇ−ｂ（図示省略）の表示・非表示が切替わるようになっている。
【００４８】
[項目１０１ｃ−６]（コンテンツ登録）
コンテンツ登録ボタン１０１ｃ−６を押すと、システムは、図２に示すウェブサーバ部１０５の入出力制御部１０５ｆを介して、アップロードするコンテンツ毎に固有の（非ディフォルト値の）コンテンツＩＤを付与する。また、ライセンス設定１０１ｃ−４−１〜１０１ｃ−４−３の選択内容に対応して所定のライセンス種類を付加する。
そして、システムは、ファイル選択１０１ｃ−１で選択したコンテンツを、コンテンツ／ＣＭ受信部１０５ｅを経由し、コンテンツデータ変換部１０５ｉを介して番組配信用のデータ形式に変換し、コンテンツ会員ＩＤ、コンテンツＩＤとともに変換コンテンツデータ保管部１０４ｇへ記録する。また、システムは、カテゴリ選択１０１ｃ−２で選択したカテゴリ、データ種類１０１ｃ−３で選択したデータ種類、及びライセンス設定１０１ｃ−４を介して付加したライセンス種類を、コンテンツに関する所定の管理情報として、コンテンツ会員ＩＤ、コンテンツＩＤとともにコンテンツデータ管理部１０４ｂへ記録する。これにより、コンテンツがアップロードされることになり、インターネット放送番組製作会員が、当該コンテンツを使用可能になる。なお、システムは、コンテンツをアップロードした日をコンテンツデータ管理部１０４ｂに記録するように構成されている。
また、システムは、ファイル選択１０１ｃ−１で選択したコンテンツを、コンテンツ／ＣＭ受信部１０５ｅを経由し、そのままのデータ形式で、コンテンツ会員ＩＤ、コンテンツＩＤとともに未変換データ格納用サーバ部１５０の未変換コンテンツデータ保管部１５０ａに記録するとともに、ライセンス設定１０１ｃ−４での各入力内容を、コンテンツ会員ＩＤ、コンテンツＩＤとともに未変換データ格納用サーバ部１５０のライセンス管理部１５０ｂに記録する。
さらに、システムは、当該コンテンツを使用して製作された番組が一般視聴者に視聴されるときに、当該コンテンツ会員によってアップロードされた当該コンテンツ、及びその他の設定内容を受信端末配信ツール６０２へ配信し、映像、アニメーション表示部６０２ｂ、字幕、テキスト表示部６０２ｃ、メニュー表示欄６０２ｇ−ｂ等へ反映させることができるように構成されている。
【００４９】
コンテンツ一覧画面１０１ｄ
コンテンツ一覧画面１０１ｄを図８に示す。
なお、コンテンツ一覧画面１０１ｄは、一部の領域にサンプル受信端末配信ツール６０１の画面が表示されるようにレイアウトされている。
システムは、コンテンツ一覧画面１０１ｄにおいて、コンテンツアップロード画面１０１ｃにおいてアップロードされたデータをアップロード順に一覧表示する。
コンテンツ一覧画面１０１ｄは、次の項目１０１ｄ−１〜１０１ｄ−１４を備えている。
【００５０】
[項目１０１ｄ−１]（検索）
検索１０１ｄ−１は、アップロードしたコンテンツをフリーワード入力することによりコンテンツのカテゴリやタイトル、コンテンツＩＤ、データ種類などから検索できる機能を備えている。
コンテンツ会員は、検索入力欄１０１ｄ−１ａに検索キーワードを入力して、検索ボタン１０１ｄ−１ｂを押す。
システムは、コンテンツアップロード画面１０１ｃにおいてアップロードされたデータから、検索キーワードに該当するデータを抽出してアップロード順に一覧表示する。
【００５１】
[項目１０１ｄ−２ａ，ｂ]（表示頁指定部）
表示頁指定部１０１ｄ−２ａ，１０１ｄ−２ｂは、コンテンツ一覧画面１０１ｄに表示される検索データが複数頁に及ぶ場合に、テキスト入力ボックス１０１ｄ−２ａに数字を入力し、ＧＯボタン１０１ｄ−２ｂを押すことで、所望の頁を表示する機能を備えている。
【００５２】
[項目１０１ｄ−３]（チェックボックス）
チェックボックス１０１ｄ−３は、後述の削除ボタン１０１ｄ−１２、サンプル画面表示指示ボタン１０１ｄ−１３などの処理ボタンを押したときに処理対象となるコンテンツデータを特定するための入力項目である。
例えば、所望のチェックボックス１０１ｄ−３にチェックを入れ、削除ボタン１０１ｄ−１２を押すと、システムは、チェックボックス１０１ｄ−３にチェックが入れられたコンテンツデータのコンテンツ一覧画面１０１ｄ上での表示を削除する。さらに、システムは、変換コンテンツデータ保管部１０４ｇ、未変換コンテンツデータ保管部１５０ａ、コンテンツデータ管理部１０４ｂ、及びライセンス管理部１５０ｂに当該コンテンツデータ及び当該コンテンツデータに関する所定の管理情報が記録されている場合には、変換コンテンツデータ保管部１０４ｇ、未変換コンテンツデータ保管部１５０ａ、コンテンツデータ管理部１０４ｂ、及びライセンス管理部１５０ｂから当該コンテンツデータ及び当該コンテンツデータに関する所定の管理情報を削除する。
【００５３】
[項目１０１ｄ−４]（データ種類）
データ種類１０１ｄ−４は、図６に示したコンテンツアップロード画面１０１ｃでの入力を介してコンテンツデータ管理部１０４ｂに記録されたデータ種類の、ｉ)動画データ、ii）写真データ、iii）デザインデータ、iv）イラストデータ、ｖ）音楽データ、vi）音声データ、vii）テキストデータ、の区別が一目で分かり易くなるように、それぞれの種類に対応したアイコンをアイコン表示項目１０１ｄ−４ａに表示する機能を備えている。また、データ種類１０１ｄ−４は、現在表示されているデータ種類の更新や再設定をすることができるように、プルダウンボタン１０１ｄ−４ｂを押すことによって、他のデータ種類に対応したアイコンに切替えて表示する機能を備えている。
【００５４】
[項目１０１ｄ−５]（コンテンツＩＤ）
コンテンツＩＤ１０１ｄ−５は、図６に示したコンテンツアップロード画面１０１ｃでの入力操作を介してアップロードされた各コンテンツに必ず割り当てられる、大文字小文字の英数字を羅列した固有の識別情報を表示する機能を備えている。
【００５５】
[項目１０１ｄ−６]（カテゴリ）
カテゴリ１０１ｄ−６は、図６に示したコンテンツアップロード画面１０１ｃのカテゴリ選択１０１ｃ−２において入力され、コンテンツデータ管理部１０４ｂに記録されているカテゴリをカテゴリ表示項目１０１ｄ−６ａに表示する機能を備えている。また、カテゴリ１０１ｄ−６は、更新や再設定をすることができるように、プルダウンボタン１０１ｄ−６ｂを押すと他のカテゴリに表示が切替わるようになっている。
【００５６】
[項目１０１ｄ−７]（タイトル）
タイトル１０１ｄ−７は、図６に示したコンテンツアップロード画面１０１ｃのコンテンツのタイトル入力１０１ｃ−４−８において入力され、コンテンツデータ管理部１０４ｂに記録されているタイトルを表示する機能を備えている。また、タイトル１０１ｄ−７は、更新や再設定をすることができるように、入力項目としての機能も備えている。
【００５７】
[項目１０１ｄ−８]（更新日）
更新日１０１ｄ−８は、コンテンツデータ管理部１０４ｂに記録されている、コンテンツのアップロードを行った日を表示する機能を備えている。
【００５８】
[項目１０１ｄ−９]（時間）
時間１０１ｄ−９は、コンテンツをリアルタイム録音、録画した場合において、図示しないタイマーを介して計測されたコンテンツの視聴時間を表示する機能を備えている。
【００５９】
[項目１０１ｄ−１０]（サイズ）
サイズ１０１ｄ−１０は、コンテンツのサイズ（容量）を表示する機能を備えている。
【００６０】
[項目１０１ｄ−１１]（ライセンス）
ライセンス１０１ｄ−１１は、コンテンツのライセンスマークをアイコン表示項目１０１ｄ−１１ａに表示する機能を備えている。
コンテンツのライセンスマークとは、図６に示したコンテンツアップロード画面１０１ｃにおける項目１０１ｃ−４−１（提供するコンテンツを利用することができる主体の範囲（選択入力））〜１０１ｃ−４−３（提供するコンテンツを営利目的で利用することへの許可・不許可（選択入力））の選択内容に対応して付加される所定のライセンス種類であって、その内容が分かり易くなるように図案化したアイコンである。また、ライセンス１０１ｄ−１１では、ライセンス設定を再設定することができるように、プルダウンボタン１０１ｄ−１１ｂを押すことによって、図６に示したコンテンツアップロード画面１０１ｃにおける項目１０１ｃ−４−１〜１０１ｃ−４−３と同様の項目についての選択入力が可能な画面（図示省略）を表示するように構成されている。
【００６１】
[項目１０１ｄ−１２]（削除）
削除ボタン１０１ｄ−１２を押すと、システムは、チェックボックス１０１ｄ−３にチェックが入れられているコンテンツデータのコンテンツ一覧画面１０１ｄ上での表示を削除する。また、システムは、変換コンテンツデータ保管部１０４ｇ、未変換コンテンツデータ保管部１５０ａ、コンテンツデータ管理部１０４ｂ、及びライセンス管理部１５０ｂに当該コンテンツデータ及び当該コンテンツデータに関する所定の管理情報が記録されている場合には、変換コンテンツデータ保管部１０４ｇ、未変換コンテンツデータ保管部１５０ａ、コンテンツデータ管理部１０４ｂ、及びライセンス管理部１５０ｂから当該コンテンツデータ及び当該コンテンツデータに関する所定の管理情報を削除する。
なお、システムは、インターネット放送番組製作者が番組において使用中のコンテンツが、当該コンテンツ提供者によって削除された場合には、当該番組において所定の指標に基づく優先順位がその次に高いコンテンツへの自動切り替えを行うようになっている。
【００６２】
なお、本実施形態のシステムでは、コンテンツに対する優先順位の指標は、次のようにして定めることができるようになっている。
本実施形態のシステムでは、インターネット放送番組製作会員が番組を制作する際に、複数のコンテンツを一覧表示できるようにし、その中から１つ以上のコンテンツを選択させるようにしている。また、一覧表示したコンテンツには、放送順をつけることができるようになっている。
【００６３】
例えば、インターネット放送番組製作会員が番組に使用するコンテンツを選択するときに、５つのコンテンツが一覧表示されており、インターネット放送番組制作会員は、その中の３つのコンテンツを選択して番組を制作するものとする。
その場合、本実施形態のシステムでは、チェックボックスにチェックを入れることで、インターネット放送番組に用いる３つのコンテンツを選択することができる。また、一覧表示されている全てのコンテンツに放送順位を設定することができるようになっている。
例えば、コンテンツが一覧表示された画面において、放送順位が１，３，５番目のコンテンツを選択して番組を製作した場合、その番組においてコンテンツは１，３，５番目のコンテンツが順に放送されることになる。
ここで、この３つのコンテンツのうちの５番目のコンテンツが、当該コンテンツ提供者によって削除された場合は、インターネット放送番組制作会員が事前に設定した放送順位が２番目のコンテンツが５番目のコンテンツと自動的に入れ替わって３つのコンテンツを備えた番組として放送される。なお、その場合は、設定した放送順位が１,２，３番目のコンテンツの順に放送されることになる。
【００６４】
また、例えば、インターネット放送番組製作会員が番組に使用するコンテンツを選択するときに、３つのコンテンツが一覧表示されているものとする。そして、インターネット放送番組政策会員がその３つのコンテンツの全てを選択して番組を制作するものとした場合、番組においてコンテンツは、上記と同様に設定した放送順位の低いものから放送される。このときに、コンテンツ提供者によって１つのコンテンツが削除された場合は、削除したコンテンツに入れ替わるコンテンツがないことになる。
また、本実施形態のシステムでは、システム管理者は、インターネット放送番組制作会員が製作したインターネット放送番組の放送枠内にシステム管理者の番組の放送枠を設けることができるようになっている。そして、インターネット放送番組においてコンテンツ提供者によって削除され、削除したコンテンツに入れ替わるコンテンツがない場合は、システム管理者を介して当該放送枠内へ登録された番組を繰り上げて放送するようになっている。なお、システム管理者の番組の放送枠を設けていない場合には、残りの２つのコンテンツからなる番組として放送する。また、そのような場合において、インターネット放送番組制作会員が、その後に新たに３つ目のコンテンツを選択し放送順をつけて番組へ登録した場合には、放送順の付いた３つのコンテンツを、システム管理者が製作した番組に優先して放送するようになっている。
【００６５】
また、番組内において削除されたコンテンツと、未選択であって設定した放送順位の高いコンテンツとの自動切替は、自動切替制御部１０５ｈを介して行うように構成されている。
【００６６】
[項目１０１ｄ−１３]（サンプル画面表示指示ボタン）
サンプル画面表示指示（サンプル画面で見る）ボタン１０１ｄ−１３を押すと、システムは、チェックボックス１０１ｄ−３にチェックが入れられているコンテンツに関する項目１０１ｄ−４（データ種類）〜項目１０１ｄ−１０（サイズ）での設定内容を、サンプル受信端末配信ツール６０１の映像、アニメーション表示部６０１ｂ、字幕、テキスト表示部６０１ｃへ反映して表示するとともに、メニューボタン６０１ｇ−ａの操作を介して、項目１０１ｄ−１１（ライセンス）での設定内容を反映したメニュー表示スクリーン６０１ｇ−ｂ（図示省略）をサンプル受信端末配信ツール６０１のモニタ画面上に重ねて表示するようになっている。なお、メニューボタン６０１ｇ−ａの操作によって、項目１０１ｄ−１１（ライセンス）での設定内容を反映したメニュー表示スクリーン６０１ｇ−ｂ（図示省略）の表示・非表示が切替わるようになっている。
【００６７】
[項目１０１ｄ−１４]（コンテンツデータ更新）
コンテンツデータ更新ボタン１０１ｄ−１４を押すと、システムは、図２に示すウェブサーバ部１０５の入出力制御部１０５ｆを介して、当該コンテンツＩＤが付与されているコンテンツデータについて項目１０１ｄ−４（データ種類）〜項目１０１ｄ−１１（ライセンス）での設定内容を、コンテンツ／ＣＭ受信部１０５ｅを経由して、コンテンツデータ管理部１０４ｂへ記録する。これにより、コンテンツデータに関する所定の管理情報についての設定内容が更新され、インターネット放送番組製作会員が、当該コンテンツを、当該コンテンツデータに関する所定の管理情報について更新された設定内容でもって使用可能になる。
また、システムは、コンテンツ／ＣＭ受信部１０５ｅを経由して当該コンテンツＩＤが付与されているコンテンツデータについて、ライセンス１０１ｄ−１１での設定内容を、未変換データ格納用サーバ部１５０のライセンス管理部１５０ｂに記録する。
【００６８】
コンテンツ視聴率（インプレッション数）／収益確認画面１０１ｅ
コンテンツ視聴率（インプレッション数）／収益確認画面１０１ｅを図９に示す。
なお、コンテンツ視聴率（インプレッション数）／収益確認画面１０１ｅは、一部の領域にサンプル受信端末配信ツール６０１の画面が表示されるようにレイアウトされている。
【００６９】
[項目１０１ｅ−１]（コンテンツ視聴数（インプレッション数：ｉｍｐ））
システムは、図６に示したコンテンツアップロード画面１０１ｃを介してアップロードされたコンテンツがインターネット放送番組製作者により番組に使用された場合におけるその番組の視聴数（インプレッション数）を、タグを介して受信端末配信ツール６０２が貼り付けられているインターネット放送番組制作会員のホームページやブログサイト、携帯サイトなどに、一般視聴者であるユーザがパソコンの受信端末６００を介してアクセスした場合において、その受信端末配信ツール６０２を介してサーバ１００からそのコンテンツを使用して製作された番組が配信されたときの１回の配信ごとに１視聴数（１インプレッション）としてカウントするように構成されている。そして、システムは、コンテンツを使用して製作された番組の視聴数（インプレッション数）を、アクセス／視聴数記録部１０４ｄに記録するようになっている。
コンテンツ視聴数（インプレッション数：ｉｍｐ）１０１ｅ−１は、このアクセス／視聴数記録部１０４ｄに記録されている、コンテンツ提供者が提供したコンテンツを使用して製作された番組の視聴数（インプレッション数）を、コンテンツ提供者が確認できるようにするための表示項目である。
【００７０】
なお、本実施形態のシステムにおける受信端末配信ツール６０２は、HTMLなどの所定のタグを用いて表示させることができるように構成されている。そして、インターネット番組製作者が、これらのタグをホームページやブログサイト、携帯サイトなどにタグを埋め込み、且つ、サーバ１００とリンクされるようにすることにより、表示データ生成部１０５ｃを経由しての配信が可能となるように構成されている。そして、受信端末配信ツール６０２は、表示データ生成部１０５ｃをリンクとして一般視聴者の受信端末６００を介してインターネット放送番組製作者が製作した番組を視聴することができるように構成されている。
【００７１】
[項目１０１ｅ−２]（収益）
収益１０１ｅ−２は、当該コンテンツを使用して製作された番組のインプレッション数とその番組に使用されたＣＭコンテンツに対するインタラクション率により、図２に示すシステム管理画面１０７のＣＭ費，レベニュー率編集画面１０７ｍで設定された収益率（分配率）をもとに計算されＣＭ／収益計算処理記録管理部１０４ｆに記録された収益を表示する機能を備えている。
【００７２】
[項目１０１ｅ−３]（受信端末配信先ＵＲＬ）
受信端末配信先ＵＲＬ１０１ｅ−３は、提供したコンテンツの配信先のＵＲＬを表示する機能を備えている。また、そのＵＲＬをクリックすると、そのＵＲＬ先のホームページを表示することができるようになっている。
【００７３】
ＣＭデータ受付手段１０２
ＣＭデータ受付手段１０２は、本実施形態のインターネット放送番組制作支援システムにおける所定のウェブページ上にＣＭスポンサー会員専用の入力管理画面（以下、「ＣＭ会員専用管理画面」を備えて構成されている。そして、ＣＭスポンサー４００に関する識別情報を登録する機能と、ＣＭスポンサー４００からのＣＭデータを受付ける機能と、該ＣＭデータに関する所定事項をＣＭスポンサー４００の指定に応じて設定する機能とを、少なくとも備えている。
【００７４】
詳しくは、ＣＭ会員管理画面は、図２に示すように、ＣＭ会員ＩＤ登録画面１０２ａと、ＣＭ会員管理画面入室画面１０２ｂと、ＣＭデータアップロード画面１０２ｃと、ＣＭ一覧画面１０２ｄと、視聴数（インプレッション数）／掲載期間／ＣＭ予算確認画面１０２ｅを有している。
【００７５】
ＣＭ会員ＩＤ登録画面１０２ａ
ＣＭ会員ＩＤ登録画面１０２ａは、ＣＭ会員の申し込み希望者にＣＭ会員ＩＤ登録フォームからＣＭ会員登録を行わせ、ＣＭ会員毎にそれぞれのＩＤを発行するとともにパスワードを設定させて、そのＩＤ及びパスワードをデータベース部１０４のユーザ管理部１０４ａへ記録し、保管管理するための入力画面である。
詳しくは、ＣＭ会員ＩＤ登録画面１０２ａは、例えば、図１０(a)〜図１０(c)に示すように、コンテンツ会員ＩＤ登録画面１０１ａに準じた入力項目を備えている。
【００７６】
ＣＭ会員の申し込み希望者が、自らの端末４００からインターネット２００を介してシステムのＣＭ会員ＩＤ登録画面１０２ａに接続すると、システムは、図１０(a)に示す規約条項表示項目１０２ａ−１ａに本実施形態のインターネット放送番組制作支援システムの利用規約条項（ＣＭ会員の申し込み希望者に対する本実施形態のシステム側とのＣＭ使用許諾契約内容を含む）を示した画面を表示する。
次いで、ＣＭ会員の申し込み希望者が、図１０(a)に示す規約条項同意確認選択入力項目１０２ａ−１ｂ，１０２ａ−１ｃのうち、同意する旨のボタン１０２ａ−１ｃを選択して押すと、システムは、図１０(b)、図１０(c)に示す項目を備えた登録フォームを表示する。
【００７７】
次いで、ＣＭ会員の申し込み希望者が、氏名１０２ａ−２、メールアドレス１０２ａ−３を入力すると、システムは、図２に示すウェブサーバ部１０５の入出力制御部１０５ｆを介して、ＣＭ会員ＩＤを作成し、ＣＭ会員の申し込み希望者が入力したメールアドレスへ送信する。なお、システムは、このとき後述のＣＭ会員管理画面入室画面１０２ｂを表示するためのＵＲＬの情報も併せて送信する。
【００７８】
次いで、ＣＭ会員の申し込み希望者が、送信されたＣＭ会員ＩＤ１０２ａ−４を入力するとともに、パスワード１０２ａ−５を任意に設定して入力すると、システムは、ＣＭ会員の申し込み希望者が入力した登録フォームの情報を、データベース部１０４のユーザ管理部１０４ａに記録する。
【００７９】
ＣＭ会員管理画面入室画面１０２ｂ
ＣＭ会員管理画面入室画面１０２ｂは、ＣＭ会員ＩＤ登録済みの会員（ＣＭ会員）を対象とする画面であり、例えば、図１１、図１２に示すように、ＣＭ会員ＩＤ１０２ｂ−１、パスワード１０２ｂ−２、ライセンス設定１０２ｂ−３の入力項目と、「ＣＭコンテンツアップロード」、「ＣＭコンテンツ一覧」、「視聴数（インプレッション数）／掲載期間／ＣＭ予算」等の処理を選択するための処理選択メニュー１０２ｂ−５を備えている。
また、ＣＭ会員管理画面入室画面１０２ｂは、一部の領域にサンプル受信端末配信ツール６０１の画面が表示されるようにレイアウトされている。
【００８０】
ＣＭ会員が、図１１において、ＣＭ会員ＩＤ１０２ｂ−１とパスワード１０２ｂ−２を入力すると、システムは、図２に示すウェブサーバ部１０５のパラメータ解析部１０５ａを介して、入力されたＣＭ会員ＩＤ及びパスワードをユーザ管理部１０４ａに記録されているＣＭ会員ＩＤ及びパスワードと照合し、一致した場合に以後の画面入力を許可する。
【００８１】
ＣＭ会員は、画面入力が許可された場合、ライセンス設定１０２ｂ−３の入力を行うことができる。
ライセンス設定１０２ｂ−３は、ＣＭコンテンツの利用者側に対する、ＣＭコンテンツの利用範囲や利用条件などを、ＣＭ会員が著作権者の立場で設定する入力項目であり、例えば、次の項目１０２ｂ−３−１〜１０２ｂ−３−３について入力を行うことで利用範囲や利用条件などを設定できるようになっている。
１．著作権者（ＣＭコンテンツ提供者）の氏名／著作権表示入力（テキスト入力）
２．提供するＣＭコンテンツを他のコンテンツとミックス（組合せ）をして配信することの許諾の可否の選択
３．著作権者（ＣＭコンテンツ提供者）のＵＲＬ入力（テキスト入力）
システムは、番組制作者が当該ＣＭコンテンツを選択して番組を製作した場合、その番組が一般視聴者に視聴されるときに、当該ＣＭ会員により当該ＣＭコンテンツについて設定されたライセンス設定情報を受信端末配信ツール６０２へ配信し、メニューボタン６０２ｇ−ａの押下により、そのライセンス設定情報を反映したメニュー表示スクリーン６０２ｇ−ｂ（図示省略）を表示するように構成されている。
しかるに、ＣＭ会員が、上記ライセンス設定をすると、後述する以降のＣＭコンテンツアップロードデータやリアルタイムでの録画、録音のデータについて、事前にライセンスの初期設定をしておくことができるようになる。
ＣＭ会員が送信ボタン１０２ｂ−４を押すと、システムは、図２に示すウェブサーバ部１０５の入出力制御部１０５ｆを介してＣＭコンテンツＩＤとして所定のディフォルト値を付与する。また、システムは、ＣＭ会員ＩＤ１０２ｂ−１、パスワード１０２ｂ−２、ライセンス設定１０２ｂ−３の各入力内容、及びＣＭコンテンツＩＤのディフォルト値を、データベース部１０４のユーザ管理部１０４ａに記録するとともに、未変換データ格納用サーバ部１５０のライセンス管理部１５０ｂに記録する。
【００８２】
次いで、システムは、図１２に示すように、ＣＭコンテンツアップロード１０２ｂ−５−１と、ＣＭコンテンツ一覧１０２ｂ−５−２と、視聴数（インプレッション数）／ＣＭ予算１０２ｂ−５−３の処理ボタンを選択肢として備えた処理選択メニュー１０２ｂ−５を表示する。
ＣＭ会員は、所望の処理を選択入力することができる。
【００８３】
ＣＭコンテンツアップロード画面１０２ｃ
ＣＭコンテンツアップロード画面１０２ｃを図１３に示す。
なお、ＣＭコンテンツアップロード画面１０２ｃは、一部の領域にサンプル受信端末配信ツール６０１の画面が表示されるようにレイアウトされている。
ＣＭコンテンツアップロード画面１０２ｃは、ＣＭ会員が自ら制作し、または撮影したＣＭコンテンツデータを、ＣＭ会員を介してシステムのデータベース部１０４にアップロードさせるために、次の選択入力項目を備えている。システムは、ＣＭ会員が選択入力した情報に基づいて、ＣＭコンテンツデータ及びＣＭコンテンツデータに関する所定の管理情報を図２に示したデータベース部１０４の変換コンテンツデータ保管部１０４ｇ、ＣＭデータ管理部１０４ｃ、未変換データ格納用サーバ部１５０の未変換コンテンツデータ保管部１５０ａ、及びライセンス管理部１５０ｂへ記録する。
【００８４】
[項目１０２ｃ−１]（ファイル選択）
ＣＭ会員が、図１３において、ファイル選択ボタン１０２ｃ−１を押すと、システムは、ＣＭ会員端末４００のローカルなハードディスク内のフォルタ及びファイル等を表示する。そして、ＣＭ会員が、アップロードを所望するＣＭコンテンツデータを、ＣＭ会員端末４００のローカルなハードディスク内のファイルから選択することができるようになっている。
【００８５】
[項目１０２ｃ−２]（カテゴリ選択）
カテゴリ選択１０２ｃ−２は、プルダウンボタン１０２ｃ−２ａと、テキスト入力欄１０２ｃ−２ｂを有してなる。
ＣＭ会員が、プルダウンボタン１０２ｃ−２ａを押すと、システムは、例えば、図７に示すように、カテゴリの大項目としての「映像」，「音楽」，「ＶＯＩＣＥ」，「効果音／ｅｔｃ」，「インタラクション／ゲーム／ｅｔｃ」，「画像／イラスト／ｅｔｃ」、「映像」に対するカテゴリの中項目としての「ＭＯＶＩＥ」，「アニメーション」，「ニュース＆ビジネス経済」，「スポーツ」，「エンターテイメント」，「外国語放送」，「バラエティ」、「音楽」に対するカテゴリの中項目としての「Ｊ−ＰＯＰ」，「ＲＯＣＫ」，「ＤＡＮＣＥ」，「ＳＯＵＬ」、「ＶＯＩＣＥ」に対するカテゴリの中項目としての「実況中継」，「会話・議論」、「効果音／ｅｔｃ」に対するカテゴリの中項目としての「自然」，「乗り物」、「インタラクション／ゲーム／ｅｔｃ」に対するカテゴリの中項目としての「アクションゲーム」，「知能」、「画像／イラスト／ｅｔｃ」に対するカテゴリの中項目としての「写真」を選択肢として表示する。そして、ＣＭ会員が、表示されたカテゴリの中からＣＭ内容に合致する大、中項目のカテゴリを選択入力することができるようになっている。
なお、本実施形態のシステムでは、ＣＭ会員がアップロードするＣＭコンテンツのカテゴリとコンテンツ会員がアップロードしたコンテンツのカテゴリとを合致させることができるように、ＣＭ会員が選択できる大、中項目のカテゴリを、コンテンツのカテゴリと同等（の種類、個数）にして備えている。また、１つのＣＭコンテンツに対し必ず１つ以上のカテゴリを選択させる機能を備えている。
また、テキスト入力欄１０２ｃ−２ｂには、カテゴリの中項目の下位概念に相当する小項目としてのカテゴリ名を、ＣＭ会員が任意に入力することができるようになっている。
なお、本実施形態のシステムでは、入力された大、中、小項目のカテゴリを、後述するＣＭコンテンツ登録ボタン１０２ｃ−８が押下されたときに、ＣＭデータ管理部１０４ｂに記録するようになっている。
【００８６】
[項目１０２ｃ−３]（データ種類）
データ種類１０２ｃ−３は、ＣＭ会員がアップロードするＣＭコンテンツについて、プルダウンもしくはラジオボタンで用意された、ｉ)動画データ、ii）写真データ、iii）デザインデータ、iv）イラストデータ、ｖ）音楽データ、vi）音声データ、vii）テキストデータの選択入力項目で構成されている。そして、ＣＭ会員に、これらの選択入力項目の中から中から所望の種類を任意に選択入力させることによって、ＣＭコンテンツのデータの種類分けをさせることができるようになっている。
【００８７】
[項目１０２ｃ−４]（ライセンス設定）
ライセンス設定１０２ｃ−４は、ＣＭコンテンツの利用者側に対する、ＣＭコンテンツの利用範囲や利用条件などを、ＣＭ会員が著作権者の立場で設定する入力項目である。システムは、図１１に示したＣＭコンテンツ会員管理画面入室画面１０２ｂのライセンス設定１０２ｂ−３において入力され、ＣＭ会員ＩＤ、ディフォルト値のＣＭコンテンツＩＤとともに、ＣＭデータ管理部１０４ｂ、及びライセンス管理部１５０ｂに記録した内容をディフォルト表示する。そして、ＣＭ会員が次の項目１０２ｃ−４−１〜１０２ｃ−４−５についての入力を行うことで、アップロードする個々のＣＭコンテンツについての利用範囲と利用条件などを更新又は新規設定できるようになっている。
１．著作権者（ＣＭコンテンツ提供者）の氏名／著作権表示入力（テキスト入力）
２．提供するＣＭコンテンツを他のコンテンツとのミックス（組合せ）をして配信することの許諾の可否の選択
３．提供するＣＭコンテンツのタイトル（テキスト入力）
４．著作権者（ＣＭコンテンツ提供者）のＵＲＬ入力（テキスト入力）
５．提供するＣＭコンテンツに対する作者（提供者）のコメント（テキスト入力）
【００８８】
［項目１０２ｃ−５］（掲載期間）
掲載期間１０２ｃ−５は、提供するＣＭコンテンツの掲載期間を初期設定するための入力項目である。なお、後述のように、インプレッション数とインタラクション率により、ＣＭ費が変動し、ＣＭ費の変動によって、残りの掲載期間が変動する。
【００８９】
[項目１０２ｃ−６]（ＣＭ予算）
ＣＭ予算１０２ｃ−６は、ＣＭコンテンツを組み込んだ番組が一般視聴者に視聴されることによって発生し、本実施形態のシステムを介して徴収されるＣＭ費用の総予算枠を設定するための入力項目である。
ＣＭコンテンツ提供者は、インターネット放送番組製作者にＣＭコンテンツを利用してもらう。本発明では、ＣＭを利用した番組を視聴者がアクセスする回数を視聴数（インプレッション数）とし、視聴者がＣＭコンテンツに対し何らかのアクション（マウスオーバーやクリック）を行う割合を、ＣＭコンテンツのインタラクション率とする。そして、本実施形態のシステムでは、番組の視聴数（インプレッション数）とＣＭコンテンツのインタラクション率とを用いてＣＭ費を決定するように構成されている。
【００９０】
[項目１０２ｃ−７]（サンプル画面表示指示ボタン）
サンプル画面表示指示（サンプル画面で見る）ボタン１０２ｃ−７を押すと、システムは、項目１０２ｃ−１（ファイル選択）〜１０２ｃ−３（データ種類），１０２ｃ−５（掲載期間）１０２ｃ−６（ＣＭ予算）での設定内容を、サンプル受信端末配信ツール６０１の映像、アニメーション表示部６０１ｂ、字幕、テキスト表示部６０１ｃへ反映して表示するとともに、メニューボタン６０１ｇ−ａの操作を介して、項目１０２ｃ−４（ライセンス設定）での設定内容を反映したメニュー表示スクリーン６０１ｇ−ｂ（図示省略）をサンプル受信端末配信ツール６０１のモニタ画面上に重ねて表示するようになっている。なお、メニューボタン６０１ｇ−ａの操作によって、項目１０２ｃ−４（ライセンス設定）での設定内容を反映したメニュー表示スクリーン６０１ｇ−ｂ（図示省略）の表示・非表示が切替わるようになっている。
【００９１】
[項目１０２ｃ−８]（ＣＭコンテンツ登録）
ＣＭコンテンツ登録ボタン１０２ｃ−８を押すと、システムは、図２に示すウェブサーバ部１０５の入出力制御部１０５ｆを介して、アップロードするＣＭコンテンツ毎に固有の（非ディフォルト値の）ＣＭコンテンツＩＤを付与する。
そして、システムは、ファイル選択１０２ｃ−１で選択したＣＭコンテンツを、コンテンツ／ＣＭ受信部１０５ｅを経由し、コンテンツデータ変換部１０５ｉを介して番組配信用のデータ形式に変換し、ＣＭ会員ＩＤ、ＣＭコンテンツＩＤとともに変換コンテンツデータ保管部１０４ｇへ記録する。また、システムは、カテゴリ選択１０２ｃ−２で選択したカテゴリ、データ種類１０２ｃ−３で選択したデータ種類、ライセンス設定１０２ｃ−４、掲載期間１０２ｃ−５、及びＣＭ予算１０２ｃ−６を、ＣＭコンテンツに関する所定の管理情報として、ＣＭ会員ＩＤ、ＣＭコンテンツＩＤとともにＣＭデータ管理部１０４ｃへ記録する。これにより、ＣＭコンテンツがアップロードされることになり、インターネット放送番組製作会員が、当該ＣＭコンテンツを使用可能になる。なお、システムは、ＣＭコンテンツをアップロードした日をＣＭデータ管理部１０４ｃに記録するように構成されている。
また、システムは、ファイル選択１０２ｃ−１で選択したコンテンツを、コンテンツ／ＣＭ受信部１０５ｅを経由し、そのままのデータ形式で、ＣＭ会員ＩＤ、ＣＭコンテンツＩＤとともに未変換データ格納用サーバ部１５０の未変換コンテンツデータ保管部１５０ａに記録するとともに、ライセンス設定１０２ｃ−４の各入力内容を、ＣＭ会員ＩＤ、ＣＭコンテンツＩＤとともに未変換データ格納用サーバ部１５０のライセンス管理部１５０ｂに記録する。
さらに、システムは、当該ＣＭコンテンツを使用して製作された番組が一般視聴者に視聴されるときに、当該ＣＭ会員によってアップロードされた当該ＣＭコンテンツ、及びその他の設定内容を受信端末配信ツール６０２へ配信し、映像、アニメーション表示部６０２ｂ、字幕、テキスト表示部６０２ｃ、メニュー表示欄６０２ｇ−ｂ等へ反映させることができるように構成されている。
【００９２】
ＣＭコンテンツ一覧画面１０２ｄ
ＣＭコンテンツ一覧画面１０２ｄを図１４に示す。
なお、ＣＭコンテンツ一覧画面１０２ｄは、一部の領域にサンプル受信端末配信ツール６０１の画面が表示されるようにレイアウトされている。
システムは、コンテンツ一覧画面１０１ｄにおいて、ＣＭコンテンツアップロード画面１０２ｃにおいてアップロードされたデータをアップロード順に一覧表示する。
ＣＭコンテンツ一覧画面１０２ｄは、次の項目１０２ｄ−１〜１０２ｄ−１４を備えている。
【００９３】
[項目１０２ｄ−１]（検索）
検索１０２ｄ−１は、アップロードしたＣＭコンテンツをフリーワード入力することによりＣＭコンテンツのカテゴリやタイトル、ＣＭコンテンツＩＤ、データ種類などから検索できる機能を備えている。
ＣＭ会員は、検索入力欄１０２ｄ−１ａに検索キーワードを入力して、検索ボタン１０２ｄ−１ｂを押す。
システムは、ＣＭコンテンツアップロード画面１０２ｃにおいてアップロードされたデータから、検索キーワードに該当するデータを抽出してアップロード順に一覧表示する。
【００９４】
[項目１０２ｄ−２ａ，ｂ]（表示頁指定部）
表示頁指定部１０２ｄ−２ａ，１０２ｄ−２ｂは、ＣＭコンテンツ一覧画面１０２ｄに表示される検索データが複数頁に及ぶ場合に、テキスト入力ボックス１０２ｄ−２ａに数字を入力し、ＧＯボタン１０２ｄ−２ｂを押すことで、所望の頁を表示する機能を備えている。
【００９５】
[項目１０２ｄ−３]（チェックボックス）
チェックボックス１０２ｄ−３は、後述の削除ボタン１０２ｄ−１２、サンプル画面表示指示ボタン１０２ｄ−１３などの処理ボタンを押したときに処理対象となるＣＭコンテンツデータを特定するための入力項目である。
例えば、所望のチェックボックス１０２ｄ−３にチェックを入れ、削除ボタン１０２ｄ−１２を押すと、システムは、チェックボックス１０２ｄ−３にチェックが入れられたＣＭコンテンツデータのＣＭコンテンツ一覧画面１０２ｄ上での表示を削除する。さらに、システムは、変換コンテンツデータ保管部１０４ｇ、未変換コンテンツデータ保管部１５０ａ、ＣＭデータ管理部１０４ｃ及びライセンス管理部１５０ｂに当該ＣＭコンテンツデータ及び当該ＣＭコンテンツデータに関する所定の管理情報が記録されている場合には、変換コンテンツデータ保管部１０４ｇ、未変換コンテンツデータ保管部１５０ａ、ＣＭデータ管理部１０４ｂ、及びライセンス管理部１５０ｂから当該ＣＭコンテンツデータ及び当該ＣＭコンテンツデータに関する所定の管理情報を削除する。
【００９６】
[項目１０２ｄ−４]（データ種類）
データ種類１０２ｄ−４は、図１３に示したＣＭコンテンツアップロード画面１０２ｃでの入力を介してＣＭデータ管理部１０４ｃに記録されたデータ種類の、ｉ)動画データ、ii）写真データ、iii）デザインデータ、iv）イラストデータ、ｖ）音楽データ、vi）音声データ、vii）テキストデータ、の区別が一目で分かり易くなるように、それぞれの種類に対応したアイコンをアイコン表示項目１０２ｄ−４ａに表示する機能を備えている。また、データ種類１０２ｄ−４は、現在表示されているデータ種類の更新や再設定をすることができるように、プルダウンボタン１０２ｄ−４ｂを押すことによって、他のデータ種類に対応したアイコン表示に切替えて表示する機能を備えている。
【００９７】
[項目１０２ｄ−５]（ＣＭコンテンツＩＤ）
ＣＭコンテンツＩＤ１０２ｄ−５は、図１３に示したＣＭコンテンツアップロード画面１０２ｃでの入力操作を介してアップロードされた各ＣＭコンテンツに必ず割り当てられる、大文字小文字の英数字を羅列した固有の識別情報を表示する機能を備えている。
【００９８】
[項目１０２ｄ−６]（カテゴリ）
カテゴリ１０２ｄ−６は、図１３に示したＣＭコンテンツアップロード画面１０２ｃのカテゴリ選択１０２ｃ−２において入力され、ＣＭデータ管理部１０４ｃに記録されているカテゴリをカテゴリ表示項目１０２ｄ−６ａに表示する機能を備えている。また、カテゴリ１０２ｄ−６は、更新や再設定をすることができるように、プルダウンボタン１０２ｄ−６ｂを押すと他のカテゴリに表示が切替わるようになっている。
【００９９】
[項目１０２ｄ−７]（タイトル）
タイトル１０２ｄ−７は、図１３に示したＣＭコンテンツアップロード画面１０２ｃのＣＭコンテンツのタイトル入力１０２ｃ−４−３において入力され、ＣＭデータ管理部１０４ｃに記録されているタイトルを表示する機能を備えている。また、タイトル１０２ｄ−７は、更新や再設定をすることができるように、入力項目としての機能も備えている。
【０１００】
[項目１０２ｄ−８]（更新日）
更新日１０２ｄ−８には、ＣＭデータ管理部１０４ｃに記録されている、ＣＭコンテンツのアップロードを行った日時を表示する機能を備えている。
【０１０１】
[項目１０２ｄ−９]（時間）
時間１０２ｄ−９は、ＣＭコンテンツをリアルタイム録音、録画した場合において、図示しないタイマーを介して計測されたＣＭコンテンツの視聴時間を表示する機能を備えている。
【０１０２】
[項目１０２ｄ−１０]（サイズ）
サイズ１０２ｄ−１０は、ＣＭコンテンツのサイズ（容量）を表示する機能を備えている。
【０１０３】
[項目１０２ｄ−１１]（ライセンス）
ライセンス１０２ｄ−１１は、ＣＭコンテンツのライセンスマークをアイコン表示項目１０２ｄ−１１ａに表示する機能を備えている。
ＣＭコンテンツのライセンスマークとは、図１３に示したＣＭコンテンツアップロード画面１０２ｃにおける項目１０２ｃ−４−２（提供したＣＭコンテンツを他のコンテンツとのミックス（組合せ）をして配信することの許諾の可否の選択）の選択内容に対応するものであって、その内容が分かり易くなるように図案化したアイコンである。また、ライセンス１０２ｄ−１１では、ライセンス設定を再設定することができるように、プルダウンボタン１０２ｄ−１１ｂを押すことによって、図１３に示したＣＭコンテンツアップロード画面１０２ｃにおける項目１０２ｃ−４−２と同様の項目についての選択入力が可能な画面（図示省略）を表示するように構成されている。
【０１０４】
[項目１０２ｄ−１２]（削除）
削除ボタン１０２ｄ−１２を押すと、システムは、チェックボックス１０２ｄ−３にチェックが入れられているＣＭコンテンツデータの表示を削除する。また、システムは、変換コンテンツデータ保管部１０４ｇ、未変換コンテンツデータ保管部１５０ａ、ＣＭデータ管理部１０４ｃ、及びライセンス管理部１５０ｂに当該ＣＭコンテンツデータ及び当該ＣＭコンテンツデータに関する所定の管理情報が記録されている場合には、変換コンテンツデータ保管部１０４ｇ、未変換コンテンツデータ保管部１５０ａ、コンテンツデータ管理部１０４ｂ、及びライセンス管理部１５０ｂから当該ＣＭコンテンツデータ及び当該ＣＭコンテンツデータに関する所定の管理情報を削除する。
なお、システムは、インターネット放送番組製作者が番組において使用中のＣＭコンテンツが、当該ＣＭ会員によって削除された場合には、当該番組を当該ＣＭが削除された状態で放送するようにしている。
【０１０５】
[項目１０２ｄ−１３]（サンプル画面表示指示ボタン）
サンプル画面表示指示（サンプル画面で見る）ボタン１０２ｄ−１３を押すと、システムは、チェックボックス１０２ｄ−３にチェックが入れられているＣＭコンテンツに関する項目１０２ｄ−４（データ種類）〜項目１０２ｄ−１０（サイズ）での設定内容を、サンプル受信端末配信ツール６０１の映像、アニメーション表示部６０１ｂ、字幕、テキスト表示部６０１ｃへ反映して表示するとともに、メニューボタン６０１ｇ−ａの操作を介して、項目１０２ｄ−１１（ライセンス）での設定内容を反映したメニュー表示スクリーン６０１ｇ−ｂ（図示省略）をサンプル受信端末配信ツール６０１のモニタ画面に重ねて表示するようになっている。なお、メニューボタン６０１ｇ−ａの操作によって、項目１０２ｄ−１１（ライセンス）での設定内容を反映したメニュー表示スクリーン６０１ｇ−ｂ（図示省略）の表示・非表示が切替わるようになっている。
【０１０６】
[項目１０２ｄ−１４]（ＣＭコンテンツデータ更新）
ＣＭコンテンツデータ更新ボタン１０２ｄ−１４を押すと、システムは、図２に示すウェブサーバ部１０５の入出力制御部１０５ｆを介して、当該ＣＭコンテンツＩＤが付与されているＣＭコンテンツデータについて項目１０２ｄ−４（データ種類）〜項目１０２ｄ−１１（ライセンス）での設定内容を、コンテンツ／ＣＭ受信部１０５ｅを経由して、ＣＭデータ管理部１０４ｃへ記録する。これにより、ＣＭコンテンツデータに関する所定の管理情報についての設定内容が更新され、インターネット放送番組製作会員が、当該ＣＭコンテンツを、当該ＣＭコンテンツデータに関する所定の管理情報について更新された設定内容でもって、使用可能になる。
また、システムは、コンテンツ／ＣＭ受信部１０５ｅを経由して当該コンテンツＩＤが付与されているＣＭコンテンツデータについて、ライセンス１０２ｄ−１１での設定内容を、未変換データ格納用サーバ部１５０のライセンス管理部１５０ｂに記録する。
【０１０７】
ＣＭコンテンツ視聴率（インプレッション数）／掲載期間／ＣＭ予算確認画面１０２ｅ
ＣＭコンテンツ視聴率（インプレッション数）／掲載期間／ＣＭ予算確認画面１０２ｅを図１５に示す。
なお、ＣＭコンテンツ視聴率（インプレッション数）／掲載期間／ＣＭ予算確認画面１０２ｅは、一部の領域にサンプル受信端末配信ツール６０１の画面が表示されるようにレイアウトされている。
【０１０８】
[項目１０２ｅ−１]（ＣＭコンテンツ視聴数（インプレッション数：ｉｍｐ））
システムは、図１３に示したＣＭコンテンツアップロード画面１０２ｃを介してアップロードされたＣＭコンテンツがインターネット放送番組製作者により番組に使用された場合におけるその番組の視聴数（インプレッション数）を、タグを介して受信端末配信ツール６０２が貼り付けられているインターネット放送番組制作会員のホームページやブログサイト、携帯サイトなどに、一般視聴者であるユーザがパソコンの受信端末６００を介してアクセスした場合において、ユーザが受信端末６００を介してシステム１００へのアクセスがなされたときに、その受信端末配信ツール６０２を介してサーバ１００からそのＣＭコンテンツを使用して製作された番組が配信されたときの１回の配信ごとに１視聴数（１インプレッション）としてカウントするように構成されている。そして、システムは、ＣＭコンテンツを使用して製作された番組の視聴数（インプレッション数）を、アクセス／視聴数記録部１０４ｄに記録するようになっている。
ＣＭコンテンツ視聴数（インプレッション数：ｉｍｐ）１０２ｅ−１は、このアクセス／視聴数記録部１０４ｄに記録されている、ＣＭコンテンツ提供者が提供したＣＭコンテンツを使用して製作された番組の視聴数（インプレッション数）を、ＣＭコンテンツ提供者が確認できるようにするための表示項目である。
【０１０９】
[項目１０２ｅ−２]（インタラクション数（ｉｎｔ））
インタラクション数（ｉｎｔ）１０２ｅ−２は、番組において表示されているＣＭコンテンツに対する視聴者のアクション（マウスオーバーやクリック）回数を表した数（＝インタラクション数）を表示する表示項目である。
【０１１０】
[項目１０２ｅ−３]（インタラクション率（ｉｎｔ％））
インタラクション率（ｉｎｔ％）１０２ｅ−２は、インプレッション数に対してマウスオーバーやクリックのアクションが生じる割合（＝インタラクション率）を表示する表示項目である。
【０１１１】
[項目１０２ｅ−４]（掲載期間／残掲載期間）
掲載期間／残掲載期間１０２ｅ−４は、図１３に示したＣＭコンテンツアップロード画面１０２ｃの入力項目１０２ｃ−５で設定された掲載期間を表示するとともに、残りの掲載期間も同時に表示するための表示項目である。
なお、本実施形態のシステムでは、ＣＭの残掲載期間を、次のようにして求めている。ＣＭコンテンツを使用して製作された番組の視聴数（インプレッション数）とインタラクション率を用いるとともに、後述するシステム管理画面１０７のインタラクション率によるＣＭ費の設定欄１０７ｃで予め設定されているＣＭ費を基準として現時点での徴収すべきＣＭ費を計算する。次に図１３に示したＣＭコンテンツアップロード画面１０２ｃの入力項目１０２ｃ−６で設定されたＣＭ予算から現時点のＣＭ費を引き算して残ＣＭ予算を算出する。次に、残ＣＭ予算と、ＣＭコンテンツを使用して製作された番組の視聴数（インプレッション数）とインタラクション率とからＣＭの残りの掲載期間を算出する。残ＣＭ予算及び残掲載期間は、ＣＭ／収益計算処理記録管理部１０４ｆに記録される。
なお、ＣＭの残掲載期間は、以後の残ＣＭ予算に対する視聴者の視聴数（インプレッション数）とインタラクション率により変動しうる。
【０１１２】
[項目１０２ｅ−５]（ＣＭ予算／残ＣＭ予算）
ＣＭ予算／残ＣＭ予算１０２ｅ−５は、ＣＭコンテンツアップロード画面１０２ｃの入力項目１０２ｃ−６で設定された予算を表示するとともに、残りのＣＭ予算も同時に表示するための表示項目である。
上述のように、残ＣＭ予算は、ＣＭコンテンツを使用して製作された番組の視聴数（インプレッション数）とインタラクション率を用いるとともに、システム管理画面１０７のインタラクション率によるＣＭ費の設定欄１０７ｃで予め設定されたＣＭ費を基準として現時点での徴収すべきＣＭ費を計算し、次いで、図１３に示したＣＭコンテンツアップロード画面１０２ｃの入力項目１０２ｃ−６で設定されたＣＭ予算から現在のＣＭ費を引き算することによって求める。残ＣＭ予算は、ＣＭ／収益計算処理記録管理部１０４ｆに記録される。
【０１１３】
[項目１０２ｅ−６]（予算設定）
予算設定１０２ｅ−６は、ＣＭ予算/残予算１０２ｅ−５の枠内でもって複数個のＣＭコンテンツを効率良く配信できるようにするために配慮された入力項目である。
本実施形態のシステムでは、ＣＭ予算はポイントとして割り当てられるようになっている。そして、同一ＣＭ会員ＩＤのＣＭ会員であれば、予算設定１０２ｅ−６に入力することで該ＣＭ会員のＣＭコンテンツそれぞれに割り当てられたポイントを移動させることができるようになっている。
また、予算設定１０２ｅ−６にポイントを入力することで、ＣＭ予算/残予算１０２ｅ−５の枠内で、予算枠の制限を設けることもでき、この制限枠を超えてＣＭコンテンツが配信されないようにすることができるようになっている。
なお、予算設定１０２ｅ−６が未入力の場合、ＣＭ予算/残予算１０２ｅ−５に表示されている残予算の値がそのままポイントとして割り当てられる。
図１６は予算設定の一例を示す説明図であり、(b)はポイントの移動、(c)は予算枠の制限をそれぞれ示している。
図１６(b)の例では、第２番目のＣＭコンテンツから第１番目のＣＭコンテンツへ予算が８０ポイント移動させている。図１６(b)の例では、第２番目のＣＭコンテンツにおける現在の残予算が８０ポイントあるところ、ＣＭ費用として使用できるポイント数を６０ポイントに制限している。
【０１１４】
このような予算設定の制御は、次のようにして行う。
本実施形態のシステムでは、データベース部１０４のＣＭ／収益計算処理記録管理部１０４ｆに、ＣＭコンテンツＩＤ、ＣＭ会員ＩＤをキーとして「ＣＭ予算／残予算」、「総合計ＣＭ費」、「現合計ＣＭ費」の各項目を備えている。
ここで、「総合計ＣＭ費」は、ＣＭ／収益計算処理記録管理部１０４ｆに記録されている、同一ＣＭ会員ＩＤのＣＭ会員についての全てのＣＭコンテンツのＣＭ予算の合計である。また、「現合計ＣＭ費」は、ＣＭ／収益計算処理記録管理部１０４ｆに記録されている、同一ＣＭ会員ＩＤのＣＭ会員についての全てのＣＭコンテンツの現時点でのＣＭ残予算の合計である。
そして、本実施形態のシステムでは、同一ＣＭ会員ＩＤのＣＭ会員が、この「現合計ＣＭ費」を超えない範囲で予算設定（ポイントの移動や制限）を行うことができるように制御している。
【０１１５】
[項目１０２ｅ−７]（インプレッション設定（ｉｍｐ設定））
インプレッション設定１０２ｅ−７は、当該ＣＭコンテンツを用いて製作される番組のインプレッション数を制限できる機能を備えた入力項目である。
【０１１６】
[項目１０２ｅ−８]（受信端末配信先ＵＲＬ一覧）
受信端末配信先ＵＲＬ一覧１０２ｅ−８は、提供したコンテンツの配信先のＵＲＬを一覧表示する機能をそなえている。また、そのＵＲＬをクリックすると、そのＵＲＬ先のホームページを表示することができるようになっている。
【０１１７】
[項目１０２ｅ−９]（ＣＭコンテンツデータ設定登録）
ＣＭコンテンツデータ設定登録ボタン１０２ｅ−９を押すと、システムは、図２に示すウェブサーバ部１０５の入出力制御部１０５ｆを介して、当該ＣＭコンテンツＩＤが付与されているＣＭコンテンツデータについて項目１０２ｅ−６（予算設定）、１０２ｅ−７（インプレッション設定（ｉｍｐ設定））での設定内容を、コンテンツ／ＣＭ受信部１０５ｅを経由して、予算設定１０２ｅ−６での設定内容はＣＭ／収益計算処理記録管理部１０４ｆへ、インプレッション設定（ｉｍｐ設定）１０２ｅ−７での設定内容はアクセス／視聴数記録部１０４ｄへと記録する。これにより、ＣＭコンテンツデータに関する視聴率・予算についての設定内容が新規登録又は更新され、インターネット放送番組製作会員が、当該ＣＭコンテンツを、当該コンテンツデータに関する視聴率・予算について新規登録又は更新された設定内容でもって使用可能になる。
【０１１８】
インターネット放送番組用データ申し込み受付手段１０３
インターネット放送番組データ申し込み受付手段１０３は、本実施形態のインターネット放送番組制作支援システムにおける所定のウェブページ上にインターネット放送番組制作会員専用の入力管理画面（以下、「インターネット放送番組制作会員管理画面」）を備えて構成されている。そして、インターネット放送番組制作者５００に関する識別情報を登録する機能と、コンテンツ提供者３００を介して提供されたコンテンツデータ及びＣＭスポンサー４００を介して提供されたＣＭデータの中から所望のコンテンツデータ及びＣＭデータを選択して番組を設定可能な機能とを、少なくとも備えている。
詳しくは、インターネット放送番組制作会員管理画面は、図２に示すように、番組制作会員ＩＤ登録画面１０３ａと、インターネット放送番組制作会員管理画面入室画面１０３ｂと、受信端末配信ツールデザイン選択画面１０３ｃと、番組制作者提供コンテンツアップロード画面１０３ｄと、コンテンツ選択画面１０３ｅと、ＲＳＳ＆ＡＴＯＭ＆テキスト設定画面１０３ｆと、テキスト＆字幕設定画面１０３ｇと、録画・録音設定画面１０３ｈと、コンテンツ，ＲＳＳ＆ＡＴＯＭ，テキスト＆字幕一覧、タグ書き出し（番組制作）画面１０３ｉと、視聴数（インプレッション数）／インタラクション率／アクセス履歴／ＣＭ掲載期間／残掲載期間／ＣＭ予算／残ＣＭ予算／番組配信先一覧／収益／番組評価確認画面１０３ｊと、著作権について／コンテンツの使用について／使用許諾内容表示画面１０３ｋを有している。
【０１１９】
インターネット放送番組製作会員ＩＤ登録画面１０３ａ
インターネット放送番組制作会員ＩＤ登録画面１０３ａは、インターネット放送番組製作会員の申し込み希望者にインターネット放送番組制作会員ＩＤ登録フォームからインターネット放送番組制作会員登録を行わせ、インターネット放送番組制作会員毎にそれぞれのＩＤを発行するとともにパスワードを設定させて、そのＩＤ及びパスワードをデータベース部１０４のユーザ管理部１０４ａへ記録し、保管管理するための入力画面である。
詳しくは、インターネット放送番組制作会員ＩＤ登録画面１０３ａは、例えば、図１７(a)〜図１７(c)に示すように、コンテンツ会員ＩＤ登録画面１０１ａやＣＭ会員ＩＤ登録画面１０２ａに準じた入力項目を備えている。
加えて、インターネット放送番組制作会員ＩＤ登録画面１０３ａは、インターネット放送番組製作会員の種類としてＡ会員かＢ会員かＣ会員かのいずれかを選択して登録を行うことができるようになっている。
【０１２０】
なお、ここでのＡ会員とは、インターネット放送番組においてコンテンツとＣＭコンテンツとを組合せて配信する会員を指す。Ｂ会員とは、インターネット放送番組においてＣＭコンテンツのみを配信し、その他のコンテンツを配信しない会員を指す。Ｃ会員とは、インターネット放送番組においてコンテンツのみを配信し、ＣＭコンテンツを一切配信しない会員を指す。
【０１２１】
インターネット放送番組制作会員の申し込み希望者が、自らの端末５００からインターネット２００を介してシステムのコンテンツ会員ＩＤ登録画面１０３ａに接続すると、システムは、図１７(a)に示す会員選択入力項目１０３ａ−１ａ，１０３ａ−１ｂ，１０３ａ−１ｃを有し、規約条項表示項目１０３ａ−２ａに本実施形態のインターネット放送番組制作支援システムの利用規約条項（コンテンツ，ＣＭコンテンツの利用規約内容を含む）を表示した画面を表示する。
次いで、インターネット放送番組制作会員の申し込み希望者が、図１７(a)に示す会員選択入力項目１０３ａ−１ａ，１０３ａ−１ｂ，１０３ａ−１ｃのうち所望する会員の種類を選択した後、規約条項同意確認選択入力項目１０３ａ−２ｂ，１０３ａ−２ｃのうち、同意する旨のボタン１０３ａ−２ｃを選択して押すと、システムは、図１７(b)、図１７(c)に示す項目を備えた登録フォームを表示する。
【０１２２】
次いで、インターネット放送番組制作会員の申し込み希望者が、氏名１０３ａ−３、メールアドレス１０３ａ−４，ニックネーム１０３ａ−４’を入力すると、システムは、図２に示すウェブサーバ部１０５の入出力制御部１０５ｆを介して、インターネット放送番組制作会員ＩＤを作成し、インターネット放送番組制作会員の申し込み希望者が入力したメールアドレスへ送信する。なお、システムは、このとき後述のインターネット放送番組制作会員管理画面入室画面１０３ｂを表示するＵＲＬの情報も併せて送信する。
【０１２３】
次いで、インターネット放送番組制作会員の申し込み希望者が、送信されたインターネット放送番組制作会員ＩＤ１０３ａ−５を入力するとともに、パスワード１０３ａ−６を任意に設定して入力すると、システムは、インターネット放送番組制作会員の申し込み希望者が入力した登録フォームの情報を、データベース部１０４のユーザ管理部１０４ａに記録する。これにより、インターネット放送番組制作会員の申し込み希望者は、インターネット放送番組製作会員として、本実施形態のシステムを用いて番組制作をすることができる。
【０１２４】
なお、本実施形態のシステムは、Ｃ会員として登録されたインターネット放送番組制作会員に対しては、所定料の月額使用料を支払わせ、後述するシステム管理者がその受領を確認したときに本発明のシステムを用いた番組制作をすることができるようにし、Ａ会員及びＢ会員に対しては、無料で本実施形態のシステムを用いた番組制作をすることができるようにしている。
また、本実施形態のシステムでは、Ａ会員とＢ会員に対しては、当該会員が製作する番組のインプレッション数と当該会員が製作する番組に使用したＣＭコンテンツのインタラクション率、コンテンツ（ＣＭコンテンツを含む）の個数とによって、予め設定されている後述するＣＭ費及びレベニュー率に応じたポイント数を付与するようにしている。また、コンテンツのみを使用するＣ会員に対しては、付与するポイント数はなく、コンテンツの使用量に応じてポイント数を徴収するようにしている。
また、インターネット放送番組制作会員のうちのＡ会員又はＢ会員がコンテンツのみを使用した番組制作設定時にポイント数が無い場合は、月額使用料の支払もしくはポイントの購入により本実施形態のシステムを用いた番組制作が可能となるように構成されている。
【０１２５】
インターネット放送番組製作会員管理画面入室画面１０３ｂ
インターネット放送番組製作会員管理画面入室画面１０３ｂは、インターネット放送番組製作会員ＩＤ登録済みの会員（インターネット放送番組製作会員）を対象とする画面であり、例えば、図１８に示すように、インターネット放送番組制作会員ＩＤ１０３ｂ−１、パスワード１０３ｂ−２、ライセンス設定１０３ｂ−３の入力項目を備えている。
また、インターネット放送番組製作会員管理画面入室画面１０３ｂは、一部の領域にサンプル受信端末配信ツール６０１の画面が表示されるようにレイアウトされている。
【０１２６】
インターネット放送番組製作会員が、図１８において、インターネット放送番組製作会員ＩＤ１０３ｂ−１とパスワード１０３ｂ−２を入力すると、システムは、図２に示すウェブサーバ部１０５のパラメータ解析部１０５ａを介して、入力されたインターネット放送番組製作会員ＩＤ及びパスワードをユーザ管理部１０４ａに記録されているインターネット放送番組製作会員ＩＤ及びパスワードと照合し、一致した場合に以後の画面入力を許可する。
【０１２７】
インターネット放送番組製作会員は、画面入力が許可された場合、ライセンス設定１０３ｂ−３の入力を行うことができる。
ライセンス設定１０３ｂ−３は、番組制作者提供コンテンツの利用者側に対する、番組制作者提供コンテンツの利用範囲や利用条件などを、インターネット放送番組製作会員が著作権者の立場で行う入力項目であり、例えば、次の項目１０３ｂ−３−１〜１０３ｂ−３−８について入力を行うことで利用範囲や利用条件などをディフォルト情報として設定できるようになっている。
１．番組制作者の提供するコンテンツを利用することができる主体の範囲（選択入力）
２．番組制作者の提供するコンテンツを翻案・改変することへの許可・不許可（選択入力）
２−１．許可を選択した場合における翻案・改変の同一ジャンル・他ジャンル（選択入力）
３．番組制作者の提供するコンテンツを営利目的で利用することへの許可・不許可（選択入力）
４．番組制作者の提供するコンテンツの利用を許諾する地域（選択入力）
５．番組制作者の提供するコンテンツの利用を許諾する期間（選択入力）
６．番組制作者の提供するコンテンツの利用を許諾するライセンス料率（選択入力）
７．著作権者（番組制作者）の氏名／著作権表示入力（テキスト入力）
８．著作権者（番組制作者）のＵＲＬ入力（テキスト入力）
【０１２８】
システムは、当該インターネット放送番組製作会員である番組制作者又は他の番組制作者が当該番組制作者提供コンテンツを選択して番組を製作した場合、その番組が一般視聴者に視聴されるときに、当該インターネット放送番組製作会員により当該番組制作者提供コンテンツについて設定されたライセンス設定情報を受信端末配信ツール６０２へ配信し、メニューボタン６０２ｇ−ａの押下により、そのライセンス設定情報を反映したメニュー表示スクリーン６０２ｇ−ｂ（図示省略）を表示するように構成されている。
しかるに、インターネット放送番組製作会員が、上記ライセンス設定をすると、後述する以降の番組制作者提供コンテンツアップロードやリアルタイムでの録画、録音のデータについて、事前にライセンスの初期設定をしておくことができるようになる。
インターネット放送番組製作会員が送信ボタン１０３ｂ−４を押すと、システムは、図２に示すウェブサーバ部１０５の入出力制御部１０５ｆを介して番組制作者提供コンテンツＩＤとして所定のディフォルト値を付与する。また、システムは、ライセンス設定１０３ｂ−３−１〜１０３ｂ−３−３の選択内容に対応して所定のライセンス種類を付加する。そして、システムは、インターネット放送番組製作会員ＩＤ１０３ｂ−１、パスワード１０３ｂ−２の入力内容、番組制作者提供コンテンツＩＤのディフォルト値及びライセンス種類を、データベース部１０４のユーザ管理部１０４ａに記録するとともに、ライセンス設定１０３ｂ−３の各入力内容を、インターネット放送番組製作会員ＩＤ１０３ｂ−１及び番組制作者提供コンテンツＩＤのディフォルト値とともに、未変換データ格納用サーバ部１５０のライセンス管理部１５０ｂに記録する。
【０１２９】
受信端末配信ツールデザイン選択画面１０３ｃ
次いで、システムは、受信端末配信ツールデザイン選択画面１０３ｃを表示する。
受信端末配信ツールデザイン選択画面１０３ｃを図１９に示す。
なお、受信端末配信ツールデザイン選択画面１０３ｃは、一部の領域にサンプル受信端末配信ツール６０１の画面が表示されるようにレイアウトされている。
受信端末配信ツールデザイン選択画面１０３ｃは、インターネット放送番組製作会員が自らの製作番組を一般視聴者の受信端末６００に配信するための受信端末配信ツール６０２の外観デザインについて、次の項目について選択入力を行うことで所望のデザインを設定することができるように構成されている。システムは、選択入力された内容を図２に示したデータベース部１０４の番組設定記録部１０４ｅへ記録する。
【０１３０】
［項目１０３ｃ−１］（フレーム形状選択）
フレーム形状選択１０３ｃ−１は、インターネット放送番組製作会員が受信端末配信ツール６０２のフレーム形状について所望の形状を選択できる入力項目である。
【０１３１】
［項目１０３ｃ−２］（フレーム模様選択）
フレーム模様選択１０３ｃ−２は、インターネット放送番組製作会員が受信端末配信ツール６０２のフレーム表面の模様について所望のデザインを選択できる入力項目である。
【０１３２】
［項目１０３ｃ−３］（フレーム色選択）
フレーム色選択１０３ｃ−３は、インターネット放送番組製作会員がフレーム模様選択１０３ｃ−２で選択した受信端末配信ツール６０２のフレーム模様の色について所望の色を選択できる入力項目である。
【０１３３】
［項目１０３ｃ−４］（サンプル画面表示指示ボタン）
サンプル画面表示指示（サンプル画面で見る）ボタン１０３ｃ−４を押すと、システムは、項目１０３ｃ−１（フレーム形状選択）〜１０３ｃ−３（フレーム色選択）において選択された受信端末配信ツール６０２の外観デザインの設定内容を、サンプル受信端末配信ツール６０１のフレーム部６０１ｈへ反映して表示する。
【０１３４】
［項目１０３ｃ−５］（デザイン登録）
デザイン登録ボタン１０３ｃ−５を押すと、システムは、図２に示すウェブサーバ部１０５の入出力制御部１０５ｆを介して、当該インターネット放送番組製作会員ＩＤをキーとして、項目１０３ｃ−１（フレーム形状選択）〜１０３ｃ−３（フレーム色選択）での設定内容を番組設定記録部１０４ｅに後述する番組ＩＤにおける左３桁のディフォルト情報として記録する。
【０１３５】
次いで、システムは、図２０〜図２２に示すように、番組製作者提供コンテンツアップロード１０３ｄ、コンテンツ選択１０３ｅ、ＲＳＳ＆ＡＴＯＭ＆テキスト設定１０３ｆ、テキスト＆字幕設定１０３ｇ、録画・録音設定１０３ｈ、ＲＳＳ＆ＡＴＯＭ，テキスト＆字幕一覧、タグ書き出し（番組制作）１０３ｉ、視聴数（インプレッション数）／インタラクション率／アクセス履歴／ＣＭ掲載期間／残掲載期間／ＣＭ予算／残ＣＭ予算／番組配信先一覧／収益／番組評価確認１０３ｊ及び著作権について／コンテンツの使用について／使用許諾内容表示１０３ｋの処理選択メニューを表示する。
なお、本実施形態のシステムでは、この選択処理画面のメニュー項目数を、インターネット放送番組製作会員の種類（Ａ会員，Ｂ会員，Ｃ会員）によって異ならせている。Ａ会員に対しては全てのメニュー項目を表示する。Ｂ会員に対しては、番組制作者提供コンテンツアップロード１０３ｄ、コンテンツ選択１０３ｅ、ＲＳＳ＆ＡＴＯＭ＆テキスト設定１０３ｆ、テキスト＆字幕設定１０３ｇ、録画・録音設定１０３ｈ、コンテンツ，ＲＳＳ＆ＡＴＯＭ，テキスト＆字幕一覧、タグ書き出し（番組制作）１０３ｉ、視聴数（インプレッション数）／インタラクション率／アクセス履歴／ＣＭ掲載期間／残掲載期間／ＣＭ予算／残ＣＭ予算／番組配信先一覧／収益／番組評価確認１０３ｊのうちのＣＭ掲載期間／残掲載期間／ＣＭ予算／残ＣＭ予算を除いたもの、及び著作権，使用許諾内容表示１０３ｋの処理選択メニューを表示する。Ｃ会員に対しては、番組制作者提供コンテンツアップロード１０３ｄ、コンテンツ選択１０３ｅの処理選択メニューを表示する。
インターネット放送番組制作会員は、表示されたメニュー項目の範囲において所望の処理を選択入力することができる。
【０１３６】
番組制作者提供コンテンツアップロード画面１０３ｄ
番組制作者提供コンテンツアップロード画面１０３ｄを図２３に示す。
なお、番組製作者提供コンテンツアップロード画面１０３ｄは、一部の領域にサンプル受信端末配信ツール６０１の画面が表示されるようにレイアウトされている。
番組制作者提供コンテンツアップロード画面１０３ｄは、Ａ会員〜Ｃ会員に共通の画面であって、インターネット放送番組製作会員が自ら製作し、または撮影した番組制作者提供コンテンツデータを、インターネット放送番組製作会員を介してシステムのデータベース部１０４にアップロードさせるために、次の選択入力項目を備えている。システムは、インターネット放送番組製作会員が選択入力した情報に基づいて、番組制作者提供コンテンツデータ及び番組制作者提供コンテンツデータに関する所定の管理情報を図２に示したデータベース部１０４の変換コンテンツデータ保管部１０４ｇ、コンテンツデータ管理部１０４ｂ、未変換データ格納用サーバ部１５０の未変換コンテンツデータ保管部１５０ａ、及びライセンス管理部１５０ｂへ記録する。
【０１３７】
[項目１０３ｄ−１]（ファイル選択）
インターネット放送番組製作会員が、図２３において、ファイル選択ボタン１０３ｄ−１を押すと、システムは、インターネット放送番組製作会員端末５００のローカルなハードディスク内のフォルダ及びファイル等を表示する。そして、インターネット放送番組製作会員が、アップロードを所望する番組製作者提供コンテンツデータを、インターネット放送番組製作会員端末５００のローカルなハードディスク内のファイルから選択することができるようになっている。
【０１３８】
[項目１０３ｄ−２]（カテゴリ選択）
カテゴリ選択１０３ｄ−２は、プルダウンボタン１０３ｄ−２ａと、テキスト入力欄１０３ｄ−２ｂを有してなる。
インターネット放送番組製作会員が、プルダウンボタン１０３ｄ−２ａを押すと、システムは、例えば、図７に示すように、カテゴリの大項目としての「映像」，「音楽」，「ＶＯＩＣＥ」，「効果音／ｅｔｃ」，「インタラクション／ゲーム／ｅｔｃ」，「画像／イラスト／ｅｔｃ」、「映像」に対するカテゴリの中項目としての「ＭＯＶＩＥ」，「アニメーション」，「ニュース＆ビジネス経済」，「スポーツ」，「エンターテイメント」，「外国語放送」，「バラエティ」、「音楽」に対するカテゴリの中項目としての「Ｊ−ＰＯＰ」，「ＲＯＣＫ」，「ＤＡＮＣＥ」，「ＳＯＵＬ」、「ＶＯＩＣＥ」に対するカテゴリの中項目としての「実況中継」，「会話・議論」、「効果音／ｅｔｃ」に対するカテゴリの中項目としての「自然」，「乗り物」、「インタラクション／ゲーム／ｅｔｃ」に対するカテゴリの中項目としての「アクションゲーム」，「知能」、「画像／イラスト／ｅｔｃ」に対するカテゴリの中項目としての「写真」を選択肢として表示する。そして、インターネット放送番組製作会員が、表示されたカテゴリの中から番組製作者提供コンテンツ内容に合致する大、中項目のカテゴリを選択入力することができるようになっている。
なお、本実施形態のシステムでは、インターネット放送番組製作会員がアップロードするコンテンツのカテゴリとＣＭ会員がアップロードしたＣＭコンテンツのカテゴリとを合致させることができるように、インターネット放送番組製作会員が選択できる大、中項目のカテゴリを、ＣＭコンテンツのカテゴリと同等（の種類、個数）にして備えている。
また、テキスト入力欄１０３ｄ−２ｂには、カテゴリの中項目の下位概念に相当する小項目としてのカテゴリ名を、インターネット放送番組製作会員が任意に入力することができるようになっている。
なお、本実施形態のシステムでは、入力された大、中、小項目のカテゴリを、後述するコンテンツ登録ボタン１０３ｄ−６が押下されたときに、コンテンツデータ管理部１０４ｂに記録するようになっている。
【０１３９】
カテゴリ選択１０３ｄ−２は、インターネット放送番組製作者が番組を作る際に選ぶコンテンツ（コンテンツ会員が提供したコンテンツの他に、インターネット放送番組製作者自らが提供した番組制作者提供コンテンツや、後述するシステム管理者が提供したシステム管理者提供コンテンツも含む）と組合せるＣＭを選び易くするために行う入力項目である。
例えば、システムは、コンテンツのカテゴリに合致するＣＭのカテゴリを自動的に選択し、選択した１つのコンテンツに対して、数個のＣＭを表示させることができるようにしている。また、逆にＣＭを選ぶことで、選んだＣＭのカテゴリに合致するコンテンツを自動的に選択する機能をも持っている。
なお、システムは、後述のコンテンツ選択画面１０３ｅ等において、自動選択したＣＭを、ＣＭ会員管理画面１０２にて設定された「予算」、「掲載期間」、「目標インプレッション」の高い順番で表示するようにしている。また、自動選択したコンテンツを、視聴数（インプレッション数）と視聴者が番組の感想を伝えるための機能として設けた受信端末配信ツール６０２のアンケート６０２ｇにある(1)良かった(2)やや良かった(3)つまらなかったのうちの(1)のチェック数の多い順に表示するようにしている。
【０１４０】
[項目１０３ｄ−３]（データ種類）
データ種類１０３ｄ−３は、インターネット放送番組製作会員がアップロードする番組製作者提供コンテンツについて、プルダウンもしくはラジオボタンで用意された、ｉ)動画データ、ii）写真データ、iii）デザインデータ、iv）イラストデータ、ｖ）音楽データ、vi）音声データ、vii）テキストデータの選択入力項目で構成されている。そして、インターネット放送番組製作会員に、これらの選択入力項目の中から所望の種類を任意に選択入力させることによって、番組制作者提供コンテンツのデータの種類分けをさせることができるようになっている。
【０１４１】
[項目１０３ｄ−４]（ライセンス設定）
ライセンス設定１０３ｄ−４は、番組制作者提供コンテンツの利用者側に対する、番組制作者提供コンテンツの利用範囲や利用条件などを、インターネット放送番組制作会員が著作権者の立場で設定する入力項目である。システムは、図１８に示したインターネット放送番組制作会員管理画面入室画面１０３ｂのライセンス設定１０３ｂ−３において入力され、インターネット放送番組制作会員ＩＤ、ディフォルト値の番組制作者提供コンテンツＩＤとともに、コンテンツデータ管理部１０４ｂ、及びライセンス管理部１５０ｂに記録した内容をディフォルト表示する。そして、インターネット放送番組制作会員が次の項目１０３ｄ−４−１〜１０３ｄ−４−１０についての入力を行うことで、利用範囲や利用条件などを更新又は新規設定できるようになっている。
１．番組制作者の提供するコンテンツを利用することができる主体の範囲（選択入力）
２．番組制作者の提供するコンテンツを翻案・改変することへの許可・不許可（選択入力）
２−１．許可を選択した場合における翻案・改変の同一ジャンル・他ジャンル（選択入力）
３．番組制作者の提供するコンテンツを営利目的で利用することへの許可・不許可（選択入力）
４．番組制作者の提供するコンテンツの利用を許諾する地域（選択入力）
５．番組制作者の提供するコンテンツの利用を許諾する期間（選択入力）
６．番組制作者の提供するコンテンツの利用を許諾するライセンス料率（選択入力）
７．番組制作者の提供するコンテンツのタイトル（テキスト入力）
８．番組制作者の提供するコンテンツに対する作者（番組制作者）のコメント（テキスト入力）
９．著作権者（番組制作者）の氏名／著作権表示入力（テキスト入力）
１０．著作権者（番組制作者）のＵＲＬ入力（テキスト入力）
【０１４２】
［項目１０３ｄ−５]（サンプル画面表示指示ボタン）
サンプル画面表示指示（サンプル画面で見る）ボタン１０３ｄ−５を押すと、システムは、項目１０３ｄ−１（ファイル選択）〜１０３ｄ−３での設定内容をサンプル受信端末配信ツール６０１の映像、アニメーション表示部６０１ｂ、字幕、テキスト表示部６０１ｃへ反映して表示するとともに、メニューボタン６０１ｇ−ａの操作を介して、項目１０３ｄ−４（ライセンス設定）での設定内容を反映したメニュー表示スクリーン６０１ｇ−ｂ（図示省略）をサンプル受信端末配信ツール６０１のモニタ画面上に重ねて表示するようになっている。なお、メニューボタン６０１ｇ−ａの操作によって、項目１０３ｄ−４（ライセンス設定）での設定内容を反映したメニュー表示スクリーン６０１ｇ−ｂ（図示省略）の表示・非表示が切替わるようになっている。
【０１４３】
［項目１０３ｄ−６］（コンテンツ登録）
コンテンツ登録ボタン１０３ｄ−６を押すと、システムは、図２に示すウェブサーバ部１０５の入出力制御部１０５ｆを介して、アップロードする番組制作者提供コンテンツ毎に固有の（非ディフォルト値の）番組制作者提供コンテンツＩＤを付与する。また、ライセンス設定１０３ｄ−４−１〜１０３ｄ−４−３の選択内容に対応して所定のライセンス種類を付加する。
そして、システムは、ファイル選択１０３ｄ−１で選択した番組制作者提供コンテンツを、コンテンツ／ＣＭ受信部１０５ｅを経由し、コンテンツデータ変換部１０５ｉを介して番組配信用のデータ形式に変換し、インターネット放送番組製作会員ＩＤ、番組制作者提供コンテンツＩＤとともに変換コンテンツデータ保管部１０４ｇへ記録する。また、システムは、カテゴリ選択１０３ｄ−２で選択したカテゴリ、データ種類１０３ｄ−３で選択したデータ種類、及びライセンス設定１０３ｄ−４を介して付加したライセンス種類を、番組制作者提供コンテンツに関する所定の管理情報として、インターネット放送番組製作会員ＩＤ、番組制作者提供コンテンツＩＤとともにコンテンツデータ管理部１０４ｂへ記録する。これにより、番組制作者提供コンテンツがアップロードされることになり、インターネット放送番組製作会員が、当該番組制作者提供コンテンツを使用可能になる。なお、システムは、番組制作者提供コンテンツをアップロードした日をコンテンツデータ管理部１０４ｂに記録するように構成されている。
また、システムは、ファイル選択１０３ｄ−１で選択した番組制作者提供コンテンツを、コンテンツ／ＣＭ受信部１０５ｅを経由し、そのままのデータ形式で、インターネット放送番組製作会員ＩＤ、番組制作者提供コンテンツＩＤとともに未変換データ格納用サーバ部１５０の未変換コンテンツデータ保管部１５０ａに記録するとともに、ライセンス設定１０３ｄ−４での各入力内容を、インターネット放送番組製作会員ＩＤ、番組制作者提供コンテンツＩＤとともに未変換データ格納用サーバ部１５０のライセンス管理部１５０ｂに記録する。
さらに、システムは、当該番組制作者提供コンテンツを使用して製作された番組が一般視聴者に視聴されるときに、当該番組制作者提供コンテンツ会員によってアップロードされた当該番組制作者提供コンテンツ、及びその他の設定内容を受信端末配信ツール６０２へ配信し、映像、アニメーション表示部６０２ｂ、字幕、テキスト表示部６０２ｃ、メニュー表示欄６０２ｇ−ｂ等へ反映させることができるように構成されている。
【０１４４】
コンテンツ選択画面１０３ｅ
コンテンツ選択画面１０３ｅを図２４に示す。
コンテンツ選択画面１０３ｅは、Ａ会員〜Ｃ会員に共通の画面であって、インターネット放送番組制作会員が製作する番組に使用するコンテンツ及びＣＭコンテンツを選択入力するための画面であり、コンテンツ選択用フリーワード検察入力部１０３ｅ−１と、ＣＭコンテンツ選択用フリーワード検索入力部１０３ｅ−２と、コンテンツ選択用カテゴリ等選択部１０３ｅ−３と、ＣＭコンテンツ選択用カテゴリ等選択画面切替指示ボタン１０３ｅ−４を備えている。
なお、システムは、Ｂ会員に対しては、コンテンツ選択画面１０３ｅにおける入力可能な項目を、後述するＣＭコンテンツ選択用フリーワード検索入力部１０３ｅ−２におけるＣＭ検索入力欄１０３ｅ−２ａ、ＣＭ検索ボタン１０３ｅ−２ｂ、及び、ＣＭコンテンツ選択用カテゴリ等選択画面切替指示ボタン１０３ｅ−４に制限している。
また、システムは、Ｃ会員に対しては、コンテンツ選択画面１０３ｅにおける入力可能な項目を、後述するコンテンツ選択用フリーワード検察入力部１０３ｅ−１におけるコンテンツ検索入力欄１０３ｅ−１ａと、コンテンツ検索ボタン１０３ｅ−１ｂ、及び、コンテンツ選択用カテゴリ等選択部１０３ｅ−３に制限している。
なお、コンテンツ選択画面１０３ｅにおいて選択対象となるコンテンツには、後述するＲＳＳ＆ＡＴＯＭ＆テキスト設定画面１０３ｆ（図３２）やテキスト＆字幕設定画面１０３ｇ（図３３）での入力を介してコンテンツデータ管理部１０４ｂや変換コンテンツデータ保管部１０４ｇに記録されるＲＳＳ＆ＡＴＯＭ＆テキストデータやテキスト＆字幕データ、更には、録画・録音設定画面１０３ｈ（図３４）を介して変換コンテンツデータ保管部１０４ｇ及びコンテンツデータ管理部１０４ｂに記録されるリアルタイム録画・録音データも含まれる。
【０１４５】
［項目１０３ｅ−１］（コンテンツ選択用フリーワード検索入力部）
コンテンツ選択用フリーワード検索入力部１０３ｅ−１は、フリーワードをキーとしてデータベース部１０４のコンテンツデータ管理部１０４ｂ、ＣＭデータ管理部１０４ｃ、変換コンテンツデータ保管部１０４ｇ、未変換データ格納用サーバ部１５０の未変換コンテンツデータ保管部１５０ａ、ライセンス管理部１５０ｂに記録されている全てのコンテンツ，ＣＭコンテンツに関し、コンテンツを主とした検索を行うための入力項目である。
そして、コンテンツ選択用フリーワード検索入力部１０３ｅ−１は、コンテンツ検索入力欄１０３ｅ−１ａと、コンテンツ検索ボタン１０３ｅ−１ｂと、ＣＭ自動選択オプション指定項目１０３ｅ−１ｃを有している。
コンテンツ検索入力欄１０３ｅ−１ａは、コンテンツのカテゴリやタイトル、コンテンツＩＤ、データ種類などから検索できる機能を備えている。
【０１４６】
［項目１０３ｅ−２］（ＣＭコンテンツ選択用フリーワード検索入力部）
ＣＭコンテンツ選択用フリーワード検索入力部１０３ｅ−２は、フリーワードをキーとしてデータベース部１０４のコンテンツデータ管理部１０４ｂ、ＣＭデータ管理部１０４ｃ、変換コンテンツデータ保管部１０４ｇ、未変換データ格納用サーバ部１５０の未変換コンテンツデータ保管部１５０ａ、ライセンス管理部１５０ｂに記録されている全てのコンテンツ，ＣＭコンテンツに関し、ＣＭコンテンツを主とした検索を行うための入力項目である。
そして、ＣＭコンテンツ選択用フリーワード検索入力部１０３ｅ−２は、ＣＭ検索入力欄１０３ｅ−２ａと、ＣＭ検索ボタン１０３ｅ−２ｂと、コンテンツ自動選択オプション指定項目１０３ｅ−２ｃを有している。
ＣＭ検索入力欄１０３ｅ−２ａは、ＣＭコンテンツのカテゴリやタイトル、ＣＭコンテンツＩＤ、データ種類などから検索できる機能を備えている。
【０１４７】
［項目１０３ｅ−３］（コンテンツ選択用カテゴリ等選択部）
コンテンツ選択用カテゴリ等選択部１０３ｅ−３は、「ＮＥＷコンテンツ」（過去数日間にアップロードされた最も新しいコンテンツ）とともに、カテゴリの大項目としての「映像」，「音楽」，「ＶＯＩＣＥ」，「効果音／ｅｔｃ」，「インタラクション／ゲーム／ｅｔｃ」，「画像／イラスト／ｅｔｃ」、「映像」に対するカテゴリの中項目としての「ＭＯＶＩＥ」，「アニメーション」，「ニュース＆ビジネス経済」，「スポーツ」，「エンターテイメント」，「外国語放送」，「バラエティ」、「音楽」に対するカテゴリの中項目としての「Ｊ−ＰＯＰ」，「ＲＯＣＫ」，「ＤＡＮＣＥ」，「ＳＯＵＬ」、「ＶＯＩＣＥ」に対するカテゴリの中項目としての「実況中継」，「会話・議論」、「効果音／ｅｔｃ」に対するカテゴリの中項目としての「自然」，「乗り物」、「インタラクション／ゲーム／ｅｔｃ」に対するカテゴリの中項目としての「アクションゲーム」，「知能」、「画像／イラスト／ｅｔｃ」に対するカテゴリの中項目としての「写真」を選択ボタンとして備えている。
【０１４８】
［項目１０３ｅ−４］（ＣＭコンテンツ選択用カテゴリ等選択画面切替指示ボタン）
ＣＭコンテンツ選択用カテゴリ選択画面切替指示ボタン１０３ｅ−４は、押されたときに、後述するＣＭコンテンツ選択用カテゴリ等選択画面１０３ｅ−Ｆ（図２９）に切替える機能を備えている。
【０１４９】
そして、本実施形態のシステムでは、次の操作方法１〜６に示すように、コンテンツ選択画面１０３ｅにおけるコンテンツ選択用フリーワード検察入力部１０３ｅ−１、ＣＭコンテンツ選択用フリーワード検索入力部１０３ｅ−２、コンテンツ選択用カテゴリ等選択部１０３ｅ−３、ＣＭコンテンツ選択用カテゴリ等選択画面切替指示ボタン１０３ｅ−４での入力の有無及び入力操作方法に応じて、異なる処理画面にスキップするようにしている。
なお、本実施形態のシステムでは、上述したようにＢ，Ｃ会員に対しては、コンテンツ選択画面１０３ｅにおいて所定項目の入力を制限している。このため、コンテンツ選択画面１０３ｅにおいては、Ａ会員に対しては操作方法１〜６の全ての操作が可能である一方、Ｂ会員に対しては操作方法４，６に、Ｃ会員に対しては、操作方法１，３に、それぞれ操作を限定している。
【０１５０】
（操作方法１）コンテンツ選択用フリーワード検察入力部１０３ｅ−１のコンテンツ検索入力欄１０３ｅ−１ａにフリーワードを入力し、且つ、ＣＭ自動選択オプション指定項目１０３ｅ−１ｃにチェックを入力しないで、コンテンツ検索ボタン１０３ｅ−１ｂを押した場合。
この場合は、フリーワード検索コンテンツ表示選択画面１０３ｅ−Ａ（図２５）にスキップする。
【０１５１】
（操作方法２）コンテンツ選択用フリーワード検察入力部１０３ｅ−１のコンテンツ検索入力欄１０３ｅ−１ａにフリーワードを入力し、且つ、ＣＭ自動選択オプション指定項目１０３ｅ−１ｃにチェックを入力して、コンテンツ検索ボタン１０３ｅ−１ｂを押した場合。
この場合は、フリーワード検索コンテンツ表示及び自動選択ＣＭ表示選択画面１０３ｅ−Ｂ（図２６）にスキップする。
【０１５２】
（操作方法３）コンテンツ選択用フリーワード検察入力部１０３ｅ−１やＣＭコンテンツ選択用フリーワード検索入力部１０３ｅ−２でのフリーワード検索入力操作をしないで、コンテンツ選択用カテゴリ等選択部１０３ｅ−３において、「ＮＥＷコンテンツ」又は、所望のカテゴリの選択ボタンを選択した場合。
この場合は、選択カテゴリ等検索コンテンツ表示選択画面１０３ｅ−Ｃ（図２８）にスキップする。
【０１５３】
（操作方法４）ＣＭコンテンツ選択用フリーワード検察入力部１０３ｅ−２のＣＭ検索入力欄１０３ｅ−２ａにフリーワードを入力し、且つ、コンテンツ自動選択オプション指定項目１０３ｅ−２ｃにチェックを入力しないで、ＣＭ検索ボタン１０３ｅ−２ｂを押した場合。
この場合は、フリーワード検索ＣＭコンテンツ表示選択画面１０３ｅ−Ｄ（図２７）にスキップする。
【０１５４】
（操作方法５）ＣＭコンテンツ選択用フリーワード検察入力部１０３ｅ−２のＣＭ検索入力欄１０３ｅ−２ａにフリーワードを入力し、且つ、コンテンツ自動選択オプション指定項目１０３ｅ−２ｃにチェックを入力して、ＣＭ検索ボタン１０３ｅ−２ｂを押した場合。
この場合は、フリーワード検索ＣＭコンテンツ表示及び自動選択コンテンツ表示選択画面１０３ｅ−Ｅ（図３０）にスキップする。
【０１５５】
（操作方法６）コンテンツ選択用フリーワード検察入力部１０３ｅ−１やＣＭコンテンツ選択用フリーワード検索入力部１０３ｅ−２でのフリーワード検索入力操作や、コンテンツ選択用カテゴリ等選択部１０３ｅ−３の選択操作をしないで、ＣＭコンテンツ選択用カテゴリ等選択画面切替指示ボタン１０３ｅ−４を押した場合。
この場合は、ＣＭコンテンツ選択用カテゴリ等選択画面１０３ｅ−Ｆ（図２９）にスキップする。
【０１５６】
フリーワード検索コンテンツ表示選択画面１０３ｅ−Ａ
フリーワード検索コンテンツ表示選択画面１０３ｅ−Ａを図２５に示す。
フリーワード検索コンテンツ表示選択画面１０３ｅ−Ａは、Ａ会員又はＣ会員が、例えば、図２４に示したコンテンツ選択画面１０３ｅにおいて、コンテンツ選択用フリーワード検察入力部１０３ｅ−１のコンテンツ検索入力欄１０３ｅ−１ａにフリーワードを入力し、且つ、ＣＭ自動選択オプション指定項目１０３ｅ−１ｃにチェックを入力しないで、コンテンツ検索ボタン１０３ｅ−１ｂを押した場合に表示される。
また、フリーワード検索コンテンツ表示選択画面１０３ｅ−Ａは、その他、Ａ会員又はＣ会員が、図２４に示したコンテンツ選択画面１０３ｅのコンテンツ選択用フリーワード検察入力部１０３ｅ−１と同様の構成を備えた画面において、コンテンツ検索入力欄１０３ｅ−１ａと同様のコンテンツ検索入力欄にフリーワードを入力し、且つ、ＣＭ自動選択オプション指定項目１０３ｅ−１ｃと同様のＣＭ自動選択オプション指定項目にチェックを入力しないで、コンテンツ検索ボタン１０３ｅ−１ｂと同様のコンテンツ検索ボタンを押した場合にも表示される。なお、説明の便宜上、以下の説明では、図２４に示したコンテンツ選択画面１０３ｅと同様の項目については、詳細な説明は省略する。
【０１５７】
フリーワード検索コンテンツ表示選択画面１０３ｅ−Ａは、コンテンツ選択用フリーワード検察入力部１０３ｅ−Ａ１と、ＣＭコンテンツ選択用フリーワード検索入力部１０３ｅ−Ａ２と、フリーワード検索結果表示選択部１０３ｅ−Ａ３と、ＣＭコンテンツ選択用カテゴリ等選択画面切替指示ボタン１０３ｅ−Ａ４と、番組リストへの追加ボタン１０３ｅ−Ａ５と、選択したコンテンツの確認部１０３ｅ−Ａ９を備えている。
なお、システムは、Ｃ会員に対しては、フリーワード検索コンテンツ表示選択画面１０３ｅ−ＡにおけるＣＭ自動選択オプション指定項目１０３ｅ−Ａ１ｃ、ＣＭコンテンツ選択用フリーワード検索入力部１０３ｅ−Ａ２、及びＣＭコンテンツ選択用カテゴリ等選択画面切替指示ボタン１０３ｅ−Ａ４への入力を行うことができないように制限している。
【０１５８】
［項目１０３ｅ−Ａ１］（コンテンツ選択用フリーワード検索入力部）、［項目１０３ｅ−Ａ２］（ＣＭコンテンツ選択用フリーワード検索入力部）、［項目１０３ｅ−Ａ４］（ＣＭコンテンツ選択用カテゴリ等選択画面切替指示ボタン）
これらは、図２４に示したコンテンツ選択画面１０３ｅにおけるコンテンツ選択用フリーワード検索入力部１０３ｅ−１、ＣＭコンテンツ選択用フリーワード検索入力部１０３ｅ−２、ＣＭコンテンツ選択用カテゴリ選択画面切替指示ボタン１０３ｅ−４と構成及び作用効果が同じである。
【０１５９】
［項目１０３ｅ−Ａ３］（フリーワード検索結果表示選択部）
フリーワード検索結果表示選択部１０３ｅ−Ａ３は、検索ワード表示欄１０３ｅ−Ａ３ａと、フリーワード検索コンテンツ表示選択部１０３ｅ−Ａ３ｂと、表示頁指定部１０３ｅ−Ａ３ｃを有している。
【０１６０】
［項目１０３ｅ−Ａ３ａ］（検索ワード表示欄）
検索ワード表示欄１０３ｅ−Ａ３ａは、例えば、図２４に示したコンテンツ選択画面１０３ｅのコンテンツ検索入力欄１０３ｅ−１ａで入力されたフリーワードを表示する。
【０１６１】
［項目１０３ｅ−Ａ３ｂ］（フリーワード検索コンテンツ表示選択部）
フリーワード検索コンテンツ表示選択部１０３ｅ−Ａ３ｂは、図２４に示したコンテンツ選択画面１０３ｅのコンテンツ検索入力欄１０３ｅ−１ａで入力されたフリーワードをキーとして、データベース部１０４のコンテンツデータ管理部１０４ｂ、変換コンテンツデータ保管部１０４ｇ、未変換データ格納用サーバ部１５０の未変換コンテンツデータ保管部１５０ａ、ライセンス管理部１５０ｂに記録されている全てのコンテンツに対して検索し、該当するコンテンツ及びそのコンテンツに関するデータをアップロード順に、且つ、例えばマトリクス状に表示して、番組に用いるコンテンツを選択させる機能を備えた表示及び選択入力項目であり、次の項目１０３ｅ−Ａ３ｂ−１〜１０３ｅ−Ａ３ｂ−５を有している。
【０１６２】
［項目１０３ｅ−Ａ３ｂ−１］（検察コンテンツ画像表示部）
検索コンテンツ画像表示部１０３ｅ−Ａ３ｂ−１は、上記の検索キーワードに該当するそれぞれのコンテンツに関し、変換コンテンツデータ保管部１０４ｇ、未変換コンテンツデータ保管部１５０ａから自動的にそれぞれのコンテンツ毎に１枚だけの画像を抽出し、ある特定のサイズに縮小して、その縮小した画像を表示する。
【０１６３】
［項目１０３ｅ−Ａ３ｂ−２］（タイトル名の表示）、［項目１０３ｅ−Ａ３ｂ−３］（評価）
タイトル名の表示１０３ｅ−Ａ３ｂ−２、評価１０３ｅ−Ａ３−３は、コンテンツデータ管理部１０４ｂ、ライセンス管理部１５０ｂに記録されている、上記の検索キーワードに該当するそれぞれのコンテンツに関する情報の表示項目である。
評価１０３ｅ−Ａ３−３は、上記の検索キーワードに該当するそれぞれのコンテンツについて、他のインターネット放送番組製作会員等により行われ、コンテンツデータ管理部１０４ｂに記録されている評価に応じて５段階の星マークで表示する機能を備えている。
【０１６４】
［項目１０３ｅ−Ａ３ｂ−４］（視聴ボタン）
視聴ボタン１０３ｅ−Ａ３ｂ−４を押すと、システムは、上記の検索キーワードに該当するそれぞれのコンテンツのうち、視聴ボタン１０３ｅ−Ａ３ｂ−４を押したコンテンツの内容を、選択したコンテンツの確認部１０３ｅ−Ａ９に表示し、聴覚で確認できる情報については図示省略したスピーカより流すように構成されている。これにより、インターネット放送番組制作会員は、視聴対象として選択したコンテンツを視聴することができる。
【０１６５】
［項目１０３ｅ−Ａ３ｂ−５］（チェックボックス）
チェックボックス１０３ｅ−Ａ３ｂ−５は、番組リストへの追加ボタン１０３ｅ−Ａ５を押したときに処理対象となるコンテンツデータを特定するための入力項目である。
例えば、所望のチェックボックス１０３ｅ−Ａ３ｂ−５にチェックを入れ、番組リストへの追加ボタン１０３ｅ−Ａ５を押すと、システムは、チェックボックス１０３ｅ−Ａ３ｂ−５にチェックが入れられたコンテンツデータを番組設定記録部１０４ｅの「「番組リストへの追加ボタン」を押したときの記録領域」に記録する。これにより、当該コンテンツデータは、番組リストへ追加されることになる。
【０１６６】
［項目１０３ｅ−Ａ３ｃ］（表示頁指定部）
表示頁指定部１０３ｅ−Ａ３ｃは、フリーワード検索コンテンツ表示選択部１０３ｅ−Ａ３ｂにマトリクス状に表示されるコンテンツ及びそのコンテンツに関する検索データが複数頁に及ぶ場合に、所望の頁を指定することで、所望の頁を表示する機能を備えている。
【０１６７】
［項目１０３ｅ−Ａ５］（番組リストへの追加ボタン）
番組リストへの追加ボタン１０３ｅ−Ａ５は、押されたときに、チェックボックス１０３ｅ−Ａ３ｂ−５にチェックが入れられることによって選択されているコンテンツデータを番組設定記録部１０４ｅの「「番組リストへの追加ボタン」を押したときの記録領域」に記録し、当該コンテンツデータを番組リストへ追加する。番組リストへ追加されたコンテンツデータは、後述するコンテンツ，ＲＳＳ＆ＡＴＯＭ，テキスト＆字幕一覧、タグ書き出し(番組制作）画面１０３ｉ（図３５）において一覧表示される。
【０１６８】
［項目１０３ｅ−Ａ９]（選択したコンテンツの確認部）
選択したコンテンツの確認部１０３ｅ−Ａ９は、次の項目１０３ｅ−Ａ９ａ〜１０３ｅ−Ａ９ｊを有し、視聴ボタン１０３ｅ−Ａ３ｂ−４や後述する視聴ボタン１０３ｅ−Ａ９ｈを押すことにより視聴対象として選択されたコンテンツの内容を表示する機能を備えている。
【０１６９】
［項目１０３ｅ−Ａ９ａ］（コンテンツ画像表示部）
本実施形態のシステムでは、視聴対象として選択されたコンテンツに関し、変換コンテンツデータ保管部１０４ｇ、未変換コンテンツデータ保管部１５０ａから自動的に１枚だけの画像を抽出し、ある特定のサイズに縮小して、その縮小した画像をコンテンツ画像表示部１０３ｅ−Ａ９ａにリアルタイムで表示する。
【０１７０】
［項目１０３ｅ−Ａ９ｂ］（タイトル名の表示）、［項目１０３ｅ−Ａ９ｃ］（著作権者、作者名の表示）、［項目１０３ｅ−Ａ９ｄ］（COPYRIGHT（クレジット）の表示）、［項目１０３ｅ−Ａ９ｅ］（使用許諾内容の表示）、［項目１０３ｅ−Ａ９ｆ］（コメントの表示）［項目１０３ｅ−Ａ９ｇ］（評価）
これらの項目は、コンテンツアップロード画面等において入力され、コンテンツデータ管理部１０４ｂ、ライセンス管理部１５０ｂに記録されているコンテンツの利用範囲と著作権に関する情報の表示項目である。使用許諾内容の表示１０３ｅ−Ａ９ｅのデータはアイコンで示されるようになっている。
また、評価１０３ｅ−Ａ９ｇは、視聴対象として選択されたコンテンツについて、他のインターネット放送番組製作会員等により行われ、コンテンツデータ管理部１０４ｂに記録されている評価に応じて５段階の星マークで表示する機能を備えている。
【０１７１】
［項目１０３ｅ−Ａ９ｈ］（視聴ボタン）
視聴ボタン１０３ｅ−Ａ９ｈを押すと、システムは、視聴対象として選択されたコンテンツの映像及び音声のうち、視覚で確認できる情報について、後述するモニタ画面１０３ｅ−Ａ９ｉに表示し、聴覚で確認できる情報については図示省略したスピーカより流すように構成されている。これにより、インターネット放送番組制作会員は、選択したコンテンツを視聴することができる。
【０１７２】
［項目１０３ｅ−Ａ９ｉ］（モニタ画面）
モニタ画面１０３ｅ−Ａ９ｉは、視聴対象として選択されたコンテンツであって、所定の視聴ボタンが押されたコンテンツにおける視覚で確認できる情報を表示面１０３ｅ−Ａ９ｉａに表示する。
なお、逆送り１０３ｅ−Ａ９ｉｂ、開始１０３ｅ−Ａ９ｉｃ、一時停止１０３ｅ−Ａ９ｉｄ、早送り１０３ｅ−Ａ９ｉｅ等の操作ボタンも備えており、それらの操作を介して所望の情報を部分的に表示面１０３ｅ−Ａ９ｉａに表示させることもできるようになっている。
【０１７３】
［項目１０３ｅ−Ａ９ｊ］（評価ボタン）
評価ボタン１０３ｅ−Ａ９ｊは、視聴対象として選択したコンテンツについて、インターネット放送番組製作会員が３段階の評価を行うことができる入力項目である。
評価ボタン１０３ｅ−Ａ９ｊは、例えば、「良かった」、「やや良かった」、「つまらなかった」などの選択入力ボタンを備えてなり、インターネット放送番組製作会員が、これらのうちのいずれかのボタンを選択入力することができるようになっている。
なお、本実施形態のシステムでは、評価ボタン１０３ｅ−Ａ９ｊにおける評価をポイントに換算して加算・減算を行い、その合計ポイントをコンテンツデータ管理部１０４ｂに記録するようにしている。
その場合の評価ボタンの換算方法は、例えば、「良かった」が＋３ポイント、「やや良かった」が＋１ポイント、「つまらなかった」が−１ポイントとしている。そして、コンテンツデータ管理部１０４ｂに記録された合計ポイント数が８０ポイントを超えるものは、５つの星マーク、６０〜７９ポイントのものは４つの星マーク、４０〜５９ポイントのものは３つの星マーク、２０〜３９ポイントのものは２つの星マーク、０〜１９ポイントのものは１つの星マークを表示し、マイナスポイントのものは星マークを表示しないようにしている。
【０１７４】
フリーワード検索コンテンツ表示及び自動選択ＣＭ表示選択画面１０３ｅ−Ｂ
フリーワード検索コンテンツ表示及び自動選択ＣＭ表示選択画面１０３ｅ−Ｂを図２６に示す。
フリーワード検索コンテンツ表示選択画面１０３ｅ−Ｂは、Ａ会員が、例えば、図２４に示したコンテンツ選択画面１０３ｅにおいて、コンテンツ選択用フリーワード検察入力部１０３ｅ−１のコンテンツ検索入力欄１０３ｅ−１ａにフリーワードを入力し、且つ、ＣＭ自動選択オプション指定項目１０３ｅ−１ｃにチェックを入力して、コンテンツ検索ボタン１０３ｅ−１ｂを押した場合に表示される。
また、フリーワード検索コンテンツ表示選択画面１０３ｅ−Ｂは、その他、Ａ会員が、例えば、図２４に示したコンテンツ選択画面１０３ｅのコンテンツ選択用フリーワード検察入力部１０３ｅ−１と同様の構成を備えた画面において、コンテンツ検索入力欄１０３ｅ−１ａと同様のコンテンツ検索入力欄にフリーワードを入力し、且つ、ＣＭ自動選択オプション指定項目１０３ｅ−１ｃと同様のＣＭ自動選択オプション指定項目にチェックを入力して、コンテンツ検索ボタン１０３ｅ−１ｂと同様のコンテンツ検索ボタンを押した場合にも表示される。なお、説明の便宜上、以下の説明では、図２４に示したコンテンツ選択画面１０３ｅ、図２５に示したフリーワード検索コンテンツ表示選択画面１０３ｅ−Ａと同様の項目については、詳細な説明は省略する。
【０１７５】
フリーワード検索コンテンツ表示及び自動選択ＣＭ表示選択画面１０３ｅ−Ｂは、コンテンツ選択用フリーワード検察入力部１０３ｅ−Ｂ１と、ＣＭコンテンツ選択用フリーワード検索入力部１０３ｅ−Ｂ２と、自動選択ＣＭ表示付きフリーワード検索結果表示選択部１０３ｅ−Ｂ３と、ＣＭコンテンツ選択用カテゴリ等選択画面切替指示ボタン１０３ｅ−Ｂ４と、選択したコンテンツの確認部１０３ｅ−Ｂ９を備えている。
【０１７６】
［項目１０３ｅ−Ｂ１］（コンテンツ選択用フリーワード検索入力部）、［項目１０３ｅ−Ｂ２］（ＣＭコンテンツ選択用フリーワード検索入力部）、［項目１０３ｅ−Ｂ４］（ＣＭコンテンツ選択用カテゴリ等選択画面切替指示ボタン）
これらは、図２４に示したコンテンツ選択画面１０３ｅにおけるコンテンツ選択用フリーワード検索入力部１０３ｅ−１、ＣＭコンテンツ選択用フリーワード検索入力部１０３ｅ−２、ＣＭコンテンツ選択用カテゴリ選択画面切替指示ボタン１０３ｅ−４と構成及び作用効果が同じである。
【０１７７】
［項目１０３ｅ−Ｂ３］（自動選択ＣＭ表示付きフリーワード検索結果表示選択部）
自動選択ＣＭ表示付きフリーワード検索結果表示選択部１０３ｅ−Ｂ３は、検索ワード表示欄１０３ｅ−Ｂ３ａと、フリーワード検索コンテンツ表示選択部１０３ｅ−Ｂ３ｂと、自動選択ＣＭ表示部１０３ｅ−Ｂ３ｃと、番組リストへの追加ボタン１０３ｅ−Ｂ３ｄと、表示頁指定部１０３ｅ−Ｂ３ｅを有している。
【０１７８】
［項目１０３ｅ−Ｂ３ａ］（検索ワード表示欄）
検索ワード表示欄１０３ｅ−Ｂ３ａは、例えば、図２４に示したコンテンツ選択画面１０３ｅのコンテンツ検索入力欄１０３ｅ−１ａで入力されたフリーワードを表示する。
【０１７９】
［項目１０３ｅ−Ｂ３ｂ］（フリーワード検索コンテンツ表示選択部）
フリーワード検索コンテンツ表示選択部１０３ｅ−Ｂ３ｂは、図２４に示したコンテンツ選択画面１０３ｅのコンテンツ検索入力欄１０３ｅ−１ａで入力されたフリーワードをキーとして、データベース部１０４のコンテンツデータ管理部１０４ｂ、変換コンテンツデータ保管部１０４ｇ、未変換データ格納用サーバ部１５０の未変換コンテンツデータ保管部１５０ａ、ライセンス管理部１５０ｂに記録されている全てのコンテンツに対して検索し、該当するコンテンツ及びそのコンテンツに関するデータをアップロード順に表示して、番組に用いるコンテンツを選択させる機能を備えた表示及び選択入力項目であり、次の項目１０３ｅ−Ｂ３ｂ−１〜１０３ｅ−Ｂ３ｂ−４を有している。
【０１８０】
［項目１０３ｅ−Ｂ３ｂ−１］（検察コンテンツ画像表示部）
検索コンテンツ画像表示部１０３ｅ−Ｂ３ｂ−１は、上記の検索キーワードに該当するそれぞれのコンテンツに関し、変換コンテンツデータ保管部１０４ｇ、未変換コンテンツデータ保管部１５０ａから自動的にそれぞれのコンテンツ毎に１枚だけの画像を抽出し、ある特定のサイズに縮小して、その縮小した画像を表示する。
【０１８１】
［項目１０３ｅ−Ｂ３ｂ−２］（タイトル名の表示）、［項目１０３ｅ−Ｂ３ｂ−３］（評価）
タイトル名の表示１０３ｅ−Ｂ３ｂ−２、評価１０３ｅ−Ｂ３ｂ−３は、コンテンツデータ管理部１０４ｂ、ライセンス管理部１５０ｂに記録されている、上記の検索キーワードに該当するそれぞれのコンテンツに関する情報の表示項目である。
評価１０３ｅ−Ｂ３ｂ−３は、上記の検索キーワードに該当するそれぞれのコンテンツについて、他のインターネット放送番組製作会員等により行われ、コンテンツデータ管理部１０４ｂに記録されている評価に応じて５段階の星マークで表示する機能を備えている。
【０１８２】
［項目１０３ｅ−Ｂ３ｂ−４］（視聴ボタン）
視聴ボタン１０３ｅ−Ｂ３ｂ−４を押すと、システムは、上記の検索キーワードに該当するそれぞれのコンテンツのうち、視聴ボタン１０３ｅ−Ｂ３ｂ−４を押したコンテンツの内容を、選択したコンテンツの確認部１０３ｅ−Ｂ９に表示し、聴覚で確認できる情報については図示省略したスピーカより流すように構成されている。これにより、インターネット放送番組制作会員は、視聴対象として選択したコンテンツを視聴することができる。
【０１８３】
［項目１０３ｅ−Ｂ３ｃ］（自動選択ＣＭ表示選択部）
自動選択ＣＭ表示選択部１０３ｅ−Ｂ３ｃは、上記の検索キーワードに該当するそれぞれのコンテンツ毎に、当該コンテンツのカテゴリに合致したカテゴリのＣＭコンテンツをＣＭデータ管理部１０４ｃ、変換コンテンツデータ保管部１０４ｇ、未変換コンテンツデータ保管部１５０ａ、ライセンス管理部１５０ｂに記録されている全てのＣＭコンテンツから抽出し、抽出（自動選択）したＣＭを、ＣＭコンテンツアップロード画面１０２ｃや視聴率（インプレッション数）／収益確認画面１０２ｅにおけるＣＭ予算１０２ｃ−６，１０２ｅ−５、掲載期間１０２ｃ−５，１０２ｅ−４、インプレッション設定１０２ｅ−７においてそれぞれ設定されたＣＭ予算、掲載期間、目標インプレッションの高い順番で一覧表示して、番組に用いるコンテンツと共に用いるＣＭコンテンツを選択させる機能を備えた表示及び選択表示項目であり、次の項目１０３ｅ−Ｂ３ｃ−１〜１０３ｅ−Ｂ３ｃ−４を有している。
【０１８４】
［項目１０３ｅ−Ｂ３ｃ−１］（自動選択ＣＭコンテンツ画像表示部）
自動選択ＣＭコンテンツ画像表示部１０３ｅ−Ｂ３ｃ−１は、上記の検索キーワードに該当するそれぞれのコンテンツのカテゴリに合致するＣＭコンテンツとして抽出されたそれぞれのＣＭコンテンツに関し、変換コンテンツデータ保管部１０４ｇ、未変換コンテンツデータ保管部１５０ａから自動的にそれぞれのＣＭコンテンツ毎に１枚だけの画像を抽出し、ある特定のサイズに縮小して、その縮小した画像を表示する。
【０１８５】
［項目１０３ｅ−Ｂ３ｃ−２］（タイトル名の表示）
タイトル名の表示１０３ｅ−Ｂ３ｃ−２は、ＣＭデータ管理部１０４ｃ、ライセンス管理部１５０ｂに記録されている、上記の検索キーワードに該当するそれぞれのコンテンツのカテゴリに合致するＣＭコンテンツのタイトル名を表示する表示項目である。
【０１８６】
［項目１０３ｅ−Ｂ３ｃ−３］（視聴ボタン）
視聴ボタン１０３ｅ−Ｂ３ｃ−３を押すと、システムは、上記の検索キーワードに該当するそれぞれのコンテンツのカテゴリに合致するＣＭコンテンツのうち、視聴ボタン１０３ｅ−Ｂ３ｃ−３を押したＣＭコンテンツの内容を、選択したコンテンツの確認部１０３ｅ−Ｂ９に表示し、聴覚で確認できる情報については図示省略したスピーカより流すように構成されている。これにより、インターネット放送番組制作会員は、視聴対象として選択したＣＭコンテンツを視聴することができる。
【０１８７】
［項目１０３ｅ−Ｂ３ｃ−４］（チェックボックス）
チェックボックス１０３ｅ−Ｂ３ｃ−４は、番組リストへの追加ボタン１０３ｅ−Ｂ３ｄを押したときに当該コンテンツデータとともに処理対象となるＣＭコンテンツデータを特定するための入力項目である。
例えば、所望のチェックボックス１０３ｅ−Ｂ３ｃ−４にチェックを入れ、番組リストへの追加ボタン１０３ｅ−Ｂ３ｄを押すと、システムは、チェックボックス１０３ｅ−Ｂ３ｃ−４にチェックが入れられたＣＭコンテンツデータを当該コンテンツデータとともに番組設定記録部１０４ｅの「「番組リストへの追加ボタン」を押したときの記録領域」に記録する。これにより、当該ＣＭコンテンツデータは、当該コンテンツデータとともに番組リストへ追加されることになる。
【０１８８】
［項目１０３ｅ−Ｂ３ｄ］（番組リストへの追加ボタン）
番組リストへの追加ボタン１０３ｅ−Ｂ３ｄは、押されたときに、チェックボックス１０３ｅ−Ｂ３ｃ−４にチェックが入れられることによって選択されているＣＭコンテンツデータを当該コンテンツデータとともに番組設定記録部１０４ｅの「「番組リストへの追加ボタン」を押したときの記録領域」に記録し、当該ＣＭコンテンツデータを当該コンテンツデータとともに番組リストへ追加する。番組リストへ追加されたコンテンツデータ及びＣＭコンテンツデータは、後述するコンテンツ，ＲＳＳ＆ＡＴＯＭ，テキスト＆字幕一覧、タグ書き出し(番組制作）画面１０３ｉ（図３５）において一覧表示される。
【０１８９】
［項目１０３ｅ−Ｂ３ｅ］（表示頁指定部）
表示頁指定部１０３ｅ−Ｂ３ｅは、自動選択ＣＭ表示付きフリーワード検索結果表示選択部１０３ｅ−Ｂ３に表示されるコンテンツ、及びそのコンテンツに関する検索データ等が複数頁に及ぶ場合に、所望の頁を指定することで、所望の頁を表示する機能を備えている。
【０１９０】
［項目１０３ｅ−Ｂ９]（選択したコンテンツの確認部）
選択したコンテンツの確認部１０３ｅ−Ｂ９は、図２５に示したフリーワード検索コンテンツ表示選択画面１０３ｅ−Ａにおける選択したコンテンツの確認部１０３ｅ−Ａ９とほぼ同様に構成され、次の項目１０３ｅ−Ｂ９ａ〜１０３ｅ−Ｂ９ｊを有し、視聴ボタン１０３ｅ−Ｂ３ｂ−４、１０３ｅ−Ｂ３ｃ−３や後述する視聴ボタン１０３ｅ−Ｂ９ｈを押すことにより視聴対象として選択されたコンテンツ又はＣＭコンテンツの内容を表示する機能を備えている。
【０１９１】
［項目１０３ｅ−Ｂ９ａ］（コンテンツ画像表示部）
本実施形態のシステムでは、視聴対象として選択されたコンテンツやＣＭコンテンツに関し、変換コンテンツデータ保管部１０４ｇ、未変換コンテンツデータ保管部１５０ａから自動的に１枚だけの画像を抽出し、ある特定のサイズに縮小して、その縮小した画像をコンテンツ画像表示部１０３ｅ−Ｂ９ａにリアルタイムで表示する。
【０１９２】
［項目１０３ｅ−Ｂ９ｂ］（タイトル名の表示）、［項目１０３ｅ−Ｂ９ｃ］（著作権者、作者名の表示）、［項目１０３ｅ−Ｂ９ｄ］（COPYRIGHT（クレジット）の表示）、［項目１０３ｅ−Ｂ９ｅ］（使用許諾内容の表示）、［項目１０３ｅ−Ｂ９ｆ］（コメントの表示）［項目１０３ｅ−Ｂ９ｇ］（評価）
これらの項目は、コンテンツアップロード画面等において入力され、コンテンツデータ管理部１０４ｂ、ＣＭデータ管理部１０４ｃ、ライセンス管理部１５０ｂに記録されているコンテンツやＣＭコンテンツの利用範囲と著作権に関する情報の表示項目である。使用許諾内容の表示１０３ｅ−Ｂ９ｅのデータはアイコンで示されるようになっている。
また、評価１０３ｅ−Ｂ９ｇは、視聴対象として選択されたコンテンツやＣＭコンテンツについて、他のインターネット放送番組製作会員等により行われ、コンテンツデータ管理部１０４ｂやＣＭデータ管理部１０４ｃに記録されている評価に応じて５段階の星マークで表示する機能を備えている。
【０１９３】
［項目１０３ｅ−Ｂ９ｈ］（視聴ボタン）
視聴ボタン１０３ｅ−Ｂ９ｈを押すと、システムは、視聴対象として選択されたコンテンツやＣＭコンテンツの映像及び音声のうち、視覚で確認できる情報について、後述するモニタ画面１０３ｅ−Ｂ９ｉに表示し、聴覚で確認できる情報については図示省略したスピーカより流すように構成されている。これにより、インターネット放送番組制作会員は、選択したコンテンツやＣＭコンテンツを視聴することができる。
【０１９４】
［項目１０３ｅ−Ｂ９ｉ］（モニタ画面）
モニタ画面１０３ｅ−Ｂ９ｉは、視聴対象として選択されたコンテンツ（又はＣＭコンテンツ）であって、所定の視聴ボタンが押されたコンテンツにおける視覚で確認できる情報を表示面１０３ｅ−Ｂ９ｉａに表示する。
なお、逆送り１０３ｅ−Ｂ９ｉｂ、開始１０３ｅ−Ｂ９ｉｃ、一時停止１０３ｅ−Ｂ９ｉｄ、早送り１０３ｅ−Ｂ９ｉｅ等の操作ボタンも備えており、それらの操作を介して所望の情報を部分的に表示面１０３ｅ−Ｂ９ｉａに表示させることもできるようになっている。
【０１９５】
［項目１０３ｅ−Ｂ９ｊ］（評価ボタン）
評価ボタン１０３ｅ−Ｂ９ｊは、視聴対象として選択したコンテンツやＣＭコンテンツについて、インターネット放送番組製作会員が３段階の評価を行うことができる入力項目である。
評価ボタン１０３ｅ−Ｂ９ｊは、例えば、「良かった」、「やや良かった」、「つまらなかった」などの選択入力ボタンを備えてなり、インターネット放送番組製作会員が、これらのうちのいずれかのボタンを選択入力することができるようになっている。
なお、本実施形態のシステムでは、評価ボタン１０３ｅ−Ｂ９ｊにおける評価をポイントに換算して加算・減算を行い、その合計ポイントをコンテンツデータ管理部１０４ｂやＣＭデータ管理部１０４ｃに記録するようにしている。
その場合の評価ボタンの換算方法は、例えば、「良かった」が＋３ポイント、「やや良かった」が＋１ポイント、「つまらなかった」が−１ポイントとしている。そして、コンテンツデータ管理部１０４ｂに記録された合計ポイント数が８０ポイントを超えるものは、５つの星マーク、６０〜７９ポイントのものは４つの星マーク、４０〜５９ポイントのものは３つの星マーク、２０〜３９ポイントのものは２つの星マーク、０〜１９ポイントのものは１つの星マークを表示し、マイナスポイントのものは星マークを表示しないようにしている。
【０１９６】
選択カテゴリ等検索コンテンツ表示選択画面１０３ｅ−Ｃ
選択カテゴリ等検索コンテンツ表示選択画面１０３ｅ−Ｃを図２８に示す。
選択カテゴリ等検索コンテンツ表示選択画面１０３ｅ−Ｃは、Ａ会員又はＣ会員が、例えば、図２４に示したコンテンツ選択画面１０３ｅにおいて、コンテンツ選択用フリーワード検察入力部１０３ｅ−１やＣＭコンテンツ選択用フリーワード検索入力部１０３ｅ−２でのフリーワード検索入力操作をしないで、コンテンツ選択用カテゴリ等選択部１０３ｅ−３における、「ＮＥＷコンテンツ」又は、所望のカテゴリの選択ボタンを選択した場合に表示される。
また、選択カテゴリ等検索コンテンツ表示選択画面１０３ｅ−Ｃは、その他、Ａ会員又はＣ会員が、例えば、図２４に示したコンテンツ選択画面１０３ｅのコンテンツ選択用フリーワード検察入力部１０３ｅ−１、ＣＭコンテンツ選択用フリーワード検索入力部１０３ｅ−２と同様の構成を備えた画面において、コンテンツ選択用フリーワード検察入力部１０３ｅ−１やＣＭコンテンツ選択用フリーワード検索入力部１０３ｅ−２でのフリーワード検索入力操作をしないで、コンテンツ選択用カテゴリ等選択部１０３ｅ−３において、「ＮＥＷコンテンツ」又は、所望のカテゴリの選択ボタンを選択した場合にも表示される。なお、説明の便宜上、以下の説明では、図２４に示したコンテンツ選択画面１０３ｅと同様の項目については、詳細な説明は省略する。
【０１９７】
選択カテゴリ等検索コンテンツ表示選択画面１０３ｅ−Ｃは、コンテンツ選択用フリーワード検察入力部１０３ｅ−Ｃ１と、ＣＭコンテンツ選択用フリーワード検索入力部１０３ｅ−Ｃ２と、選択カテゴリ等検索結果表示選択部１０３ｅ−Ｃ３と、ＣＭコンテンツ選択用カテゴリ等選択画面切替指示ボタン１０３ｅ−Ｃ４と、番組リストへの追加ボタン１０３ｅ−Ｃ５と、選択したコンテンツの確認部１０３ｅ−Ｃ９を備えている。
なお、システムは、Ｃ会員に対しては、選択カテゴリ等検索コンテンツ表示選択画面１０３ｅ−ＣにおけるＣＭ自動選択オプション指定項目１０３ｅ−Ｃ１ｃ、ＣＭコンテンツ選択用フリーワード検索入力部１０３ｅ−Ｃ２、及びＣＭコンテンツ選択用カテゴリ等選択画面切替指示ボタン１０３ｅ−Ｃ４への入力を行うことができないように制限している。
【０１９８】
［項目１０３ｅ−Ｃ１］（コンテンツ選択用フリーワード検索入力部）、［項目１０３ｅ−Ｃ２］（ＣＭコンテンツ選択用フリーワード検索入力部）、［項目１０３ｅ−Ｃ４］（ＣＭコンテンツ選択用カテゴリ等選択画面切替指示ボタン）、［項目１０３ｅ−Ｃ５］（番組リストへの追加ボタン）、［項目１０３ｅ−Ｃ９]（選択したコンテンツの確認部）
これらは、図２４に示したコンテンツ選択画面１０３ｅにおけるコンテンツ選択用フリーワード検索入力部１０３ｅ−Ａ１、ＣＭコンテンツ選択用フリーワード検索入力部１０３ｅ−Ａ２、ＣＭコンテンツ選択用カテゴリ等選択画面切替指示ボタン１０３ｅ−Ａ４、番組リストへの追加ボタン１０３ｅ−Ａ５、選択したコンテンツの確認部１０３ｅ−Ａ９とそれぞれ構成及び作用効果がほぼ同じである。
【０１９９】
［項目１０３ｅ−Ｃ３］（選択カテゴリ等検索結果表示選択部）
選択カテゴリ等検索結果表示選択部１０３ｅ−Ｃ３は、検索カテゴリ等表示欄１０３ｅ−Ｃ３ａと、選択カテゴリ等検索コンテンツ表示選択部１０３ｅ−Ｃ３ｂと、表示頁指定部１０３ｅ−Ｃ３ｃを有している。
【０２００】
［項目１０３ｅ−Ｃ３ａ］（検索カテゴリ等表示欄）
検索カテゴリ等表示欄１０３ｅ−Ｃ３ａは、例えば、図２４に示したコンテンツ選択画面１０３ｅのコンテンツ選択用カテゴリ等選択部１０３ｅ−３で選択された「ＮＥＷコンテンツ」やカテゴリを表示する。
【０２０１】
［項目１０３ｅ−Ｃ３ｂ］（フリーワード検索コンテンツ表示選択部）
選択カテゴリ等検索コンテンツ表示選択部１０３ｅ−Ｃ３ｂは、図２４に示したコンテンツ選択画面１０３ｅのコンテンツ選択用カテゴリ等選択部１０３ｅ−３で選択された「ＮＥＷコンテンツ」やカテゴリをキーとして、データベース部１０４のコンテンツデータ管理部１０４ｂ、変換コンテンツデータ保管部１０４ｇ、未変換データ格納用サーバ部１５０の未変換コンテンツデータ保管部１５０ａ、ライセンス管理部１５０ｂに記録されている全てのコンテンツに対して検索し、該当するコンテンツ及びそのコンテンツに関するデータをアップロード順に、且つ、例えばマトリクス状に表示して、番組に用いるコンテンツを選択させる機能を備えた表示及び選択入力項目であり、次の項目１０３ｅ−Ｃ３ｂ−１〜１０３ｅ−Ｃ３ｂ−５を有している。
【０２０２】
［項目１０３ｅ−Ｃ３ｂ−１］（検察コンテンツ画像表示部）、［項目１０３ｅ−Ｃ３ｂ−２］（タイトル名の表示）、［項目１０３ｅ−Ｃ３ｂ−３］（評価）、［項目１０３ｅ−Ｃ３ｂ−４］（視聴ボタン）、［項目１０３ｅ−Ｃ３ｂ−５］（チェックボックス）
これらは、図２４に示したコンテンツ選択画面１０３ｅにおける検察コンテンツ画像表示部１０３ｅ−Ａ３ｂ−１、タイトル名の表示１０３ｅ−Ａ３ｂ−２、評価１０３ｅ−Ａ３ｂ−３、視聴ボタン１０３ｅ−Ａ３ｂ−４、チェックボックス１０３ｅ−Ａ３ｂ−５それぞれ構成及び作用効果がほぼ同じである。
【０２０３】
［項目１０３ｅ−Ｃ３ｃ］（表示頁指定部）
表示頁指定部１０３ｅ−Ｃ３ｃは、選択カテゴリ等検索コンテンツ表示選択部１０３ｅ−Ｃ３ｂにマトリクス状に表示されるコンテンツ及びそのコンテンツに関する検索データが複数頁に及ぶ場合に、所望の頁を指定することで、所望の頁を表示する機能を備えている。
【０２０４】
フリーワード検索ＣＭコンテンツ表示選択画面１０３ｅ−Ｄ
フリーワード検索ＣＭコンテンツ表示選択画面１０３ｅ−Ｄを図２７に示す。
フリーワード検索ＣＭコンテンツ表示選択画面１０３ｅ−Ｄは、Ａ会員又はＢ会員が、例えば、図２４に示したコンテンツ選択画面１０３ｅにおいて、ＣＭコンテンツ選択用フリーワード検察入力部１０３ｅ−２のＣＭ検索入力欄１０３ｅ−２ａにフリーワードを入力し、且つ、コンテンツ自動選択オプション指定項目１０３ｅ−２ｃにチェックを入力しないで、ＣＭ検索ボタン１０３ｅ−２ｂを押した場合に表示される。
また、フリーワード検索ＣＭコンテンツ表示選択画面１０３ｅ−Ｄは、その他、Ａ会員又はＢ会員が、図２４に示したコンテンツ選択画面１０３ｅのＣＭコンテンツ選択用フリーワード検察入力部１０３ｅ−２と同様の構成を備えた画面において、ＣＭ検索入力欄１０３ｅ−２ａと同様のＣＭ検索入力欄にフリーワードを入力し、且つ、コンテンツ自動選択オプション指定項目１０３ｅ−２ｃと同様のコンテンツ自動選択オプション指定項目にチェックを入力しないで、ＣＭ検索ボタン１０３ｅ−２ｂと同様のＣＭ検索ボタンを押した場合に表示される。なお、説明の便宜上、以下の説明では、図２４に示したコンテンツ選択画面１０３ｅと同様の項目については、詳細な説明は省略する。
【０２０５】
フリーワード検索ＣＭコンテンツ表示選択画面１０３ｅ−Ｄは、コンテンツ選択用フリーワード検察入力部１０３ｅ−Ｄ１と、ＣＭコンテンツ選択用フリーワード検索入力部１０３ｅ−Ｄ２と、フリーワード検索結果表示選択部１０３ｅ−Ｄ３と、ＣＭコンテンツ選択用カテゴリ等選択画面切替指示ボタン１０３ｅ−Ｄ４と、選択したコンテンツの確認部１０３ｅ−Ｄ９を備えている。
なお、システムは、Ｂ会員に対しては、フリーワード検索ＣＭコンテンツ表示選択画面１０３ｅ−Ｄにおけるコンテンツ選択用フリーワード検索入力部１０３ｅ−Ｄ１、及びコンテンツ自動選択オプション指定項目１０３ｅ−Ｄ２ｃへの入力を行うことができないように制限している。
【０２０６】
［項目１０３ｅ−Ｄ１］（コンテンツ選択用フリーワード検索入力部）、［項目１０３ｅ−Ｄ２］（ＣＭコンテンツ選択用フリーワード検索入力部）、［項目１０３ｅ−Ｄ４］（ＣＭコンテンツ選択用カテゴリ等選択画面切替指示ボタン）
これらは、図２４に示したコンテンツ選択画面１０３ｅにおけるコンテンツ選択用フリーワード検索入力部１０３ｅ−１、ＣＭコンテンツ選択用フリーワード検索入力部１０３ｅ−２、ＣＭコンテンツ選択用カテゴリ選択画面切替指示ボタン１０３ｅ−４と構成及び作用効果が同じである。
【０２０７】
［項目１０３ｅ−Ｄ３］（フリーワード検索結果表示選択部）
フリーワード検索結果表示選択部１０３ｅ−Ｄ３は、検索ワード表示欄１０３ｅ−Ｄ３ａと、フリーワード検索ＣＭコンテンツ表示選択部１０３ｅ−Ｄ３ｂと、表示頁指定部１０３ｅ−Ｄ３ｃを有している。
【０２０８】
［項目１０３ｅ−Ｄ３ａ］（検索ワード表示欄）
検索ワード表示欄１０３ｅ−Ｄ３ａは、例えば、図２４に示したコンテンツ選択画面１０３ｅのＣＭ検索入力欄１０３ｅ−２ａで入力されたフリーワードを表示する。
【０２０９】
［項目１０３ｅ−Ｄ３ｂ］（フリーワード検索ＣＭコンテンツ表示選択部）
フリーワード検索ＣＭコンテンツ表示選択部１０３ｅ−Ｄ３ｂは、図２４に示したコンテンツ選択画面１０３ｅのＣＭ検索入力欄１０３ｅ−２ａで入力されたフリーワードをキーとして、データベース部１０４のＣＭデータ管理部１０４ｃ、変換コンテンツデータ保管部１０４ｇ、未変換データ格納用サーバ部１５０の未変換コンテンツデータ保管部１５０ａ、ライセンス管理部１５０ｂに記録されている全てのＣＭコンテンツに対して検索し、該当するＣＭコンテンツ及びそのＣＭコンテンツに関するデータをアップロード順に一覧表示して、番組に用いるＣＭコンテンツを選択させる機能を備えた表示及び選択入力項目であり、次の項目１０３ｅ−Ｄ３ｂ−１〜１０３ｅ−Ｄ３ｂ−５を有している。
【０２１０】
［項目１０３ｅ−Ｄ３ｂ−１］（検察ＣＭコンテンツ画像表示部）
検索ＣＭコンテンツ画像表示部１０３ｅ−Ｄ３ｂ−１は、上記の検索キーワードに該当するそれぞれのＣＭコンテンツに関し、変換コンテンツデータ保管部１０４ｇ、未変換コンテンツデータ保管部１５０ａから自動的にそれぞれのＣＭコンテンツ毎に１枚だけの画像を抽出し、ある特定のサイズに縮小して、その縮小した画像を表示する。
【０２１１】
［項目１０３ｅ−Ｄ３ｂ−２］（タイトル名の表示）
タイトル名の表示１０３ｅ−Ｄ３ｂ−２は、ＣＭデータ管理部１０４ｃ、ライセンス管理部１５０ｂに記録されている、上記の検索キーワードに該当するそれぞれのＣＭコンテンツのタイトル名を表示する表示項目である。
【０２１２】
［項目１０３ｅ−Ｄ３ｂ−３］（視聴ボタン）
視聴ボタン１０３ｅ−Ｄ３ｂ−３を押すと、システムは、上記の検索キーワードに該当するそれぞれのＣＭコンテンツのうち、視聴ボタン１０３ｅ−Ｄ３ｂ−３を押したＣＭコンテンツの内容を、選択したコンテンツの確認部１０３ｅ−Ｄ９に表示し、聴覚で確認できる情報については図示省略したスピーカより流すように構成されている。これにより、インターネット放送番組制作会員は、視聴対象として選択したＣＭコンテンツを視聴することができる。
【０２１３】
［項目１０３ｅ−Ｄ３ｂ−４］（チェックボックス）
チェックボックス１０３ｅ−Ｄ３ｂ−４は、番組リストへの追加ボタン１０３ｅ−Ｄ３ｂ−５を押したときに処理対象となるＣＭコンテンツデータを特定するための入力項目である。
例えば、所望のチェックボックス１０３ｅ−Ｄ３ｂ−４にチェックを入れ、番組リストへの追加ボタン１０３ｅ−Ｄ３ｂ−５を押すと、システムは、チェックボックス１０３ｅ−Ｄ３ｂ−４にチェックが入れられたＣＭコンテンツデータを番組設定記録部１０４ｅの「「番組リストへの追加ボタン」を押したときの記録領域」に記録する。これにより、当該コンテンツデータは、番組リストへ追加されることになる。
【０２１４】
［項目１０３ｅ−Ｄ３ｂ−５］（番組リストへの追加ボタン）
番組リストへの追加ボタン１０３ｅ−Ｄ３ｂ−５は、押されたときに、チェックボックス１０３ｅ−Ｄ３ｂ−４にチェックが入れられることによって選択されているＣＭコンテンツデータを番組設定記録部１０４ｅの「「番組リストへの追加ボタン」を押したときの記録領域」に記録し、当該ＣＭコンテンツデータを番組リストへ追加する。番組リストへ追加されたＣＭコンテンツデータは、後述するコンテンツ，ＲＳＳ＆ＡＴＯＭ，テキスト＆字幕一覧、タグ書き出し(番組制作）画面１０３ｉ（図３５）において一覧表示される。
【０２１５】
［項目１０３ｅ−Ｄ３ｃ］（表示頁指定部）
表示頁指定部１０３ｅ−Ｄ３ｃは、フリーワード検索ＣＭコンテンツ表示選択部１０３ｅ−Ｄ３ｂに表示されるＣＭコンテンツ、及びそのＣＭコンテンツに関する検索データ等が複数頁に及ぶ場合に、所望の頁を指定することで、所望の頁を表示する機能を備えている。
【０２１６】
［項目１０３ｅ−Ｄ９]（選択したコンテンツの確認部）
選択したコンテンツの確認部１０３ｅ−Ｄ９は、図２５に示したフリーワード検索コンテンツ表示選択画面１０３ｅ−Ａにおける選択したコンテンツの確認部１０３ｅ−Ａ９とほぼ同様に構成され、次の項目１０３ｅ−Ｄ９ａ〜１０３ｅ−Ｄ９ｊを有し、視聴ボタン１０３ｅ−Ｄ３ｂ−３や後述する視聴ボタン１０３ｅ−Ｄ９ｈを押すことにより視聴対象として選択されたＣＭコンテンツの内容を表示する機能を備えている。
【０２１７】
［項目１０３ｅ−Ｄ９ａ］（コンテンツ画像表示部）
本実施形態のシステムでは、視聴対象として選択されたＣＭコンテンツに関し、変換コンテンツデータ保管部１０４ｇ、未変換コンテンツデータ保管部１５０ａから自動的に１枚だけの画像を抽出し、ある特定のサイズに縮小して、その縮小した画像をコンテンツ画像表示部１０３ｅ−Ｄ９ａにリアルタイムで表示する。
【０２１８】
［項目１０３ｅ−Ｄ９ｂ］（タイトル名の表示）、［項目１０３ｅ−Ｄ９ｃ］（著作権者、作者名の表示）、［項目１０３ｅ−Ｄ９ｄ］（COPYRIGHT（クレジット）の表示）、［項目１０３ｅ−Ｄ９ｅ］（使用許諾内容の表示）、［項目１０３ｅ−Ｄ９ｆ］（コメントの表示）［項目１０３ｅ−Ｄ９ｇ］（評価）
これらの項目は、ＣＭコンテンツアップロード画面において入力され、ＣＭデータ管理部１０４ｃ、ライセンス管理部１５０ｂに記録されているＣＭコンテンツの利用範囲と著作権に関する情報の表示項目である。使用許諾内容の表示１０３ｅ−Ｄ９ｅのデータはアイコンで示されるようになっている。
また、評価１０３ｅ−Ｄ９ｇは、視聴対象として選択されたＣＭコンテンツについて、他のインターネット放送番組製作会員等により行われ、ＣＭデータ管理部１０４ｃに記録されている評価に応じて５段階の星マークで表示する機能を備えている。
【０２１９】
［項目１０３ｅ−Ｄ９ｈ］（視聴ボタン）
視聴ボタン１０３ｅ−Ｄ９ｈを押すと、システムは、視聴対象として選択されたＣＭコンテンツの映像及び音声のうち、視覚で確認できる情報について、後述するモニタ画面１０３ｅ−Ｄ９ｉに表示し、聴覚で確認できる情報については図示省略したスピーカより流すように構成されている。これにより、インターネット放送番組制作会員は、選択したＣＭコンテンツを視聴することができる。
【０２２０】
［項目１０３ｅ−Ｄ９ｉ］（モニタ画面）
モニタ画面１０３ｅ−Ｄ９ｉは、視聴対象として選択されたＣＭコンテンツであって、所定の視聴ボタンが押されたＣＭコンテンツにおける視覚で確認できる情報を表示面１０３ｅ−Ｄ９ｉａに表示する。
なお、逆送り１０３ｅ−Ｄ９ｉｂ、開始１０３ｅ−Ｄ９ｉｃ、一時停止１０３ｅ−Ｄ９ｉｄ、早送り１０３ｅ−Ｄ９ｉｅ等の操作ボタンも備えており、それらの操作を介して所望の情報を部分的に表示面１０３ｅ−Ｄ９ｉａに表示させることもできるようになっている。
【０２２１】
［項目１０３ｅ−Ｄ９ｊ］（評価ボタン）
評価ボタン１０３ｅ−Ｄ９ｊは、視聴対象として選択したＣＭコンテンツについて、インターネット放送番組製作会員が３段階の評価を行うことができる入力項目である。
評価ボタン１０３ｅ−Ｄ９ｊは、例えば、「良かった」、「やや良かった」、「つまらなかった」などの選択入力ボタンを備えてなり、インターネット放送番組製作会員が、これらのうちのいずれかのボタンを選択入力することができるようになっている。
なお、本実施形態のシステムでは、評価ボタン１０３ｅ−Ｄ９ｊにおける評価をポイントに換算して加算・減算を行い、その合計ポイントをＣＭデータ管理部１０４ｃに記録するようにしている。
その場合の評価ボタンの換算方法は、例えば、「良かった」が＋３ポイント、「やや良かった」が＋１ポイント、「つまらなかった」が−１ポイントとしている。そして、コンテンツデータ管理部１０４ｂに記録された合計ポイント数が８０ポイントを超えるものは、５つの星マーク、６０〜７９ポイントのものは４つの星マーク、４０〜５９ポイントのものは３つの星マーク、２０〜３９ポイントのものは２つの星マーク、０〜１９ポイントのものは１つの星マークを表示し、マイナスポイントのものは星マークを表示しないようにしている。
【０２２２】
フリーワード検索ＣＭコンテンツ表示及び自動選択コンテンツ表示選択画面１０３ｅ−Ｅ
フリーワード検索ＣＭコンテンツ表示及び自動選択コンテンツ表示選択画面１０３ｅ−Ｅを図３０に示す。
フリーワード検索ＣＭコンテンツ表示及び自動選択コンテンツ表示選択画面１０３ｅ−Ｅは、Ａ会員が、例えば、図２４に示したコンテンツ選択画面１０３ｅにおいて、ＣＭコンテンツ選択用フリーワード検察入力部１０３ｅ−２のＣＭ検索入力欄１０３ｅ−２ａにフリーワードを入力し、且つ、コンテンツ自動選択オプション指定項目１０３ｅ−２ｃにチェックを入力して、ＣＭ検索ボタン１０３ｅ−２ｂを押した場合に表示される。
また、フリーワード検索ＣＭコンテンツ表示及び自動選択コンテンツ表示選択画面１０３ｅ−Ｅは、その他、Ａ会員が、図２４に示したコンテンツ選択画面１０３ｅのＣＭコンテンツ選択用フリーワード検察入力部１０３ｅ−２と同様の構成を備えた画面において、ＣＭ検索入力欄１０３ｅ−２ａと同様のＣＭ検索入力欄にフリーワードを入力し、且つ、コンテンツ自動選択オプション指定項目１０３ｅ−２ｃと同様のコンテンツ自動選択オプション指定項目にチェックを入力して、ＣＭ検索ボタン１０３ｅ−２ｂと同様のＣＭ検索ボタンを押した場合にも表示される。なお、説明の便宜上、以下の説明では、図２４に示したコンテンツ選択画面１０３ｅと同様の項目については、詳細な説明は省略する。
【０２２３】
フリーワード検索ＣＭコンテンツ表示及び自動選択コンテンツ表示選択画面１０３ｅ−Ｅは、コンテンツ選択用フリーワード検察入力部１０３ｅ−Ｅ１と、ＣＭコンテンツ選択用フリーワード検索入力部１０３ｅ−Ｅ２と、自動選択コンテンツ表示付きフリーワード検索結果表示選択部１０３ｅ−Ｅ３と、ＣＭコンテンツ選択用カテゴリ等選択画面切替指示ボタン１０３ｅ−Ｅ４と、選択したコンテンツの確認部１０３ｅ−Ｅ９を備えている。
【０２２４】
［項目１０３ｅ−Ｅ１］（コンテンツ選択用フリーワード検索入力部）、［項目１０３ｅ−Ｅ２］（ＣＭコンテンツ選択用フリーワード検索入力部）、［項目１０３ｅ−Ｅ４］（ＣＭコンテンツ選択用カテゴリ等選択画面切替指示ボタン）
これらは、図２４に示したコンテンツ選択画面１０３ｅにおけるコンテンツ選択用フリーワード検索入力部１０３ｅ−１、ＣＭコンテンツ選択用フリーワード検索入力部１０３ｅ−２、ＣＭコンテンツ選択用カテゴリ選択画面切替指示ボタン１０３ｅ−４と構成及び作用効果が同じである。
【０２２５】
［項目１０３ｅ−Ｅ３］（自動選択コンテンツ表示付きフリーワード検索結果表示選択部）
自動選択コンテンツ表示付きフリーワード検索結果表示選択部１０３ｅ−Ｅ３は、検索ワード表示欄１０３ｅ−Ｅ３ａと、フリーワード検索ＣＭ表示選択部１０３ｅ−Ｅ３ｂと、自動選択コンテンツ表示部１０３ｅ−Ｅ３ｃと、番組リストへの追加ボタン１０３ｅ−Ｅ３ｄと、表示頁指定部１０３ｅ−Ｅ３ｅを有している。
【０２２６】
［項目１０３ｅ−Ｅ３ａ］（検索ワード表示欄）
検索ワード表示欄１０３ｅ−Ｅ３ａは、例えば、図２４に示したコンテンツ選択画面１０３ｅのＣＭ検索入力欄１０３ｅ−２ａで入力されたフリーワードを表示する。
【０２２７】
［項目１０３ｅ−Ｅ３ｂ］（フリーワード検索ＣＭ表示選択部）
フリーワード検索ＣＭ表示選択部１０３ｅ−Ｅ３ｂは、図２４に示したコンテンツ選択画面１０３ｅのＣＭ検索入力欄１０３ｅ−１ａで入力されたフリーワードをキーとして、データベース部１０４のＣＭデータ管理部１０４ｂ、変換コンテンツデータ保管部１０４ｇ、未変換データ格納用サーバ部１５０の未変換コンテンツデータ保管部１５０ａ、ライセンス管理部１５０ｂに記録されている全てのＣＭコンテンツに対して検索し、該当するＣＭコンテンツ及びそのＣＭコンテンツに関するデータをアップロード順に表示して、番組に用いるＣＭコンテンツを選択させる機能を備えた表示及び選択入力項目であり、次の項目１０３ｅ−Ｅ３ｂ−１〜１０３ｅ−Ｅ３ｂ−４を有している。
【０２２８】
［項目１０３ｅ−Ｅ３ｂ−１］（検察ＣＭコンテンツ画像表示部）
検索ＣＭコンテンツ画像表示部１０３ｅ−Ｅ３ｂ−１は、上記の検索キーワードに該当するそれぞれのＣＭコンテンツに関し、変換コンテンツデータ保管部１０４ｇ、未変換コンテンツデータ保管部１５０ａから自動的にそれぞれのＣＭコンテンツ毎に１枚だけの画像を抽出し、ある特定のサイズに縮小して、その縮小した画像を表示する。
【０２２９】
［項目１０３ｅ−Ｅ３ｂ−２］（タイトル名の表示）、［項目１０３ｅ−Ｅ３ｂ−３］（評価）
タイトル名の表示１０３ｅ−Ｅ３ｂ−２、評価１０３ｅ−Ｅ３ｂ−３は、コンテンツデータ管理部１０４ｂ、ライセンス管理部１５０ｂに記録されている、上記の検索キーワードに該当するそれぞれのＣＭコンテンツに関する情報の表示項目である。
評価１０３ｅ−Ｅ３ｂ−３は、上記の検索キーワードに該当するそれぞれのＣＭコンテンツについて、他のインターネット放送番組製作会員等により行われ、ＣＭデータ管理部１０４ｂに記録されている評価に応じて５段階の星マークで表示する機能を備えている。
【０２３０】
［項目１０３ｅ−Ｅ３ｂ−４］（視聴ボタン）
視聴ボタン１０３ｅ−Ｅ３ｂ−４を押すと、システムは、上記の検索キーワードに該当するそれぞれのＣＭコンテンツのうち、視聴ボタン１０３ｅ−Ｅ３ｂ−４を押したＣＭコンテンツの内容を、選択したコンテンツの確認部１０３ｅ−Ｅ９に表示し、聴覚で確認できる情報については図示省略したスピーカより流すように構成されている。これにより、インターネット放送番組制作会員は、視聴対象として選択したＣＭコンテンツを視聴することができる。
【０２３１】
［項目１０３ｅ−Ｅ３ｃ］（自動選択コンテンツ表示選択部）
自動選択コンテンツ表示選択部１０３ｅ−Ｅ３ｃは、上記の検索キーワードに該当するそれぞれのＣＭコンテンツ毎に、当該ＣＭコンテンツのカテゴリに合致したカテゴリのコンテンツをコンテンツデータ管理部１０４ｂ、変換コンテンツデータ保管部１０４ｇ、未変換コンテンツデータ保管部１５０ａ、ライセンス管理部１５０ｂに記録されている全てのコンテンツから抽出し、抽出（自動選択）したコンテンツを、視聴数（インプレッション数）と視聴者が番組の感想を伝えるための機能として設けた受信端末配信ツール６０２のアンケート６０２ｇにある(1)良かった(2)やや良かった(3)つまらなかったのうちの(1)のチェック数の多い順に一覧表示して、番組に用いるＣＭコンテンツと共に用いるコンテンツを選択させる機能を備えた表示及び選択表示項目であり、次の項目１０３ｅ−Ｅ３ｃ−１〜１０３ｅ−Ｅ３ｃ−４を有している。
【０２３２】
［項目１０３ｅ−Ｅ３ｃ−１］（自動選択コンテンツ画像表示部）
自動選択コンテンツ画像表示部１０３ｅ−Ｅ３ｃ−１は、上記の検索キーワードに該当するそれぞれのＣＭコンテンツのカテゴリに合致するコンテンツとして抽出されたそれぞれのコンテンツに関し、変換コンテンツデータ保管部１０４ｇ、未変換コンテンツデータ保管部１５０ａから自動的にそれぞれのコンテンツ毎に１枚だけの画像を抽出し、ある特定のサイズに縮小して、その縮小した画像を表示する。
【０２３３】
［項目１０３ｅ−Ｅ３ｃ−２］（タイトル名の表示）
タイトル名の表示１０３ｅ−Ｅ３ｃ−２は、コンテンツデータ管理部１０４ｂ、ライセンス管理部１５０ｂに記録されている、上記の検索キーワードに該当するそれぞれのＣＭコンテンツのカテゴリに合致するコンテンツのタイトル名を表示する表示項目である。
【０２３４】
［項目１０３ｅ−Ｅ３ｃ−３］（視聴ボタン）
視聴ボタン１０３ｅ−Ｅ３ｃ−３を押すと、システムは、上記の検索キーワードに該当するそれぞれのＣＭコンテンツのカテゴリに合致するコンテンツのうち、視聴ボタン１０３ｅ−Ｂ３ｃ−３を押したコンテンツの内容を、選択したコンテンツの確認部１０３ｅ−Ｅ９に表示し、聴覚で確認できる情報については図示省略したスピーカより流すように構成されている。これにより、インターネット放送番組制作会員は、視聴対象として選択したコンテンツを視聴することができる。
【０２３５】
［項目１０３ｅ−Ｅ３ｃ−４］（チェックボックス）
チェックボックス１０３ｅ−Ｅ３ｃ−４は、番組リストへの追加ボタン１０３ｅ−Ｅ３ｄを押したときに当該ＣＭコンテンツデータとともに処理対象となるコンテンツデータを特定するための入力項目である。
例えば、所望のチェックボックス１０３ｅ−Ｅ３ｃ−４にチェックを入れ、番組リストへの追加ボタン１０３ｅ−Ｅ３ｄを押すと、システムは、チェックボックス１０３ｅ−Ｅ３ｃ−４にチェックが入れられたコンテンツデータを当該ＣＭコンテンツデータとともに番組設定記録部１０４ｅの「「番組リストへの追加ボタン」を押したときの記録領域」に記録する。これにより、当該コンテンツデータは、当該ＣＭコンテンツデータとともに番組リストへ追加されることになる。
【０２３６】
［項目１０３ｅ−Ｅ３ｄ］（番組リストへの追加ボタン）
番組リストへの追加ボタン１０３ｅ−Ｅ３ｄは、押されたときに、チェックボックス１０３ｅ−Ｅ３ｃ−４にチェックが入れられることによって選択されているコンテンツデータを当該ＣＭコンテンツデータとともに番組設定記録部１０４ｅの「「番組リストへの追加ボタン」を押したときの記録領域」に記録し、当該コンテンツデータを当該ＣＭコンテンツデータとともに番組リストへ追加する。番組リストへ追加されたコンテンツデータ及びＣＭコンテンツデータは、後述するコンテンツ，ＲＳＳ＆ＡＴＯＭ，テキスト＆字幕一覧、タグ書き出し(番組制作）画面１０３ｉ（図３５）において一覧表示される。
【０２３７】
［項目１０３ｅ−Ｅ３ｅ］（表示頁指定部）
表示頁指定部１０３ｅ−Ｅ３ｅは、自動選択コンテンツ表示付きフリーワード検索結果表示選択部１０３ｅ−Ｅ３に表示されるＣＭコンテンツ、及びそのＣＭコンテンツに関する検索データ等が複数頁に及ぶ場合に、所望の頁を指定することで、所望の頁を表示する機能を備えている。
【０２３８】
［項目１０３ｅ−Ｅ９]（選択したコンテンツの確認部）
選択したコンテンツの確認部１０３ｅ−Ｅ９は、図２６に示したフリーワード検索コンテンツ表示及び自動選択ＣＭ表示選択画面１０３ｅ−Ｂにおける選択したコンテンツの確認部１０３ｅ−Ｂ９と構成及び作用効果がほぼ同じである。
【０２３９】
ＣＭコンテンツ選択用カテゴリ等選択画面１０３ｅ−Ｆ
ＣＭコンテンツ選択用カテゴリ等選択画面１０３ｅ−Ｆを図２９に示す。
ＣＭコンテンツ選択用カテゴリ等選択画面１０３ｅ−Ｆは、Ａ会員又はＢ会員が、例えば、図２４に示したコンテンツ選択画面１０３ｅにおいて、コンテンツ選択用フリーワード検察入力部１０３ｅ−１やＣＭコンテンツ選択用フリーワード検索入力部１０３ｅ−２でのフリーワード検索入力操作や、コンテンツ選択用カテゴリ等選択部１０３ｅ−３の選択操作をしないで、ＣＭコンテンツ選択用カテゴリ等選択画面切替指示ボタン１０３ｅ−４を押した場合に表示される。
また、ＣＭコンテンツ選択用カテゴリ等選択画面１０３ｅ−Ｆは、その他、Ａ会員又はＢ会員が、図２４に示したコンテンツ選択画面１０３ｅのＣＭコンテンツ選択用カテゴリ等選択画面切替指示ボタン１０３ｅ−４と同様のＣＭコンテンツ選択用カテゴリ等選択画面切替指示ボタンを備えた画面において、そのＣＭコンテンツ選択用カテゴリ等選択画面切替指示ボタンを押した場合にも表示される。なお、説明の便宜上、以下の説明では、図２４に示したコンテンツ選択画面１０３ｅと同様の項目については、詳細な説明は省略する。
【０２４０】
ＣＭコンテンツ選択用カテゴリ等選択画面１０３ｅ−Ｆは、コンテンツ選択用フリーワード検察入力部１０３ｅ−Ｆ１と、ＣＭコンテンツ選択用フリーワード検索入力部１０３ｅ−Ｆ２と、ＣＭコンテンツ選択用カテゴリ等選択部１０３ｅ−Ｆ３と、ＣＭコンテンツ選択用カテゴリ等選択画面切替指示ボタン１０３ｅ−Ｆ４を備えている。
なお、システムは、Ｂ会員に対しては、ＣＭコンテンツ選択用カテゴリ等選択画面１０３ｅ−Ｆにおける入力可能な項目を、ＣＭコンテンツ選択用フリーワード検索入力部１０３ｅ−Ｆ２におけるＣＭ検索入力欄１０３ｅ−Ｆ２ａ、ＣＭ検索ボタン１０３ｅ−Ｆ２ｂ、及び、ＣＭコンテンツ選択用カテゴリ等選択画面切替指示ボタン１０３ｅ−Ｆ４に制限している。
【０２４１】
［項目１０３ｅ−Ｆ１］（コンテンツ選択用フリーワード検索入力部）、［項目１０３ｅ−Ｆ２］（ＣＭコンテンツ選択用フリーワード検索入力部）、［項目１０３ｅ−Ｆ４］（ＣＭコンテンツ選択用カテゴリ等選択画面切替指示ボタン）
これらは、図２４に示したコンテンツ選択画面１０３ｅにおけるコンテンツ選択用フリーワード検索入力部１０３ｅ−１、ＣＭコンテンツ選択用フリーワード検索入力部１０３ｅ−２、ＣＭコンテンツ選択用カテゴリ選択画面切替指示ボタン１０３ｅ−４と構成及び作用効果が同じである。
【０２４２】
［項目１０３ｅ−Ｆ３］（ＣＭコンテンツ選択用カテゴリ等選択部）
ＣＭコンテンツ選択用カテゴリ等選択部１０３ｅ−Ｆ３は、「ＮＥＷコンテンツ」（過去数日間にアップロードされた最も新しいコンテンツ）とともに、カテゴリの大項目としての「映像」，「音楽」，「ＶＯＩＣＥ」，「効果音／ｅｔｃ」，「インタラクション／ゲーム／ｅｔｃ」，「画像／イラスト／ｅｔｃ」、「映像」に対するカテゴリの中項目としての「ＭＯＶＩＥ」，「アニメーション」，「ニュース＆ビジネス経済」，「スポーツ」，「エンターテイメント」，「外国語放送」，「バラエティ」、「音楽」に対するカテゴリの中項目としての「Ｊ−ＰＯＰ」，「ＲＯＣＫ」，「ＤＡＮＣＥ」，「ＳＯＵＬ」、「ＶＯＩＣＥ」に対するカテゴリの中項目としての「実況中継」，「会話・議論」、「効果音／ｅｔｃ」に対するカテゴリの中項目としての「自然」，「乗り物」、「インタラクション／ゲーム／ｅｔｃ」に対するカテゴリの中項目としての「アクションゲーム」，「知能」、「画像／イラスト／ｅｔｃ」に対するカテゴリの中項目としての「写真」を選択ボタンとして備えている。
【０２４３】
そして、本実施形態のシステムでは、コンテンツ選択用フリーワード検察入力部１０３ｅ−Ｆ１やＣＭコンテンツ選択用フリーワード検索入力部１０３ｅ−Ｆ２でのフリーワード検索入力操作をしないで、ＣＭコンテンツ選択用カテゴリ等選択部１０３ｅ−３において、「ＮＥＷコンテンツ」又は、所望のカテゴリの選択ボタンを選択した場合、選択カテゴリ等検索ＣＭコンテンツ表示選択画面１０３ｅ−Ｇ（図３１）にスキップする。
【０２４４】
選択カテゴリ等検索ＣＭコンテンツ表示選択画面１０３ｅ−Ｇ
選択カテゴリ等検索ＣＭコンテンツ表示選択画面１０３ｅ−Ｇを図３１に示す。
選択カテゴリ等検索ＣＭコンテンツ表示選択画面１０３ｅ−Ｇは、Ａ会員又はＢ会員が、図２９に示したＣＭコンテンツ選択用カテゴリ等選択画面１０３ｅ−Ｆにおける、「ＮＥＷコンテンツ」又は、所望のカテゴリの選択ボタンを選択した場合に表示される。なお、説明の便宜上、以下の説明では、図２４に示したコンテンツ選択画面１０３ｅと同様の項目については、詳細な説明は省略する。
【０２４５】
選択カテゴリ等検索ＣＭコンテンツ表示選択画面１０３ｅ−Ｇは、コンテンツ選択用フリーワード検察入力部１０３ｅ−Ｇ１と、ＣＭコンテンツ選択用フリーワード検索入力部１０３ｅ−Ｇ２と、選択カテゴリ等検索結果表示選択部１０３ｅ−Ｇ３と、ＣＭコンテンツ選択用カテゴリ等選択画面切替指示ボタン１０３ｅ−Ｇ４と、選択したコンテンツの確認部１０３ｅ−Ｇ９を備えている。
なお、システムは、Ｂ会員に対しては、選択カテゴリ等検索ＣＭコンテンツ表示選択画面１０３ｅ−Ｇにおけるコンテンツ選択用フリーワード検索入力部１０３ｅ−Ｇ１、及びコンテンツ自動選択オプション指定項目１０３ｅ−Ｇ２ｃへの入力を行うことができないように制限している。
【０２４６】
［項目１０３ｅ−Ｇ１］（コンテンツ選択用フリーワード検索入力部）、［項目１０３ｅ−Ｇ２］（ＣＭコンテンツ選択用フリーワード検索入力部）、［項目１０３ｅ−Ｇ４］（ＣＭコンテンツ選択用カテゴリ等選択画面切替指示ボタン）
これらは、図２４に示したコンテンツ選択画面１０３ｅにおけるコンテンツ選択用フリーワード検索入力部１０３ｅ−１、ＣＭコンテンツ選択用フリーワード検索入力部１０３ｅ−２、ＣＭコンテンツ選択用カテゴリ選択画面切替指示ボタン１０３ｅ−４と構成及び作用効果が同じである。
【０２４７】
［項目１０３ｅ−Ｇ３］（選択カテゴリ等検索結果表示選択部）
選択カテゴリ等検索結果表示選択部１０３ｅ−Ｇ３は、検索カテゴリ等表示欄１０３ｅ−Ｇ３ａと、選択カテゴリ等検索ＣＭコンテンツ表示選択部１０３ｅ−Ｇ３ｂと、表示頁指定部１０３ｅ−Ｇ３ｃを有している。
【０２４８】
［項目１０３ｅ−Ｇ３ａ］（検索カテゴリ等表示欄）
検索カテゴリ等表示欄１０３ｅ−Ｇ３ａは、図２９に示したＣＭコンテンツ選択用カテゴリ等選択画面１０３ｅ−ＦのＣＭコンテンツ選択用カテゴリ等選択部１０３ｅ−Ｆ３で選択された「ＮＥＷコンテンツ」やカテゴリを表示する。
【０２４９】
［項目１０３ｅ−Ｇ３ｂ］（選択カテゴリ等検索ＣＭコンテンツ表示選択部）
選択カテゴリ等検索ＣＭコンテンツ表示選択部１０３ｅ−Ｇ３ｂは、図２９で示したＣＭコンテンツ選択用カテゴリ等選択画面１０３ｅ−ＦのＣＭコンテンツ選択用カテゴリ等選択部１０３ｅ−Ｆ３で選択された「ＮＥＷコンテンツ」やカテゴリをキーとして、データベース部１０４のＣＭデータ管理部１０４ｃ、変換コンテンツデータ保管部１０４ｇ、未変換データ格納用サーバ部１５０の未変換コンテンツデータ保管部１５０ａ、ライセンス管理部１５０ｂに記録されている全てのＣＭコンテンツに対して検索し、該当するＣＭコンテンツ及びそのＣＭコンテンツに関するデータをアップロード順に一覧表示して、番組に用いるＣＭコンテンツを選択させる機能を備えた表示及び選択入力項目であり、次の項目１０３ｅ−Ｇ３ｂ−１〜１０３ｅ−Ｇ３ｂ−５を有している。
【０２５０】
［項目１０３ｅ−Ｇ３ｂ−１］（検察ＣＭコンテンツ画像表示部）、［項目１０３ｅ−Ｇ３ｂ−２］（タイトル名の表示）、［項目１０３ｅ−Ｄ３ｂ−３］（視聴ボタン）、［項目１０３ｅ−Ｇ３ｂ−４］（チェックボックス）、［項目１０３ｅ−Ｇ３ｂ−５］（番組リストへの追加ボタン）
これらは、図２７に示したフリーワード検索ＣＭコンテンツ表示選択画面１０３ｅ−Ｄにおける検索ＣＭコンテンツ画像表示部１０３ｅ−Ｄ３ｂ−１、タイトル名の表示１０３ｅ−Ｄ３ｂ−２、視聴ボタン１０３ｅ−Ｄ３ｂ−３、チェックボックス１０３ｅ−Ｄ３ｂ−４、及び番組リストへの追加ボタン１０３ｅ−Ｄ３ｂ−５と、それぞれ構成及び作用効果がほぼ同じである。
【０２５１】
［項目１０３ｅ−Ｇ９]（選択したコンテンツの確認部）
選択したコンテンツの確認部１０３ｅ−Ｇ９は、図２７に示したフリーワード検索ＣＭコンテンツ表示選択画面１０３ｅ−Ｄにおける選択したコンテンツの確認部１０３ｅ−Ｄ９と構成及び作用効果はほぼ同じである。
【０２５２】
ＲＳＳ＆ＡＴＯＭ＆テキスト設定画面１０３ｆ
ＲＳＳ＆ＡＴＯＭ＆テキスト設定画面１０３ｆを図３２に示す。
ＲＳＳ＆ＡＴＯＭ＆テキスト設定は、システム管理者を除いては、インターネット放送番組制作Ａ会員及びＢ会員が行うことができるようになっている。
なお、ＲＳＳ＆ＡＴＯＭ＆テキスト設定画面１０３ｆは、一部の領域にサンプル受信端末配信ツール６０１の画面が表示されるようにレイアウトされている。
ＲＳＳ＆ＡＴＯＭ＆テキスト設定画面１０３ｆは、ＲＳＳ＆ＡＴＯＭ入力部１０３ｆ−１と、テキスト入力部１０３ｆ−２と、サンプル画面表示指示ボタン１０３ｆ−３と、ＲＳＳ＆ＡＴＯＭ＆テキスト登録ボタン１０３ｆ−４を備えている。
【０２５３】
［項目１０３ｆ−１］（ＲＳＳ＆ＡＴＯＭ入力部）
ＲＳＳやＡＴＯＭとは、見出しや要約などのメタデータを構造化して記述するＸＭＬベースのフォーマットである。
システムは、ＲＳＳ＆ＡＴＯＭ入力部１０３ｆ−１に入力されたＲＳＳ＆ＡＴＯＭを、ＲＳＳ＆ＡＴＯＭ＆テキスト登録ボタン１０３ｆ−４が押された場合に、受信端末配信ツール６０２のＲＳＳ＆ＡＴＯＭ用テキスト表示部６０２ａに表示し、入力された１つ以上のＲＳＳ＆ＡＴＯＭを順番にリピート表示することができるように構成されている。
ＲＳＳ＆ＡＴＯＭ入力部１０３ｆ−１は、カテゴリ選択ボタン１０３ｆ−１ａと、カテゴリ小項目入力欄１０３ｆ−１ｂと、ＲＳＳ−ＡＴＯＭ入力欄１０３ｆ−１ｃと、ＲＳＳ＆ＡＴＯＭ共有ボタン１０３ｆ−１ｄを有している。
【０２５４】
［項目１０３ｆ−１ａ］（カテゴリ選択ボタン）
カテゴリ選択ボタン１０３ｆ−１ａは、例えば、図２３に示した番組制作者提供コンテンツアップロード画面１０３ｄのカテゴリ選択１０３ｄ−２におけるプルダウンボタン１０３ｄ−２と同様の機能を備えている。
即ち、インターネット放送番組製作会員が、カテゴリ選択ボタン１０３ｆ−１ａを押すと、システムは、例えば、図７に示したのと同様に、カテゴリの大項目としての「映像」，「音楽」，「ＶＯＩＣＥ」，「効果音／ｅｔｃ」，「インタラクション／ゲーム／ｅｔｃ」，「画像／イラスト／ｅｔｃ」、「映像」に対するカテゴリの中項目としての「ＭＯＶＩＥ」，「アニメーション」，「ニュース＆ビジネス経済」，「スポーツ」，「エンターテイメント」，「外国語放送」，「バラエティ」、「音楽」に対するカテゴリの中項目としての「Ｊ−ＰＯＰ」，「ＲＯＣＫ」，「ＤＡＮＣＥ」，「ＳＯＵＬ」、「ＶＯＩＣＥ」に対するカテゴリの中項目としての「実況中継」，「会話・議論」、「効果音／ｅｔｃ」に対するカテゴリの中項目としての「自然」，「乗り物」、「インタラクション／ゲーム／ｅｔｃ」に対するカテゴリの中項目としての「アクションゲーム」，「知能」、「画像／イラスト／ｅｔｃ」に対するカテゴリの中項目としての「写真」を選択肢として表示する。そして、インターネット放送番組製作会員が、表示されたカテゴリの中から番組内容に合致する大、中項目のカテゴリを選択入力することができるようになっている。
【０２５５】
［項目１０３ｆ−１ｂ］（カテゴリ小項目入力欄）
カテゴリ小項目入力欄１０３ｆ−１ｂは、例えば、図２３に示した番組制作者提供コンテンツアップロード画面１０３ｄのカテゴリ選択１０３ｄ−２におけるテキスト入力欄１０３ｄ−２ｂと同様の機能を備えている。
即ち、カテゴリ小項目入力欄１０３ｆ−１ｂには、カテゴリの中項目の下位概念に相当する小項目としてのカテゴリ名を、インターネット放送番組製作会員が任意に入力することができるようになっている。
【０２５６】
［項目１０３ｆ−１ｃ］（ＲＳＳ＆ＡＴＯＭ入力欄）
ＲＳＳ＆ＡＴＯＭ入力欄１０３ｆ−１ｃは、見出しや要約などのメタデータを構造化して記述されるＸＭＬベースのフォーマットであるＲＳＳ＆ＡＴＯＭを、番組に利用するためのコンテンツとして入力するための入力欄である。
【０２５７】
［項目１０３ｆ−１ｄ］（ＲＳＳ＆ＡＴＯＭ共有ボタン）
ＲＳＳ＆ＡＴＯＭ共有ボタン１０３ｆ−１ｄは、ＲＳＳ＆ＡＴＯＭ入力欄１０３ｆ−１ｃで入力したＲＳＳ＆ＡＴＯＭコンテンツの、他のインターネット放送番組製作会員及びシステム管理者に対する利用を許可するためのボタンである。
ＲＳＳ＆ＡＴＯＭ共有ボタン１０３ｆ−１ｄを押すと、システムは、後述のＲＳＳ＆ＡＴＯＭ＆テキスト登録ボタン１０３ｆ−４が押されたときに、ウェブサーバ部１０５の入出力制御部１０５ｆを介してコンテンツＩＤを作成し、共有情報をコンテンツデータ管理部１０４ｂに記録する。また、ＲＳＳ＆ＡＴＯＭ入力欄１０３ｆ−１ｃで入力したＲＳＳ＆ＡＴＯＭコンテンツデータを、当該コンテンツＩＤを付与して変換コンテンツデータ保管部１０４ｇ、未変換データ格納用サーバ部１５０の未変換コンテンツデータ保管部１５０ａに記録する。
そして、本実施形態のシステムでは、ＲＳＳ＆ＡＴＯＭ共有ボタン１０３ｆ−１ｄが押されることにより共有情報を記録したＲＳＳ＆ＡＴＯＭコンテンツデータを、図１８に示したインターネット放送番組製作会員管理画面入室画面１０３ｂにおけるライセンス設定１０３ｂ−３において設定されたディフォルトのライセンスとは無関係に、Ａ会員もしくはＢ会員としての資格を持つインターネット放送番組製作会員、又はシステム管理者であれば誰でも利用することができるようにしている。
なお、ＲＳＳ＆ＡＴＯＭ共有ボタン１０３ｆ−１ｄは、再度の押下により、ＲＳＳ＆ＡＴＯＭコンテンツデータの共有と共有解除とを切替設定することができるようになっている。
【０２５８】
[項目１０３ｆ−２]（テキスト入力部）
システムは、テキスト入力部１０３ｆ−２に入力されたテキストを、ＲＳＳ＆ＡＴＯＭ＆テキスト登録ボタン１０３ｆ−４が押された場合に、受信端末配信ツール６０２のＲＳＳ＆ＡＴＯＭ用テキスト表示部６０２ａに表示し、入力された１つ以上のテキストを順番にリピート表示することができるように構成されている。
テキスト入力部１０３ｆ−２は、カテゴリ選択ボタン１０３ｆ−２ａと、カテゴリ小項目入力欄１０３ｆ−２ｂと、テキスト入力欄１０３ｆ−２ｃと、テキスト共有ボタン１０３ｆ−２ｄを有している。
【０２５９】
［項目１０３ｆ−２ａ］（カテゴリ選択ボタン）、［項目１０３ｆ−２ｂ］（カテゴリ小項目入力欄）
これらは、ＲＳＳ＆ＡＴＯＭ入力部１０３ｆ−１におけるカテゴリ選択ボタン１０３ｆ−１ａ、カテゴリ小項目入力欄１０３ｆ−１ｂと構成が同じである。
【０２６０】
［項目１０３ｆ−２ｃ］（テキスト入力欄）
テキスト入力欄１０３ｆ−２ｃは、所定のテキストデータを、番組に利用するためのコンテンツとして入力するための入力欄である。
【０２６１】
［項目１０３ｆ−２ｄ］（テキスト共有ボタン）
テキスト共有ボタン１０３ｆ−２ｄは、テキスト入力欄１０３ｆ−２ｃで入力したテキストコンテンツの、他のインターネット放送番組製作会員に対する利用を許可するためのボタンである。
テキスト共有ボタン１０３ｆ−２ｄを押すと、システムは、後述のＲＳＳ＆ＡＴＯＭ＆テキスト登録ボタン１０３ｆ−４が押されたときに、ウェブサーバ部１０５の入出力制御部１０５ｆを介してコンテンツＩＤを作成し、共有情報をコンテンツデータ管理部１０４ｂに記録する。また、ＲＳＳ＆ＡＴＯＭ入力欄１０３ｆ−１ｃで入力したＲＳＳ＆ＡＴＯＭコンテンツデータを、当該コンテンツＩＤを付与して変換コンテンツデータ保管部１０４ｇ、未変換データ格納用サーバ部１５０の未変換コンテンツデータ保管部１５０ａに記録する。
そして、本実施形態のシステムでは、テキスト共有ボタン１０３ｆ−２ｄが押されることにより共有情報を記録したテキストコンテンツデータを、図１８に示したインターネット放送番組製作会員管理画面入室画面１０３ｂにおけるライセンス設定１０３ｂ−３において設定されたディフォルトのライセンスとは無関係に、Ａ会員もしくはＢ会員としての資格を持つインターネット放送番組製作会員、又はシステム管理者であれば誰でも利用することができるようにしている。
なお、テキスト共有ボタン１０３ｆ−２ｄを再度の押下により、テキストコンテンツデータの共有と共有解除とを切替設定することができるようになっている。
【０２６２】
[項目１０３ｆ−３]（サンプル画面表示指示ボタン）
サンプル画面表示指示（サンプル画面で見る）ボタン１０３ｆ−３を押すと、システムは、項目１０３ｆ−１（ＲＳＳ＆ＡＴＯＭ入力部）〜１０３ｆ−２（テキスト入力部）の各段での設定内容をサンプル受信端末配信ツール６０１のＲＳＳ用テキスト表示部６０１ａへ反映して表示する。
【０２６３】
[項目１０３ｆ−４]（ＲＳＳ＆ＡＴＯＭ＆テキスト登録ボタン）
ＲＳＳ＆ＡＴＯＭ＆テキスト登録ボタン１０３ｆ−４を押すと、システムは、項目１０３ｆ−１〜１０３ｆ−２の各段での設定内容について、コンテンツ／ＣＭ受信部１０５ｅを経由し、図２に示したウェブサーバ部１０５の入出力制御部１０５ｆを介してコンテンツＩＤを作成し、コンテンツデータ管理部１０４ｂに記録する。また、ＲＳＳ＆ＡＴＯＭ入力欄１０３ｆ−１ｃで入力したＲＳＳ＆ＡＴＯＭコンテンツデータ、及びテキスト入力欄１０３ｆ−２ｃで入力したテキストコンテンツデータを、当該コンテンツＩＤを付与して変換コンテンツデータ保管部１０４ｇに記録する。
また、システムは、ＲＳＳ＆ＡＴＯＭ入力欄１０３ｆ−１ｃで入力したＲＳＳ＆ＡＴＯＭコンテンツデータ、及びテキスト入力欄１０３ｆ−２ｃで入力したテキストコンテンツデータを、コンテンツ／ＣＭ受信部１０５ｅを経由し、そのままのデータ形式で、未変換データ格納用サーバ部１５０の未変換コンテンツデータ保管部１５０ａに記録する。
これにより、共有設定されたＲＳＳ＆ＡＴＯＭコンテンツデータ及びテキストコンテンツデータは、インターネット放送番組製作会員やシステム管理者が使用可能な状態となる。
なお、変換コンテンツデータ保管部１０４ｇ及びコンテンツデータ管理部１０４ｂ、未変換コンテンツデータ保管部１５０ａに記録されたＲＳＳ＆ＡＴＯＭコンテンツデータ、及びテキストコンテンツデータは、他のコンテンツデータと同様に、インターネット放送番組制作会員管理画面入室画面１０３ｂのライセンス設定１０３ｂ−３において設定したライセンス内容がディフォルト適用される。
【０２６４】
テキスト＆字幕設定画面１０３ｇ
テキスト＆字幕設定画面１０３ｇを図３３に示す。
テキスト＆字幕設定は、システム管理者を除いては、インターネット放送番組制作Ａ会員及びＢ会員が行うことができるようになっている。
なお、テキスト＆字幕設定画面１０３ｇは、一部の領域にサンプル受信端末配信ツール６０１の画面が表示されるようにレイアウトされている。
テキスト＆字幕設定画面１０３ｇは、テキスト＆字幕入力部１０３ｇ−１と、サンプル画面表示指示ボタン１０３ｇ−２と、テキスト＆字幕登録ボタン１０３ｇ−３を備えている。
【０２６５】
[項目１０３ｇ−１]（テキスト＆字幕入力部）
システムは、テキスト＆字幕入力部１０３ｇ−１に入力したテキスト＆字幕を、テキスト＆字幕登録ボタン１０３ｇ−３が押された場合に、受信端末配信ツール６０２の字幕、テキスト表示部６０２ｃに表示し、入力された１つ以上のテキスト＆字幕を順番にリピート表示することができるように構成されている。
テキスト＆字幕入力部１０３ｇ−１は、カテゴリ選択ボタン１０３ｇ−１ａと、カテゴリ小項目入力欄１０３ｇ−１ｂと、テキスト＆字幕入力欄１０３ｇ−１ｃと、テキスト＆字幕共有ボタン１０３ｇ−１ｄを有している。
【０２６６】
［項目１０３ｇ−１ａ］（カテゴリ選択ボタン）、［項目１０３ｇ−１ｂ］（カテゴリ小項目入力欄）
これらは、図３２に示したＲＳＳ＆ＡＴＯＭ＆テキスト設定画面１０３ｆのＲＳＳ＆ＡＴＯＭ入力部１０３ｆ−１におけるカテゴリ選択ボタン１０３ｆ−１ａ、カテゴリ小項目入力欄１０３ｆ−１ｂと構成が同じである。
【０２６７】
［項目１０３ｇ−１ｃ］（テキスト＆字幕入力欄）
テキスト＆字幕入力欄１０３ｇ−１ｃは、所定のテキスト＆字幕データを、番組に利用するためのコンテンツとして入力するための入力欄である。
【０２６８】
［項目１０３ｇ−１ｄ］（テキスト＆字幕共有ボタン）
テキスト＆字幕共有ボタン１０３ｇ−１ｄは、テキスト等字幕入力欄１０３ｇ−１ｃで入力したテキスト＆字幕コンテンツの、他のインターネット放送番組製作会員及びシステム管理者に対する利用を許可するためのボタンである。
テキスト＆字幕共有ボタン１０３ｇ−１ｄを押すと、システムは、後述のテキスト＆字幕登録ボタン１０３ｇ−３が押されたときに、ウェブサーバ部１０５の入出力制御部１０５ｆを介してコンテンツＩＤを作成し、共有情報をコンテンツデータ管理部１０４ｂに記録する。また、テキスト＆字幕入力欄１０３ｇ−１ｃで入力したテキスト＆字幕コンテンツデータを、当該コンテンツＩＤを付与して変換コンテンツデータ保管部１０４ｇ、未変換データ格納用サーバ部１５０の未変換コンテンツデータ保管部１５０ａに記録する。
そして、本実施形態のシステムでは、テキスト＆字幕共有ボタン１０３ｇ−１ｄが押されることにより共有情報を記録したテキスト＆字幕コンテンツデータを、図１８に示したインターネット放送番組製作会員管理画面入室画面１０３ｂにおけるライセンス設定１０３ｂ−３において設定されたディフォルトのライセンスとは無関係に、Ａ会員もしくはＢ会員としての資格を持つインターネット放送番組製作会員、又はシステム管理者であれば誰でも利用することができるようにしている。
なお、テキスト＆字幕共有ボタン１０３ｇ−１ｄを再度の押下により、テキスト＆字幕コンテンツデータの共有と共有解除とを切替設定することができるようになっている。
【０２６９】
[項目１０３ｇ−２]（サンプル画面表示指示ボタン）
サンプル画面表示指示（サンプル画面で見る）ボタン１０３ｇ−２を押すと、システムは、テキスト＆字幕入力部１０３ｇ−１の各段での設定内容をサンプル受信端末配信ツール６０１のＲＳＳ用テキスト表示部６０１ａへ反映して表示する。
【０２７０】
[項目１０３ｇ−３]（テキスト＆字幕登録ボタン）
テキスト＆字幕登録ボタン１０３ｇ−３を押すと、システムは、項目１０３ｇ−１（テキスト＆字幕入力部）の各段での設定内容について、コンテンツ／ＣＭ受信部１０５ｅを経由し、図２に示したウェブサーバ部１０５の入出力制御部１０５ｆを介してコンテンツＩＤを作成し、コンテンツデータ管理部１０４ｂに記録する。また、テキスト＆字幕入力欄１０３ｇ−１ｃで入力したテキスト＆字幕コンテンツデータを、当該コンテンツＩＤを付与して変換コンテンツデータ保管部１０４ｇに記録する。
また、システムは、テキスト＆字幕入力欄１０３ｇ−１ｃで入力したテキスト＆字幕コンテンツデータを、コンテンツ／ＣＭ受信部１０５ｅを経由し、そのままのデータ形式で、未変換データ格納用サーバ部１５０の未変換コンテンツデータ保管部１５０ａに記録する。
これにより、共有設定されたテキスト＆字幕コンテンツデータは、インターネット放送番組製作会員及びシステム管理者が使用可能な状態となる。
なお、変換コンテンツデータ保管部１０４ｇ及びコンテンツデータ管理部１０４ｂ、未変換コンテンツデータ保管部１５０ａに記録されたテキスト＆字幕コンテンツデータは、当該インターネット放送番組製作会員が提供した他のコンテンツデータと同様に、インターネット放送番組制作会員管理画面入室画面１０３ｂのライセンス設定１０３ｂ−３において設定したライセンス内容がディフォルト適用される。
【０２７１】
録画・録音設定画面１０３ｈ
録画・録音設定画面１０３ｈを図３４に示す。
録画・録音設定は、システム管理者を除いては、インターネット放送番組制作Ａ会員及びＢ会員が行うことができるようになっている。
なお、録画・録音設定画面１０３ｈは、一部の領域にサンプル受信端末配信ツール６０１の画面が表示されるようにレイアウトされている。
録画・録音設定画面１０３ｈは、リアルタイム録画・録音操作部１０３ｈ−１と、リアルタイム録画・録音データ再生部１０３ｈ−２と、リアルタイム録画・録音データ関連テキストデータ入力部１０３ｈ−３と、保存ボタン１０３ｈ−４と、キャンセルボタン１０３ｈ−５と、削除ボタン１０３ｈ−６を備えている。
【０２７２】
［項目１０３ｈ−１］（リアルタイム録画・録音操作部）
リアルタイム録画・録音操作部１０３ｈ−１は、リアルタイム録画・録音ボタン１０３ｈ−１ａと、録画・録音データ再生ボタン１０３ｈ−１ｂと、操作停止ボタン１０３ｈ−１ｃを有している。
【０２７３】
[項目１０３ｈ−１ａ]（リアルタイム録画・録音ボタン）
本実施形態のシステムでは、インターネット放送番組製作者であるインターネット放送番組制作会員のパソコン端末５００とＷＥＢカメラもしくはデジタルカメラなどの外部端末との接続を確認し、リアルタイム録画・録音ボタン１０３ｈ−１ａを押すと、外部端末からの映像や音声を図示省略した作業領域に一時的に取り込むことができるようになっている。
【０２７４】
[項目１０３ｈ−１ｂ]（録画・録音データ再生ボタン）
録画・録音再生ボタン１０３ｈ−１ｂを押すと、リアルタイム録画・録音ボタンを介して作業領域に一時的に取り込まれた映像データが、後述のリアルタイム録画・録音データ再生部１０３ｈ−２のスクリーン１０３ｈ−２ａ等に表示される。また、データに音声を伴う場合には、図示省略したスピーカより音声が流れる。これにより、データの内容を確認することができる。
【０２７５】
[項目１０３ｈ−１ｃ]（操作停止ボタン）
また、操作停止ボタン１０３ｈ−１ｃを押すと、スクリーン１０３ｈ−２ａに表示等されているデータの再生、又は、リアルタイム録画・録音を停止する。
【０２７６】
［項目１０３ｈ−２］（リアルタイム録画・録音データ再生部）
リアルタイム録画・録音データ再生部１０３ｈ−２は、スクリーン１０３ｈ−２ａと、再生割合及び再生時間表示部１０３ｈ−２ｂと、図示省略したスピーカとを有している。
【０２７７】
［項目１０３ｈ−２ａ］（スクリーン）
スクリーン１０３ｈ−２ａは、録画・録音再生ボタン１０３ｈ−１ｂが押されたときに、リアルタイム録画・録音ボタンを介して作業領域に一時的に取り込まれた映像データを表示する表示手段である。
【０２７８】
［項目１０３ｈ−２ｂ］（再生割合及び再生時間表示部）
再生割合及び再生時間表示部１０３ｈ−２ｂは、録画・録音再生ボタン１０３ｈ−１ｂが押されることによって、スクリーン１０３ｈ−２ａや図示省略したスピーカを介して再生されている映像や音声データの現時点での再生割合及び再生時間を表示するように構成されている。
【０２７９】
［項目１０３ｈ−３］（リアルタイム録画・録音データ関連テキストデータ入力部）
リアルタイム録画・録音データ関連テキストデータ入力部１０３ｈ−３は、タイトル入力欄１０３ｈ−３ａと、コメント入力欄１０３ｈ−３ｂを有している。
【０２８０】
［項目１０３ｈ−３ａ］（タイトル入力欄）、［項目１０３ｈ−３ｂ］（コメント入力欄）
タイトル入力欄１０３ｈ−３ａは、リアルタイム録画、録音したデータのタイトルをテキスト入力するための入力項目である。
また、コメント入力欄１０３ｈ−３ｂは、リアルタイム録画、録音したデータについてのコメントをテキスト入力するための入力項目である。
【０２８１】
［項目１０３ｈ−４］（保存ボタン）
保存ボタン１０３ｈ−４を押すと、システムは、入出力制御部１０５ｆを介してコンテンツＩＤを作成し、リアルタイム録画・録音操作部１０３ｈ−１を介して作業領域に一時的に取り込んだ映像や音声データを、コンテンツ／ＣＭ受信部１０５ｅを経由し、コンテンツデータ変換部１０５ｉで番組配信用データにデータ形式を変換し、作成したコンテンツＩＤとともに変換コンテンツデータ保管部１０４ｇに記録する。また、リアルタイム録画・録音データ関連テキストデータ入力部１０３ｈ−３で入力した入力内容を、当該コンテンツＩＤとともにコンテンツデータ管理部１０４ｂに記録する。
なお、変換コンテンツデータ保管部１０４ｇ及びコンテンツデータ管理部１０４ｂに記録されたリアルタイム録画・録音データには、当該インターネット放送番組製作会員が提供した他のコンテンツデータと同様に、インターネット放送番組制作会員管理画面入室画面１０３ｂのライセンス設定１０３ｂ−３において設定したライセンス内容がディフォルト適用される。
【０２８２】
［項目１０３ｈ−５］（キャンセルボタン）
キャンセルボタン１０３ｈ−５を押すと、システムは、リアルタイム録画・録音操作部１０３ｈ−１を介して作業領域に一時的に取り込まれた映像や音声データ、及びリアルタイム録画・録音データ関連テキストデータ入力部１０３ｈ−３に入力した入力内容を削除する。
【０２８３】
［項目１０３ｈ−６］（削除ボタン）
削除ボタン１０３ｈ−６は、保存したリアルタイム録音、録画データをすぐに削除する場合にのみ有効に機能する処理ボタンである。
削除ボタン１０３ｈ−６を押すと、システムは、保存ボタン１０３ｈ−４を介して変換コンテンツデータ保管部１０４ｇにコンテンツデータとして記録されたリアルタイム録画・録音データ、及びコンテンツデータ管理部１０４ｂに記録された、リアルタイム録画・録音データ関連テキストデータ入力部１０３ｈ−３での入力内容を削除する。
【０２８４】
コンテンツ，ＲＳＳ＆ＡＴＯＭ，テキスト＆字幕一覧、タグ書き出し（番組制作）画面１０３ｉ
コンテンツ，ＲＳＳ＆ＡＴＯＭ，テキスト＆字幕一覧、タグ書き出し(番組制作）画面１０３ｉを図３５に示す。
なお、システムは、この画面においては、ＲＳＳ＆ＡＴＯＭ＆テキスト設定画面１０３ｆ（図３２）での入力を介してコンテンツデータ管理部１０４ｂや変換コンテンツデータ保管部１０４ｇに記録されたＲＳＳ＆ＡＴＯＭ＆テキストデータと、テキスト＆字幕設定画面１０３ｇ（図３３）での入力を介してコンテンツデータ管理部１０４ｂや変換コンテンツデータ保管部１０４ｇに記録されたテキスト＆字幕データと、それ以外のＣＭコンテンツデータを含めたコンテンツデータとを、区別している。
コンテンツ，ＲＳＳ＆ＡＴＯＭ，テキスト＆字幕一覧、タグ書き出しは、システム管理者を除いては、インターネット放送番組制作Ａ会員及びＢ会員が行うことができるようになっている。
なお、コンテンツ，ＲＳＳ＆ＡＴＯＭ，テキスト＆字幕一覧、タグ書き出し（番組制作）画面１０３ｉは、一部の領域にサンプル受信端末配信ツール６０１の画面が表示されるようにレイアウトされている。
コンテンツ，ＲＳＳ＆ＡＴＯＭ，テキスト＆字幕一覧、タグ書き出し（番組制作）画面１０３ｉは、コンテンツ一覧表示部１０３ｉ−１と、ＲＳＳ＆ＡＴＯＭ＆テキスト一覧表示部１０３ｉ−２と、テキスト＆字幕一覧表示部１０３ｉ−３と、タグ書き出しボタン１０３ｉ−４を備えている。
【０２８５】
[項目１０３ｉ−１］（コンテンツ一覧表示部）
コンテンツ一覧表示部１０３ｉ−１は、コンテンツアップロード画面１０１ｃ、ＣＭコンテンツアップロード画面１０２ｃ、番組制作者提供コンテンツアップロード画面１０３ｄ、及び後述するシステム管理者提供コンテンツアップロード画面１０７ｅでアップロードされたコンテンツ、並びに録画・録音設定画面１０３ｈ、及び後述する録画・録音設定画面１０７ｉで設定されたコンテンツのうち、コンテンツ選択画面１０３ｅで選択され、番組設定記録部１０４ｅの「「番組リストへ追加」ボタンを押したときに記録される項目」に記録されているコンテンツＩＤに対応するデータをコンテンツデータ管理部１０４ｂ，ＣＭデータ管理部から抽出して所定の順番に一覧表示するとともに、一覧表示されているコンテンツの番組への配信順を編集する機能を備えている。
詳しくは、コンテンツ一覧表示部１０３ｉ−１は、次の項目１０３ｉ−１−１〜１０３ｉ−１−１４を有している。
【０２８６】
[項目１０３ｉ−１−１ａ，ｂ]（表示頁指定部）
表示頁指定部１０３ｉ−１−１ａ，１０３ｉ−１−１ｂは、コンテンツ一覧表示部１０３ｉ−１に表示されるデータが複数頁に及ぶ場合に、テキスト入力ボックス１０３ｉ−１−１ａに数字を入力し、ＧＯボタン１０３ｉ−１−１ｂを押すことで、所望の頁を表示する機能を備えている。
【０２８７】
[項目１０３ｉ−１−２]（チェックボックス）
チェックボックス１０３ｉ−１−２は、後述の削除ボタン１０３ｉ−１−１２、サンプル画面表示指示ボタン１０３ｉ−１−１３、コンテンツ番組への登録ボタン１０３ｉ−１−１４などの処理ボタンを押したときに処理対象となるコンテンツデータを特定するための入力項目である。
例えば、所望のチェックボックス１０３ｉ−１−２にチェックを入れ、削除ボタン１０３ｉ−１−１２を押すと、チェックボックス１０３ｉ−１−２にチェックが入れられたコンテンツデータのコンテンツ一覧表示部１０３ｉ−１上での表示を削除する。さらに、システムは、番組設定記録部１０４ｅの「「番組リストへ追加」ボタンを押したときに記録される項目」に記録されているコンテンツＩＤのうち、チェックボックス１０３ｉ−１−２にチェックが入れられているコンテンツデータのコンテンツＩＤを削除する。
【０２８８】
[項目１０３ｉ−１−３]（配信順位）
システムは、初期表示（ディフォルト）状態においては、番組設定記録部１０４ｅの「「番組リストへ追加」ボタンを押したときに記録される項目」に記録されているコンテンツＩＤに対応するデータをコンテンツデータ管理部１０４ｂ，ＣＭデータ管理部から抽出し、抽出されたコンテンツデータの更新日順に番号を割り当てて配信順位１０３ｉ−１−３に表示する。
配信順位１０３ｉ−１−３は、番号を変更することで、１番組内におけるコンテンツの配信順を変えることができる機能を備えた入力項目である。変更した配信順位は、後述のサンプル画面表示指示ボタン１０３ｉ−１−１３を押すことで、サンプル配信ツール画面６０１へと反映させることができるようになっている。
また、後述する番組へのコンテンツ登録ボタン１０３ｉ−１−１４を押すと、押したときに配信順位１０３ｉ−１−３に設定されている配信順でもって番組を受信端末配信ツール６０２に反映させることができるようになっている。
【０２８９】
なお、本実施形態のシステムでは、番組（ここでは、広義の番組であって、後述する狭義の番組のセットを１つ以上備えたものを意味する。）を設定するときに、１つのコンテンツに対して少なくとも１つ以上のＣＭデータを組合せたものを１つの基本セットとし、１回の外部からのアクセスに対して４セットまでの番組（ここでは、狭義の番組であって、同じ配信順位が設定されているコンテンツ等、ＣＭコンテンツの組合せからなる１つのセットを意味する。）を放送できるようにしている。このため、配信順位１０３ｉ−１−３の設定は１〜４の番号に限られている。
なお、本実施形態のシステムでは、そのような最大４セットの配信順位が設定された番組（ここでは広義の番組）は、ＣＭ費用や掲載期間等が経過した場合を除き、回数の制限なく放送できるようにしている。
【０２９０】
[項目１０３ｉ−１−４]（データ種類）
データ種類１０３ｉ−１−４は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されているデータ種類の、ｉ)動画データ、ii）写真データ、iii）デザインデータ、iv）イラストデータ、ｖ）音楽データ、vi）音声データ、vii）テキストデータ、の区別が一目で分かり易くなるように、それぞれの種類に対応したアイコンを表示する機能を備えた表示項目である。
【０２９１】
[項目１０３ｉ−１−５]（コンテンツＩＤ）
コンテンツＩＤ１０３ｉ−１−５は、番組設定記録部１０４ｅの「「番組リストへ追加」ボタンを押したときに記録される項目」に記録されている、各コンテンツに固有の識別情報を表示する機能を備えた表示項目である。
【０２９２】
[項目１０３ｉ−１−６]（カテゴリ）
カテゴリ１０３ｉ−１−６は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されているカテゴリを表示する機能を備えた表示項目である。
【０２９３】
［項目１０３ｉ−１−７］（タイトル）
タイトル１０３ｉ−１−７は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されているタイトルを表示する機能を備えた表示項目である。
【０２９４】
[項目１０３ｉ−１−８]（更新日）
更新日１０３ｉ−１−８は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されている、コンテンツのアップロードを行った日時を表示する機能を備えた表示項目である。
【０２９５】
[項目１０３ｉ−１−９]（時間）
時間１０３ｉ−１−９は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されている時間であって、コンテンツをリアルタイム録音、録画した場合において、図示しないタイマーを介して計測されたコンテンツ視聴時間を表示する機能を備えた表示項目である。
【０２９６】
[項目１０３ｉ−１−１０]（サイズ）
サイズ１０３ｉ−１−１０は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されているコンテンツのサイズ（容量）を表示する機能を備えた表示項目である。
【０２９７】
[項目１０３ｉ−１−１１]（ライセンス）
ライセンス１０３ｉ−１−１１は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されているコンテンツのライセンス種類に応じたライセンスマークを表示する機能を備えた表示項目である。
コンテンツのライセンスマークは、例えば、図６に示したコンテンツアップロード画面１０１ｃにおける項目１０１ｃ−４−１（提供するコンテンツを利用することができる主体の範囲（選択入力））〜１０１ｃ−４−３（提供するコンテンツを営利目的で利用することへの許可・不許可（選択入力））の選択内容に対応して付加される所定のライセンス種類であって、その内容が分かり易くなるように図案化したアイコンである。また、ライセンス１０３ｉ−１−１１では、インターネット放送番組制作者本人が提供したコンテンツについてのみライセンス設定を再設定することができるように、プルダウンボタンを押すことによって、インターネット放送番組製作者提供コンテンツアップロード画面１０３ｄにおける項目１０３ｄ−４−１〜１０３ｄ−４−３と同様の項目についての選択入力が可能な画面（図示省略）を表示するように構成されている。
【０２９８】
[項目１０３ｉ−１−１２]（削除）
削除ボタン１０３ｉ−１−１２を押すと、システムは、チェックボックス１０３ｉ−１−２にチェックが入れられているコンテンツデータのコンテンツ一覧表示部１０３ｉ−１上での表示を削除する。さらに、システムは、番組設定記録部１０４ｅの「「番組リストへ追加」ボタンを押したときに記録される項目」に記録されているコンテンツＩＤのうち、チェックボックス１０３ｉ−１−２にチェックが入れられているコンテンツデータのコンテンツＩＤを削除する。
【０２９９】
[項目１０３ｉ−１−１３]（サンプル画面表示指示ボタン）
サンプル画面表示指示（サンプル画面で見る）ボタン１０３ｉ−１−１３を押すと、システムは、チェックボックス１０３ｉ−１−２にチェックが入れられているコンテンツに関する項目１０３ｉ−１−３（配信順位）〜項目１０３ｉ−１−１１（ライセンス）の内容及び未変換コンテンツデータ保管部１０４ｇから抽出した当該コンテンツデータを、サンプル受信端末配信ツール６０１の映像、アニメーション表示部６０１ｂ、字幕、テキスト表示部６０１ｃへ反映するとともに、メニューボタン６０１ｇ−ａの操作を介して、項目１０３ｉ−１−１１（ライセンス）の内容を反映したメニュー表示スクリーン６０１ｇ−ｂ（図示省略）をサンプル受信端末配信ツール６０１のモニタ画面上に重ねて、配信順位１０３ｉ−１−３の配信順に従って表示する。なお、メニューボタン６０１ｇ−ａの操作によって、項目１０３ｉ−１−１１（ライセンス）の内容を反映したメニュー表示スクリーン６０１ｇ−ｂ（図示省略）の表示・非表示が切替わるようになっている。
また、システムは、同時に、番組設定記録部１０４ｅの「「番組リストへ追加」ボタンを押したときに記録される項目」に記録されているコンテンツＩＤのうち、チェックボックス１０３ｉ−１−２にチェックが入れられているコンテンツデータのコンテンツＩＤを、配信順位１０３ｉ−１−３の配信順に対応した所定領域にそれぞれ配置し、所定の番組ＩＤを付加して、番組設定記録部１０４ｅの「「サンプル画面を見る」ボタンを押したときに記録される項目」に記録する。
【０３００】
[項目１０３ｉ−１−１４]（コンテンツ番組への登録ボタン）
コンテンツ番組への登録ボタン１０３ｉ−１−１４を押すと、システムは、番組設定記録部１０４ｅの「「番組リストへ追加」ボタンを押したときに記録される項目」に記録されているコンテンツＩＤのうち、チェックボックス１０３ｉ−１−２にチェックが入れられているコンテンツデータのコンテンツＩＤを、配信順位１０３ｉ−１−３の配信順に対応した所定領域にそれぞれ配置し、所定の番組ＩＤを付加して、番組設定記録部１０４ｅの「「コンテンツ番組へ登録」ボタンを押したときに記録される項目」に記録する。
なお、システムは、既に当該番組ＩＤの番組が、受信端末配信配信ツール６０２へ配信されている場合は、番組設定記録部１０４ｅの「「コンテンツ番組へ登録」ボタンを押したときに記録される項目」に記録された同一番組ＩＤ内のコンテンツＩＤに対応するコンテンツを、番組設定記録部１０４ｅの「「コンテンツ番組へ登録」ボタンを押したときに記録される項目」にコンテンツＩＤが記録されている順に従って配信する。一方、当該番組ＩＤの番組が、未だ受信端末配信配信ツール６０２へ配信されていない場合は、上述した番組設定記録部１０４ｅの「「コンテンツ番組へ登録」ボタンを押したときに記録される項目」への記録のみが行われる。この場合は、タグ書き出しボタン１０３ｉ−４を介して後述するタグの書き出しを行うことで、受信端末配信配信ツール６０２へ配信することができるようになっている。
【０３０１】
[項目１０３ｉ−２］（ＲＳＳ＆ＡＴＯＭ＆テキスト一覧表示部）
ＲＳＳ＆ＡＴＯＭ＆テキスト一覧表示部１０３ｉ−２は、ＲＳＳ＆ＡＴＯＭ＆テキスト設定画面１０３ｆ、後述するＲＳＳ＆ＡＴＯＭ＆テキスト設定画面１０７ｇを介して設定登録されたＲＳＳ＆ＡＴＯＭコンテンツデータ及びテキストコンテンツデータのうち、コンテンツ選択画面１０３ｅで選択され、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータをコンテンツデータ管理部１０４ｂから抽出して所定の順番に一覧表示するとともに、一覧表示されているＲＳＳ＆ＡＴＯＭコンテンツ及びテキストコンテンツの番組への配信順を編集する機能を備えている。
詳しくは、ＲＳＳ＆ＡＴＯＭ＆テキスト一覧表示部１０３ｉ−２は、次の項目１０３ｉ−２−１〜１０３ｉ−２−１２を有している。
【０３０２】
[項目１０３ｉ−２ａ，ｂ]（表示頁指定部）
表示頁指定部１０３ｉ−２ａ，１０３ｉ−２ｂは、ＲＳＳ＆ＡＴＯＭ＆テキスト一覧表示部１０３ｉ−２に表示されるデータが複数頁に及ぶ場合に、テキスト入力ボックス１０３ｉ−２ａに数字を入力し、ＧＯボタン１０３ｉ−２ｂを押すことで、所望の頁を表示する機能を備えている。
【０３０３】
[項目１０３ｉ−２−２]（チェックボックス）
チェックボックス１０３ｉ−２−２は、後述の削除ボタン１０３ｉ−２−１０、サンプル画面表示指示ボタン１０３ｉ−２−１１、ＲＳＳ＆ＡＴＯＭ＆テキスト番組への登録ボタン１０３ｉ−２−１２などの処理ボタンを押したときに処理対象となるコンテンツデータを特定するための入力項目である。
例えば、所望のチェックボックス１０３ｉ−２−２にチェックを入れ、削除ボタン１０３ｉ−２−１０を押すと、チェックボックス１０３ｉ−２−２にチェックが入れられたＲＳＳ＆ＡＴＯＭコンテンツデータ、テキストコンテンツデータのＲＳＳ＆ＡＴＯＭ＆テキスト一覧表示部１０３ｉ−２上での表示を削除する。さらに、システムは、番組設定記録部１０４ｅの「「番組リストへ追加」ボタンを押したときに記録される項目」に記録されているコンテンツＩＤのうち、チェックボックス１０３ｉ−２−２にチェックが入れられているＲＳＳ＆ＡＴＯＭ＆テキストコンテンツに固有のコンテンツＩＤを削除する。
【０３０４】
[項目１０３ｉ−２−３]（配信順位）
システムは、初期表示（ディフォルト）状態においては、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータをコンテンツデータ管理部１０４ｂから抽出し、抽出されたＲＳＳ＆ＡＴＯＭコンテンツデータ、テキストコンテンツデータの更新日順に番号を割り当てて配信順位１０３ｉ−２−３に表示する。
配信順位１０３ｉ−２−３は、番号を変更することで、１番組内におけるＲＳＳ＆ＡＴＯＭコンテンツ、テキストコンテンツの配信順を変えることができる機能を備えた入力項目である。変更した配信順位は、後述のサンプル画面表示指示ボタン１０３ｉ−２−１１を押すことで、サンプル配信ツール画面６０１へと反映させることができるようになっている。
また、後述するＲＳＳ＆ＡＴＯＭ＆テキスト番組への登録ボタン１０３ｉ−２−１２を押すと、押したときに配信順位１０３ｉ−２−３に設定されている配信順でもって番組を受信端末配信ツール６０２に反映させることができるようになっている。
【０３０５】
なお、本実施形態のシステムでは、番組（ここでは、広義の番組であって、後述する狭義の番組のセットを１つ以上備えたものを意味する。）を設定するときに、１つのコンテンツに対して少なくとも１つ以上のＣＭデータを組合せたものを１つの基本セットとし、１回の外部からのアクセスに対して４セットまでの番組（ここでは、狭義の番組であって、同じ配信順位が設定されているコンテンツ等、ＣＭコンテンツの組合せからなる１つのセットを意味する。）を放送できるようにしている。このため、配信順位１０３ｉ−２−３の設定は１〜４の番号に限られている。
なお、本実施形態のシステムでは、そのような最大４セットの配信順位が設定された番組（ここでは広義の番組）は、ＣＭ費用や掲載期間等が経過した場合を除き、回数の制限なく放送できるようにしている。
【０３０６】
［項目１０３ｉ−２−４］（ＲＳＳ＆ＡＴＯＭ＆テキスト表示欄）
ＲＳＳ＆ＡＴＯＭ＆テキスト表示欄１０３ｉ−２−４は、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータにおける、コンテンツデータ管理部１０４ｂに記録されているＲＳＳ＆ＡＴＯＭコンテンツデータ、テキストコンテンツデータを表示する機能を備えた表示項目である。
【０３０７】
[項目１０３ｉ−２−５]（コンテンツＩＤ）
コンテンツＩＤ１０３ｉ−２−５は、番組設定記録部１０４ｅの「「番組リストへ追加」ボタンを押したときに記録される項目」に記録されている、各ＲＳＳ＆ＡＴＯＭ＆テキストコンテンツに固有の識別情報を表示する機能を備えた表示項目である。
【０３０８】
[項目１０３ｉ−２−６]（カテゴリ）
カテゴリ１０３ｉ−２−６は、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータにおける、コンテンツデータ管理部１０４ｂに記録されているカテゴリを表示する機能を備えた表示項目である。
【０３０９】
［項目１０３ｉ−２−７］（タイトル）
タイトル１０３ｉ−２−７は、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータにおける、コンテンツデータ管理部１０４ｂに記録されているタイトルを表示する機能を備えた表示項目である。
【０３１０】
[項目１０３ｉ−２−８]（更新日）
更新日１０３ｉ−２−８は、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータにおける、コンテンツデータ管理部１０４ｂに記録されている、ＲＳＳ＆ＡＴＯＭ＆テキストコンテンツの設定登録を行った日時を表示する機能を備えた表示項目である。
【０３１１】
[項目１０３ｉ−２−９]（ライセンス）
ライセンス１０３ｉ−２−９は、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータにおける、コンテンツデータ管理部１０４ｂに記録されているＲＳＳ＆ＡＴＯＭ＆テキストコンテンツのライセンス種類に応じたライセンスマークを表示する機能を備えた表示項目である。
ＲＳＳ＆ＡＴＯＭ＆テキストコンテンツのライセンスマークは、図１８に示したインターネット放送番組制作会員管理画面入室画面１０３ｂのライセンス設定１０３ｂ−３における項目１０３ｂ−３−１（提供するコンテンツを利用することができる主体の範囲（選択入力））〜１０３ｂ−３−３（提供するコンテンツを営利目的で利用することへの許可・不許可（選択入力））の選択内容に対応して付加される所定のライセンス種類であって、その内容が分かり易くなるように図案化したアイコンである。
【０３１２】
[項目１０３ｉ−２−１０]（削除）
削除ボタン１０３ｉ−２−１０を押すと、システムは、チェックボックス１０３ｉ−２−２にチェックが入れられたＲＳＳ＆ＡＴＯＭコンテンツデータ、テキストコンテンツデータのＲＳＳ＆ＡＴＯＭ＆テキスト一覧表示部１０３ｉ−２上での表示を削除する。さらに、システムは、番組設定記録部１０４ｅの「「番組リストへ追加」ボタンを押したときに記録される項目」に記録されているコンテンツＩＤのうち、チェックボックス１０３ｉ−２−２にチェックが入れられているＲＳＳ＆ＡＴＯＭ＆テキストコンテンツに固有のコンテンツＩＤを削除する。
【０３１３】
[項目１０３ｉ−２−１１]（サンプル画面表示指示ボタン）
サンプル画面表示指示（サンプル画面で見る）ボタン１０３ｉ−２−１１を押すと、システムは、チェックボックス１０３ｉ−２−２にチェックが入れられているＲＳＳ＆ＡＴＯＭ＆テキストコンテンツに関する項目１０３ｉ−２−３（配信順位）〜項目１０３ｉ−２−９（ライセンス）の内容及び未変換コンテンツデータ保管部１０４ｇから抽出した当該ＲＳＳ＆ＡＴＯＭ＆テキストコンテンツデータを、サンプル受信端末配信ツール６０１のＲＳＳ用テキスト表示部６０１ａへ反映するとともに、メニューボタン６０１ｇ−ａの操作を介して、項目１０３ｉ−２−９（ライセンス）の内容を反映したメニュー表示スクリーン６０１ｇ−ｂ（図示省略）をサンプル受信端末配信ツール６０１のモニタ画面上に重ねて、配信順位１０３ｉ−２−３の配信順に従って表示する。なお、メニューボタン６０１ｇ−ａの操作によって、項目１０３ｉ−２−９（ライセンス）の内容を反映したメニュー表示スクリーン６０１ｇ−ｂ（図示省略）の表示・非表示が切替わるようになっている。
また、システムは、同時に、番組設定記録部１０４ｅの「「番組リストへ追加」ボタンを押したときに記録される項目」に記録されているコンテンツＩＤのうち、チェックボックス１０３ｉ−２−２にチェックが入れられているＲＳＳ＆ＡＴＯＭ＆テキストコンテンツに固有のコンテンツＩＤを、配信順位１０３ｉ−２−３の配信順に対応した所定領域にそれぞれ配置し、所定の番組ＩＤを付加して、番組設定記録部１０４ｅの「「サンプル画面を見る」ボタンを押したときに記録される項目」に記録する。
【０３１４】
[項目１０３ｉ−２−１２]（ＲＳＳ＆ＡＴＯＭ＆テキスト番組への登録ボタン）
ＲＳＳ＆ＡＴＯＭ＆テキスト番組への登録ボタン１０３ｉ−２−１２を押すと、システムは、番組設定記録部１０４ｅの「「番組リストへ追加」ボタンを押したときに記録される項目」に記録されているコンテンツＩＤのうち、チェックボックス１０３ｉ−２−２にチェックが入れられているＲＳＳ＆ＡＴＯＭ＆テキストコンテンツに固有のコンテンツＩＤを、配信順位１０３ｉ−２−３の配信順に対応した所定領域にそれぞれ配置し、所定の番組ＩＤを付加して、番組設定記録部１０４ｅの「「コンテンツ番組へ登録」ボタンを押したときに記録される項目」に記録する。
なお、システムは、既に当該番組ＩＤの番組が、受信端末配信配信ツール６０２へ配信されている場合は、番組設定記録部１０４ｅの「「コンテンツ番組へ登録」ボタンを押したときに記録される項目」に記録された同一番組ＩＤ内のコンテンツＩＤに対応するコンテンツを、番組設定記録部１０４ｅの「「コンテンツ番組へ登録」ボタンを押したときに記録される項目」にコンテンツＩＤが記録されている順に従って配信する。一方、当該番組ＩＤの番組が、未だ受信端末配信配信ツール６０２へ配信されていない場合は、上述した番組設定記録部１０４ｅの「「コンテンツ番組へ登録」ボタンを押したときに記録される項目」への記録のみが行われる。この場合は、タグ書き出しボタン１０３ｉ−４を介して後述するタグの書き出しを行うことで、受信端末配信配信ツール６０２へ配信することができるようになっている。
【０３１５】
[項目１０３ｉ−３]（テキスト＆字幕一覧表示部）
テキスト＆字幕一覧表示部１０３ｉ−３は、テキスト＆字幕設定画面１０３ｇ、後述するテキスト＆字幕設定画面１０７ｈを介して設定登録されたテキスト＆字幕コンテンツデータのうち、コンテンツ選択画面１０３ｅで選択され、番組設定記録部１０４ｅの「「番組リストへ追加」ボタンを押したときに記録される項目」に記録されているテキスト＆字幕コンテンツに固有のコンテンツＩＤに対応するデータをコンテンツデータ管理部１０４ｂから抽出して所定の順番に一覧表示するとともに、一覧表示されているテキスト＆字幕コンテンツの番組への配信順を編集する機能を備えている。
詳しくは、テキスト＆字幕一覧表示部１０３ｉ−３は、次の項目１０３ｉ−３−１〜１０３ｉ−３−１２を有している。
【０３１６】
[項目１０３ｉ−３ａ，ｂ]（表示頁指定部）
表示頁指定部１０３ｉ−３ａ，１０３ｉ−３ｂは、テキスト＆字幕一覧表示部１０３ｉ−３に表示されるデータが複数頁に及ぶ場合に、テキスト入力ボックス１０３ｉ−３ａに数字を入力し、ＧＯボタン１０３ｉ−３ｂを押すことで、所望の頁を表示する機能を備えている。
【０３１７】
[項目１０３ｉ−３−２]（チェックボックス）
チェックボックス１０３ｉ−３−２は、後述の削除ボタン１０３ｉ−３−１０、サンプル画面表示指示ボタン１０３ｉ−３−１１、テキスト＆字幕番組への登録ボタン１０３ｉ−３−１２などの処理ボタンを押したときに処理対象となるコンテンツデータを特定するための入力項目である。
例えば、所望のチェックボックス１０３ｉ−３−２にチェックを入れ、削除ボタン１０３ｉ−３−１０を押すと、チェックボックス１０３ｉ−３−２にチェックが入れられたテキスト＆字幕コンテンツデータのテキスト＆字幕一覧表示部１０３ｉ−３上での表示を削除する。さらに、システムは、番組設定記録部１０４ｅの「「番組リストへ追加」ボタンを押したときに記録される項目」に記録されているコンテンツＩＤのうち、チェックボックス１０３ｉ−３−２にチェックが入れられているテキスト＆字幕コンテンツに固有のコンテンツＩＤを削除する。
【０３１８】
[項目１０３ｉ−３−３]（配信順位）
システムは、初期表示（ディフォルト）状態においては、番組設定記録部１０４ｅの「「番組リストへ追加」ボタンを押したときに記録される項目」に記録されているテキスト＆字幕コンテンツに固有のコンテンツＩＤに対応するデータをコンテンツデータ管理部１０４ｂから抽出し、抽出されたテキスト＆字幕コンテンツデータの更新日順に番号を割り当てて配信順位１０３ｉ−３−３に表示する。
配信順位１０３ｉ−３−３は、番号を変更することで、１番組内におけるテキスト＆字幕コンテンツの配信順を変えることができる機能を備えた入力項目である。変更した配信順位は、後述のサンプル画面表示指示ボタン１０３ｉ−３−１１を押すことで、サンプル配信ツール画面６０１へと反映させることができるようになっている。
また、後述するテキスト＆字幕番組への登録ボタン１０３ｉ−３−１２を押すと、押したときに配信順位１０３ｉ−３−３に設定されている配信順でもって番組を受信端末配信ツール６０２に反映させることができるようになっている。
【０３１９】
なお、本実施形態のシステムでは、番組（ここでは、広義の番組であって、後述する狭義の番組のセットを１つ以上備えたものを意味する。）を設定するときに、１つのコンテンツに対して少なくとも１つ以上のＣＭデータを組合せたものを１つの基本セットとし、１回の外部からのアクセスに対して４セットまでの番組（ここでは、狭義の番組であって、同じ配信順位が設定されているコンテンツ等、ＣＭコンテンツの組合せからなる１つのセットを意味する。）を放送できるようにしている。このため、配信順位１０３ｉ−３−３の設定は１〜４の番号に限られている。
なお、本実施形態のシステムでは、そのような最大４セットの配信順位が設定された番組（ここでは広義の番組）は、ＣＭ費用や掲載期間等が経過した場合を除き、回数の制限なく放送できるようにしている。
【０３２０】
［項目１０３ｉ−３−４］（テキスト＆字幕表示欄）
テキスト＆字幕表示欄１０３ｉ−３−４は、番組設定記録部１０４ｅの「「番組リストへ追加」ボタンを押したときに記録される項目」に記録されているテキスト＆字幕コンテンツに固有のコンテンツＩＤに対応するデータにおける、コンテンツデータ管理部１０４ｂに記録されているテキスト＆字幕コンテンツデータを表示する機能を備えた表示項目である。
【０３２１】
[項目１０３ｉ−３−５]（コンテンツＩＤ）
コンテンツＩＤ１０３ｉ−３−５は、番組設定記録部１０４ｅの「「番組リストへ追加」ボタンを押したときに記録される項目」に記録されている、各テキスト＆字幕コンテンツに固有の識別情報を表示する機能を備えた表示項目である。
【０３２２】
[項目１０３ｉ−３−６]（カテゴリ）
カテゴリ１０３ｉ−３−６は、番組設定記録部１０４ｅの「「番組リストへ追加」ボタンを押したときに記録される項目」に記録されているテキスト＆字幕コンテンツに固有のコンテンツＩＤに対応するデータにおける、コンテンツデータ管理部１０４ｂに記録されているカテゴリを表示する機能を備えた表示項目である。
【０３２３】
［項目１０３ｉ−３−７］（タイトル）
タイトル１０３ｉ−３−７は、番組設定記録部１０４ｅの「「番組リストへ追加」ボタンを押したときに記録される項目」に記録されているテキスト＆字幕コンテンツに固有のコンテンツＩＤに対応するデータにおける、コンテンツデータ管理部１０４ｂに記録されているタイトルを表示する機能を備えた表示項目である。
【０３２４】
[項目１０３ｉ−３−８]（更新日）
更新日１０３ｉ−３−８は、番組設定記録部１０４ｅの「「番組リストへ追加」ボタンを押したときに記録される項目」に記録されているテキスト＆字幕コンテンツに固有のコンテンツＩＤに対応するデータにおける、コンテンツデータ管理部１０４ｂに記録されている、テキスト＆字幕コンテンツの設定登録を行った日時を表示する機能を備えた表示項目である。
【０３２５】
[項目１０３ｉ−３−９]（ライセンス）
ライセンス１０３ｉ−３−９は、番組設定記録部１０４ｅの「「番組リストへ追加」ボタンを押したときに記録される項目」に記録されているテキスト＆字幕コンテンツに固有のコンテンツＩＤに対応するデータにおける、コンテンツデータ管理部１０４ｂに記録されているテキスト＆字幕コンテンツのライセンス種類に応じたライセンスマークを表示する機能を備えた表示項目である。
テキスト＆字幕コンテンツのライセンスマークは、図１８に示したインターネット放送番組制作会員管理画面入室画面１０３ｂのライセンス設定１０３ｂ−３における項目１０３ｂ−３−１（提供するコンテンツを利用することができる主体の範囲（選択入力））〜１０３ｂ−３−３（提供するコンテンツを営利目的で利用することへの許可・不許可（選択入力））の選択内容に対応して付加される所定のライセンス種類であって、その内容が分かり易くなるように図案化したアイコンである。
【０３２６】
[項目１０３ｉ−３−１０]（削除）
削除ボタン１０３ｉ−３−１０を押すと、システムは、チェックボックス１０３ｉ−３−２にチェックが入れられたテキスト＆字幕コンテンツデータのテキスト＆字幕一覧表示部１０３ｉ−３上での表示を削除する。さらに、システムは、番組設定記録部１０４ｅの「「番組リストへ追加」ボタンを押したときに記録される項目」に記録されているコンテンツＩＤのうち、チェックボックス１０３ｉ−３−２にチェックが入れられているテキスト＆字幕コンテンツに固有のコンテンツＩＤを削除する。
【０３２７】
[項目１０３ｉ−３−１１]（サンプル画面表示指示ボタン）
サンプル画面表示指示（サンプル画面で見る）ボタン１０３ｉ−３−１１を押すと、システムは、チェックボックス１０３ｉ−３−２にチェックが入れられているテキスト＆字幕コンテンツに関する項目１０３ｉ−３−３（配信順位）〜項目１０３ｉ−３−９（ライセンス）の内容及び未変換コンテンツデータ保管部１０４ｇから抽出した当該テキスト＆字幕コンテンツデータを、サンプル受信端末配信ツール６０１の字幕、テキスト表示部６０１ｃへ反映するとともに、メニューボタン６０１ｇ−ａの操作を介して、項目１０３ｉ−３−９（ライセンス）の内容を反映したメニュー表示スクリーン６０１ｇ−ｂ（図示省略）をサンプル受信端末配信ツール６０１のモニタ画面上に重ねて、配信順位１０３ｉ−３−３の配信順に従って表示する。なお、メニューボタン６０１ｇ−ａの操作によって、項目１０３ｉ−３−９（ライセンス）の内容を反映したメニュー表示スクリーン６０１ｇ−ｂ（図示省略）の表示・非表示が切替わるようになっている。
また、システムは、同時に、番組設定記録部１０４ｅの「「番組リストへ追加」ボタンを押したときに記録される項目」に記録されているコンテンツＩＤのうち、チェックボックス１０３ｉ−３−２にチェックが入れられているテキスト＆字幕コンテンツに固有のコンテンツＩＤを、配信順位１０３ｉ−３−３の配信順に対応した所定領域にそれぞれ配置し、所定の番組ＩＤを付加して、番組設定記録部１０４ｅの「「サンプル画面を見る」ボタンを押したときに記録される項目」に記録する。
【０３２８】
[項目１０３ｉ−３−１２]（テキスト＆字幕番組への登録ボタン）
テキスト＆字幕番組への登録ボタン１０３ｉ−３−１２を押すと、システムは、番組設定記録部１０４ｅの「「番組リストへ追加」ボタンを押したときに記録される項目」に記録されているコンテンツＩＤのうち、チェックボックス１０３ｉ−３−２にチェックが入れられているテキスト＆字幕コンテンツに固有のコンテンツＩＤを、配信順位１０３ｉ−３−３の配信順に対応した所定領域にそれぞれ配置し、所定の番組ＩＤを付加して、番組設定記録部１０４ｅの「「コンテンツ番組へ登録」ボタンを押したときに記録される項目」に記録する。
なお、システムは、既に当該番組ＩＤの番組が、受信端末配信配信ツール６０２へ配信されている場合は、番組設定記録部１０４ｅの「「コンテンツ番組へ登録」ボタンを押したときに記録される項目」に記録された同一番組ＩＤ内のコンテンツＩＤに対応するコンテンツを、番組設定記録部１０４ｅの「「コンテンツ番組へ登録」ボタンを押したときに記録される項目」にコンテンツＩＤが記録されている順に従って配信する。一方、当該番組ＩＤの番組が、未だ受信端末配信配信ツール６０２へ配信されていない場合は、上述した番組設定記録部１０４ｅの「「コンテンツ番組へ登録」ボタンを押したときに記録される項目」への記録のみが行われる。この場合は、タグ書き出しボタン１０３ｉ−４を介して後述するタグの書き出しを行うことで、受信端末配信配信ツール６０２へ配信することができるようになっている。
【０３２９】
なお、本実施形態のシステムでは、番組設定記録部１０４ｅにキーとして記録される番組ＩＤを、入出力管理部１０５ｆを介して、次のようにして付加するようにしている。
番組ＩＤの左３桁には、受信端末配信ツールデザイン選択画面１０３ｃにおけるフレーム形状選択１０３ｃ−１、フレーム模様選択１０３ｃ−２、フレーム色選択１０３ｃ−３において選択された情報をそれぞれ１桁の文字情報としている。そして、この左３桁の文字情報に、さらに固有のＩＤ情報を加えて番組ＩＤとしている。
また、本実施形態のシステムでは、インターネット放送番組制作会員が、コンテンツ，ＲＳＳ＆ＡＴＯＭ，テキスト＆字幕一覧、タグ書き出し（番組制作）画面１０３ｉでの配信順位１０３ｉ−１−３、１０３ｉ−２−３、１０３ｉ−３−３での入力を介して番組内におけるコンテンツ等の配信順位を変更した場合には、左３桁以降に備わる固有のＩＤ情報を新たなＩＤ情報に入れ替えてこれを新しい番組ＩＤとして番組設定記録部１０４ｅに所定のコンテンツＩＤの組合せとともに登録される。
また、この場合古い番組ＩＤをキーとするデータは番組設定記録部１０４ｅから削除される。
【０３３０】
[項目１０３ｉ−４]（タグ書き出しボタン）
タグ書き出しボタン１０３ｉ−４は、受信端末配信ツール６０２に当該番組を配信するためのタグ書き出しを指示する指示ボタンである。
タグ書き出しボタン１０３ｉ−４を押すと、システムは、タグ出力部１０５ｇを介して、番組設定記録部１０４ｅの「「番組へ登録」ボタンを押したときに記録される項目」から「番組ＩＤ」を参照し、番組ＩＤを参照するためのプログラムと、このプログラムのＵＲＬとなるタグを書き出す。
番組ＩＤを参照するためのプログラムは、番組ＩＤを参照すると共に、受信端末配信ツール６０２のデザインを反映するために、ＦＬＡＳＨ（swf）ファイルを読み込み、番組ＩＤの左３桁の情報に従って、インターネット放送番組製作会員管理画面設定記録管理部１０４ｈを介して予め用意されているデザインデータ（フレーム形状、フレーム模様、フレーム色）を組合せて、受信端末配信ツール６０２のフレーム部６０２ｉに反映させる。
また、タグは、受信端末に関する情報と、番組において配信されるコンテンツ情報と、コンテンツのＵＲＬ等で構成される。
インターネット放送番組製作者は、このタグをコピーしてホームページやブログ等に貼り付ける等することによって、受信端末配信ツール６０２を所望の箇所に表示させたり、iTUNE（アップル社製の音楽管理・再生ソフト）の番組に追加することができる。
なお、番組ＩＤを参照するためのプログラムは、パソコンや携帯など、利用する情報端末の種別に応じて選択することができるように備えている。そのようにすれば、異なる情報端末に対して番組を配信できる機会がより一層広がる。
【０３３１】
視聴数（インプレッション数）／インタラクション率／アクセス履歴／ＣＭの掲載期間／残掲載期間／ＣＭ予算／残ＣＭ予算／番組配信先一覧／収益／番組評価確認画面１０３ｊ
視聴数（インプレッション数）／インタラクション率／アクセス履歴／ＣＭの掲載期間／残掲載期間／ＣＭ予算／残ＣＭ予算／番組配信先一覧／収益／番組評価確認画面１０３ｊを図３６に示す。
なお、視聴数（インプレッション数）／インタラクション率／アクセス履歴／ＣＭの掲載期間／残掲載期間／ＣＭ予算／残ＣＭ予算／番組配信先一覧／収益／番組評価確認画面１０３ｊは、一部の領域にサンプル受信端末配信ツール６０１の画面が表示されるようにレイアウトされている。
また、この画面１０３ｊは、インターネット放送番組製作会員のうちＡ会員とＢ会員を対象としている。但し、Ｂ会員に対しては、ＣＭの掲載期間／残掲載期間／ＣＭ予算／残ＣＭ予算は表示しないようになっている。
【０３３２】
［項目１０３ｊ−１］（番組視聴数（インプレッション数：ｉｍｐ））
システムは、受信端末配信ツール６０２が貼り付けられているインターネット放送番組制作会員のホームページやブログサイト、携帯サイトなどに、一般視聴者であるユーザがパソコンの受信端末６００を介してアクセスした場合において、受信端末配信ツール６０２からサーバ１００へリクエストしたときの１回のリクエストを１視聴数（１インプレッション）としてカウントする。実質的には、受信端末配信ツール６０２を介してサーバ１００からそのコンテンツを使用して製作された番組が配信されたときの１回の配信ごとに１視聴数（１インプレッション）としてカウントされる。
【０３３３】
そして、本実施形態のシステムでは、例えば、１つの番組が、１つのコンテンツと１つのＣＭコンテンツとで構成されている場合においてその番組へ１つのリクエストがあった場合には、コンテンツとＣＭコンテンツのそれぞれに対して１インプレッションをカウントするようにしている。また、例えば、同じ番組放送時間枠内に２つの番組があった場合において１つのリクエストがあった場合には、それぞれの番組を構成しているコンテンツやＣＭコンテンツ等のそれぞれに対して１インプレッションをカウントするようにしている。また、例えば、同じ番組に対して２回のリクエストがあり、２回放送した場合には、その番組を構成しているコンテンツやＣＭコンテンツ等のそれぞれに対して２インプレッションをカウントするようにしている。
【０３３４】
番組視聴数（インプレッション数：ｉｍｐ）１０３ｊ−１は、そのような視聴数を表示する表示項目である。
詳しくは、システムは、コンテンツ毎、ＣＭ毎の視聴数（インプレッション数）をカウントし、アクセス／視聴数記録部１０４ｄに記録するように構成されている。
番組視聴数（インプレッション数：ｉｍｐ）１０３ｊ−１は、インターネット放送番組製作者が提供した自らのコンテンツやコンテンツ提供者が提供したコンテンツ、ＣＭ提供者から提供されたＣＭコンテンツのそれぞれについての視聴数（インプレッション数）を確認できるように構成されている。
また、番組視聴数（インプレッション数：ｉｍｐ）」１０３ｊ−１は、コンテンツとＣＭを組合せた番組の平均視聴数（平均インプレッション数）と合計視聴数（合計インプレッション数）も確認できるように構成されている。
【０３３５】
［項目１０３ｊ−２］（インタラクション率）
本実施形態のシステムは、視聴者が見ているＣＭコンテンツに対し何らかのアクション（マウスオーバーやクリック）を行う、当該番組のインプレッション数に対する割合を、インタラクション率として算出し、アクセス／視聴数記録部１０４ｄに記録するようにしている。
インタラクション率１０３ｊ−２は、そのようなインタラクション率を表示する表示項目である。
【０３３６】
なお、本実施形態のシステムは、インターネット放送番組製作者へのＣＭ費用のレベニュー（分配）を、１ＣＭ当たりの視聴数（インプレッション数）と、インタラクション率とで決定するように構成されている。
詳しくは、１番組内に使用されたＣＭコンテンツの視聴数（インプレッション数）、インタラクション率と、後述するＣＭ費編集，レベニュー率編集画面１０７ｍのＣＭ費編集１０７ｍ−１で設定されたＣＭ費の１インプレッション単価、及びレベニュー率編集１０７ｍ−２で設定された使用コンテンツの数に応じて設定された収益率をもとに計算する。即ち、当該インプレッション率に対応するＣＭ単価と当該ＣＭコンテンツのインプレッション数を掛け合わせ、さらにインプレッション数に対応する収益率を掛け合わせたものがインターネット放送番組製作者へのＣＭ費用のレベニューとなる。
そして、本実施形態のシステムでは、このレベニューをポイント数として扱い、１ポイントにつき１円をインターネット放送番組製作者に還元するようにしている。
なお、本発明においてインターネット放送番組製作者費用の還元が発生しうる番組には、少なくとも１つのＣＭコンテンツが含まれている。
【０３３７】
[項目１０３ｊ−３]（アクセス履歴）
アクセス履歴１０３ｊ−３は、インターネット放送番組制作者本人以外の視聴者が、受信端末配信ツール６０２を介して番組を視聴したときの履歴として番組を構成するコンテンツごとのアクセス数を表示する機能を備えた表示項目である。アクセス数は、公知の計数ソフトを用いて集計するようにしている。
また、アクセス履歴１０３ｊ−３では、視聴者のうち、インターネット放送番組製作者本人以外の会員が、受信端末配信ツール６０２を介して番組を視聴したときのアクセス者の履歴として、他のインターネット放送番組制作会員による、インターネット放送番組製作会員ＩＤ登録画面１０３ａにおけるニックネーム１０３ａ−４’への入力を介してユーザ管理部１０４ａに記録されているニックネームを表示する。
【０３３８】
なお、本実施形態のシステムは、インターネット放送番組製作会員ＩＤ登録画面１０３ａを介してニックネームがユーザ管理部１０４ａに記録されたときに、当該インターネット放送番組製作会員のブラウザにクッキー（ここでは、インターネット放送番組制作会員が使用しているコンピュータのハードディスクに蓄積される情報）を送信する。そして、インターネット放送番組制作会員が、通信端末５００から受信端末配信ツール６０２の番組を視聴したときに、そのクッキー情報を受信端末配信ツール６０２が受け取り、ユーザ管理部１０４ａに記録されている当該インターネット放送番組制作会員のニックネームを受信端末配信ツール６０２のニックネーム表示部６０２ｊに表示する。
【０３３９】
[項目１０３ｊ−４]（ＣＭの掲載期間／残掲載期間）
ＣＭコンテンツ提供者であるＣＭ会員によってＣＭコンテンツアップロード画面１０２ｃの掲載期間１０２ｃ−５への入力を介して設定されたＣＭコンテンツの掲載期間を表示するとともに、残りの掲載期間も同時に表示する。
なお、掲載期間が終了した場合、ＣＭ予算が終了した（ゼロとなった）場合、または後述するシステム管理画面１０７のＣＭ掲載開始と停止、削除画面１０７ｎを介してＣＭ掲載の停止を行った場合には、自動的に他のＣＭコンテンツに切替わるようになっている。
また、本実施形態のシステムでは、切替対象となる他のＣＭコンテンツを、ＣＭコンテンツアップロード画面１０２ｃや視聴率（インプレッション数）／収益確認画面１０２ｅにおけるＣＭ予算１０２ｃ−６，１０２ｅ−５、掲載期間１０２ｃ−５，１０２ｅ−４、インプレッション設定１０２ｅ−７においてそれぞれ設定されたＣＭ予算、掲載期間、目標インプレッションの高い順番で決定して、ＣＭ掲載停止のＣＭコンテンツと入れ替えるようにしている。
【０３４０】
[項目１０３ｊ−５]（ＣＭ予算/残ＣＭ予算）
ＣＭ予算１０３ｊ−５ａは、インターネット放送番組製作者が、番組において選択し、一般視聴者に受信端末配信ツール６０２を介して視聴されたＣＭコンテンツに関し、図１３に示したＣＭコンテンツアップロード画面１０２ｃのＣＭ予算１０２ｃ−６や、図１５に示した視聴率（インプレッション数）／収益確認画面１０２ｅのＣＭ予算１０２ｅ−５において設定されたＣＭ予算を表示する。
また、残ＣＭ予算１０３ｊ−５ｂは、残りのＣＭ予算を表示する。上述したように、本実施形態のシステムでは、残りのＣＭ予算は、ＣＭコンテンツの視聴数（インプレッション数）とインタラクション率と、後述するシステム管理画面１０７の「インタラクション率によるＣＭ費の設定」欄１０７ｃで予め設定されているＣＭ費を基準として現在発生しているＣＭ費を計算し、これをＣＭ予算１０２ｃ−６，１０２ｅ−５において設定されたＣＭ予算から引き算することで求めるようにしている。
【０３４１】
[項目１０３ｊ−６]（番組配信先ＵＲＬ一覧）
番組配信先ＵＲＬ一覧１０３ｊ−６は、製作した番組の配信先のＵＲＬを一覧表示する機能を備えている。また、そのＵＲＬをクリックすると、そのＵＲＬ先を表示することができるようになっている。
【０３４２】
[項目１０３ｊ−７]（収益確認）
インターネット放送番組製作者が番組に使用した全てのコンテンツの視聴数（インプレッション数）とインタラクション数、インタラクション率を表示するとともに、後述するシステム管理画面１０７のＣＭ費編集、レベニュー率編集画面１０７ｍにおけるレベニュー率編集１０７ｍ−２で設定された収益率をもとに計算され、ＣＭ／収益計算処理記録管理部１０４ｆに記録された、インターネット放送番組製作者が受け取る収益（ポイント）を表示するように構成されている。
【０３４３】
［項目１０３ｊ−８］（番組評価確認）
番組評価確認１０３ｊ−８は、視聴者により受信端末配信ツール６０２のアンケート部６０２ｉを介してなされ、アクセス／視聴数記録部１０４ｄに記録されているインターネット放送番組制作会員の製作した番組の評価ポイントの集計値を表示するように構成されている。また、システムは、アクセス／視聴数記録部１０４ｄに記録された合計ポイント数が８０ポイントを超えるものは、５つの星マーク、６０〜７９ポイントのものは４つの星マーク、４０〜５９ポイントのものは３つの星マーク、２０〜３９ポイントのものは２つの星マーク、０〜１９ポイントのものは１つの星マークを表示し、マイナスポイントのものは星マークを表示しないようにしている。
【０３４４】
著作権について/コンテンツの使用について/使用許諾内容表示画面１０３ｋ
著作権について/コンテンツの使用について/使用許諾内容表示画面１０３ｋを図３７に示す。
なお著作権について/コンテンツの使用について/使用許諾内容表示画面１０３ｋは、一部の領域にサンプル受信端末配信ツール６０１の画面が表示されるようにレイアウトされている。
また、この画面１０３ｋは、インターネット放送番組製作会員のうちＡ会員とＢ会員を対象としている。
【０３４５】
[項目１０３ｋ−１]（著作権について／コンテンツの使用について）
著作権について１０３ｋ−１は、著作権に関する法律の内容や提供された全てのコンテンツの使用方法などを、インターネット放送番組製作者向けに明記した内容を表示する機能を備えた表示項目である。
【０３４６】
[項目１０３ｋ−２]（使用許諾内容）
使用許諾内容１０３ｋ−２は、提供された全てのコンテンツについての使用許諾内容を確認できるように、使用範囲、条件などにより、どのような使用制限があるかについての説明を表示する機能を備えた表示項目である。
【０３４７】
システム管理手段１０７
システム管理手段１０７は、本実施形態のインターネット放送番組制作支援システムにおける所定のウェブページ上にシステム管理者専用の入力管理画面（以下、「システム管理画面」）を備えて構成されている。
【０３４８】
詳しくは、システム管理画面は、図２に示すように、システム管理者管理画面入室画面１０７ａと、全コンテンツ登録内容確認画面１０７ｂと、全体アクセス解析／視聴数（インプレッション数）／インタラクション率／アクセス履歴／ＣＭの掲載期間／残掲載期間／ＣＭ予算／残ＣＭ予算／収益確認／番組配信先一覧画面１０７ｃと、配信ツールデザイン追加変更画面１０７ｄと、システム管理者提供コンテンツアップロード画面１０７ｅと、コンテンツ選択画面１０７ｆと、ＲＳＳ＆ＡＴＯＭ＆テキスト設定画面１０７ｇと、テキスト＆字幕設定画面１０７ｈと、録画・録音設定画面１０７ｉと、コンテンツ，ＲＳＳ＆ＡＴＯＭ，テキスト＆字幕一覧、タグ書き出し（番組制作）画面１０７ｊと、規約，著作権等編集画面１０７ｋと、免責事項，ＨＥＬＰ，問い合わせ，ＦＡＱの編集追加削除画面１０７ｌと、ＣＭ費編集画面１０７ｍと、ＣＭ掲載開始・停止・削除設定画面１０７ｎと、インターネット放送番組制作会員の会員資格開始・停止設定画面１０７ｏと、コンテンツ会員の会員資格開始・停止設定画面１０７ｐを有している。
【０３４９】
システム管理者管理画面入室画面１０７ａ
システム管理者管理画面入室画面１０７ａは、本実施形態のシステムの管理を行うシステム管理者を対象とする画面であり、例えば、図３８に示すように、システム管理者専用ＩＤ１０７ａ−１、パスワード１０７ａ−２、ライセンス設定１０７ａ−３の入力項目を備えている。
【０３５０】
システム管理者が、図３８において、予めユーザ管理部１０４ａへ登録しておいたシステム管理者専用ＩＤ１０７ａ−１とパスワード１０７ａ−２を入力すると、システムは、図２に示すウェブサーバ部１０５のパラメータ解析部１０５ａを介して、入力されたシステム管理者専用ＩＤ及びパスワードをユーザ管理部１０４ａに記録されているシステム管理者専用ＩＤ及びパスワードと照合し、一致した場合に以後の画面入力を許可する。
【０３５１】
システム管理者は、画面入力が許可された場合、ライセンス設定１０７ａ−３の入力を行うことができる。
ライセンス設定１０７ａ−３は、システム管理者提供コンテンツの利用者側に対する、システム管理者提供コンテンツの利用範囲や利用条件などを、システム管理者が著作権者の立場で設定する入力項目であり、例えば、次の項目１０７ａ−３−１〜１０７ａ−３−８について入力を行うことで利用範囲や利用条件などをディフォルト情報として設定できるようになっている。
１．システム管理者の提供するコンテンツを利用することができる主体の範囲（選択入力）
２．システム管理者の提供するコンテンツを翻案・改変することへの許可・不許可（選択入力）
２−１．許可を選択した場合における翻案・改変の同一ジャンル・他ジャンル（選択入力）
３．システム管理者の提供するコンテンツを営利目的で利用することへの許可・不許可（選択入力）
４．システム管理者の提供するコンテンツの利用を許諾する地域（選択入力）
５．システム管理者の提供するコンテンツの利用を許諾する期間（選択入力）
６．システム管理者の提供するコンテンツの利用を許諾するライセンス料率（選択入力）
７．著作権者（システム管理者）の氏名／著作権表示入力（テキスト入力）
８．著作権者（システム管理者）のＵＲＬ入力（テキスト入力）
【０３５２】
システムは、番組制作者が当該システム管理者提供コンテンツを選択して番組を制作した場合、一般視聴者に視聴されるときに、システム管理者により当該システム管理者提供コンテンツについて設定されたライセンス設定情報を受信端末配信ツール６０２のメニュー６０２ｇへ配信し、メニューボタン６０２ｇ−ａの押下により、そのライセンス設定情報を反映したメニュー表示スクリーン６０２ｇ−ｂ（図示省略）を表示するように構成されている。
しかるに、システム管理者が、上記ライセンス設定をすると、後述する以降のコンテンツアップロードデータやリアルタイムでの録画、録音のデータについて事前にライセンスの初期設定をしておくことができるようになる。
システム管理者が送信ボタン１０７ａ−４を押すと、システムは、図２に示すウェブサーバ部１０５の入出力制御部１０５ｆを介してシステム管理者提供コンテンツＩＤとして所定のディフォルト値を付与する。また、システムは、ライセンス設定１０７ａ−３−１〜１０７ａ−３−３の選択内容に対応して所定のライセンス種類を付加する。そして、システムは、システム管理者ＩＤ１０７ａ−１、パスワード１０７ａ−２の入力内容、システム管理者提供コンテンツＩＤのディフォルト値及びライセンス種類を、データベース部１０４のユーザ管理部１０４ａに記録するとともに、ライセンス設定１０７ａ−３の各入力内容を、システム管理者ＩＤ１０７ａ−１及びシステム管理者提供コンテンツＩＤのディフォルト値とともに、未変換データ格納用サーバ部１５０のライセンス管理部１５０ｂに記録する。
【０３５３】
次いで、システムは、図示を省略したが、全コンテンツ登録内容確認１０７ｂと、全体アクセス解析／視聴数（インプレッション数）／インタラクション率／アクセス履歴／ＣＭの掲載期間／残掲載期間／ＣＭ予算／残ＣＭ予算／収益確認／番組配信先一覧１０７ｃと、配信ツールデザイン追加変更１０７ｄと、システム管理者提供コンテンツアップロード１０７ｅと、コンテンツ選択１０７ｆと、ＲＳＳ＆ＡＴＯＭ＆テキスト設定１０７ｇと、テキスト＆字幕設定１０７ｈと、録画・録音設定１０７ｉと、コンテンツ，ＲＳＳ＆ＡＴＯＭ，テキスト＆字幕一覧（番組制作）１０７ｊと、著作権，使用許諾内容編集１０７ｋと、問い合わせ内容の確認と返信，ＦＡＱの編集追加削除指定１０７ｌと、ＣＭ費編集１０７ｍと、ＣＭ掲載開始・停止・削除設定１０７ｎと、インターネット放送番組制作会員の会員資格開始・停止設定１０７ｏと、コンテンツ会員の会員資格開始・停止設定１０７ｐの処理ボタンを選択肢として備えた処理選択メニュー画面を表示する。
システム管理者は、所望の処理を選択入力することができる。
【０３５４】
全コンテンツ登録内容確認画面１０７ｂ
全コンテンツ登録内容確認画面１０７ｂを図３９に示す。
全コンテンツ登録内容確認画面１０７ｂは、コンテンツ会員によるコンテンツデータ、ＣＭ会員によるＣＭコンテンツデータ、インターネット放送番組制作会員による番組制作者提供コンテンツデータ、及びシステム管理者によるシステム管理者提供コンテンツデータなど、データベース部１０４のコンテンツデータ保管管理部１０４ｂやＣＭデータ保管管理部１０４ｃにアップロードされた全てのコンテンツデータに関する情報を一覧表示する画面である。
全コンテンツ登録内容確認画面１０７ｂは、次の項目１０７ｂ−１〜１０７ｂ−１２を備えている。
【０３５５】
［項目１０７ｂ−１］（検索）
検索１０７ｂ−１は、アップロードされた全てのコンテンツをフリーワード入力することによりコンテンツのカテゴリやタイトル、コンテンツＩＤ、データ種類などから検索できる機能を備えている。
システム管理者は、検索入力欄１０７ｂ−１ａに検索キーワードを入力して、検索ボタン１０７ｂ−１ｂを押す。
システムは、アップロードされた全てのデータから検索キーワードに該当するデータを抽出してアップロード順に一覧表示する。
【０３５６】
[項目１０７ｂ−２ａ，ｂ]（表示頁指定部）
表示頁指定部１０７ｂ−２ａ，１０７ｂ−２ｂは、全コンテンツ登録内容確認画面１０７ｂに表示される検索結果データが複数頁に及ぶ場合に、テキスト入力ボックス１０７ｂ−２ａに数字を入力し、ＧＯボタン１０７ｂ−２ｂを押すことで、所望の頁を表示する機能を備えている。
【０３５７】
[項目１０７ｂ−３]（チェックボックス）
チェックボックス１０７ｂ−３は、後述の削除ボタン１０７ｂ−１２などの処理ボタンを押したときに処理対象となるコンテンツデータを特定するための入力項目である。
例えば、所望のチェックボックス１０７ｂ−３にチェックを入れ、削除ボタン１０７ｂ−１２を押すと、システムは、チェックボックス１０７ｂ−３にチェックが入れられたコンテンツデータの全コンテンツ登録内容確認画面１０７ｂ上での表示を削除する。さらに、システムは、変換コンテンツデータ保管部１０４ｇ、未変換コンテンツデータ保管部１５０ａ、コンテンツデータ管理部１０４ｂ、ＣＭデータ管理部１０４ｃ及びライセンス管理部１５０ｂに当該コンテンツデータ及び当該コンテンツデータに関する所定の管理情報が記録されている記録されている場合には、変換コンテンツデータ保管部１０４ｇ、未変換コンテンツデータ保管部１５０ａ、コンテンツデータ管理部１０４ｂ、ＣＭデータ管理部１０４ｃ及びライセンス管理部１５０ｂから当該コンテンツデータ及び当該コンテンツデータに関する所定の管理情報を削除する。
【０３５８】
[項目１０７ｂ−４]（データ種類）
データ種類１０７ｂ−４は、図６に示したコンテンツアップロード画面１０１ｃでの入力を介してコンテンツデータ管理部１０４ｂに記録されたデータ種類、図１３に示したＣＭコンテンツアップロード画面１０２ｃでの入力を介してＣＭデータ管理部１０４ｃに記録されたデータ種類、図２３に示した番組制作者提供コンテンツアップロード画面１０３ｄでの入力を介してコンテンツデータ管理部１０４ｂに記録されたデータ種類、後述するシステム管理者提供コンテンツアップロード画面１０７ｅでの入力を介してコンテンツデータ保管管理部１０４ｂに記録されたデータ種類の、ｉ)動画データ、ii）写真データ、iii）デザインデータ、iv）イラストデータ、ｖ）音楽データ、vi）音声データ、vii）テキストデータ、の区別が一目で分かり易くなるように、それぞれの種類に対応したアイコンをアイコン表示項目１０７ｂ−４ａに表示する機能を備えている。また、データ種類１０７ｂ−４は、現在表示されているデータ種類の更新や再設定をすることができるように、プルダウンボタン１０７ｂ−４ｂを押すことによって、他のデータ種類に対応したアイコンに切替えて表示する機能を備えている。
【０３５９】
［項目１０７ｂ−５］（コンテンツＩＤ）
コンテンツＩＤ１０７ｂ−５は、アップロードされた全てのコンテンツに必ず割り当てられる、大文字小文字の英数字を羅列した固有の識別情報を表示する機能を備えている。
【０３６０】
[項目１０７ｂ−６]（カテゴリ）
カテゴリ１０７ｂ−６は、図６に示したコンテンツアップロード画面１０１ｃのカテゴリ選択１０１ｃ−２において入力され、コンテンツデータ管理部１０４ｂに記録されているカテゴリ、図１３に示したＣＭコンテンツアップロード画面１０２ｃのカテゴリ選択１０２ｃ−２において入力され、ＣＭデータ管理部１０４ｃに記録されているカテゴリ、図２３に示した番組制作者提供コンテンツアップロード画面１０３ｄのカテゴリ選択１０３ｄ−２において入力され、コンテンツデータ管理部１０４ｂに記録されているカテゴリ、後述するシステム管理者提供コンテンツアップロード画面１０７ｅのカテゴリ選択１０７ｅ−２において入力され、コンテンツデータ保管管理部１０４ｂに記録されているカテゴリ等を表示する機能を備えている。
【０３６１】
［項目１０７ｂ−７］（タイトル）
タイトル１０７ｂ−７は、データ種類１０７ｂ−４やカテゴリ１０７ｂ−６と同様に、コンテンツデータ保管管理部１０４ｂやＣＭデータ保管管理部１０４ｃに記録されているコンテンツやＣＭコンテンツ等の全てのコンテンツを対象としたタイトルを表示する機能を備えている。
【０３６２】
［項目１０７ｂ−８］（更新日）
更新日１０７ｂ−８は、コンテンツデータ保管管理部１０４ｂやＣＭデータ保管管理部１０４ｃに記録されている、コンテンツやＣＭコンテンツ等の全てのコンテンツを対象とした、当該コンテンツのアップロードを行った日時を表示する機能を備えている。
【０３６３】
［項目１０７ｂ−９］（時間）
時間１０７ｂ−９は、コンテンツをリアルタイム録音、録画した場合において、図示しないタイマーによって計測された、全てのコンテンツを対象とした、当該コンテンツの視聴時間を表示する機能を備えている。
【０３６４】
［項目１０７ｂ−１０］（サイズ）
サイズ１０７ｂ−１０は、全てのコンテンツを対象とした、当該コンテンツのサイズ（容量）を表示する機能を備えている。
【０３６５】
［項目１０７ｂ−１１］（ライセンス）
ライセンス１０７ｂ−１１は、全てのコンテンツを対象とした、当該コンテンツのライセンスマークを表示する機能を備えている。
コンテンツのライセンスマークは、例えば、図６に示したコンテンツアップロード画面１０１ｃにおける項目１０１ｃ−４−１（提供したコンテンツを利用することができる主体の範囲（選択入力））〜１０１ｃ−４−３（提供するコンテンツを営利目的で利用することへの許可・不許可（選択入力））の選択内容に対応して付加される所定のライセンス種類であって、その内容が分かり易くなるように図案化したアイコンである。また、ライセンス１０７ｂ−１１では、システム管理者本人が提供したコンテンツについてのみライセンス設定を再設定することができるように、プルダウンボタンを押すことによって、後述するシステム管理者提供コンテンツアップロード画面１０７ｅにおける項目１０７ｅ−４−１〜１０７ｅ−４−３と同様の項目についての選択入力が可能な画面（図示省略）を表示するように構成されている。
【０３６６】
[項目１０７ｂ−１２]（削除）
削除ボタン１０７ｂ−１２を押すと、システムは、チェックボックス１０７ｂ−３にチェックが入れられているコンテンツデータの全コンテンツ登録内容確認画面１０７ｂ上での表示を削除する。また、システムは、変換コンテンツデータ保管部１０４ｇ、未変換コンテンツデータ保管部１５０ａ、コンテンツデータ管理部１０４ｂ、ＣＭデータ管理部１０４ｃ、及びライセンス管理部１５０ｂに当該コンテンツデータ及び当該コンテンツデータに関する所定の管理情報が記録されている場合には、当該コンテンツデータを削除する。
なお、システムは、インターネット放送番組製作者が番組において使用中のコンテンツやＣＭコンテンツが、システム管理者によって削除された場合には、当該番組において所定の指標に基づく優先順位がその次に高いコンテンツやＣＭコンテンツへの自動切り替えを行うようになっている。
なお、コンテンツに対する優先順位の指標は、コンテンツ一覧画面１０１ｄにおける削除ボタン１０１ｄ−１２を押した場合と同様である。
【０３６７】
全体アクセス解析／視聴数（インプレッション数）／インタラクション率／アクセス履歴／ＣＭの掲載期間／残掲載期間／ＣＭ予算／残ＣＭ予算／収益確認／番組配信先一覧画面１０７ｃ
全体アクセス解析／視聴数（インプレッション数）／インタラクション率／アクセス履歴／ＣＭの掲載期間／残掲載期間／ＣＭ予算／残ＣＭ予算／収益確認／番組配信先一覧画面１０７ｃを図４０に示す。
この画面は、インターネット放送番組に関するデータの集計値を表示する機能を備えたメニュー画面であり、次の項目１０７ｃ−１〜１０７ｃ−３３を備えている。
【０３６８】
［項目１０７ｃ−１］（全体アクセス）
全体アクセス１０７ｃ−１は、全てのコンテンツやページの時間別日別曜日別月別のアクセス数を集計した数字とグラフを表示する機能を備えている。
【０３６９】
［項目１０７ｃ−２]（リンク元ＵＲＬ）
リンク元ＵＲＬ１０７ｃ−２は、リンク元ＵＲＬを対象として、多いものから集計してその数字とグラフを表示する機能を備えている。
【０３７０】
［項目１０７ｃ−３]（リンク元ＵＲＬ新着）
リンク元ＵＲＬ新着１０７ｃ−３は、前日まで存在しないリンク元ＵＲＬを対象として、多いものから集計して表示する機能を備えている。
【０３７１】
［項目１０７ｃ−４]（リンク元ドメイン）
リンク元ドメイン１０７ｃ−４は、リンク元ドメインを対象として、多いものから集計して表示する機能を備えている。
【０３７２】
［項目１０７ｃ−５]（リンク元ドメイン新着）
リンク元ドメイン新着１０７ｃ−５は、前日までの存在しなかったリンク元ドメインを対象として、多いものから集計して表示する機能を備えている。
【０３７３】
［項目１０７ｃ−６]（検索エンジン）
検索エンジン１０７ｃ−６は、リンク元の検索エンジンを対象として、多いものから集計して表示する機能を備えている。
【０３７４】
［項目１０７ｃ−７］（検索語句）
検索語句１０７ｃ−７は、ページが検索された語句を対象として、多いものから集計して表示する機能を備えている。
【０３７５】
［項目１０７ｃ−８］（検索単語）
検索単語１０７ｃ−８は、ページが検索された単語を対象として、多いものから集計して表示する機能を備えている。
【０３７６】
［項目１０７ｃ−９]（ブラウザ）
ブラウザ１０７ｃ−９は、視聴者の使用しているパソコン内のブラウザを対象として、多いものから集計して表示する機能を備えている。
【０３７７】
［項目１０７ｃ−１０]（ＯＳ）
ＯＳ１０７ｃ−１０は、視聴者の使用しているパソコン内のＯＳの種類を対象として、多いものから集計して表示する機能を備えている。
【０３７８】
［項目１０７ｃ−１１]（ＣＰＵ）
ＣＰＵ１０７ｃ−１１は、視聴者の使用しているパソコン内のＣＰＵの種類を対象として、多いものから集計して表示する機能を備えている。
【０３７９】
［項目１０７ｃ−１２]（画面情報）
画面情報１０７ｃ−１２は、視聴者の使用しているパソコン内のモニタ画面情報（横幅、縦幅、色数）を対象として、多いものから集計して表示する機能を備えている。
【０３８０】
［項目１０７ｃ−１３]（画面サイズ）
画面サイズ１０７ｃ−１３は、視聴者の使用しているパソコン内のモニタ画面サイズ（横幅、縦幅）を対象として、多いものから集計して表示する機能を備えている。
【０３８１】
［項目１０７ｃ−１４]（色数）
色数１０７ｃ−１４は、視聴者の使用しているパソコンの色数を対象として、多いものから集計して表示する機能を備えている。
【０３８２】
［項目１０７ｃ−１５]（クッキー）
クッキー１０７ｃ−１５は、視聴者の使用しているブラウザのクッキー（cookie）が有効か無効かを集計して表示する機能を備えている。
【０３８３】
［項目１０７ｃ−１６]（JAVA（登録商標））
ＪＡＶＡ（登録商標）１０７ｃ−１６は、視聴者の使用しているブラウザのJAVA（登録商標）が有効か無効かを集計して表示する機能を備えている。
【０３８４】
［項目１０７ｃ−１７]（JAVA（登録商標）SCRIPT）
JAVA（登録商標）SCRIPT１０７ｃ−１７は、視聴者の使用しているブラウザのJAVA（登録商標）SCRIPTが有効か無効かを集計して表示する機能を備えている。
【０３８５】
［項目１０７ｃ−１８]（言語圏）
言語圏１０７ｃ−１８は、視聴者の言語圏を対象として、多いものから集計して表示する機能を備えている。
【０３８６】
［項目１０７ｃ−１９]（都道府県）
都道府県１０７ｃ−１９は、視聴者の都道府県を対象として、多いものから集計して表示する機能を備えている。
【０３８７】
［項目１０７ｃ−２０]（プロバイダ）
プロバイダ１０７ｃ−２０は、視聴者が使用しているプロバイダドメインを対象として、多いものから集計して表示する機能を備えている。
【０３８８】
［項目１０７ｃ−２１]（ユーザＩＤ）
ユーザＩＤ１０７ｃ−２１は、視聴者のユーザＩＤを対象として、多いものから集計して表示する機能を備えている。
【０３８９】
［項目１０７ｃ−２２]（プロキシ情報）
プロキシ情報１０７ｃ−２２は、視聴者のプロキシ情報を対象として、多いものから集計して表示する機能を備えている。
【０３９０】
［項目１０７ｃ−２３]（視聴数（インプレッション数））
視聴数（インプレッション数）１０７ｃ−２３は、視聴者の視聴した回数を対象として、多いものから時間別日別曜日別月別で集計して表示する機能を備えている。
【０３９１】
［項目１０７ｃ−２４]（訪問間隔）
訪問間隔１０７ｃ−２４は、視聴者の前回からの訪問間隔を対象として、多いものから集計して表示する機能を備えている。
【０３９２】
［項目１０７ｃ−２５]（閲覧時間）
閲覧時間１０７ｃ−２５は、視聴者がページを閲覧していた時間とコンテンツを対象として、多いものから時間別日別曜日別月別で集計して表示する機能を備えている。
【０３９３】
［項目１０７ｃ−２６]（インタラクション数（マウスオーバー））
インタラクション数（マウスオーバー）１０７ｃ−２６は、視聴者が全てのコンテンツ（ＣＭコンテンツも含む）に対してマウスオーバーした数の多いものから時間別日別曜日別月別で集計して表示する機能を備えている。
【０３９４】
［項目１０７ｃ−２７]（インタラクション数（クリック））
インタラクション数（クリック）１０７ｃ−２７は、視聴者が全てのコンテンツ（ＣＭコンテンツも含む）に対してクリックした数の多いものから時間別日別曜日別月別で集計して表示する機能を備えている。
【０３９５】
［項目１０７ｃ−２８]（インタラクション率）
インタラクション率１０７ｃ−２８は、視聴者が全てのコンテンツ（ＣＭコンテンツも含む）に対してのインプレッション数に対するインタラクション率の高いものから時間別日別曜日別月別で集計して表示する機能を備えている。
【０３９６】
［項目１０７ｃ−２９]（アクセス履歴）
アクセス履歴１０７ｃ−２９は、インターネット放送番組製作者本人以外のインターネット放送番組製作会員が、受信端末配信ツール６０２から視聴したときのアクセス者の履歴を、インターネット放送番組製作会員ＩＤ登録画面１０３ａにおけるニックネーム１０３ａ−４’への入力を介してユーザ管理部１０４ａに記録されているニックネームを対象として、アクセスしたものの多いものから時間別日別曜日別月別に集計して表示する機能を備えている。
【０３９７】
［項目１０７ｃ−３０]（ＣＭの掲載期間／残掲載期間）
ＣＭの掲載期間／残掲載期間１０７ｃ−３０は、全てのＣＭコンテンツの掲載期間と残掲載期間を表示する機能を備えている。
詳しくは、図１３に示したＣＭコンテンツアップロード画面１０２ｃの入力項目１０２ｃ−５で設定された掲載期間を表示するとともに、残りの掲載期間も同時に表示する。
なお、掲載期間が終了した場合、ＣＭ予算が終了した（ゼロとなった）場合、または後述のシステム管理画面１０７のＣＭ掲載開始と停止、削除画面１０７ｎを介してＣＭ掲載の停止を行った場合には、自動的に他のＣＭコンテンツに切替わるとともに、ＣＭ掲載停止の表示を行うようになっている。
また、本実施形態のシステムでは、ＣＭ掲載の停止が行われた場合には、切替対象となる他のＣＭコンテンツを、ＣＭコンテンツアップロード画面１０２ｃや視聴率（インプレッション数）／収益確認画面１０２ｅにおけるＣＭ予算１０２ｃ−６，１０２ｅ−５、掲載期間１０２ｃ−５，１０２ｅ−４、インプレッション設定１０２ｅ−７においてそれぞれ設定されたＣＭ予算、掲載期間、目標インプレッションの高い順番で決定して、ＣＭ掲載停止のＣＭコンテンツと入れ替えるようにしている。
【０３９８】
［項目１０７ｃ−３１]（ＣＭ予算／残ＣＭ予算）
ＣＭ予算／残ＣＭ予算１０７ｃ−３１は、全てのＣＭコンテンツについてＣＭ提供者が設定した予算と残ＣＭ予算を表示する機能を備えている。
詳しくは、ＣＭ予算１０７ｃ−３１ａは、インターネット放送番組製作者が、番組において選択し、一般視聴者に受信端末配信ツール６０２を介して視聴されたＣＭコンテンツに関し、図１３に示したＣＭコンテンツアップロード画面１０２ｃのＣＭ予算１０２ｃ−６や、図１５に示した視聴率（インプレッション数）／収益確認画面１０２ｅのＣＭ予算１０２ｅ−５において設定されたＣＭ予算を表示する。
また、残ＣＭ予算１０７ｃ−３１ｂは、残りのＣＭ予算を表示する。上述したように、本実施形態のシステムでは、残りのＣＭ予算は、ＣＭコンテンツの視聴数（インプレッション数）とインタラクション率と、後述するシステム管理画面１０７の「インタラクション率によるＣＭ費の設定」欄１０７ｃで予め設定されているＣＭ費を基準として現在発生しているＣＭ費を計算し、これをＣＭ予算１０２ｃ−６，１０２ｅ−５において設定されたＣＭ予算から引き算することで求めるようにしている。
【０３９９】
[項目１０７ｃ−３２]（番組配信先ＵＲＬ一覧）
番組配信先ＵＲＬ一覧１０７ｃ−３２は、番組の配信先のＵＲＬを一覧表示する機能を備えている。また、そのＵＲＬをクリックすると、そのＵＲＬ先のホームページを表示することができるようになっている。
【０４００】
[項目１０７ｃ−３３]（収益）
収益１０７ｃ−３３は、システム管理者サイトのホームページや、各管理画面、受信端末配信ツール６０２に掲載または配信された全てのＣＭ費の各小計と合計を表示する機能を備えている。
より詳しくは、インターネット放送番組製作者（Ａ会員、Ｂ会員）が番組に使用した全てのコンテンツの視聴数（インプレッション数）、インタラクション率を表示するとともに、後述するＣＭ費編集，レベニュー率編集画面１０７ｍのＣＭ費編集１０７ｍ−１で設定されたＣＭ費の１インプレッション単価、及びレベニュー率編集１０７ｍ−２で使用コンテンツの数に応じて設定された収益率をもとに計算されたインターネット放送番組製作者が受け取る収益（ポイント）がＣＭ／収益計算処理記録管理部１０４ｆに記録されたものを表示する。
例えば、インターネット放送番組製作者（Ａ会員）が番組に使用したコンテンツ提供者からの全てのコンテンツに対して支払う収益（ポイント）を表示する。
また、例えば、インターネット放送番組製作者（Ｃ会員）が、システム、サーバ、ネットワーク使用料として支払った金額を各個人毎に分けて表示するとともに、小計合計の表示も行う。
【０４０１】
受信端末配信ツールデザイン追加変更画面１０７ｄ
受信端末配信ツールデザイン追加変更画面１０７ｄを図４１に示す。
なお、受信端末配信ツールデザイン追加変更画面１０７ｄは、一部の領域にサンプル受信端末配信ツール６０１の画面が表示されるようにレイアウトされている。
受信端末配信ツールデザイン追加変更画面１０７ｄは、システム管理者が、次の項目について選択入力を行うことで、図１９に示した受信端末配信ツールデザイン選択画面１０３ｃにおいてインターネット放送番組製作会員による選択枝として表示するためのフレーム形状、フレーム模様、フレーム色等を追加、変更することができるように構成されている。システムは、選択入力された内容を図２に示したデータベース部１０４のインターネット放送番組製作会員管理画面設定記録管理部１０４ｈへ記録する。
【０４０２】
[項目１０７ｄ−１]（フレーム形状追加、変更部）
フレーム形状追加、変更部１０７ｄ−１は、受信端末配信ツールデザイン選択画面１０３ｃのフレーム形状選択１０３ｃ−１において選択肢として表示するための、受信端末配信ツール６０２のフレーム形状を追加変更する機能を備えており、次の項目１０７ｄ−１−１〜１０７ｄ−１−４を備えている。
【０４０３】
［項目１０７ｄ−１−１］（ファイル選択）
システム管理者が、ファイル選択ボタン１０７ｄ−１−１を押すと、システムは、システム管理者端末７００のローカルなハードディスク内のフォルタ及びファイル等を表示する。そして、システム管理者が、データベース部１０４のインターネット放送番組製作会員管理画面設定記録管理部１０４ｈへの追加変更を所望するフレーム形状を有する画像データを、システム管理者端末７００のローカルなハードディスク内から選択することができるようになっている。
【０４０４】
［項目１０７ｄ−１−２］（タイトル入力欄）
タイトル入力欄１０７ｄ−１−２は、システム管理者が選択したフレーム形状のタイトルをシステム管理者に入力させるための入力項目である。
【０４０５】
[項目１０７ｄ−１−３]（サンプル画面表示指示ボタン）
サンプル画面表示指示（サンプル画面で見る）ボタン１０７ｄ−１−３を押すと、システムは、項目１０７ｄ−１−１（ファイル選択）、１０７ｄ−１−２（タイトル）での設定内容を、サンプル受信端末配信ツール６０１のフレーム部６０１ｈ、字幕、テキスト表示部６０１ｃへ反映して表示する。
【０４０６】
[項目１０７ｄ−１−４]（インターネット製作会員管理画面への登録）
インターネット製作会員管理画面への登録ボタン１０７ｄ−１−４を押すと、システムは、図２に示すウェブサーバ部１０５の入出力制御部１０５ｆを介して、システム管理者ＩＤをキーとして、項目１０７ｄ−１−１（ファイル選択）、１０７ｄ−１−２（タイトル）での設定内容をデータベース部１０４のインターネット放送番組製作会員管理画面設定記録管理部１０４ｈへ記録する。これにより、フレーム形状データがアップロードされることになり、記録されたフレーム形状データを受信端末配信ツールデザイン選択画面１０３ｃのフレーム形状選択１０３ｃ−１においてひとつの選択肢として表示し、インターネット放送番組制作会員にそのフレーム形状を選択させることが可能になる。
【０４０７】
[項目１０７ｄ−２]（フレーム模様追加、変更部）
フレーム模様追加、変更部１０７ｄ−２は、受信端末配信ツールデザイン選択画面１０３ｃのフレーム模様選択１０３ｃ−２において選択肢として表示するための、受信端末配信ツール６０２のフレーム模様を追加変更する機能を備えており、次の項目１０７ｄ−２−１〜１０７ｄ−２−４を備えている。
【０４０８】
［項目１０７ｄ−２−１］（ファイル選択）
システム管理者が、ファイル選択ボタン１０７ｄ−２−１を押すと、システムは、システム管理者端末７００のローカルなハードディスク内のフォルタ及びファイル等を表示する。そして、システム管理者が、データベース部１０４のインターネット放送番組製作会員管理画面設定記録管理部１０４ｈへの追加変更を所望するフレーム模様を有する画像データを、システム管理者端末７００のローカルなハードディスク内から選択することができるようになっている。
【０４０９】
［項目１０７ｄ−２−２］（タイトル入力欄）
タイトル入力欄１０７ｄ−２−２は、システム管理者が選択したフレーム模様のタイトルをシステム管理者に入力させるための入力項目である。
【０４１０】
[項目１０７ｄ−２−３]（サンプル画面表示指示ボタン）
サンプル画面表示指示（サンプル画面で見る）ボタン１０７ｄ−２−３を押すと、システムは、項目１０７ｄ−２−１（ファイル選択）、１０７ｄ−２−２（タイトル）での設定内容を、サンプル受信端末配信ツール６０１のフレーム部６０１ｈ、字幕、テキスト表示部６０１ｃへ反映して表示する。
【０４１１】
[項目１０７ｄ−２−４]（インターネット製作会員管理画面への登録）
インターネット製作会員管理画面への登録ボタン１０７ｄ−２−４を押すと、システムは、図２に示すウェブサーバ部１０５の入出力制御部１０５ｆを介して、システム管理者ＩＤをキーとして、項目１０７ｄ−２−１（ファイル選択）、１０７ｄ−２−２（タイトル）での設定内容をデータベース部１０４のインターネット放送番組製作会員管理画面設定記録管理部１０４ｈへ記録する。これにより、フレーム模様データがアップロードされることになり、記録されたフレーム模様データを受信端末配信ツールデザイン選択画面１０３ｃのフレーム模様選択１０３ｃ−２においてひとつの選択肢として表示し、インターネット放送番組製作会員にそのフレーム模様を選択させることが可能になる。
【０４１２】
[項目１０７ｄ−３]（フレーム色追加、変更部）
フレーム色追加、変更部１０７ｄ−３は、受信端末配信ツールデザイン選択画面１０３ｃのフレーム色選択１０３ｃ−３において選択肢として表示するための、受信端末配信ツール６０２のフレーム模様を追加変更する機能を備えており、次の項目１０７ｄ−３−１〜１０７ｄ−３−４を備えている。
【０４１３】
［項目１０７ｄ−３−１］（ファイル選択）
システム管理者が、ファイル選択ボタン１０７ｄ−３−１を押すと、システムは、システム管理者端末７００のローカルなハードディスク内のフォルタ及びファイル等を表示する。そして、システム管理者が、データベース部１０４のインターネット放送番組製作会員管理画面設定記録管理部１０４ｈへの追加変更を所望するフレーム色を有する画像データを、システム管理者端末７００のローカルなハードディスク内から選択することができるようになっている。
【０４１４】
［項目１０７ｄ−３−２］（タイトル入力欄）
タイトル入力欄１０７ｄ−３−２は、システム管理者が選択したフレーム色のタイトルをシステム管理者に入力させるための入力項目である。
【０４１５】
[項目１０７ｄ−３−３]（サンプル画面表示指示ボタン）
サンプル画面表示指示（サンプル画面で見る）ボタン１０７ｄ−３−３を押すと、システムは、項目１０７ｄ−３−１（ファイル選択）、１０７ｄ−３−２（タイトル）での設定内容を、サンプル受信端末配信ツール６０１のフレーム部６０１ｈ、字幕、テキスト表示部６０１ｃへ反映して表示する。
【０４１６】
[項目１０７ｄ−３−４]（インターネット製作会員管理画面への登録）
インターネット製作会員管理画面への登録ボタン１０７ｄ−３−４を押すと、システムは、図２に示すウェブサーバ部１０５の入出力制御部１０５ｆを介して、システム管理者ＩＤをキーとして、項目１０７ｄ−３−１（ファイル選択）、１０７ｄ−３−２（タイトル）での設定内容をデータベース部１０４のインターネット放送番組製作会員管理画面設定記録管理部１０４ｈへ記録する。これにより、フレーム色データがアップロードされることになり、記録されたフレーム色データを受信端末配信ツールデザイン選択画面１０３ｃのフレーム色選択１０３ｃ−３においてひとつの選択肢として表示し、インターネット放送番組製作会員にそのフレーム色を選択させることが可能になる。
【０４１７】
システム管理者提供コンテンツアップロード画面１０７ｅ
システム管理者提供コンテンツアップロード画面１０７ｅを図４２に示す。
なお、システム管理者提供コンテンツアップロード画面１０７ｅは、一部の領域にサンプル受信端末配信ツール６０１の画面が表示されるようにレイアウトされている。
システム管理者提供コンテンツアップロード画面１０７ｅは、システム管理者が自ら制作し、または撮影したシステム管理者提供コンテンツデータを、システム管理者を介してシステムのデータベース部１０４にアップロードさせるために、次の選択入力項目を備えている。システムは、システム管理者が選択入力した情報に基づいて、システム管理者提供コンテンツデータ及びシステム管理者提供コンテンツデータに関する所定の管理情報を図２に示したデータベース部１０４の変換コンテンツデータ保管１０４ｂ、コンテンツデータ管理部１０４ｂ、未変換データ格納用サーバ部１５０の未変換コンテンツデータ保管部１５０ａ、及びライセンス管理部１５０ｂへ記録する。
【０４１８】
[項目１０７ｅ−１]（ファイル選択）
システム管理者が、図４２において、ファイル選択ボタン１０７ｅ−１を押すと、システムは、システム管理者端末７００のローカルなハードディスク内のフォルダ及びファイル等を表示する。そして、システム管理者が、アップロードを所望するシステム管理者提供コンテンツデータを、システム管理者端末７００のローカルなハードディスク内のファイルから選択することができるようになっている。
【０４１９】
[項目１０７ｅ−２]（カテゴリ選択）
カテゴリ選択１０７ｅ−２は、プルダウンボタン１０７ｅ−２ａと、テキスト入力欄１０７ｅ−２ｂを有してなる。
システム管理者が、プルダウンボタン１０７ｅ−２ａを押すと、システムは、例えば、図７に示すように、カテゴリの大項目としての「映像」，「音楽」，「ＶＯＩＣＥ」，「効果音／ｅｔｃ」，「インタラクション／ゲーム／ｅｔｃ」，「画像／イラスト／ｅｔｃ」、「映像」に対するカテゴリの中項目としての「ＭＯＶＩＥ」，「アニメーション」，「ニュース＆ビジネス経済」，「スポーツ」，「エンターテイメント」，「外国語放送」，「バラエティ」、「音楽」に対するカテゴリの中項目としての「Ｊ−ＰＯＰ」，「ＲＯＣＫ」，「ＤＡＮＣＥ」，「ＳＯＵＬ」、「ＶＯＩＣＥ」に対するカテゴリの中項目としての「実況中継」，「会話・議論」、「効果音／ｅｔｃ」に対するカテゴリの中項目としての「自然」，「乗り物」、「インタラクション／ゲーム／ｅｔｃ」に対するカテゴリの中項目としての「アクションゲーム」，「知能」、「画像／イラスト／ｅｔｃ」に対するカテゴリの中項目としての「写真」を選択肢として表示する。そして、システム管理者が、表示されたカテゴリの中からシステム管理者提供コンテンツ内容に合致する大、中項目のカテゴリを選択入力することができるようになっている。
なお、本実施形態のシステムでは、システム管理者がアップロードするコンテンツのカテゴリとＣＭ会員がアップロードしたＣＭコンテンツのカテゴリとを合致させることができるように、システム管理者が選択できる大、中項目のカテゴリを、ＣＭコンテンツのカテゴリと同等（の種類、個数）にして備えている。
また、テキスト入力欄１０７ｅ−２ｂには、カテゴリの中項目の下位概念に相当する小項目としてのカテゴリ名を、システム管理者が任意に入力することができるようになっている。
なお、本実施形態のシステムでは、入力された大、中、小項目のカテゴリを、後述するコンテンツ登録ボタン１０７ｅ−６が押下されたときに、コンテンツデータ管理部１０４ｂに記録するようになっている。
【０４２０】
カテゴリ選択１０７ｅ−２は、システム管理者が番組を作る際に選ぶコンテンツ（コンテンツ会員が提供したコンテンツの他に、インターネット放送番組製作者が提供した番組制作者提供コンテンツや、システム管理者自らが提供したシステム管理者提供コンテンツも含む）と組合せるＣＭを選び易くするために行う入力項目である。
例えば、システムは、コンテンツのカテゴリに合致するＣＭのカテゴリを自動的に選択し、選択した１つのコンテンツに対して、数個のＣＭを表示させることができるようにしている。また、逆にＣＭを選ぶことで、選んだＣＭのカテゴリに合致するコンテンツを自動的に選択する機能も持っている。
なお、システムは、後述のコンテンツ選択画面１０７ｆ等において、自動選択したＣＭを、ＣＭ会員管理画面１０２にて設定された「予算」、「掲載期間」、「目標インプレッション」の高い順番で表示するようにしている。また、自動選択したコンテンツを、視聴数（インプレッション数）と視聴者が番組の感想を伝えるための機能として設けた受信端末配信ツール６０２のアンケート６０２ｇにある(1)良かった(2)やや良かった(3)つまらなかったのうちの(1)(2)のチェック数の多い順に表示するようにしている。
【０４２１】
[項目１０７ｅ−３]（データ種類）
データ種類１０７ｅ−３は、システム管理者がアップロードするシステム管理者提供コンテンツについて、プルダウンもしくはラジオボタンで用意された、ｉ)動画データ、ii）写真データ、iii）デザインデータ、iv）イラストデータ、ｖ）音楽データ、vi）音声データ、vii）テキストデータの選択入力項目で構成されている。そして、システム管理者に、これらの選択入力項目の中から所望の種類を任意に選択入力させることによって、システム管理者提供コンテンツのデータの種類分けをさせることができるようになっている。
【０４２２】
[項目１０７ｅ−４]（ライセンス設定）
ライセンス設定１０７ｅ−４は、システム管理者提供コンテンツの利用者側に対する、システム管理者提供コンテンツの利用範囲や利用条件などを、システム管理者が著作権者の立場で設定する入力項目である。システムは、図３８に示したシステム管理者管理画面入室画面１０７ａのライセンス設定１０７ａ−３において入力され、システム管理者ＩＤ、ディフォルト値のシステム管理者提供コンテンツＩＤとともに、コンテンツデータ管理部１０４ｂ、及びライセンス管理部１５０ｂに記録した内容をディフォルト表示する。そして、システム管理者が次の項目１０７ａ−４−１〜１０７ａ−４−１０についての入力を行うことで、利用範囲や利用条件などを更新又は新規設定できるようになっている。
１．システム管理者の提供するコンテンツを利用することができる主体の範囲（選択入力）
２．システム管理者の提供するコンテンツを翻案・改変することへの許可・不許可（選択入力）
２−１．許可を選択した場合における翻案・改変の同一ジャンル・他ジャンル（選択入力）
３．システム管理者の提供するコンテンツを営利目的で利用することへの許可・不許可（選択入力）
４．システム管理者の提供するコンテンツの利用を許諾する地域（選択入力）
５．システム管理者の提供するコンテンツの利用を許諾する期間（選択入力）
６．システム管理者の提供するコンテンツの利用を許諾するライセンス料率（選択入力）
７．システム管理者の提供するコンテンツのタイトル（テキスト入力）
８．システム管理者の提供するコンテンツに対する作者（システム管理者）のコメント（テキスト入力）
９．著作権者（システム管理者）の氏名／著作権表示入力（テキスト入力）
１０．著作権者（システム管理者）のＵＲＬ入力（テキスト入力）
【０４２３】
[項目１０７ｅ−５]（サンプル画面表示指示ボタン）
サンプル画面表示指示（サンプル画面で見る）ボタン１０７ｅ−５を押すと、システムは、項目１０７ｅ−１（ファイル選択）〜１０７ｅ−３での設定内容をサンプル受信端末配信ツール６０１の映像、アニメーション表示部６０１ｂ、字幕、テキスト表示部６０１ｃへ反映して表示するとともに、メニューボタン６０１ｇ−ａの操作を介して、項目１０７ｅ−４（ライセンス設定）での設定内容を反映したメニュー表示スクリーン６０１ｇ−ｂ（図示省略）をサンプル受信端末配信ツール６０１のモニタ画面上に重ねて表示するようになっている。なお、メニューボタン６０１ｇ−ａの操作によって、項目１０７ｅ−４（ライセンス設定）での設定内容を反映したメニュー表示スクリーン６０１ｇ−ｂ（図示省略）の表示・非表示が切替わるようになっている。
【０４２４】
[項目１０７ｅ−６]（コンテンツ登録）
コンテンツ登録ボタン１０７ｅ−６を押すと、システムは、図２に示すウェブサーバ部１０５の入出力制御部１０５ｆを介して、アップロードするシステム管理者提供コンテンツ毎に固有の（非ディフォルト値の）システム管理者提供コンテンツＩＤを付与する。まら、ライセンス設定１０７ｅ−４−１〜１０７ｅ−４−３の選択内容に対応して所定のライセンス種類を付加する。
そして、システムは、ファイル選択１０７ｅ−１で選択したシステム管理者提供コンテンツを、コンテンツ／ＣＭ受信部１０５ｅを経由し、コンテンツデータ変換部１０５ｉを介して番組配信用のデータ形式に変換し、システム管理者ＩＤ、システム管理者提供コンテンツＩＤとともに変換コンテンツデータ保管部１０４ｇへ記録する。また、システムは、カテゴリ選択１０７ｅ−２で選択したカテゴリ、データ種類１０７ｅ−３で選択したデータ種類、及びライセンス設定１０７ｅ−４を介して付加したライセンス種類を、システム管理者提供コンテンツに関する所定の管理情報として、システム管理者ＩＤ、システム管理者提供コンテンツＩＤとともにコンテンツデータ管理部１０４ｂへ記録する。これにより、システム管理者提供コンテンツがアップロードされることになり、インターネット放送番組製作会員が、当該システム管理者提供コンテンツを使用可能になる。なお、システムは、システム管理者提供コンテンツをアップロードした日をコンテンツデータ管理部１０４ｂに記録するように構成されている。
また、システムは、ファイル選択１０７ｅ−１で選択したシステム管理者提供コンテンツを、コンテンツ／ＣＭ受信部１０５ｅを経由し、そのままのデータ形式で、システム管理者ＩＤ、システム管理者提供コンテンツＩＤとともに未変換データ格納用サーバ部１５０の未変換コンテンツデータ保管部１５０ａに記録するとともに、ライセンス設定１０７ｅ−４での各入力内容を、システム管理者ＩＤ、システム管理者提供コンテンツＩＤとともに未変換データ格納用サーバ部１５０のライセンス管理部１５０ｂに記録する。
さらに、システムは、当該システム管理者提供コンテンツを使用して製作された番組が一般視聴者に視聴されるときに、システム管理者によってアップロードされた当該システム管理者提供コンテンツ、及びその他の設定内容を受信端末配信ツール６０２へ配信し、映像、アニメーション表示部６０２ｂ、字幕、テキスト表示部６０２ｃ、メニュー表示欄６０２ｇ−ｂ等へ反映させることができるように構成されている。
【０４２５】
コンテンツ選択画面１０７ｆ
コンテンツ選択画面１０７ｆを図４３に示す。
コンテンツ選択画面１０７ｆは、システム管理者が製作する番組に使用するコンテンツを選択入力するための画面であり、コンテンツ選択用フリーワード検察入力部１０７ｆ−１と、ＣＭコンテンツ選択用フリーワード検索入力部１０７ｆ−２と、コンテンツ選択用カテゴリ等選択部１０７ｆ−３と、ＣＭコンテンツ選択用カテゴリ等選択画面切替指示ボタン１０７ｆ−４を備えている。
なお、コンテンツ選択画面１０７ｆにおいて選択対象となるコンテンツには、後述するＲＳＳ＆ＡＴＯＭ＆テキスト設定画面１０７ｇ（図５１）やテキスト＆字幕設定画面１０７ｈ（図５２）での入力を介してコンテンツデータ管理部１０４ｂや変換コンテンツデータ保管部１０４ｇに記録されるＲＳＳ＆ＡＴＯＭ＆テキストデータやテキスト＆字幕データ、更には、録画・録音設定画面１０７ｉ（図５３）を介して変換コンテンツデータ保管部１０４ｇ及びコンテンツデータ管理部１０４ｂに記録されるリアルタイム録画・録音データも含まれる。
【０４２６】
[項目１０７ｆ−１]（コンテンツ選択用フリーワード検索入力部）
コンテンツ選択用フリーワード検索入力部１０７ｆ−１は、フリーワードをキーとしてデータベース部１０４のコンテンツデータ管理部１０４ｂ、ＣＭデータ管理部１０４ｃ、変換コンテンツデータ保管部１０４ｇ、未変換データ格納用サーバ部１５０の未変換コンテンツデータ保管部１５０ａ、ライセンス管理部１５０ｂに記録されている全てのコンテンツ，ＣＭコンテンツに関し、コンテンツを主とした検索を行うための入力項目である。
そして、コンテンツ選択用フリーワード検索入力部１０７ｆ−１は、コンテンツ検索入力欄１０７ｆ−１ａと、コンテンツ検索ボタン１０７ｆ−１ｂと、ＣＭ自動選択オプション指定項目１０７ｆ−１ｃを有している。
コンテンツ検索入力欄１０７ｆ−１ａは、コンテンツのカテゴリやタイトル、コンテンツＩＤ、データ種類などから検索できる機能を備えている。
【０４２７】
［項目１０７ｆ−２］（ＣＭコンテンツ選択用フリーワード検索入力部）
ＣＭコンテンツ選択用フリーワード検索入力部１０７ｆ−２は、フリーワードをキーとしてデータベース部１０４のコンテンツデータ管理部１０４ｂ、ＣＭデータ管理部１０４ｃ、変換コンテンツデータ保管部１０４ｇ、未変換データ格納用サーバ部１５０の未変換コンテンツデータ保管部１５０ａ、ライセンス管理部１５０ｂに記録されている全てのコンテンツ，ＣＭコンテンツに関し、ＣＭコンテンツを主とした検索を行うための入力項目である。
そして、ＣＭコンテンツ選択用フリーワード検索入力部１０７ｆ−２は、ＣＭ検索入力欄１０７ｆ−２ａと、ＣＭ検索ボタン１０７ｆ−２ｂと、コンテンツ自動選択オプション指定項目１０７ｆ−２ｃを有している。
ＣＭ検索入力欄１０７ｆ−２ａは、ＣＭコンテンツのカテゴリやタイトル、ＣＭコンテンツＩＤ、データ種類などから検索できる機能を備えている。
【０４２８】
［項目１０７ｆ−３］（コンテンツ選択用カテゴリ等選択部）
コンテンツ選択用カテゴリ等選択部１０７ｆ−３は、「ＮＥＷコンテンツ」（過去数日間にアップロードされた最も新しいコンテンツ）とともに、カテゴリの大項目としての「映像」，「音楽」，「ＶＯＩＣＥ」，「効果音／ｅｔｃ」，「インタラクション／ゲーム／ｅｔｃ」，「画像／イラスト／ｅｔｃ」、「映像」に対するカテゴリの中項目としての「ＭＯＶＩＥ」，「アニメーション」，「ニュース＆ビジネス経済」，「スポーツ」，「エンターテイメント」，「外国語放送」，「バラエティ」、「音楽」に対するカテゴリの中項目としての「Ｊ−ＰＯＰ」，「ＲＯＣＫ」，「ＤＡＮＣＥ」，「ＳＯＵＬ」、「ＶＯＩＣＥ」に対するカテゴリの中項目としての「実況中継」，「会話・議論」、「効果音／ｅｔｃ」に対するカテゴリの中項目としての「自然」，「乗り物」、「インタラクション／ゲーム／ｅｔｃ」に対するカテゴリの中項目としての「アクションゲーム」，「知能」、「画像／イラスト／ｅｔｃ」に対するカテゴリの中項目としての「写真」を選択ボタンとして備えている。
【０４２９】
［項目１０７ｆ−４］（ＣＭコンテンツ選択用カテゴリ等選択画面切替指示ボタン）
ＣＭコンテンツ選択用カテゴリ選択画面切替指示ボタン１０７ｆ−４は、押されたときに、後述するＣＭコンテンツ選択用カテゴリ等選択画面１０７ｆ−Ｆ（図４８）に切替える機能を備えている。
【０４３０】
そして、本実施形態のシステムでは、次の操作方法１’〜６’に示すように、コンテンツ選択画面１０７ｆにおけるコンテンツ選択用フリーワード検察入力部１０７ｆ−１、ＣＭコンテンツ選択用フリーワード検索入力部１０７ｆ−２、コンテンツ選択用カテゴリ等選択部１０７ｆ−３、ＣＭコンテンツ選択用カテゴリ等選択画面切替指示ボタン１０７ｆ−４での入力の有無及び入力操作方法に応じて、異なる処理画面にスキップするようにしている。
【０４３１】
（操作方法１’）コンテンツ選択用フリーワード検察入力部１０７ｆ−１のコンテンツ検索入力欄１０７ｆ−１ａにフリーワードを入力し、且つ、ＣＭ自動選択オプション指定項目１０７ｆ−１ｃにチェックを入力しないで、コンテンツ検索ボタン１０７ｆ−１ｂを押した場合。
この場合は、フリーワード検索コンテンツ表示選択画面１０７ｆ−Ａ（図４４）にスキップする。
【０４３２】
（操作方法２’）コンテンツ選択用フリーワード検察入力部１０７ｆ−１のコンテンツ検索入力欄１０７ｆ−１ａにフリーワードを入力し、且つ、ＣＭ自動選択オプション指定項目１０７ｆ−１ｃにチェックを入力して、コンテンツ検索ボタン１０７ｆ−１ｂを押した場合。
この場合は、フリーワード検索コンテンツ表示及び自動選択ＣＭ表示選択画面１０７ｆ−Ｂ（図４５）にスキップする。
【０４３３】
（操作方法３’）コンテンツ選択用フリーワード検察入力部１０７ｆ−１やＣＭコンテンツ選択用フリーワード検索入力部１０７ｆ−２でのフリーワード検索入力操作をしないで、コンテンツ選択用カテゴリ等選択部１０７ｆ−３において、「ＮＥＷコンテンツ」又は、所望のカテゴリの選択ボタンを選択した場合。
この場合は、選択カテゴリ等検索コンテンツ表示選択画面１０７ｆ−Ｃ（図４７）にスキップする。
【０４３４】
（操作方法４’）ＣＭコンテンツ選択用フリーワード検察入力部１０７ｆ−２のＣＭ検索入力欄１０７ｆ−２ａにフリーワードを入力し、且つ、コンテンツ自動選択オプション指定項目１０７ｆ−２ｃにチェックを入力しないで、ＣＭ検索ボタン１０７ｆ−２ｂを押した場合。
この場合は、フリーワード検索ＣＭコンテンツ表示選択画面１０７ｆ−Ｄ（図４６）にスキップする。
【０４３５】
（操作方法５’）ＣＭコンテンツ選択用フリーワード検察入力部１０７ｆ−２のＣＭ検索入力欄１０７ｆ−２ａにフリーワードを入力し、且つ、コンテンツ自動選択オプション指定項目１０７ｆ−２ｃにチェックを入力して、ＣＭ検索ボタン１０７ｆ−２ｂを押した場合。
この場合は、フリーワード検索ＣＭコンテンツ表示及び自動選択コンテンツ表示選択画面１０７ｆ−Ｅ（図４９）にスキップする。
【０４３６】
（操作方法６’）コンテンツ選択用フリーワード検察入力部１０７ｆ−１やＣＭコンテンツ選択用フリーワード検索入力部１０７ｆ−２でのフリーワード検索入力操作や、コンテンツ選択用カテゴリ等選択部１０７ｆ−３の選択操作をしないで、ＣＭコンテンツ選択用カテゴリ等選択画面切替指示ボタン１０７ｆ−４を押した場合。
この場合は、ＣＭコンテンツ選択用カテゴリ等選択画面１０７ｆ−Ｆ（図４８）にスキップする。
【０４３７】
フリーワード検索コンテンツ表示選択画面１０７ｆ−Ａ
フリーワード検索コンテンツ表示選択画面１０７ｆ−Ａを図４４に示す。
フリーワード検索コンテンツ表示選択画面１０７ｆ−Ａは、システム管理者が、例えば、図４３に示したコンテンツ選択画面１０７ｆにおいて、コンテンツ選択用フリーワード検察入力部１０７ｆ−１のコンテンツ検索入力欄１０７ｆ−１ａにフリーワードを入力し、且つ、ＣＭ自動選択オプション指定項目１０７ｆ−１ｃにチェックを入力しないで、コンテンツ検索ボタン１０７ｆ−１ｂを押した場合に表示される。
また、フリーワード検索コンテンツ表示選択画面１０７ｆ−Ａは、その他、システム管理者が、図４３に示したコンテンツ選択画面１０７ｆのコンテンツ選択用フリーワード検察入力部１０７ｆ−１と同様の構成を備えた画面において、コンテンツ検索入力欄１０７ｆ−１ａと同様のコンテンツ検索入力欄にフリーワードを入力し、且つ、ＣＭ自動選択オプション指定項目１０７ｆ−１ｃと同様のＣＭ自動選択オプション指定項目にチェックを入力しないで、コンテンツ検索ボタン１０７ｆ−１ｂと同様のコンテンツ検索ボタンを押した場合にも表示される。なお、説明の便宜上、以下の説明では、図４３に示したコンテンツ選択画面１０７ｆと同様の項目については、詳細な説明は省略する。
【０４３８】
フリーワード検索コンテンツ表示選択画面１０７ｆ−Ａは、コンテンツ選択用フリーワード検察入力部１０７ｆ−Ａ１と、ＣＭコンテンツ選択用フリーワード検索入力部１０７ｆ−Ａ２と、フリーワード検索結果表示選択部１０７ｆ−Ａ３と、ＣＭコンテンツ選択用カテゴリ等選択画面切替指示ボタン１０７ｆ−Ａ４と、番組リストへの追加ボタン１０７ｆ−Ａ５と、選択したコンテンツの確認部１０７ｆ−Ａ９を備えている。
【０４３９】
［項目１０７ｆ−Ａ１］（コンテンツ選択用フリーワード検索入力部）、［項目１０７ｆ−Ａ２］（ＣＭコンテンツ選択用フリーワード検索入力部）、［項目１０７ｆ−Ａ４］（ＣＭコンテンツ選択用カテゴリ等選択画面切替指示ボタン）
これらは、図４３に示したコンテンツ選択画面１０７ｆにおけるコンテンツ選択用フリーワード検索入力部１０７ｆ−１、ＣＭコンテンツ選択用フリーワード検索入力部１０７ｆ−２、ＣＭコンテンツ選択用カテゴリ選択画面切替指示ボタン１０７ｆ−４と構成及び作用効果が同じである。
【０４４０】
［項目１０７ｆ−Ａ３］（フリーワード検索結果表示選択部）
フリーワード検索結果表示選択部１０７ｆ−Ａ３は、検索ワード表示欄１０７ｆ−Ａ３ａと、フリーワード検索コンテンツ表示選択部１０７ｆ−Ａ３ｂと、表示頁指定部１０７ｆ−Ａ３ｃを有している。
【０４４１】
［項目１０７ｆ−Ａ３ａ］（検索ワード表示欄）
検索ワード表示欄１０７ｆ−Ａ３ａは、例えば、図４３に示したコンテンツ選択画面１０７ｆのコンテンツ検索入力欄１０７ｆ−１ａで入力されたフリーワードを表示する。
【０４４２】
［項目１０７ｆ−Ａ３ｂ］（フリーワード検索コンテンツ表示選択部）
フリーワード検索コンテンツ表示選択部１０７ｆ−Ａ３ｂは、図４３に示したコンテンツ選択画面１０７ｆのコンテンツ検索入力欄１０７ｆ−１ａで入力されたフリーワードをキーとして、データベース部１０４のコンテンツデータ管理部１０４ｂ、変換コンテンツデータ保管部１０４ｇ、未変換データ格納用サーバ部１５０の未変換コンテンツデータ保管部１５０ａ、ライセンス管理部１５０ｂに記録されている全てのコンテンツに対して検索し、該当するコンテンツ及びそのコンテンツに関するデータをアップロード順に、且つ、例えばマトリクス状に表示して、番組に用いるコンテンツを選択させる機能を備えた表示及び選択入力項目であり、次の項目１０７ｆ−Ａ３ｂ−１〜１０７ｆ−Ａ３ｂ−５を有している。
【０４４３】
［項目１０７ｆ−Ａ３ｂ−１］（検察コンテンツ画像表示部）
検索コンテンツ画像表示部１０７ｆ−Ａ３ｂ−１は、上記の検索キーワードに該当するそれぞれのコンテンツに関し、変換コンテンツデータ保管部１０４ｇ、未変換コンテンツデータ保管部１５０ａから自動的にそれぞれのコンテンツ毎に１枚だけの画像を抽出し、ある特定のサイズに縮小して、その縮小した画像を表示する。
【０４４４】
［項目１０７ｆ−Ａ３ｂ−２］（タイトル名の表示）、［項目１０７ｆ−Ａ３ｂ−３］（評価）
タイトル名の表示１０７ｆ−Ａ３ｂ−２、評価１０７ｆ−Ａ３−３は、コンテンツデータ管理部１０４ｂ、ライセンス管理部１５０ｂに記録されている、上記の検索キーワードに該当するそれぞれのコンテンツに関する情報の表示項目である。
評価１０７ｆ−Ａ３−３は、上記の検索キーワードに該当するそれぞれのコンテンツについて、インターネット放送番組製作会員等により行われ、コンテンツデータ管理部１０４ｂに記録されている評価に応じて５段階の星マークで表示する機能を備えている。
【０４４５】
［項目１０７ｆ−Ａ３ｂ−４］（視聴ボタン）
視聴ボタン１０７ｆ−Ａ３ｂ−４を押すと、システムは、上記の検索キーワードに該当するそれぞれのコンテンツのうち、視聴ボタン１０７ｆ−Ａ３ｂ−４を押したコンテンツの内容を、選択したコンテンツの確認部１０７ｆ−Ａ９に表示し、聴覚で確認できる情報については図示省略したスピーカより流すように構成されている。これにより、システム管理者は、視聴対象として選択したコンテンツを視聴することができる。
【０４４６】
［項目１０７ｆ−Ａ３ｂ−５］（チェックボックス）
チェックボックス１０７ｆ−Ａ３ｂ−５は、番組リストへの追加ボタン１０７ｆ−Ａ５を押したときに処理対象となるコンテンツデータを特定するための入力項目である。
例えば、所望のチェックボックス１０７ｆ−Ａ３ｂ−５にチェックを入れ、番組リストへの追加ボタン１０７ｆ−Ａ５を押すと、システムは、チェックボックス１０７ｆ−Ａ３ｂ−５にチェックが入れられたコンテンツデータを番組設定記録部１０４ｅの「「番組リストへの追加ボタン」を押したときの記録領域」に記録する。これにより、当該コンテンツデータは、番組リストへ追加されることになる。
【０４４７】
［項目１０７ｆ−Ａ３ｃ］（表示頁指定部）
表示頁指定部１０７ｆ−Ａ３ｃは、フリーワード検索コンテンツ表示選択部１０７ｆ−Ａ３ｂにマトリクス状に表示されるコンテンツ及びそのコンテンツに関する検索データが複数頁に及ぶ場合に、所望の頁を指定することで、所望の頁を表示する機能を備えている。
【０４４８】
［項目１０７ｆ−Ａ５］（番組リストへの追加ボタン）
番組リストへの追加ボタン１０７ｆ−Ａ５は、押されたときに、チェックボックス１０７ｆ−Ａ３ｂ−５にチェックが入れられることによって選択されているコンテンツデータを番組設定記録部１０４ｅの「「番組リストへの追加ボタン」を押したときの記録領域」に記録し、当該コンテンツデータを番組リストへ追加する。番組リストへ追加されたコンテンツデータは、後述するコンテンツ，ＲＳＳ＆ＡＴＯＭ，テキスト＆字幕一覧、タグ書き出し(番組制作）画面１０７ｊ（図５４）において一覧表示される。
【０４４９】
［項目１０７ｆ−Ａ９]（選択したコンテンツの確認部）
選択したコンテンツの確認部１０７ｆ−Ａ９は、次の項目１０７ｆ−Ａ９ａ〜１０７ｆ−Ａ９ｊを有し、視聴ボタン１０７ｆ−Ａ３ｂ−４や後述する視聴ボタン１０７ｆ−Ａ９ｈを押すことにより視聴対象として選択されたコンテンツの内容を表示する機能を備えている。
【０４５０】
［項目１０７ｆ−Ａ９ａ］（コンテンツ画像表示部）
本実施形態のシステムでは、視聴対象として選択されたコンテンツに関し、変換コンテンツデータ保管部１０４ｇ、未変換コンテンツデータ保管部１５０ａから自動的に１枚だけの画像を抽出し、ある特定のサイズに縮小して、その縮小した画像をコンテンツ画像表示部１０７ｆ−Ａ９ａにリアルタイムで表示する。
【０４５１】
［項目１０７ｆ−Ａ９ｂ］（タイトル名の表示）、［項目１０７ｆ−Ａ９ｃ］（著作権者、作者名の表示）、［項目１０７ｆ−Ａ９ｄ］（COPYRIGHT（クレジット）の表示）、［項目１０７ｆ−Ａ９ｅ］（使用許諾内容の表示）、［項目１０７ｆ−Ａ９ｆ］（コメントの表示）［項目１０７ｆ−Ａ９ｇ］（評価）
これらの項目は、コンテンツアップロード画面等において入力され、コンテンツデータ管理部１０４ｂ、ライセンス管理部１５０ｂに記録されているコンテンツの利用範囲と著作権に関する情報の表示項目である。使用許諾内容の表示１０７ｆ−Ａ９ｅのデータはアイコンで示されるようになっている。
また、評価１０７ｆ−Ａ９ｇは、視聴対象として選択されたコンテンツについて、インターネット放送番組製作会員等により行われ、コンテンツデータ管理部１０４ｂに記録されている評価に応じて５段階の星マークで表示する機能を備えている。
【０４５２】
［項目１０７ｆ−Ａ９ｈ］（視聴ボタン）
視聴ボタン１０７ｆ−Ａ９ｈを押すと、システムは、視聴対象として選択されたコンテンツの映像及び音声のうち、視覚で確認できる情報について、後述するモニタ画面１０７ｆ−Ａ９ｉに表示し、聴覚で確認できる情報については図示省略したスピーカより流すように構成されている。これにより、システム管理者は、選択したコンテンツを視聴することができる。
【０４５３】
［項目１０７ｆ−Ａ９ｉ］（モニタ画面）
モニタ画面１０７ｆ−Ａ９ｉは、視聴対象として選択されたコンテンツであって、所定の視聴ボタンが押されたコンテンツにおける視覚で確認できる情報を表示面１０７ｆ−Ａ９ｉａに表示する。
なお、逆送り１０７ｆ−Ａ９ｉｂ、開始１０７ｆ−Ａ９ｉｃ、一時停止１０７ｆ−Ａ９ｉｄ、早送り１０７ｆ−Ａ９ｉｅ等の操作ボタンも備えており、それらの操作を介して所望の情報を部分的に表示面１０７ｆ−Ａ９ｉａに表示させることもできるようになっている。
【０４５４】
［項目１０７ｆ−Ａ９ｊ］（評価ボタン）
評価ボタン１０７ｆ−Ａ９ｊは、視聴対象として選択したコンテンツについて、システム管理者が３段階の評価を行うことができる入力項目である。
評価ボタン１０７ｆ−Ａ９ｊは、例えば、「良かった」、「やや良かった」、「つまらなかった」などの選択入力ボタンを備えてなり、システム管理者が、これらのうちのいずれかのボタンを選択入力することができるようになっている。
なお、本実施形態のシステムでは、評価ボタン１０７ｆ−Ａ９ｊにおける評価をポイントに換算して加算・減算を行い、その合計ポイントをコンテンツデータ管理部１０４ｂに記録するようにしている。
その場合の評価ボタンの換算方法は、例えば、「良かった」が＋３ポイント、「やや良かった」が＋１ポイント、「つまらなかった」が−１ポイントとしている。そして、コンテンツデータ管理部１０４ｂに記録された合計ポイント数が８０ポイントを超えるものは、５つの星マーク、６０〜７９ポイントのものは４つの星マーク、４０〜５９ポイントのものは３つの星マーク、２０〜３９ポイントのものは２つの星マーク、０〜１９ポイントのものは１つの星マークを表示し、マイナスポイントのものは星マークを表示しないようにしている。
【０４５５】
フリーワード検索コンテンツ表示及び自動選択ＣＭ表示選択画面１０７ｆ−Ｂ
フリーワード検索コンテンツ表示及び自動選択ＣＭ表示選択画面１０７ｆ−Ｂを図４５に示す。
フリーワード検索コンテンツ表示選択画面１０７ｆ−Ｂは、システム管理者が、例えば、図４３に示したコンテンツ選択画面１０７ｆにおいて、コンテンツ選択用フリーワード検察入力部１０７ｆ−１のコンテンツ検索入力欄１０７ｆ−１ａにフリーワードを入力し、且つ、ＣＭ自動選択オプション指定項目１０７ｆ−１ｃにチェックを入力して、コンテンツ検索ボタン１０７ｆ−１ｂを押した場合に表示される。
また、フリーワード検索コンテンツ表示選択画面１０７ｆ−Ｂは、その他、システム管理者が、例えば、図４３に示したコンテンツ選択画面１０７ｆのコンテンツ選択用フリーワード検察入力部１０７ｆ−１と同様の構成を備えた画面において、コンテンツ検索入力欄１０７ｆ−１ａと同様のコンテンツ検索入力欄にフリーワードを入力し、且つ、ＣＭ自動選択オプション指定項目１０７ｆ−１ｃと同様のＣＭ自動選択オプション指定項目にチェックを入力して、コンテンツ検索ボタン１０７ｆ−１ｂと同様のコンテンツ検索ボタンを押した場合にも表示される。なお、説明の便宜上、以下の説明では、図４３に示したコンテンツ選択画面１０７ｆ、図４４に示したフリーワード検索コンテンツ表示選択画面１０７ｆ−Ａと同様の項目については、詳細な説明は省略する。
【０４５６】
フリーワード検索コンテンツ表示及び自動選択ＣＭ表示選択画面１０７ｆ−Ｂは、コンテンツ選択用フリーワード検察入力部１０７ｆ−Ｂ１と、ＣＭコンテンツ選択用フリーワード検索入力部１０７ｆ−Ｂ２と、自動選択ＣＭ表示付きフリーワード検索結果表示選択部１０７ｆ−Ｂ３と、ＣＭコンテンツ選択用カテゴリ等選択画面切替指示ボタン１０７ｆ−Ｂ４と、選択したコンテンツの確認部１０７ｆ−Ｂ９を備えている。
【０４５７】
［項目１０７ｆ−Ｂ１］（コンテンツ選択用フリーワード検索入力部）、［項目１０７ｆ−Ｂ２］（ＣＭコンテンツ選択用フリーワード検索入力部）、［項目１０７ｆ−Ｂ４］（ＣＭコンテンツ選択用カテゴリ等選択画面切替指示ボタン）
これらは、図４３に示したコンテンツ選択画面１０７ｆにおけるコンテンツ選択用フリーワード検索入力部１０７ｆ−１、ＣＭコンテンツ選択用フリーワード検索入力部１０７ｆ−２、ＣＭコンテンツ選択用カテゴリ選択画面切替指示ボタン１０７ｆ−４と構成及び作用効果が同じである。
【０４５８】
［項目１０７ｆ−Ｂ３］（自動選択ＣＭ表示付きフリーワード検索結果表示選択部）
自動選択ＣＭ表示付きフリーワード検索結果表示選択部１０７ｆ−Ｂ３は、検索ワード表示欄１０７ｆ−Ｂ３ａと、フリーワード検索コンテンツ表示選択部１０７ｆ−Ｂ３ｂと、自動選択ＣＭ表示部１０７ｆ−Ｂ３ｃと、番組リストへの追加ボタン１０７ｆ−Ｂ３ｄと、表示頁指定部１０７ｆ−Ｂ３ｅを有している。
【０４５９】
［項目１０７ｆ−Ｂ３ａ］（検索ワード表示欄）
検索ワード表示欄１０７ｆ−Ｂ３ａは、例えば、図４３に示したコンテンツ選択画面１０７ｆのコンテンツ検索入力欄１０７ｆ−１ａで入力されたフリーワードを表示する。
【０４６０】
［項目１０７ｆ−Ｂ３ｂ］（フリーワード検索コンテンツ表示選択部）
フリーワード検索コンテンツ表示選択部１０７ｆ−Ｂ３ｂは、図４３に示したコンテンツ選択画面１０７ｆのコンテンツ検索入力欄１０７ｆ−１ａで入力されたフリーワードをキーとして、データベース部１０４のコンテンツデータ管理部１０４ｂ、変換コンテンツデータ保管部１０４ｇ、未変換データ格納用サーバ部１５０の未変換コンテンツデータ保管部１５０ａ、ライセンス管理部１５０ｂに記録されている全てのコンテンツに対して検索し、該当するコンテンツ及びそのコンテンツに関するデータをアップロード順に表示して、番組に用いるコンテンツを選択させる機能を備えた表示及び選択入力項目であり、次の項目１０７ｆ−Ｂ３ｂ−１〜１０７ｆ−Ｂ３ｂ−４を有している。
【０４６１】
［項目１０７ｆ−Ｂ３ｂ−１］（検察コンテンツ画像表示部）
検索コンテンツ画像表示部１０７ｆ−Ｂ３ｂ−１は、上記の検索キーワードに該当するそれぞれのコンテンツに関し、変換コンテンツデータ保管部１０４ｇ、未変換コンテンツデータ保管部１５０ａから自動的にそれぞれのコンテンツ毎に１枚だけの画像を抽出し、ある特定のサイズに縮小して、その縮小した画像を表示する。
【０４６２】
［項目１０７ｆ−Ｂ３ｂ−２］（タイトル名の表示）、［項目１０７ｆ−Ｂ３ｂ−３］（評価）
タイトル名の表示１０７ｆ−Ｂ３ｂ−２、評価１０７ｆ−Ｂ３ｂ−３は、コンテンツデータ管理部１０４ｂ、ライセンス管理部１５０ｂに記録されている、上記の検索キーワードに該当するそれぞれのコンテンツに関する情報の表示項目である。
評価１０７ｆ−Ｂ３ｂ−３は、上記の検索キーワードに該当するそれぞれのコンテンツについて、インターネット放送番組製作会員等により行われ、コンテンツデータ管理部１０４ｂに記録されている評価に応じて５段階の星マークで表示する機能を備えている。
【０４６３】
［項目１０７ｆ−Ｂ３ｂ−４］（視聴ボタン）
視聴ボタン１０７ｆ−Ｂ３ｂ−４を押すと、システムは、上記の検索キーワードに該当するそれぞれのコンテンツのうち、視聴ボタン１０７ｆ−Ｂ３ｂ−４を押したコンテンツの内容を、選択したコンテンツの確認部１０７ｆ−Ｂ９に表示し、聴覚で確認できる情報については図示省略したスピーカより流すように構成されている。これにより、システム管理者は、視聴対象として選択したコンテンツを視聴することができる。
【０４６４】
［項目１０７ｆ−Ｂ３ｃ］（自動選択ＣＭ表示選択部）
自動選択ＣＭ表示選択部１０７ｆ−Ｂ３ｃは、上記の検索キーワードに該当するそれぞれのコンテンツ毎に、当該コンテンツのカテゴリに合致したカテゴリのＣＭコンテンツをＣＭデータ管理部１０４ｃ、変換コンテンツデータ保管部１０４ｇ、未変換コンテンツデータ保管部１５０ａ、ライセンス管理部１５０ｂに記録されている全てのＣＭコンテンツから抽出し、抽出（自動選択）したＣＭを、ＣＭコンテンツアップロード画面１０２ｃや視聴率（インプレッション数）／収益確認画面１０２ｅにおけるＣＭ予算１０２ｃ−６，１０２ｅ−５、掲載期間１０２ｃ−５，１０２ｅ−４、インプレッション設定１０２ｅ−７においてそれぞれ設定されたＣＭ予算、掲載期間、目標インプレッションの高い順番で一覧表示して、番組に用いるコンテンツと共に用いるＣＭコンテンツを選択させる機能を備えた表示及び選択表示項目であり、次の項目１０７ｆ−Ｂ３ｃ−１〜１０７ｆ−Ｂ３ｃ−４を有している。
【０４６５】
［項目１０７ｆ−Ｂ３ｃ−１］（自動選択ＣＭコンテンツ画像表示部）
自動選択ＣＭコンテンツ画像表示部１０７ｆ−Ｂ３ｃ−１は、上記の検索キーワードに該当するそれぞれのコンテンツのカテゴリに合致するＣＭコンテンツとして抽出されたそれぞれのＣＭコンテンツに関し、変換コンテンツデータ保管部１０４ｇ、未変換コンテンツデータ保管部１５０ａから自動的にそれぞれのＣＭコンテンツ毎に１枚だけの画像を抽出し、ある特定のサイズに縮小して、その縮小した画像を表示する。
【０４６６】
［項目１０７ｆ−Ｂ３ｃ−２］（タイトル名の表示）
タイトル名の表示１０７ｆ−Ｂ３ｃ−２は、ＣＭデータ管理部１０４ｃ、ライセンス管理部１５０ｂに記録されている、上記の検索キーワードに該当するそれぞれのコンテンツのカテゴリに合致するＣＭコンテンツのタイトル名を表示する表示項目である。
【０４６７】
［項目１０７ｆ−Ｂ３ｃ−３］（視聴ボタン）
視聴ボタン１０７ｆ−Ｂ３ｃ−３を押すと、システムは、上記の検索キーワードに該当するそれぞれのコンテンツのカテゴリに合致するＣＭコンテンツのうち、視聴ボタン１０７ｆ−Ｂ３ｃ−３を押したＣＭコンテンツの内容を、選択したコンテンツの確認部１０７ｆ−Ｂ９に表示し、聴覚で確認できる情報については図示省略したスピーカより流すように構成されている。これにより、システム管理者は、視聴対象として選択したＣＭコンテンツを視聴することができる。
【０４６８】
［項目１０７ｆ−Ｂ３ｃ−４］（チェックボックス）
チェックボックス１０７ｆ−Ｂ３ｃ−４は、番組リストへの追加ボタン１０７ｆ−Ｂ３ｄを押したときに当該コンテンツデータとともに処理対象となるＣＭコンテンツデータを特定するための入力項目である。
例えば、所望のチェックボックス１０７ｆ−Ｂ３ｃ−４にチェックを入れ、番組リストへの追加ボタン１０７ｆ−Ｂ３ｄを押すと、システムは、チェックボックス１０７ｆ−Ｂ３ｃ−４にチェックが入れられたＣＭコンテンツデータを当該コンテンツデータとともに番組設定記録部１０４ｅの「「番組リストへの追加ボタン」を押したときの記録領域」に記録する。これにより、当該ＣＭコンテンツデータは、当該コンテンツデータとともに番組リストへ追加されることになる。
【０４６９】
［項目１０７ｆ−Ｂ３ｄ］（番組リストへの追加ボタン）
番組リストへの追加ボタン１０７ｆ−Ｂ３ｄは、押されたときに、チェックボックス１０７ｆ−Ｂ３ｃ−４にチェックが入れられることによって選択されているＣＭコンテンツデータを当該コンテンツデータとともに番組設定記録部１０４ｅの「「番組リストへの追加ボタン」を押したときの記録領域」に記録し、当該ＣＭコンテンツデータを当該コンテンツデータとともに番組リストへ追加する。番組リストへ追加されたコンテンツデータ及びＣＭコンテンツデータは、後述するコンテンツ，ＲＳＳ＆ＡＴＯＭ，テキスト＆字幕一覧、タグ書き出し(番組制作）画面１０７ｊ（図５４）において一覧表示される。
【０４７０】
［項目１０７ｆ−Ｂ３ｅ］（表示頁指定部）
表示頁指定部１０７ｆ−Ｂ３ｅは、自動選択ＣＭ表示付きフリーワード検索結果表示選択部１０７ｆ−Ｂ３に表示されるコンテンツ、及びそのコンテンツに関する検索データ等が複数頁に及ぶ場合に、所望の頁を指定することで、所望の頁を表示する機能を備えている。
【０４７１】
［項目１０７ｆ−Ｂ９]（選択したコンテンツの確認部）
選択したコンテンツの確認部１０７ｆ−Ｂ９は、図４４に示したフリーワード検索コンテンツ表示選択画面１０７ｆ−Ａにおける選択したコンテンツの確認部１０７ｆ−Ａ９とほぼ同様に構成され、次の項目１０７ｆ−Ｂ９ａ〜１０７ｆ−Ｂ９ｊを有し、視聴ボタン１０７ｆ−Ｂ３ｂ−４、１０７ｆ−Ｂ３ｃ−３や後述する視聴ボタン１０７ｆ−Ｂ９ｈを押すことにより視聴対象として選択されたコンテンツ又はＣＭコンテンツの内容を表示する機能を備えている。
【０４７２】
［項目１０７ｆ−Ｂ９ａ］（コンテンツ画像表示部）
本実施形態のシステムでは、視聴対象として選択されたコンテンツやＣＭコンテンツに関し、変換コンテンツデータ保管部１０４ｇ、未変換コンテンツデータ保管部１５０ａから自動的に１枚だけの画像を抽出し、ある特定のサイズに縮小して、その縮小した画像をコンテンツ画像表示部１０７ｆ−Ｂ９ａにリアルタイムで表示する。
【０４７３】
［項目１０７ｆ−Ｂ９ｂ］（タイトル名の表示）、［項目１０７ｆ−Ｂ９ｃ］（著作権者、作者名の表示）、［項目１０７ｆ−Ｂ９ｄ］（COPYRIGHT（クレジット）の表示）、［項目１０７ｆ−Ｂ９ｅ］（使用許諾内容の表示）、［項目１０７ｆ−Ｂ９ｆ］（コメントの表示）［項目１０７ｆ−Ｂ９ｇ］（評価）
これらの項目は、コンテンツアップロード画面等において入力され、コンテンツデータ管理部１０４ｂ、ＣＭデータ管理部１０４ｃ、ライセンス管理部１５０ｂに記録されているコンテンツやＣＭコンテンツの利用範囲と著作権に関する情報の表示項目である。使用許諾内容の表示１０７ｆ−Ｂ９ｅのデータはアイコンで示されるようになっている。
また、評価１０７ｆ−Ｂ９ｇは、視聴対象として選択されたコンテンツやＣＭコンテンツについて、インターネット放送番組製作会員等により行われ、コンテンツデータ管理部１０４ｂやＣＭデータ管理部１０４ｃに記録されている評価に応じて５段階の星マークで表示する機能を備えている。
【０４７４】
［項目１０７ｆ−Ｂ９ｈ］（視聴ボタン）
視聴ボタン１０７ｆ−Ｂ９ｈを押すと、システムは、視聴対象として選択されたコンテンツやＣＭコンテンツの映像及び音声のうち、視覚で確認できる情報について、後述するモニタ画面１０７ｆ−Ｂ９ｉに表示し、聴覚で確認できる情報については図示省略したスピーカより流すように構成されている。これにより、システム管理者は、選択したコンテンツやＣＭコンテンツを視聴することができる。
【０４７５】
［項目１０７ｆ−Ｂ９ｉ］（モニタ画面）
モニタ画面１０７ｆ−Ｂ９ｉは、視聴対象として選択されたコンテンツ（又はＣＭコンテンツ）であって、所定の視聴ボタンが押されたコンテンツにおける視覚で確認できる情報を表示面１０７ｆ−Ｂ９ｉａに表示する。
なお、逆送り１０７ｆ−Ｂ９ｉｂ、開始１０７ｆ−Ｂ９ｉｃ、一時停止１０７ｆ−Ｂ９ｉｄ、早送り１０７ｆ−Ｂ９ｉｅ等の操作ボタンも備えており、それらの操作を介して所望の情報を部分的に表示面１０７ｆ−Ｂ９ｉａに表示させることもできるようになっている。
【０４７６】
［項目１０７ｆ−Ｂ９ｊ］（評価ボタン）
評価ボタン１０７ｆ−Ｂ９ｊは、視聴対象として選択したコンテンツやＣＭコンテンツについて、システム管理者が３段階の評価を行うことができる入力項目である。
評価ボタン１０７ｆ−Ｂ９ｊは、例えば、「良かった」、「やや良かった」、「つまらなかった」などの選択入力ボタンを備えてなり、システム管理者が、これらのうちのいずれかのボタンを選択入力することができるようになっている。
なお、本実施形態のシステムでは、評価ボタン１０７ｆ−Ｂ９ｊにおける評価をポイントに換算して加算・減算を行い、その合計ポイントをコンテンツデータ管理部１０４ｂやＣＭデータ管理部１０４ｃに記録するようにしている。
その場合の評価ボタンの換算方法は、例えば、「良かった」が＋３ポイント、「やや良かった」が＋１ポイント、「つまらなかった」が−１ポイントとしている。そして、コンテンツデータ管理部１０４ｂに記録された合計ポイント数が８０ポイントを超えるものは、５つの星マーク、６０〜７９ポイントのものは４つの星マーク、４０〜５９ポイントのものは３つの星マーク、２０〜３９ポイントのものは２つの星マーク、０〜１９ポイントのものは１つの星マークを表示し、マイナスポイントのものは星マークを表示しないようにしている。
【０４７７】
選択カテゴリ等検索コンテンツ表示選択画面１０７ｆ−Ｃ
選択カテゴリ等検索コンテンツ表示選択画面１０７ｆ−Ｃを図４７に示す。
選択カテゴリ等検索コンテンツ表示選択画面１０７ｆ−Ｃは、システム管理者が、例えば、図４３に示したコンテンツ選択画面１０７ｆにおいて、コンテンツ選択用フリーワード検察入力部１０７ｆ−１やＣＭコンテンツ選択用フリーワード検索入力部１０７ｆ−２でのフリーワード検索入力操作をしないで、コンテンツ選択用カテゴリ等選択部１０７ｆ−３における、「ＮＥＷコンテンツ」又は、所望のカテゴリの選択ボタンを選択した場合に表示される。
また、選択カテゴリ等検索コンテンツ表示選択画面１０７ｆ−Ｃは、その他、システム管理者が、例えば、図４３に示したコンテンツ選択画面１０７ｆのコンテンツ選択用フリーワード検察入力部１０７ｆ−１、ＣＭコンテンツ選択用フリーワード検索入力部１０７ｆ−２と同様の構成を備えた画面において、コンテンツ選択用フリーワード検察入力部１０７ｆ−１やＣＭコンテンツ選択用フリーワード検索入力部１０７ｆ−２でのフリーワード検索入力操作をしないで、コンテンツ選択用カテゴリ等選択部１０７ｆ−３において、「ＮＥＷコンテンツ」又は、所望のカテゴリの選択ボタンを選択した場合にも表示される。なお、説明の便宜上、以下の説明では、図４３に示したコンテンツ選択画面１０７ｆと同様の項目については、詳細な説明は省略する。
【０４７８】
選択カテゴリ等検索コンテンツ表示選択画面１０７ｆ−Ｃは、コンテンツ選択用フリーワード検察入力部１０７ｆ−Ｃ１と、ＣＭコンテンツ選択用フリーワード検索入力部１０７ｆ−Ｃ２と、選択カテゴリ等検索結果表示選択部１０７ｆ−Ｃ３と、ＣＭコンテンツ選択用カテゴリ等選択画面切替指示ボタン１０７ｆ−Ｃ４と、番組リストへの追加ボタン１０７ｆ−Ｃ５と、選択したコンテンツの確認部１０７ｆ−Ｃ９を備えている。
【０４７９】
［項目１０７ｆ−Ｃ１］（コンテンツ選択用フリーワード検索入力部）、［項目１０７ｆ−Ｃ２］（ＣＭコンテンツ選択用フリーワード検索入力部）、［項目１０７ｆ−Ｃ４］（ＣＭコンテンツ選択用カテゴリ等選択画面切替指示ボタン）、［項目１０７ｆ−Ｃ５］（番組リストへの追加ボタン）、［項目１０７ｆ−Ｃ９]（選択したコンテンツの確認部）
これらは、図４３に示したコンテンツ選択画面１０７ｆにおけるコンテンツ選択用フリーワード検索入力部１０７ｆ−Ａ１、ＣＭコンテンツ選択用フリーワード検索入力部１０７ｆ−Ａ２、ＣＭコンテンツ選択用カテゴリ等選択画面切替指示ボタン１０７ｆ−Ａ４、番組リストへの追加ボタン１０７ｆ−Ａ５、選択したコンテンツの確認部１０７ｆ−Ａ９とそれぞれ構成及び作用効果がほぼ同じである。
【０４８０】
［項目１０７ｆ−Ｃ３］（選択カテゴリ等検索結果表示選択部）
選択カテゴリ等検索結果表示選択部１０７ｆ−Ｃ３は、検索カテゴリ等表示欄１０７ｆ−Ｃ３ａと、選択カテゴリ等検索コンテンツ表示選択部１０７ｆ−Ｃ３ｂと、表示頁指定部１０７ｆ−Ｃ３ｃを有している。
【０４８１】
［項目１０７ｆ−Ｃ３ａ］（検索カテゴリ等表示欄）
検索カテゴリ等表示欄１０７ｆ−Ｃ３ａは、例えば、図４３に示したコンテンツ選択画面１０７ｆのコンテンツ選択用カテゴリ等選択部１０７ｆ−３で選択された「ＮＥＷコンテンツ」やカテゴリを表示する。
【０４８２】
［項目１０７ｆ−Ｃ３ｂ］（フリーワード検索コンテンツ表示選択部）
選択カテゴリ等検索コンテンツ表示選択部１０７ｆ−Ｃ３ｂは、図４３に示したコンテンツ選択画面１０７ｆのコンテンツ選択用カテゴリ等選択部１０７ｆ−３で選択された「ＮＥＷコンテンツ」やカテゴリをキーとして、データベース部１０４のコンテンツデータ管理部１０４ｂ、変換コンテンツデータ保管部１０４ｇ、未変換データ格納用サーバ部１５０の未変換コンテンツデータ保管部１５０ａ、ライセンス管理部１５０ｂに記録されている全てのコンテンツに対して検索し、該当するコンテンツ及びそのコンテンツに関するデータをアップロード順に、且つ、例えばマトリクス状に表示して、番組に用いるコンテンツを選択させる機能を備えた表示及び選択入力項目であり、次の項目１０７ｆ−Ｃ３ｂ−１〜１０７ｆ−Ｃ３ｂ−５を有している。
【０４８３】
［項目１０７ｆ−Ｃ３ｂ−１］（検察コンテンツ画像表示部）、［項目１０７ｆ−Ｃ３ｂ−２］（タイトル名の表示）、［項目１０７ｆ−Ｃ３ｂ−３］（評価）、［項目１０７ｆ−Ｃ３ｂ−４］（視聴ボタン）、［項目１０７ｆ−Ｃ３ｂ−５］（チェックボックス）
これらは、図４３に示したコンテンツ選択画面１０７ｆにおける検察コンテンツ画像表示部１０７ｆ−Ａ３ｂ−１、タイトル名の表示１０７ｆ−Ａ３ｂ−２、評価１０７ｆ−Ａ３ｂ−３、視聴ボタン１０７ｆ−Ａ３ｂ−４、チェックボックス１０７ｆ−Ａ３ｂ−５それぞれ構成及び作用効果がほぼ同じである。
【０４８４】
［項目１０７ｆ−Ｃ３ｃ］（表示頁指定部）
表示頁指定部１０７ｆ−Ｃ３ｃは、選択カテゴリ等検索コンテンツ表示選択部１０７ｆ−Ｃ３ｂにマトリクス状に表示されるコンテンツ及びそのコンテンツに関する検索データが複数頁に及ぶ場合に、所望の頁を指定することで、所望の頁を表示する機能を備えている。
【０４８５】
フリーワード検索ＣＭコンテンツ表示選択画面１０７ｆ−Ｄ
フリーワード検索ＣＭコンテンツ表示選択画面１０７ｆ−Ｄを図４６に示す。
フリーワード検索ＣＭコンテンツ表示選択画面１０７ｆ−Ｄは、システム管理者が、例えば、図４３に示したコンテンツ選択画面１０７ｆにおいて、ＣＭコンテンツ選択用フリーワード検察入力部１０７ｆ−２のＣＭ検索入力欄１０７ｆ−２ａにフリーワードを入力し、且つ、コンテンツ自動選択オプション指定項目１０７ｆ−２ｃにチェックを入力しないで、ＣＭ検索ボタン１０７ｆ−２ｂを押した場合に表示される。
また、フリーワード検索ＣＭコンテンツ表示選択画面１０７ｆ−Ｄは、その他、システム管理者が、図４３に示したコンテンツ選択画面１０７ｆのＣＭコンテンツ選択用フリーワード検察入力部１０７ｆ−２と同様の構成を備えた画面において、ＣＭ検索入力欄１０７ｆ−２ａと同様のＣＭ検索入力欄にフリーワードを入力し、且つ、コンテンツ自動選択オプション指定項目１０７ｆ−２ｃと同様のコンテンツ自動選択オプション指定項目にチェックを入力しないで、ＣＭ検索ボタン１０７ｆ−２ｂと同様のＣＭ検索ボタンを押した場合に表示される。なお、説明の便宜上、以下の説明では、図４３に示したコンテンツ選択画面１０７ｆと同様の項目については、詳細な説明は省略する。
【０４８６】
フリーワード検索ＣＭコンテンツ表示選択画面１０７ｆ−Ｄは、コンテンツ選択用フリーワード検察入力部１０７ｆ−Ｄ１と、ＣＭコンテンツ選択用フリーワード検索入力部１０７ｆ−Ｄ２と、フリーワード検索結果表示選択部１０７ｆ−Ｄ３と、ＣＭコンテンツ選択用カテゴリ等選択画面切替指示ボタン１０７ｆ−Ｄ４と、選択したコンテンツの確認部１０７ｆ−Ｄ９を備えている。
【０４８７】
［項目１０７ｆ−Ｄ１］（コンテンツ選択用フリーワード検索入力部）、［項目１０７ｆ−Ｄ２］（ＣＭコンテンツ選択用フリーワード検索入力部）、［項目１０７ｆ−Ｄ４］（ＣＭコンテンツ選択用カテゴリ等選択画面切替指示ボタン）
これらは、図４３に示したコンテンツ選択画面１０７ｆにおけるコンテンツ選択用フリーワード検索入力部１０７ｆ−１、ＣＭコンテンツ選択用フリーワード検索入力部１０７ｆ−２、ＣＭコンテンツ選択用カテゴリ選択画面切替指示ボタン１０７ｆ−４と構成及び作用効果が同じである。
【０４８８】
［項目１０７ｆ−Ｄ３］（フリーワード検索結果表示選択部）
フリーワード検索結果表示選択部１０７ｆ−Ｄ３は、検索ワード表示欄１０７ｆ−Ｄ３ａと、フリーワード検索ＣＭコンテンツ表示選択部１０７ｆ−Ｄ３ｂと、表示頁指定部１０７ｆ−Ｄ３ｃを有している。
【０４８９】
［項目１０７ｆ−Ｄ３ａ］（検索ワード表示欄）
検索ワード表示欄１０７ｆ−Ｄ３ａは、例えば、図４３に示したコンテンツ選択画面１０７ｆのＣＭ検索入力欄１０７ｆ−２ａで入力されたフリーワードを表示する。
【０４９０】
［項目１０７ｆ−Ｄ３ｂ］（フリーワード検索ＣＭコンテンツ表示選択部）
フリーワード検索ＣＭコンテンツ表示選択部１０７ｆ−Ｄ３ｂは、図４３に示したコンテンツ選択画面１０７ｆのＣＭ検索入力欄１０７ｆ−２ａで入力されたフリーワードをキーとして、データベース部１０４のＣＭデータ管理部１０４ｃ、変換コンテンツデータ保管部１０４ｇ、未変換データ格納用サーバ部１５０の未変換コンテンツデータ保管部１５０ａ、ライセンス管理部１５０ｂに記録されている全てのＣＭコンテンツに対して検索し、該当するＣＭコンテンツ及びそのＣＭコンテンツに関するデータをアップロード順に一覧表示して、番組に用いるＣＭコンテンツを選択させる機能を備えた表示及び選択入力項目であり、次の項目１０７ｆ−Ｄ３ｂ−１〜１０７ｆ−Ｄ３ｂ−５を有している。
【０４９１】
［項目１０７ｆ−Ｄ３ｂ−１］（検察ＣＭコンテンツ画像表示部）
検索ＣＭコンテンツ画像表示部１０７ｆ−Ｄ３ｂ−１は、上記の検索キーワードに該当するそれぞれのＣＭコンテンツに関し、変換コンテンツデータ保管部１０４ｇ、未変換コンテンツデータ保管部１５０ａから自動的にそれぞれのＣＭコンテンツ毎に１枚だけの画像を抽出し、ある特定のサイズに縮小して、その縮小した画像を表示する。
【０４９２】
［項目１０７ｆ−Ｄ３ｂ−２］（タイトル名の表示）
タイトル名の表示１０７ｆ−Ｄ３ｂ−２は、ＣＭデータ管理部１０４ｃ、ライセンス管理部１５０ｂに記録されている、上記の検索キーワードに該当するそれぞれのＣＭコンテンツのタイトル名を表示する表示項目である。
【０４９３】
［項目１０７ｆ−Ｄ３ｂ−３］（視聴ボタン）
視聴ボタン１０７ｆ−Ｄ３ｂ−３を押すと、システムは、上記の検索キーワードに該当するそれぞれのＣＭコンテンツのうち、視聴ボタン１０７ｆ−Ｄ３ｂ−３を押したＣＭコンテンツの内容を、選択したコンテンツの確認部１０７ｆ−Ｄ９に表示し、聴覚で確認できる情報については図示省略したスピーカより流すように構成されている。これにより、システム管理者は、視聴対象として選択したＣＭコンテンツを視聴することができる。
【０４９４】
［項目１０７ｆ−Ｄ３ｂ−４］（チェックボックス）
チェックボックス１０７ｆ−Ｄ３ｂ−４は、番組リストへの追加ボタン１０７ｆ−Ｄ３ｂ−５を押したときに処理対象となるＣＭコンテンツデータを特定するための入力項目である。
例えば、所望のチェックボックス１０７ｆ−Ｄ３ｂ−４にチェックを入れ、番組リストへの追加ボタン１０７ｆ−Ｄ３ｂ−５を押すと、システムは、チェックボックス１０７ｆ−Ｄ３ｂ−４にチェックが入れられたＣＭコンテンツデータを番組設定記録部１０４ｅの「「番組リストへの追加ボタン」を押したときの記録領域」に記録する。これにより、当該コンテンツデータは、番組リストへ追加されることになる。
【０４９５】
［項目１０７ｆ−Ｄ３ｂ−５］（番組リストへの追加ボタン）
番組リストへの追加ボタン１０７ｆ−Ｄ３ｂ−５は、押されたときに、チェックボックス１０７ｆ−Ｄ３ｂ−４にチェックが入れられることによって選択されているＣＭコンテンツデータを番組設定記録部１０４ｅの「「番組リストへの追加ボタン」を押したときの記録領域」に記録し、当該ＣＭコンテンツデータを番組リストへ追加する。番組リストへ追加されたＣＭコンテンツデータは、後述するコンテンツ，ＲＳＳ＆ＡＴＯＭ，テキスト＆字幕一覧、タグ書き出し(番組制作）画面１０７ｊ（図５４）において一覧表示される。
【０４９６】
［項目１０７ｆ−Ｄ３ｃ］（表示頁指定部）
表示頁指定部１０７ｆ−Ｄ３ｃは、フリーワード検索ＣＭコンテンツ表示選択部１０７ｆ−Ｄ３ｂに表示されるＣＭコンテンツ、及びそのＣＭコンテンツに関する検索データ等が複数頁に及ぶ場合に、所望の頁を指定することで、所望の頁を表示する機能を備えている。
【０４９７】
［項目１０７ｆ−Ｄ９]（選択したコンテンツの確認部）
選択したコンテンツの確認部１０７ｆ−Ｄ９は、図４４に示したフリーワード検索コンテンツ表示選択画面１０７ｆ−Ａにおける選択したコンテンツの確認部１０７ｆ−Ａ９とほぼ同様に構成され、次の項目１０７ｆ−Ｄ９ａ〜１０７ｆ−Ｄ９ｊを有し、視聴ボタン１０７ｆ−Ｄ３ｂ−３や後述する視聴ボタン１０７ｆ−Ｄ９ｈを押すことにより視聴対象として選択されたＣＭコンテンツの内容を表示する機能を備えている。
【０４９８】
［項目１０７ｆ−Ｄ９ａ］（コンテンツ画像表示部）
本実施形態のシステムでは、視聴対象として選択されたＣＭコンテンツに関し、変換コンテンツデータ保管部１０４ｇ、未変換コンテンツデータ保管部１５０ａから自動的に１枚だけの画像を抽出し、ある特定のサイズに縮小して、その縮小した画像をコンテンツ画像表示部１０７ｆ−Ｄ９ａにリアルタイムで表示する。
【０４９９】
［項目１０７ｆ−Ｄ９ｂ］（タイトル名の表示）、［項目１０７ｆ−Ｄ９ｃ］（著作権者、作者名の表示）、［項目１０７ｆ−Ｄ９ｄ］（COPYRIGHT（クレジット）の表示）、［項目１０７ｆ−Ｄ９ｅ］（使用許諾内容の表示）、［項目１０７ｆ−Ｄ９ｆ］（コメントの表示）［項目１０７ｆ−Ｄ９ｇ］（評価）
これらの項目は、ＣＭコンテンツアップロード画面において入力され、ＣＭデータ管理部１０４ｃ、ライセンス管理部１５０ｂに記録されているＣＭコンテンツの利用範囲と著作権に関する情報の表示項目である。使用許諾内容の表示１０７ｆ−Ｄ９ｅのデータはアイコンで示されるようになっている。
また、評価１０７ｆ−Ｄ９ｇは、視聴対象として選択されたＣＭコンテンツについて、インターネット放送番組製作会員等により行われ、ＣＭデータ管理部１０４ｃに記録されている評価に応じて５段階の星マークで表示する機能を備えている。
【０５００】
［項目１０７ｆ−Ｄ９ｈ］（視聴ボタン）
視聴ボタン１０７ｆ−Ｄ９ｈを押すと、システムは、視聴対象として選択されたＣＭコンテンツの映像及び音声のうち、視覚で確認できる情報について、後述するモニタ画面１０７ｆ−Ｄ９ｉに表示し、聴覚で確認できる情報については図示省略したスピーカより流すように構成されている。これにより、システム管理者は、選択したＣＭコンテンツを視聴することができる。
【０５０１】
［項目１０７ｆ−Ｄ９ｉ］（モニタ画面）
モニタ画面１０７ｆ−Ｄ９ｉは、視聴対象として選択されたＣＭコンテンツであって、所定の視聴ボタンが押されたＣＭコンテンツにおける視覚で確認できる情報を表示面１０７ｆ−Ｄ９ｉａに表示する。
なお、逆送り１０７ｆ−Ｄ９ｉｂ、開始１０７ｆ−Ｄ９ｉｃ、一時停止１０７ｆ−Ｄ９ｉｄ、早送り１０７ｆ−Ｄ９ｉｅ等の操作ボタンも備えており、それらの操作を介して所望の情報を部分的に表示面１０７ｆ−Ｄ９ｉａに表示させることもできるようになっている。
【０５０２】
［項目１０７ｆ−Ｄ９ｊ］（評価ボタン）
評価ボタン１０７ｆ−Ｄ９ｊは、視聴対象として選択したＣＭコンテンツについて、システム管理者が３段階の評価を行うことができる入力項目である。
評価ボタン１０７ｆ−Ｄ９ｊは、例えば、「良かった」、「やや良かった」、「つまらなかった」などの選択入力ボタンを備えてなり、システム管理者が、これらのうちのいずれかのボタンを選択入力することができるようになっている。
なお、本実施形態のシステムでは、評価ボタン１０７ｆ−Ｄ９ｊにおける評価をポイントに換算して加算・減算を行い、その合計ポイントをＣＭデータ管理部１０４ｃに記録するようにしている。
その場合の評価ボタンの換算方法は、例えば、「良かった」が＋３ポイント、「やや良かった」が＋１ポイント、「つまらなかった」が−１ポイントとしている。そして、コンテンツデータ管理部１０４ｂに記録された合計ポイント数が８０ポイントを超えるものは、５つの星マーク、６０〜７９ポイントのものは４つの星マーク、４０〜５９ポイントのものは３つの星マーク、２０〜３９ポイントのものは２つの星マーク、０〜１９ポイントのものは１つの星マークを表示し、マイナスポイントのものは星マークを表示しないようにしている。
【０５０３】
フリーワード検索ＣＭコンテンツ表示及び自動選択コンテンツ表示選択画面１０７ｆ−Ｅ
フリーワード検索ＣＭコンテンツ表示及び自動選択コンテンツ表示選択画面１０７ｆ−Ｅを図４９に示す。
フリーワード検索ＣＭコンテンツ表示及び自動選択コンテンツ表示選択画面１０７ｆ−Ｅは、システム管理者が、例えば、図４３に示したコンテンツ選択画面１０７ｆにおいて、ＣＭコンテンツ選択用フリーワード検察入力部１０７ｆ−２のＣＭ検索入力欄１０７ｆ−２ａにフリーワードを入力し、且つ、コンテンツ自動選択オプション指定項目１０７ｆ−２ｃにチェックを入力して、ＣＭ検索ボタン１０７ｆ−２ｂを押した場合に表示される。
また、フリーワード検索ＣＭコンテンツ表示及び自動選択コンテンツ表示選択画面１０７ｆ−Ｅは、その他、システム管理者が、図４３に示したコンテンツ選択画面１０７ｆのＣＭコンテンツ選択用フリーワード検察入力部１０７ｆ−２と同様の構成を備えた画面において、ＣＭ検索入力欄１０７ｆ−２ａと同様のＣＭ検索入力欄にフリーワードを入力し、且つ、コンテンツ自動選択オプション指定項目１０７ｆ−２ｃと同様のコンテンツ自動選択オプション指定項目にチェックを入力して、ＣＭ検索ボタン１０７ｆ−２ｂと同様のＣＭ検索ボタンを押した場合にも表示される。なお、説明の便宜上、以下の説明では、図４３に示したコンテンツ選択画面１０７ｆと同様の項目については、詳細な説明は省略する。
【０５０４】
フリーワード検索ＣＭコンテンツ表示及び自動選択コンテンツ表示選択画面１０７ｆ−Ｅは、コンテンツ選択用フリーワード検察入力部１０７ｆ−Ｅ１と、ＣＭコンテンツ選択用フリーワード検索入力部１０７ｆ−Ｅ２と、自動選択コンテンツ表示付きフリーワード検索結果表示選択部１０７ｆ−Ｅ３と、ＣＭコンテンツ選択用カテゴリ等選択画面切替指示ボタン１０７ｆ−Ｅ４と、選択したコンテンツの確認部１０７ｆ−Ｅ９を備えている。
【０５０５】
［項目１０７ｆ−Ｅ１］（コンテンツ選択用フリーワード検索入力部）、［項目１０７ｆ−Ｅ２］（ＣＭコンテンツ選択用フリーワード検索入力部）、［項目１０７ｆ−Ｅ４］（ＣＭコンテンツ選択用カテゴリ等選択画面切替指示ボタン）
これらは、図４３に示したコンテンツ選択画面１０７ｆにおけるコンテンツ選択用フリーワード検索入力部１０７ｆ−１、ＣＭコンテンツ選択用フリーワード検索入力部１０７ｆ−２、ＣＭコンテンツ選択用カテゴリ選択画面切替指示ボタン１０７ｆ−４と構成及び作用効果が同じである。
【０５０６】
［項目１０７ｆ−Ｅ３］（自動選択コンテンツ表示付きフリーワード検索結果表示選択部）
自動選択コンテンツ表示付きフリーワード検索結果表示選択部１０７ｆ−Ｅ３は、検索ワード表示欄１０７ｆ−Ｅ３ａと、フリーワード検索ＣＭ表示選択部１０７ｆ−Ｅ３ｂと、自動選択コンテンツ表示部１０７ｆ−Ｅ３ｃと、番組リストへの追加ボタン１０７ｆ−Ｅ３ｄと、表示頁指定部１０７ｆ−Ｅ３ｅを有している。
【０５０７】
［項目１０７ｆ−Ｅ３ａ］（検索ワード表示欄）
検索ワード表示欄１０７ｆ−Ｅ３ａは、例えば、図４３に示したコンテンツ選択画面１０７ｆのＣＭ検索入力欄１０７ｆ−２ａで入力されたフリーワードを表示する。
【０５０８】
［項目１０７ｆ−Ｅ３ｂ］（フリーワード検索ＣＭ表示選択部）
フリーワード検索ＣＭ表示選択部１０７ｆ−Ｅ３ｂは、図４３に示したコンテンツ選択画面１０７ｆのＣＭ検索入力欄１０７ｆ−１ａで入力されたフリーワードをキーとして、データベース部１０４のＣＭデータ管理部１０４ｂ、変換コンテンツデータ保管部１０４ｇ、未変換データ格納用サーバ部１５０の未変換コンテンツデータ保管部１５０ａ、ライセンス管理部１５０ｂに記録されている全てのＣＭコンテンツに対して検索し、該当するＣＭコンテンツ及びそのＣＭコンテンツに関するデータをアップロード順に表示して、番組に用いるＣＭコンテンツを選択させる機能を備えた表示及び選択入力項目であり、次の項目１０７ｆ−Ｅ３ｂ−１〜１０７ｆ−Ｅ３ｂ−４を有している。
【０５０９】
［項目１０７ｆ−Ｅ３ｂ−１］（検察ＣＭコンテンツ画像表示部）
検索ＣＭコンテンツ画像表示部１０７ｆ−Ｅ３ｂ−１は、上記の検索キーワードに該当するそれぞれのＣＭコンテンツに関し、変換コンテンツデータ保管部１０４ｇ、未変換コンテンツデータ保管部１５０ａから自動的にそれぞれのＣＭコンテンツ毎に１枚だけの画像を抽出し、ある特定のサイズに縮小して、その縮小した画像を表示する。
【０５１０】
［項目１０７ｆ−Ｅ３ｂ−２］（タイトル名の表示）、［項目１０７ｆ−Ｅ３ｂ−３］（評価）
タイトル名の表示１０７ｆ−Ｅ３ｂ−２、評価１０７ｆ−Ｅ３ｂ−３は、コンテンツデータ管理部１０４ｂ、ライセンス管理部１５０ｂに記録されている、上記の検索キーワードに該当するそれぞれのＣＭコンテンツに関する情報の表示項目である。
評価１０７ｆ−Ｅ３ｂ−３は、上記の検索キーワードに該当するそれぞれのＣＭコンテンツについて、インターネット放送番組製作会員等により行われ、ＣＭデータ管理部１０４ｂに記録されている評価に応じて５段階の星マークで表示する機能を備えている。
【０５１１】
［項目１０７ｆ−Ｅ３ｂ−４］（視聴ボタン）
視聴ボタン１０７ｆ−Ｅ３ｂ−４を押すと、システムは、上記の検索キーワードに該当するそれぞれのＣＭコンテンツのうち、視聴ボタン１０７ｆ−Ｅ３ｂ−４を押したＣＭコンテンツの内容を、選択したコンテンツの確認部１０７ｆ−Ｅ９に表示し、聴覚で確認できる情報については図示省略したスピーカより流すように構成されている。これにより、システム管理者は、視聴対象として選択したＣＭコンテンツを視聴することができる。
【０５１２】
［項目１０７ｆ−Ｅ３ｃ］（自動選択コンテンツ表示選択部）
自動選択コンテンツ表示選択部１０７ｆ−Ｅ３ｃは、上記の検索キーワードに該当するそれぞれのＣＭコンテンツ毎に、当該ＣＭコンテンツのカテゴリに合致したカテゴリのコンテンツをコンテンツデータ管理部１０４ｂ、変換コンテンツデータ保管部１０４ｇ、未変換コンテンツデータ保管部１５０ａ、ライセンス管理部１５０ｂに記録されている全てのコンテンツから抽出し、抽出（自動選択）したコンテンツを、視聴数（インプレッション数）と視聴者が番組の感想を伝えるための機能として設けた受信端末配信ツール６０２のアンケート６０２ｇにある(1)良かった(2)やや良かった(3)つまらなかったのうちの(1)のチェック数の多い順に一覧表示して、番組に用いるＣＭコンテンツと共に用いるコンテンツを選択させる機能を備えた表示及び選択表示項目であり、次の項目１０７ｆ−Ｅ３ｃ−１〜１０７ｆ−Ｅ３ｃ−４を有している。
【０５１３】
［項目１０７ｆ−Ｅ３ｃ−１］（自動選択コンテンツ画像表示部）
自動選択コンテンツ画像表示部１０７ｆ−Ｅ３ｃ−１は、上記の検索キーワードに該当するそれぞれのＣＭコンテンツのカテゴリに合致するコンテンツとして抽出されたそれぞれのコンテンツに関し、変換コンテンツデータ保管部１０４ｇ、未変換コンテンツデータ保管部１５０ａから自動的にそれぞれのコンテンツ毎に１枚だけの画像を抽出し、ある特定のサイズに縮小して、その縮小した画像を表示する。
【０５１４】
［項目１０７ｆ−Ｅ３ｃ−２］（タイトル名の表示）
タイトル名の表示１０７ｆ−Ｅ３ｃ−２は、コンテンツデータ管理部１０４ｂ、ライセンス管理部１５０ｂに記録されている、上記の検索キーワードに該当するそれぞれのＣＭコンテンツのカテゴリに合致するコンテンツのタイトル名を表示する表示項目である。
【０５１５】
［項目１０７ｆ−Ｅ３ｃ−３］（視聴ボタン）
視聴ボタン１０７ｆ−Ｅ３ｃ−３を押すと、システムは、上記の検索キーワードに該当するそれぞれのＣＭコンテンツのカテゴリに合致するコンテンツのうち、視聴ボタン１０７ｆ−Ｂ３ｃ−３を押したコンテンツの内容を、選択したコンテンツの確認部１０７ｆ−Ｅ９に表示し、聴覚で確認できる情報については図示省略したスピーカより流すように構成されている。これにより、インターネット放送番組制作会員は、視聴対象として選択したコンテンツを視聴することができる。
【０５１６】
［項目１０７ｆ−Ｅ３ｃ−４］（チェックボックス）
チェックボックス１０７ｆ−Ｅ３ｃ−４は、番組リストへの追加ボタン１０７ｆ−Ｅ３ｄを押したときに当該ＣＭコンテンツデータとともに処理対象となるコンテンツデータを特定するための入力項目である。
例えば、所望のチェックボックス１０７ｆ−Ｅ３ｃ−４にチェックを入れ、番組リストへの追加ボタン１０７ｆ−Ｅ３ｄを押すと、システムは、チェックボックス１０７ｆ−Ｅ３ｃ−４にチェックが入れられたコンテンツデータを当該ＣＭコンテンツデータとともに番組設定記録部１０４ｅの「「番組リストへの追加ボタン」を押したときの記録領域」に記録する。これにより、当該コンテンツデータは、当該ＣＭコンテンツデータとともに番組リストへ追加されることになる。
【０５１７】
［項目１０７ｆ−Ｅ３ｄ］（番組リストへの追加ボタン）
番組リストへの追加ボタン１０７ｆ−Ｅ３ｄは、押されたときに、チェックボックス１０７ｆ−Ｅ３ｃ−４にチェックが入れられることによって選択されているコンテンツデータを当該ＣＭコンテンツデータとともに番組設定記録部１０４ｅの「「番組リストへの追加ボタン」を押したときの記録領域」に記録し、当該コンテンツデータを当該ＣＭコンテンツデータとともに番組リストへ追加する。番組リストへ追加されたコンテンツデータ及びＣＭコンテンツデータは、後述するコンテンツ，ＲＳＳ＆ＡＴＯＭ，テキスト＆字幕一覧、タグ書き出し(番組制作）画面１０７ｊ（図５４）において一覧表示される。
【０５１８】
［項目１０７ｆ−Ｅ３ｅ］（表示頁指定部）
表示頁指定部１０７ｆ−Ｅ３ｅは、自動選択コンテンツ表示付きフリーワード検索結果表示選択部１０７ｆ−Ｅ３に表示されるＣＭコンテンツ、及びそのＣＭコンテンツに関する検索データ等が複数頁に及ぶ場合に、所望の頁を指定することで、所望の頁を表示する機能を備えている。
【０５１９】
［項目１０７ｆ−Ｅ９]（選択したコンテンツの確認部）
選択したコンテンツの確認部１０７ｆ−Ｅ９は、図４５に示したフリーワード検索コンテンツ表示及び自動選択ＣＭ表示選択画面１０７ｆ−Ｂにおける選択したコンテンツの確認部１０７ｆ−Ｂ９と構成及び作用効果がほぼ同じである。
【０５２０】
ＣＭコンテンツ選択用カテゴリ等選択画面１０７ｆ−Ｆ
ＣＭコンテンツ選択用カテゴリ等選択画面１０７ｆ−Ｆを図４８に示す。
ＣＭコンテンツ選択用カテゴリ等選択画面１０７ｆ−Ｆは、システム管理者が、例えば、図４３に示したコンテンツ選択画面１０７ｆにおいて、コンテンツ選択用フリーワード検察入力部１０７ｆ−１やＣＭコンテンツ選択用フリーワード検索入力部１０７ｆ−２でのフリーワード検索入力操作や、コンテンツ選択用カテゴリ等選択部１０７ｆ−３の選択操作をしないで、ＣＭコンテンツ選択用カテゴリ等選択画面切替指示ボタン１０７ｆ−４を押した場合に表示される。
また、ＣＭコンテンツ選択用カテゴリ等選択画面１０７ｆ−Ｆは、その他、システム管理者が、図４３に示したコンテンツ選択画面１０７ｆのＣＭコンテンツ選択用カテゴリ等選択画面切替指示ボタン１０７ｆ−４と同様のＣＭコンテンツ選択用カテゴリ等選択画面切替指示ボタンを備えた画面において、そのＣＭコンテンツ選択用カテゴリ等選択画面切替指示ボタンを押した場合にも表示される。なお、説明の便宜上、以下の説明では、図４３に示したコンテンツ選択画面１０７ｆと同様の項目については、詳細な説明は省略する。
【０５２１】
ＣＭコンテンツ選択用カテゴリ等選択画面１０７ｆ−Ｆは、コンテンツ選択用フリーワード検察入力部１０７ｆ−Ｆ１と、ＣＭコンテンツ選択用フリーワード検索入力部１０７ｆ−Ｆ２と、ＣＭコンテンツ選択用カテゴリ等選択部１０７ｆ−Ｆ３と、ＣＭコンテンツ選択用カテゴリ等選択画面切替指示ボタン１０７ｆ−Ｆ４を備えている。
【０５２２】
［項目１０７ｆ−Ｆ１］（コンテンツ選択用フリーワード検索入力部）、［項目１０７ｆ−Ｆ２］（ＣＭコンテンツ選択用フリーワード検索入力部）、［項目１０７ｆ−Ｆ４］（ＣＭコンテンツ選択用カテゴリ等選択画面切替指示ボタン）
これらは、図４３に示したコンテンツ選択画面１０７ｆにおけるコンテンツ選択用フリーワード検索入力部１０７ｆ−１、ＣＭコンテンツ選択用フリーワード検索入力部１０７ｆ−２、ＣＭコンテンツ選択用カテゴリ選択画面切替指示ボタン１０７ｆ−４と構成及び作用効果が同じである。
【０５２３】
［項目１０７ｆ−Ｆ３］（ＣＭコンテンツ選択用カテゴリ等選択部）
ＣＭコンテンツ選択用カテゴリ等選択部１０７ｆ−Ｆ３は、「ＮＥＷコンテンツ」（過去数日間にアップロードされた最も新しいコンテンツ）とともに、カテゴリの大項目としての「映像」，「音楽」，「ＶＯＩＣＥ」，「効果音／ｅｔｃ」，「インタラクション／ゲーム／ｅｔｃ」，「画像／イラスト／ｅｔｃ」、「映像」に対するカテゴリの中項目としての「ＭＯＶＩＥ」，「アニメーション」，「ニュース＆ビジネス経済」，「スポーツ」，「エンターテイメント」，「外国語放送」，「バラエティ」、「音楽」に対するカテゴリの中項目としての「Ｊ−ＰＯＰ」，「ＲＯＣＫ」，「ＤＡＮＣＥ」，「ＳＯＵＬ」、「ＶＯＩＣＥ」に対するカテゴリの中項目としての「実況中継」，「会話・議論」、「効果音／ｅｔｃ」に対するカテゴリの中項目としての「自然」，「乗り物」、「インタラクション／ゲーム／ｅｔｃ」に対するカテゴリの中項目としての「アクションゲーム」，「知能」、「画像／イラスト／ｅｔｃ」に対するカテゴリの中項目としての「写真」を選択ボタンとして備えている。
【０５２４】
そして、本実施形態のシステムでは、コンテンツ選択用フリーワード検察入力部１０７ｆ−Ｆ１やＣＭコンテンツ選択用フリーワード検索入力部１０７ｆ−Ｆ２でのフリーワード検索入力操作をしないで、ＣＭコンテンツ選択用カテゴリ等選択部１０７ｆ−３において、「ＮＥＷコンテンツ」又は、所望のカテゴリの選択ボタンを選択した場合、選択カテゴリ等検索ＣＭコンテンツ表示選択画面１０７ｆ−Ｇ（図５０）にスキップする。
【０５２５】
選択カテゴリ等検索ＣＭコンテンツ表示選択画面１０７ｆ−Ｇ
選択カテゴリ等検索ＣＭコンテンツ表示選択画面１０７ｆ−Ｇを図５０に表示する。
選択カテゴリ等検索ＣＭコンテンツ表示選択画面１０７ｆ−Ｇは、システム管理者が、図４８に示したＣＭコンテンツ選択用カテゴリ等選択画面１０７ｆ−Ｆにおける、「ＮＥＷコンテンツ」又は、所望のカテゴリの選択ボタンを選択した場合に表示される。なお、説明の便宜上、以下の説明では、図４３に示したコンテンツ選択画面１０７ｆと同様の項目については、詳細な説明は省略する。
【０５２６】
選択カテゴリ等検索ＣＭコンテンツ表示選択画面１０７ｆ−Ｇは、コンテンツ選択用フリーワード検察入力部１０７ｆ−Ｇ１と、ＣＭコンテンツ選択用フリーワード検索入力部１０７ｆ−Ｇ２と、選択カテゴリ等検索結果表示選択部１０７ｆ−Ｇ３と、ＣＭコンテンツ選択用カテゴリ等選択画面切替指示ボタン１０７ｆ−Ｇ４と、番組リストへの追加ボタン１０７ｆ−Ｇ５と、選択したコンテンツの確認部１０７ｆ−Ｇ９を備えている。
【０５２７】
［項目１０７ｆ−Ｇ１］（コンテンツ選択用フリーワード検索入力部）、［項目１０７ｆ−Ｇ２］（ＣＭコンテンツ選択用フリーワード検索入力部）、［項目１０７ｆ−Ｇ４］（ＣＭコンテンツ選択用カテゴリ等選択画面切替指示ボタン）
これらは、図４３に示したコンテンツ選択画面１０７ｆにおけるコンテンツ選択用フリーワード検索入力部１０７ｆ−１、ＣＭコンテンツ選択用フリーワード検索入力部１０７ｆ−２、ＣＭコンテンツ選択用カテゴリ選択画面切替指示ボタン１０７ｆ−４と構成及び作用効果が同じである。
【０５２８】
［項目１０７ｆ−Ｇ３］（選択カテゴリ等検索結果表示選択部）
選択カテゴリ等検索結果表示選択部１０７ｆ−Ｇ３は、検索カテゴリ等表示欄１０７ｆ−Ｇ３ａと、選択カテゴリ等検索ＣＭコンテンツ表示選択部１０７ｆ−Ｇ３ｂと、表示頁指定部１０７ｆ−Ｇ３ｃを有している。
【０５２９】
［項目１０７ｆ−Ｇ３ａ］（検索カテゴリ等表示欄）
検索カテゴリ等表示欄１０７ｆ−Ｇ３ａは、図４８に示したＣＭコンテンツ選択用カテゴリ等選択画面１０７ｆ−ＦのＣＭコンテンツ選択用カテゴリ等選択部１０７ｆ−Ｆ３で選択された「ＮＥＷコンテンツ」やカテゴリを表示する。
【０５３０】
［項目１０７ｆ−Ｇ３ｂ］（選択カテゴリ等検索ＣＭコンテンツ表示選択部）
選択カテゴリ等検索ＣＭコンテンツ表示選択部１０７ｆ−Ｇ３ｂは、図２９で示したＣＭコンテンツ選択用カテゴリ等選択画面１０７ｆ−ＦのＣＭコンテンツ選択用カテゴリ等選択部１０７ｆ−Ｆ３で選択された「ＮＥＷコンテンツ」やカテゴリをキーとして、データベース部１０４のＣＭデータ管理部１０４ｃ、変換コンテンツデータ保管部１０４ｇ、未変換データ格納用サーバ部１５０の未変換コンテンツデータ保管部１５０ａ、ライセンス管理部１５０ｂに記録されている全てのＣＭコンテンツに対して検索し、該当するＣＭコンテンツ及びそのＣＭコンテンツに関するデータをアップロード順に一覧表示して、番組に用いるＣＭコンテンツを選択させる機能を備えた表示及び選択入力項目であり、次の項目１０７ｆ−Ｇ３ｂ−１〜１０７ｆ−Ｇ３ｂ−５を有している。
【０５３１】
［項目１０７ｆ−Ｇ３ｂ−１］（検察ＣＭコンテンツ画像表示部）、［項目１０７ｆ−Ｇ３ｂ−２］（タイトル名の表示）、［項目１０７ｆ−Ｄ３ｂ−３］（視聴ボタン）、［項目１０７ｆ−Ｇ３ｂ−４］（チェックボックス）、［項目１０７ｆ−Ｇ３ｂ−５］（番組リストへの追加ボタン）
これらは、図４６に示したフリーワード検索ＣＭコンテンツ表示選択画面１０７ｆｅ−Ｄにおける検索ＣＭコンテンツ画像表示部１０７ｆ−Ｄ３ｂ−１、タイトル名の表示１０７ｆ−Ｄ３ｂ−２、視聴ボタン１０７ｆ−Ｄ３ｂ−３、チェックボックス１０７ｆ−Ｄ３ｂ−４、及び番組リストへの追加ボタン１０７ｆ−Ｄ３ｂ−５と、それぞれ構成及び作用効果がほぼ同じである。
【０５３２】
［項目１０７ｆ−Ｇ９]（選択したコンテンツの確認部）
選択したコンテンツの確認部１０７ｆ−Ｇ９は、図４６に示したフリーワード検索ＣＭコンテンツ表示選択画面１０７ｆ−Ｄにおける選択したコンテンツの確認部１０７ｆ−Ｄ９と構成及び作用効果はほぼ同じである。
【０５３３】
ＲＳＳ＆ＡＴＯＭ＆テキスト設定画面１０７ｇ
ＲＳＳ＆ＡＴＯＭ＆テキスト設定画面１０７ｇを図５１に示す。
ＲＳＳ＆ＡＴＯＭ＆テキスト設定は、システム管理者を除いては、ＲＳＳ＆ＡＴＯＭ＆テキスト設定画面１０３ｉにおいてインターネット放送番組制作Ａ会員及びＢ会員が行うことができるようになっている。
なお、ＲＳＳ＆ＡＴＯＭ＆テキスト設定画面１０７ｇは、一部の領域にサンプル受信端末配信ツール６０１の画面が表示されるようにレイアウトされている。
ＲＳＳ＆ＡＴＯＭ＆テキスト設定画面１０７ｇは、ＲＳＳ＆ＡＴＯＭ入力部１０７ｇ−１と、テキスト入力部１０７ｇ−２と、サンプル画面表示指示ボタン１０７ｇ−３と、ＲＳＳ＆ＡＴＯＭ＆テキスト登録ボタン１０７ｇ−４を備えている。
【０５３４】
［項目１０７ｇ−１］（ＲＳＳ＆ＡＴＯＭ入力部）
ＲＳＳやＡＴＯＭとは、見出しや要約などのメタデータを構造化して記述するＸＭＬベースのフォーマットである。
システムは、ＲＳＳ＆ＡＴＯＭ入力部１０７ｇ−１に入力されたＲＳＳ＆ＡＴＯＭを、ＲＳＳ＆ＡＴＯＭ＆テキスト登録ボタン１０７ｇ−４が押された場合に、受信端末配信ツール６０２のＲＳＳ＆ＡＴＯＭ用テキスト表示部６０２ａに表示し、入力された１つ以上のＲＳＳ＆ＡＴＯＭを順番にリピート表示することができるように構成されている。
ＲＳＳ＆ＡＴＯＭ入力部１０７ｇ−１は、カテゴリ選択ボタン１０７ｇ−１ａと、カテゴリ小項目入力欄１０７ｇ−１ｂと、ＲＳＳ−ＡＴＯＭ入力欄１０７ｇ−１ｃと、ＲＳＳ＆ＡＴＯＭ共有ボタン１０７ｇ−１ｄを有している。
【０５３５】
［項目１０７ｇ−１ａ］（カテゴリ選択ボタン）
カテゴリ選択ボタン１０７ｇ−１ａは、例えば、図４２に示したシステム管理者提供コンテンツアップロード画面１０７ｅのカテゴリ選択１０７ｅ−２におけるプルダウンボタン１０７ｅ−２と同様の機能を備えている。
即ち、システム管理者が、カテゴリ選択ボタン１０７ｇ−１ａを押すと、システムは、例えば、図７に示したのと同様に、カテゴリの大項目としての「映像」，「音楽」，「ＶＯＩＣＥ」，「効果音／ｅｔｃ」，「インタラクション／ゲーム／ｅｔｃ」，「画像／イラスト／ｅｔｃ」、「映像」に対するカテゴリの中項目としての「ＭＯＶＩＥ」，「アニメーション」，「ニュース＆ビジネス経済」，「スポーツ」，「エンターテイメント」，「外国語放送」，「バラエティ」、「音楽」に対するカテゴリの中項目としての「Ｊ−ＰＯＰ」，「ＲＯＣＫ」，「ＤＡＮＣＥ」，「ＳＯＵＬ」、「ＶＯＩＣＥ」に対するカテゴリの中項目としての「実況中継」，「会話・議論」、「効果音／ｅｔｃ」に対するカテゴリの中項目としての「自然」，「乗り物」、「インタラクション／ゲーム／ｅｔｃ」に対するカテゴリの中項目としての「アクションゲーム」，「知能」、「画像／イラスト／ｅｔｃ」に対するカテゴリの中項目としての「写真」を選択肢として表示する。そして、インターネット放送番組製作会員が、表示されたカテゴリの中から番組内容に合致する大、中項目のカテゴリを選択入力することができるようになっている。
【０５３６】
［項目１０７ｇ−１ｂ］（カテゴリ小項目入力欄）
カテゴリ小項目入力欄１０７ｇ−１ｂは、例えば、図４２に示した番組制作者提供コンテンツアップロード画面１０７ｅのカテゴリ選択１０７ｅ−２におけるテキスト入力欄１０７ｅ−２ｂと同様の機能を備えている。
即ち、カテゴリ小項目入力欄１０７ｅ−１ｂには、カテゴリの中項目の下位概念に相当する小項目としてのカテゴリ名を、インターネット放送番組製作会員が任意に入力することができるようになっている。
【０５３７】
［項目１０７ｇ−１ｃ］（ＲＳＳ＆ＡＴＯＭ入力欄）
ＲＳＳ＆ＡＴＯＭ入力欄１０７ｇ−１ｃは、見出しや要約などのメタデータを構造化して記述されるＸＭＬベースのフォーマットであるＲＳＳ＆ＡＴＯＭを、番組に利用するためのコンテンツとして入力するための入力欄である。
【０５３８】
［項目１０７ｇ−１ｄ］（ＲＳＳ＆ＡＴＯＭ共有ボタン）
ＲＳＳ＆ＡＴＯＭ共有ボタン１０７ｇ−１ｄは、ＲＳＳ＆ＡＴＯＭ入力欄１０７ｇ−１ｃで入力したＲＳＳ＆ＡＴＯＭコンテンツの、インターネット放送番組製作会員に対する利用を許可するためのボタンである。
ＲＳＳ＆ＡＴＯＭ共有ボタン１０７ｇ−１ｄを押すと、システムは、後述のＲＳＳ＆ＡＴＯＭ＆テキスト登録ボタン１０３ｆ−４が押されたときに、ウェブサーバ部１０５の入出力制御部１０５ｆを介してコンテンツＩＤを作成し、共有情報をコンテンツデータ管理部１０４ｂに記録する。また、ＲＳＳ＆ＡＴＯＭ入力欄１０７ｇ−１ｃで入力したＲＳＳ＆ＡＴＯＭコンテンツデータを、当該コンテンツＩＤを付与して変換コンテンツデータ保管部１０４ｇ、未変換データ格納用サーバ部１５０の未変換コンテンツデータ保管部１５０ａに記録する。
そして、本実施形態のシステムでは、ＲＳＳ＆ＡＴＯＭ共有ボタン１０７ｇ−１ｄが押されることにより共有情報を記録したＲＳＳ＆ＡＴＯＭコンテンツデータを、図３８に示したシステム管理者管理画面入室画面１０７ａにおけるライセンス設定１０７ａ−３において設定されたディフォルトのライセンスとは無関係に、Ａ会員又はＢ会員としての資格を持つインターネット放送番組製作会員であれば誰でも利用することができるようにしている。
なお、ＲＳＳ＆ＡＴＯＭ共有ボタン１０７ｇ−１ｄは、再度の押下により、ＲＳＳ＆ＡＴＯＭコンテンツデータの共有と共有解除とを切替設定することができるようになっている。
【０５３９】
[項目１０７ｇ−２]（テキスト入力部）
システムは、テキスト入力部１０７ｇ−２に入力されたテキストを、ＲＳＳ＆ＡＴＯＭ＆テキスト登録ボタン１０７ｇ−４が押された場合に、受信端末配信ツール６０２のＲＳＳ＆ＡＴＯＭ用テキスト表示部６０２ａに表示し、入力された１つ以上のテキストを順番にリピート表示することができるように構成されている。
テキスト入力部１０７ｇ−２は、カテゴリ選択ボタン１０７ｇ−２ａと、カテゴリ小項目入力欄１０７ｇ−２ｂと、テキスト入力欄１０７ｇ−２ｃと、テキスト共有ボタン１０７ｇ−２ｄを有している。
【０５４０】
［項目１０７ｇ−２ａ］（カテゴリ選択ボタン）、［項目１０７ｇ−２ｂ］（カテゴリ小項目入力欄）
これらは、ＲＳＳ＆ＡＴＯＭ入力部１０７ｇ−１におけるカテゴリ選択ボタン１０７ｇ−１ａ、カテゴリ小項目入力欄１０７ｇ−１ｂと構成が同じである。
【０５４１】
［項目１０７ｇ−２ｃ］（テキスト入力欄）
テキスト入力欄１０７ｇ−２ｃは、所定のテキストデータを、番組に利用するためのコンテンツとして入力するための入力欄である。
【０５４２】
［項目１０７ｇ−２ｄ］（テキスト共有ボタン）
テキスト共有ボタン１０７ｇ−２ｄは、テキスト入力欄１０７ｇ−２ｃで入力したテキストコンテンツの、インターネット放送番組製作会員に対する利用を許可するためのボタンである。
テキスト共有ボタン１０７ｇ−２ｄを押すと、システムは、後述のＲＳＳ＆ＡＴＯＭ＆テキスト登録ボタン１０７ｇ−４が押されたときに、ウェブサーバ部１０５の入出力制御部１０５ｆを介してコンテンツＩＤを作成し、共有情報をコンテンツデータ管理部１０４ｂに記録する。また、ＲＳＳ＆ＡＴＯＭ入力欄１０７ｇ−１ｃで入力したＲＳＳ＆ＡＴＯＭコンテンツデータを、当該コンテンツＩＤを付与して変換コンテンツデータ保管部１０４ｇ、未変換データ格納用サーバ部１５０の未変換コンテンツデータ保管部１５０ａに記録する。
そして、本実施形態のシステムでは、テキスト共有ボタン１０７ｇ−２ｄが押されることにより共有情報を記録したテキストコンテンツデータを、図３８に示したシステム管理者管理画面入室画面１０７ａにおけるライセンス設定１０７ａ−３において設定されたディフォルトのライセンスとは無関係に、Ａ会員又はＢ会員としての資格を持つインターネット放送番組製作会員であれば誰でも利用することができるようにしている。
なお、テキスト共有ボタン１０７ｇ−２ｄを再度の押下により、テキストコンテンツデータの共有と共有解除とを切替設定することができるようになっている。
【０５４３】
[項目１０７ｇ−３]（サンプル画面表示指示ボタン）
サンプル画面表示指示（サンプル画面で見る）ボタン１０７ｇ−３を押すと、システムは、項目１０７ｇ−１（ＲＳＳ＆ＡＴＯＭ入力部）〜１０７ｇ−２（テキスト入力部）の各段での設定内容をサンプル受信端末配信ツール６０１のＲＳＳ用テキスト表示部６０１ａへ反映して表示する。
【０５４４】
[項目１０７ｇ−４]（ＲＳＳ＆ＡＴＯＭ＆テキスト登録ボタン）
ＲＳＳ＆ＡＴＯＭ＆テキスト登録ボタン１０７ｇ−４を押すと、システムは、項目１０７ｇ−１〜１０７ｇ−２の各段での設定内容について、コンテンツ／ＣＭ受信部１０５ｅを経由し、図２に示したウェブサーバ部１０５の入出力制御部１０５ｆを介してコンテンツＩＤを作成し、コンテンツデータ管理部１０４ｂに記録する。また、ＲＳＳ＆ＡＴＯＭ入力欄１０７ｇ−１ｃで入力したＲＳＳ＆ＡＴＯＭコンテンツデータ、及びテキスト入力欄１０７ｇ−２ｃで入力したテキストコンテンツデータを、当該コンテンツＩＤを付与して変換コンテンツデータ保管部１０４ｇに記録する。
また、システムは、ＲＳＳ＆ＡＴＯＭ入力欄１０７ｇ−１ｃで入力したＲＳＳ＆ＡＴＯＭコンテンツデータ、及びテキスト入力欄１０７ｇ−２ｃで入力したテキストコンテンツデータを、コンテンツ／ＣＭ受信部１０５ｅを経由し、そのままのデータ形式で、未変換データ格納用サーバ部１５０の未変換コンテンツデータ保管部１５０ａに記録する。
これにより、共有設定されたＲＳＳ＆ＡＴＯＭコンテンツデータ及びテキストコンテンツデータは、インターネット放送番組製作会員が使用可能な状態となる。
なお、変換コンテンツデータ保管部１０４ｇ及びコンテンツデータ管理部１０４ｂ、未変換コンテンツデータ保管部１５０ａに記録されたＲＳＳ＆ＡＴＯＭコンテンツデータ、及びテキストコンテンツデータは、システム管理者が提供した他のコンテンツデータと同様に、システム管理者管理画面入室画面１０７ａのライセンス設定１０７ａ−３において設定したライセンス内容がディフォルト適用される。
【０５４５】
テキスト＆字幕設定画面１０７ｈ
テキスト＆字幕設定画面１０７ｈを図５２に示す。
テキスト＆字幕設定は、システム管理者を除いては、テキスト＆字幕設定画面１０３ｇにおいてインターネット放送番組制作Ａ会員及びＢ会員が行うことができるようになっている。
なお、テキスト＆字幕設定画面１０７ｈは、一部の領域にサンプル受信端末配信ツール６０１の画面が表示されるようにレイアウトされている。
テキスト＆字幕設定画面１０７ｈは、テキスト＆字幕入力部１０７ｈ−１と、サンプル画面表示指示ボタン１０７ｈ−２と、テキスト＆字幕登録ボタン１０７ｈ−３を備えている。
【０５４６】
[項目１０７ｈ−１]（テキスト＆字幕入力部）
システムは、テキスト＆字幕入力部１０７ｈ−１に入力したテキスト＆字幕を、テキスト＆字幕登録ボタン１０７ｈ−３が押された場合に、受信端末配信ツール６０２の字幕、テキスト表示部６０２ｃに表示し、入力された１つ以上のテキスト＆字幕を順番にリピート表示することができるように構成されている。
テキスト＆字幕入力部１０７ｈ−１は、カテゴリ選択ボタン１０７ｈ−１ａと、カテゴリ小項目入力欄１０７ｈ−１ｂと、テキスト＆字幕入力欄１０７ｈ−１ｃと、テキスト＆字幕共有ボタン１０７ｈ−１ｄを有している。
【０５４７】
［項目１０７ｈ−１ａ］（カテゴリ選択ボタン）、［項目１０７ｈ−１ｂ］（カテゴリ小項目入力欄）
これらは、図５１に示したＲＳＳ＆ＡＴＯＭ＆テキスト設定画面１０７ｇのＲＳＳ＆ＡＴＯＭ入力部１０７ｇ−１におけるカテゴリ選択ボタン１０７ｇ−１ａ、カテゴリ小項目入力欄１０７ｇ−１ｂと構成が同じである。
【０５４８】
［項目１０７ｈ−１ｃ］（テキスト＆字幕入力欄）
テキスト＆字幕入力欄１０７ｈ−１ｃは、所定のテキスト＆字幕データを、番組に利用するためのコンテンツとして入力するための入力欄である。
【０５４９】
［項目１０７ｈ−１ｄ］（テキスト＆字幕共有ボタン）
テキスト＆字幕共有ボタン１０７ｈ−１ｄは、テキスト等字幕入力欄１０７ｈ−１ｃで入力したテキスト＆字幕コンテンツの、インターネット放送番組製作会員に対する利用を許可するためのボタンである。
テキスト＆字幕共有ボタン１０７ｈ−１ｄを押すと、システムは、後述のテキスト＆字幕登録ボタン１０７ｈ−３が押されたときに、ウェブサーバ部１０５の入出力制御部１０５ｆを介してコンテンツＩＤを作成し、共有情報をコンテンツデータ管理部１０４ｂに記録する。また、テキスト＆字幕入力欄１０７ｈ−１ｃで入力したテキスト＆字幕コンテンツデータを、当該コンテンツＩＤを付与して変換コンテンツデータ保管部１０４ｇ、未変換データ格納用サーバ部１５０の未変換コンテンツデータ保管部１５０ａに記録する。
そして、本実施形態のシステムでは、テキスト＆字幕共有ボタン１０７ｈ−１ｄが押されることにより共有情報を記録したテキスト＆字幕コンテンツデータを、図３８に示したシステム管理者管理画面入室画面１０７ａにおけるライセンス設定１０７ａ−３において設定されたディフォルトのライセンスとは無関係に、Ａ会員又はＢ会員としての資格を持つインターネット放送番組製作会員であれば誰でも利用することができるようにしている。
なお、テキスト＆字幕共有ボタン１０７ｈ−１ｄを再度の押下により、テキスト＆字幕コンテンツデータの共有と共有解除とを切替設定することができるようになっている。
【０５５０】
[項目１０７ｈ−２]（サンプル画面表示指示ボタン）
サンプル画面表示指示（サンプル画面で見る）ボタン１０７ｈ−２を押すと、システムは、項目１０７ｈ−１（テキスト＆字幕入力部）の各段での設定内容をサンプル受信端末配信ツール６０１のＲＳＳ用テキスト表示部６０１ａへ反映して表示する。
【０５５１】
[項目１０７ｈ−３]（テキスト＆字幕登録ボタン）
テキスト＆字幕登録ボタン１０７ｈ−３を押すと、システムは、テキスト＆字幕入力部１０７ｈ−１の各段での設定内容について、コンテンツ／ＣＭ受信部１０５ｅを経由し、図２に示したウェブサーバ部１０５の入出力制御部１０５ｆを介してコンテンツＩＤを作成し、コンテンツデータ管理部１０４ｂに記録する。また、テキスト＆字幕入力欄１０７ｈ−１ｃで入力したテキスト＆字幕コンテンツデータを、当該コンテンツＩＤを付与して変換コンテンツデータ保管部１０４ｇに記録する。
また、システムは、テキスト＆字幕入力欄１０７ｈ−１ｃで入力したテキスト＆字幕コンテンツデータを、コンテンツ／ＣＭ受信部１０５ｅを経由し、そのままのデータ形式で、未変換データ格納用サーバ部１５０の未変換コンテンツデータ保管部１５０ａに記録する。
これにより、共有設定されたテキスト＆字幕コンテンツデータは、インターネット放送番組製作会員が使用可能な状態となる。
なお、変換コンテンツデータ保管部１０４ｇ及びコンテンツデータ管理部１０４ｂ、未変換コンテンツデータ保管部１５０ａに記録されたテキスト＆字幕コンテンツデータは、システム管理者が提供した他のコンテンツデータと同様に、システム管理者管理画面入室画面１０７ａのライセンス設定１０７ａ−３において設定したライセンス内容がディフォルト適用される。
【０５５２】
録画・録音設定画面１０７ｉ
録画・録音設定画面１０７ｉを図５３に示す。
録画・録音設定は、システム管理者を除いては、録画・録音設定画面１０３ｈにおいてインターネット放送番組制作Ａ会員及びＢ会員が行うことができるようになっている。
なお、録画・録音設定画面１０７ｉは、一部の領域にサンプル受信端末配信ツール６０１の画面が表示されるようにレイアウトされている。
録画・録音設定画面１０７ｉは、リアルタイム録画・録音操作部１０７ｉ−１と、リアルタイム録画・録音データ再生部１０７ｉ−２と、リアルタイム録画・録音データ関連テキストデータ入力部１０７ｉ−３と、保存ボタン１０７ｉ−４と、キャンセルボタン１０７ｉ−５と、削除ボタン１０７ｉ−６を備えている。
【０５５３】
［項目１０７ｉ−１］（リアルタイム録画・録音操作部）
リアルタイム録画・録音操作部１０７ｉ−１は、リアルタイム録画・録音ボタン１０７ｉ−１ａと、録画・録音データ再生ボタン１０７ｉ−１ｂと、操作停止ボタン１０７ｉ−１ｃを有している。
【０５５４】
[項目１０７ｉ−１ａ]（リアルタイム録画・録音ボタン）
本実施形態のシステムでは、インターネット放送番組製作者としてのシステム管理者のパソコン端末７００とＷＥＢカメラもしくはデジタルカメラなどの外部端末との接続を確認し、リアルタイム録画・録音ボタン１０７ｉ−１ａを押すと、外部端末からの映像や音声を図示省略した作業領域に一時的に取り込むことができるようになっている。
【０５５５】
[項目１０７ｉ−１ｂ]（録画・録音データ再生ボタン）
録画・録音再生ボタン１０７ｉ−１ｂを押すと、リアルタイム録画・録音ボタンを介して作業領域に一時的に取り込まれた映像データが、後述のリアルタイム録画・録音データ再生部１０７ｉ−２のスクリーン１０７ｉ−２ａ等に表示される。また、データに音声を伴う場合には、図示省略したスピーカより音声が流れる。これにより、データの内容を確認することができる。
【０５５６】
[項目１０７ｉ−１ｃ]（操作停止ボタン）
また、操作停止ボタン１０７ｉ−１ｃを押すと、スクリーン１０７ｉ−２ａに表示等されているデータの再生、又は、リアルタイム録画・録音を停止する。
【０５５７】
［項目１０７ｉ−２］（リアルタイム録画・録音データ再生部）
リアルタイム録画・録音データ再生部１０７ｉ−２は、スクリーン１０７ｉ−２ａと、再生割合及び再生時間表示部１０７ｉ−２ｂと、図示省略したスピーカとを有している。
【０５５８】
［項目１０７ｉ−２ａ］（スクリーン）
スクリーン１０７ｉ−２ａは、録画・録音再生ボタン１０７ｉ−１ｂが押されたときに、リアルタイム録画・録音ボタンを介して作業領域に一時的に取り込まれた映像データを表示する表示手段である。
【０５５９】
［項目１０７ｉ−２ｂ］（再生割合及び再生時間表示部）
再生割合及び再生時間表示部１０７ｉ−２ｂは、録画・録音再生ボタン１０７ｉ−１ｂが押されることによって、スクリーン１０７ｉ−２ａや図示省略したスピーカを介して再生されている映像や音声データの現時点での再生割合及び再生時間を表示するように構成されている。
【０５６０】
［項目１０７ｉ−３］（リアルタイム録画・録音データ関連テキストデータ入力部）
リアルタイム録画・録音データ関連テキストデータ入力部１０７ｉ−３は、タイトル入力欄１０７ｉ−３ａと、コメント入力欄１０７ｉ−３ｂを有している。
【０５６１】
［項目１０７ｉ−３ａ］（タイトル入力欄）、［項目１０７ｉ−３ｂ］（コメント入力欄）
タイトル入力欄１０７ｉ−３ａは、リアルタイム録画、録音したデータのタイトルをテキスト入力するための入力項目である。
また、コメント入力欄１０７ｉ−３ｂは、リアルタイム録画、録音したデータについてのコメントをテキスト入力するための入力項目である。
【０５６２】
［項目１０７ｉ−４］（保存ボタン）
保存ボタン１０７ｉ−４を押すと、システムは、入出力制御部１０５ｆを介してコンテンツＩＤを作成し、リアルタイム録画・録音操作部１０７ｉ−１を介して作業領域に一時的に取り込んだ映像や音声データを、コンテンツ／ＣＭ受信部１０５ｅを経由し、コンテンツデータ変換部１０５ｉで番組配信用データにデータ形式を変換し、作成したコンテンツＩＤとともに変換コンテンツデータ保管部１０４ｇに記録する。また、リアルタイム録画・録音データ関連テキストデータ入力部１０７ｉ−３で入力した入力内容を、当該コンテンツＩＤとともにコンテンツデータ管理部１０４ｂに記録する。
なお、変換コンテンツデータ保管部１０４ｇ及びコンテンツデータ管理部１０４ｂに記録されたリアルタイム録画・録音データには、システム管理者が提供した他のコンテンツデータと同様に、システム管理者管理画面入室画面１０７ａのライセンス設定１０７ａ−３において設定したライセンス内容がディフォルト適用される。
【０５６３】
［項目１０７ｉ−５］（キャンセルボタン）
キャンセルボタン１０７ｉ−５を押すと、システムは、リアルタイム録画・録音操作部１０７ｉ−１を介して作業領域に一時的に取り込まれた映像や音声データ、及びリアルタイム録画・録音データ関連テキストデータ入力部１０７ｉ−３に入力した入力内容を削除する。
【０５６４】
［項目１０７ｉ−６］（削除ボタン）
削除ボタン１０７ｉ−６は、保存したリアルタイム録音、録画データをすぐに削除する場合にのみ有効に機能する処理ボタンである。
削除ボタン１０７ｉ−６を押すと、システムは、保存ボタン１０７ｉ−４を介して変換コンテンツデータ保管部１０４ｇにコンテンツデータとして記録されたリアルタイム録画・録音データ、及びコンテンツデータ管理部１０４ｂに記録された、リアルタイム録画・録音データ関連テキストデータ入力部１０７ｉ−３での入力内容を削除する。
【０５６５】
コンテンツ，ＲＳＳ＆ＡＴＯＭ，テキスト＆字幕一覧、タグ書き出し（番組制作）画面１０７ｊ
コンテンツ，ＲＳＳ＆ＡＴＯＭ，テキスト＆字幕一覧、タグ書き出し(番組制作）画面１０７ｊを図５４に示す。
なお、システムは、この画面においては、ＲＳＳ＆ＡＴＯＭ＆テキスト設定画面１０７ｇ（図５１）での入力を介してコンテンツデータ管理部１０４ｂや変換コンテンツデータ保管部１０４ｇに記録されたＲＳＳ＆ＡＴＯＭ＆テキストデータと、テキスト＆字幕設定画面１０７ｈ（図５２）での入力を介してコンテンツデータ管理部１０４ｂや変換コンテンツデータ保管部１０４ｇに記録されたテキスト＆字幕データと、それ以外のＣＭコンテンツデータを含めたコンテンツデータとを、区別している。
なお、コンテンツ，ＲＳＳ＆ＡＴＯＭ，テキスト＆字幕一覧、タグ書き出し（番組制作）画面１０７ｊは、一部の領域にサンプル受信端末配信ツール６０１の画面が表示されるようにレイアウトされている。
コンテンツ，ＲＳＳ＆ＡＴＯＭ，テキスト＆字幕一覧、タグ書き出し（番組制作）画面１０７ｊは、コンテンツ一覧表示部１０７ｊ−１と、ＲＳＳ＆ＡＴＯＭ＆テキスト一覧表示部１０７ｊ−２と、テキスト＆字幕一覧表示部１０７ｊ−３を備えている。
【０５６６】
[項目１０７ｊ−１］（コンテンツ一覧表示部）
コンテンツ一覧表示部１０７ｊ−１は、コンテンツアップロード画面１０１ｃ、ＣＭコンテンツアップロード画面１０２ｃ、番組制作者提供コンテンツアップロード画面１０３ｄ、及びシステム管理者提供コンテンツアップロード画面１０７ｅでアップロードされたコンテンツ、並びに録画・録音設定画面１０３ｈ、及び録画・録音設定画面１０７ｉを介して設定されたコンテンツのうち、コンテンツ選択画面１０７ｆで選択され、番組設定記録部１０４ｅの「「番組リストへ追加」ボタンを押したときに記録される項目」に記録されているコンテンツＩＤに対応するデータをコンテンツデータ管理部１０４ｂ，ＣＭデータ管理部から抽出して所定の順番に一覧表示するとともに、一覧表示されているコンテンツの番組への配信順を編集する機能、一覧表示されているコンテンツを編集した配信順でインターネット放送番組の放送枠の一部に共通に設けられているシステム放送枠内へ登録する機能、編集した配信順のコンテンツの組合せ全体を一つのコンテンツとしてインターネット放送番組製作会員が利用できるようにする機能、編集した配信順のコンテンツの組合せ全体を一つのＣＭコンテンツとしてインターネット放送番組製作会員が利用できるようにする機能、一覧表示されているＣＭコンテンツ以外の所望のコンテンツをＣＭコンテンツとしてインターネット放送番組製作会員が利用できるようにする機能、及び受信端末配信ツール６０２にシステム放送枠内番組を配信するためのタグ書き出し機能を備えている。
詳しくは、コンテンツ一覧表示部１０７ｊ−１は、次の項目１０７ｊ−１−１〜１０７ｊ−１−１７を有している。
【０５６７】
[項目１０７ｊ−１−１ａ，ｂ]（表示頁指定部）
表示頁指定部１０７ｊ−１−１ａ，１０７ｊ−１−１ｂは、コンテンツ一覧表示部１０７ｊ−１に表示されるデータが複数頁に及ぶ場合に、テキスト入力ボックス１０７ｊ−１−１ａに数字を入力し、ＧＯボタン１０７ｊ−１−１ｂを押すことで、所望の頁を表示する機能を備えている。
【０５６８】
[項目１０７ｊ−１−２]（チェックボックス）
チェックボックス１０７ｊ−１−２は、後述の削除ボタン１０７ｊ−１−１２、サンプル画面表示指示ボタン１０７ｊ−１−１３、システム放送枠内への登録ボタン１０７ｊ−１−１４などの処理ボタンを押したときに処理対象となるコンテンツデータを特定するための入力項目である。
例えば、所望のチェックボックス１０７ｊ−１−２にチェックを入れ、削除ボタン１０７ｊ−１−１２を押すと、チェックボックス１０７ｊ−１−２にチェックが入れられたコンテンツデータのコンテンツ一覧表示部１０７ｊ−１上での表示を削除する。さらに、システムは、番組設定記録部１０４ｅの「「番組リストへ追加」ボタンを押したときに記録される項目」に記録されているコンテンツＩＤのうち、チェックボックス１０７ｊ−１−２にチェックが入れられているコンテンツデータのコンテンツＩＤを削除する。
【０５６９】
[項目１０７ｊ−１−３]（配信順位）
システムは、初期表示（ディフォルト）状態においては、番組設定記録部１０４ｅの「「番組リストへ追加」ボタンを押したときに記録される項目」に記録されているコンテンツＩＤに対応するデータをコンテンツデータ管理部１０４ｂ，ＣＭデータ管理部から抽出し、抽出されたコンテンツデータの更新日順に番号を割り当てて配信順位１０７ｊ−１−３に表示する。
配信順位１０７ｊ−１−３は、番号を変更することで、１番組内におけるコンテンツの配信順を変えることができる機能を備えた入力項目である。変更した配信順位は、後述のサンプル画面表示指示ボタン１０７ｊ−１−１３を押すことで、サンプル配信ツール画面６０１へと反映させることができるようになっている。
また、後述するシステム放送枠内への登録ボタン１０７ｊ−１−１４を押すと、押したときに配信順位１０７ｊ−１−３に設定されている配信順でもってシステム放送枠内番組を受信端末配信ツール６０２に反映させることができるようになっている。
【０５７０】
[項目１０７ｊ−１−４]（データ種類）
データ種類１０７ｊ−１−４は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されているデータ種類の、i)動画データ、ii）写真データ、iii）デザインデータ、iv）イラストデータ、ｖ）音楽データ、vi）音声データ、vii）テキストデータ、の区別が一目で分かり易くなるように、それぞれの種類に対応したアイコンを表示する機能を備えた表示項目である。
【０５７１】
[項目１０７ｊ−１−５]（コンテンツＩＤ）
コンテンツＩＤ１０７ｊ−１−５は、番組設定記録部１０４ｅの「「番組リストへ追加」ボタンを押したときに記録される項目」に記録されている、各コンテンツに固有の識別情報を表示する機能を備えた表示項目である。
【０５７２】
[項目１０７ｊ−１−６]（カテゴリ）
カテゴリ１０７ｊ−１−６は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されているカテゴリを表示する機能を備えた表示項目である。
【０５７３】
［項目１０７ｊ−１−７］（タイトル）
タイトル１０７ｊ−１−７は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されているタイトルを表示する機能を備えた表示項目である。
【０５７４】
[項目１０７ｊ−１−８]（更新日）
更新日１０７ｊ−１−８は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されている、コンテンツのアップロードを行った日時を表示する機能を備えた表示項目である。
【０５７５】
[項目１０７ｊ−１−９]（時間）
時間１０７ｊ−１−９は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されている時間であって、コンテンツをリアルタイム録音、録画した場合において、図示しないタイマーを介して計測されたコンテンツ視聴時間を表示する機能を備えた表示項目である。
【０５７６】
[項目１０７ｊ−１−１０]（サイズ）
サイズ１０７ｊ−１−１０は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されているコンテンツのサイズ（容量）を表示する機能を備えた表示項目である。
【０５７７】
[項目１０７ｊ−１−１１]（ライセンス）
ライセンス１０７ｊ−１−１１は、番組設定記録部１０４ｅの「「番組リストへ追加」ボタンを押したときに記録される項目」に記録されているコンテンツＩＤに対応するデータにおける、コンテンツデータ管理部１０４ｂやＣＭデータ管理部１０４ｃに記録されているコンテンツのライセンス種類に応じたライセンスマークを表示する機能を備えた表示項目である。
コンテンツのライセンスマークは、例えば、図６に示したコンテンツアップロード画面１０１ｃにおける項目１０１ｃ−４−１（提供するコンテンツを利用することができる主体の範囲（選択入力））〜１０１ｃ−４−３（提供するコンテンツを営利目的で利用することへの許可・不許可（選択入力））の選択内容に対応して付加される所定のライセンス種類であって、その内容が分かり易くなるように図案化したアイコンである。また、ライセンス１０３ｉ−１−１１では、システム管理者本人が提供したコンテンツについてのみライセンス設定を再設定することができるように、プルダウンボタンを押すことによって、システム管理者提供コンテンツアップロード画面１０７ｅにおける項目１０７ｅ−４−１〜１０７ｅ−４−３と同様の項目についての選択入力が可能な画面（図示省略）を表示するように構成されている。
【０５７８】
[項目１０７ｊ−１−１２]（削除）
削除ボタン１０７ｊ−１−１２を押すと、システムは、チェックボックス１０７ｊ−１−２にチェックが入れられているコンテンツデータのコンテンツ一覧表示部１０７ｊ−１上での表示を削除する。さらに、システムは、番組設定記録部１０４ｅの「「番組リストへ追加」ボタンを押したときに記録される項目」に記録されているコンテンツＩＤのうち、チェックボックス１０７ｊ−１−２にチェックが入れられているコンテンツデータのコンテンツＩＤを削除する。
【０５７９】
[項目１０７ｊ−１−１３]（サンプル画面表示指示ボタン）
サンプル画面表示指示（サンプル画面で見る）ボタン１０７ｊ−１−１３を押すと、システムは、チェックボックス１０７ｊ−１−２にチェックが入れられているコンテンツに関する項目１０７ｊ−１−３（配信順位）〜項目１０７ｊ−１−１１（ライセンス）の内容及び未変換コンテンツデータ保管部１０４ｇから抽出した当該コンテンツデータを、サンプル受信端末配信ツール６０１の映像、アニメーション表示部６０１ｂ、字幕、テキスト表示部６０１ｃへ反映するとともに、メニューボタン６０１ｇ−ａの操作を介して、項目１０７ｊ−１−１１（ライセンス）の内容を反映したメニュー表示スクリーン６０１ｇ−ｂ（図示省略）をサンプル受信端末配信ツール６０１のモニタ画面上に重ねて、配信順位１０７ｊ−１−３の配信順に従って表示する。なお、メニューボタン６０１ｇ−ａの操作によって、項目１０７ｊ−１−１１（ライセンス）の内容を反映したメニュー表示スクリーン６０１ｇ−ｂ（図示省略）の表示・非表示が切替わるようになっている。
また、システムは、同時に、番組設定記録部１０４ｅの「「番組リストへ追加」ボタンを押したときに記録される項目」に記録されているコンテンツＩＤのうち、チェックボックス１０７ｊ−１−２にチェックが入れられているコンテンツデータのコンテンツＩＤを、配信順位１０７ｊ−１−３の配信順に対応した所定領域にそれぞれ配置し、所定の番組ＩＤを付加して、番組設定記録部１０４ｅの「「サンプル画面を見る」ボタンを押したときに記録される項目」に記録する。
【０５８０】
[項目１０７ｊ−１−１４]（システム放送枠内への登録ボタン）
システム放送枠内への登録ボタン１０７ｊ−１−１４を押すと、システムは、番組設定記録部１０４ｅの「「番組リストへ追加」ボタンを押したときに記録される項目」に記録されているコンテンツＩＤのうち、チェックボックス１０７ｊ−１−２にチェックが入れられているコンテンツデータのコンテンツＩＤを、配信順位１０７ｊ−１−３の配信順に対応した所定領域にそれぞれ配置し、システム放送枠内番組を意味する所定の番組ＩＤを付加して、番組設定記録部１０４ｅの「「コンテンツ番組へ登録」ボタンを押したときに記録される項目」に記録する。
これにより、コンテンツ一覧表示部１０７ｊ−１に一覧表示されているコンテンツを編集した配信順で配信されるシステム放送枠内番組として、インターネット放送番組製作者が配信する番組内のシステム放送枠に反映させることができるようになる。
なお、システムは、既に当該番組ＩＤのシステム放送枠内番組が、受信端末配信配信ツール６０２へ配信されている場合は、番組設定記録部１０４ｅの「「コンテンツ番組へ登録」ボタンを押したときに記録される項目」に記録された同一番組ＩＤ内のコンテンツＩＤに対応するコンテンツを、インターネット放送番組の放送枠の一部に共通に設けられているシステム放送枠内において、番組設定記録部１０４ｅの「「コンテンツ番組へ登録」ボタンを押したときに記録される項目」にコンテンツＩＤが記録されている順に従って配信する。一方、当該番組ＩＤのシステム放送枠内番組が、未だ受信端末配信配信ツール６０２へ配信されていない場合は、上述した番組設定記録部１０４ｅの「「コンテンツ番組へ登録」ボタンを押したときに記録される項目」への記録のみが行われる。この場合は、後述するタグ書き出しボタン１０７ｊ−１−１７を介してタグの書き出しを行うことで、受信端末配信配信ツール６０２へ配信することができるようになっている。
【０５８１】
[項目１０７ｊ−１−１５]（システム放送枠内番組のコンテンツ登録ボタン）
システム放送枠内番組のコンテンツ登録ボタン１０７ｊ−１−１５は、編集した配信順のコンテンツの組合せ全体を一つのコンテンツとしてインターネット放送番組製作会員が利用できるようにする機能を備えている。
詳しくは、システム放送枠内番組のコンテンツ登録ボタン１０７ｊ−１−１５を押すと、システムは、図２に示すウェブサーバ部１０５の入出力制御部１０５ｆを介して、システム放送枠内番組コンテンツに固有の（非ディフォルト値の）システム放送枠内番組コンテンツＩＤを付与する。
そして、システムは、番組設定記録部１０４ｅの「「コンテンツ番組へ登録」ボタンを押したときに記録される項目」にシステム放送枠内番組を意味する所定の番組ＩＤを付加して記録されている、配信順位１０７ｊ−１−３の配信順に対応した所定領域にそれぞれ配置されたコンテンツデータのコンテンツＩＤの束を、システム放送枠内番組コンテンツＩＤとともにコンテンツデータ管理部１０４ｂに記録する。
【０５８２】
[項目１０７ｊ−１−１６]（システム放送枠内番組のＣＭ登録ボタン）
システム放送枠内番組のＣＭ登録ボタン１０７ｊ−１−１６は、編集した配信順のコンテンツの組合せ全体を一つのＣＭコンテンツとしてインターネット放送番組製作会員が利用できるようにする機能を備えている。
また、システム放送枠内番組のＣＭ登録ボタン１０７ｊ−１−１６は、一覧表示されているＣＭコンテンツ以外の所望のコンテンツをＣＭコンテンツとしてインターネット放送番組製作会員が利用できるようにする機能も備えている。
【０５８３】
詳しくは、システム放送枠内番組のＣＭ登録ボタン１０７ｊ−１−１６を押すと、システムは、図２に示すウェブサーバ部１０５の入出力制御部１０５ｆを介して、システム放送枠内番組ＣＭコンテンツに固有の（非ディフォルト値の）システム放送枠内番組ＣＭコンテンツＩＤを付与する。
そして、システムは、番組設定記録部１０４ｅの「「コンテンツ番組へ登録」ボタンを押したときに記録される項目」にシステム放送枠内番組を意味する所定の番組ＩＤを付加して記録されている、配信順位１０７ｊ−１−３の配信順に対応した所定領域にそれぞれ配置されたコンテンツデータのコンテンツＩＤの束を、システム放送枠内番組ＣＭコンテンツＩＤとともにコンテンツデータ管理部１０４ｂに記録する。
【０５８４】
それと同時に、システムは、番組設定記録部１０４ｅの「「コンテンツ番組へ登録」ボタンを押したときに記録される項目」にシステム放送枠内番組を意味する所定の番組ＩＤを付加して記録されている、配信順位１０７ｊ−１−３の配信順に対応した所定領域にそれぞれ配置されたコンテンツデータのコンテンツＩＤの束のうち、ＣＭコンテンツ以外の個々のコンテンツデータのコンテンツＩＤに対応するコンテンツデータ管理部１０４ｂ内のデータを、ＣＭコンテンツ管理データとして、図２に示すウェブサーバ部１０５の入出力制御部１０５ｆを介して所定のＣＭコンテンツＩＤを付与しながら、ＣＭデータ管理部１０４ｃに記録する。
【０５８５】
[項目１０７ｊ−１−１７]（システム放送枠内番組のタグ書き出しボタン）
システム放送枠内番組のタグ書き出しボタン１０７ｊ−１−１７は、受信端末配信ツール６０２に当該システム放送枠内番組を配信するためのタグ書き出しを指示する指示ボタンである。
システム放送枠内番組のタグ書き出しボタン１０７ｉ−１−１７を押すと、システムは、タグ出力部１０５ｇを介して、番組設定記録部１０４ｅの「「番組へ登録」ボタンを押したときに記録される項目」から「番組ＩＤ」を参照し、番組ＩＤを参照するためのプログラムと、このプログラムのＵＲＬとなるタグを書き出す。
番組ＩＤを参照するためのプログラムは、番組ＩＤを参照すると共に、受信端末配信ツール６０２のデザインを反映するために、ＦＬＡＳＨ（swf）ファイルを読み込み、番組ＩＤの左３桁の情報に従って、インターネット放送番組製作会員管理画面設定記録管理部１０４ｈを介して予め用意されているデザインデータ（フレーム形状、フレーム模様、フレーム色）を組合せて、受信端末配信ツール６０２のフレーム部６０２ｉに反映させる。
また、タグは、受信端末に関する情報と、番組において配信されるコンテンツ情報と、コンテンツのＵＲＬ等で構成される。
【０５８６】
［項目１０７ｊ−２］（ＲＳＳ＆ＡＴＯＭ＆テキスト一覧表示部）
ＲＳＳ＆ＡＴＯＭ＆テキスト一覧表示部１０７ｊ−２は、ＲＳＳ＆ＡＴＯＭ＆テキスト設定画面１０３ｆ、ＲＳＳ＆ＡＴＯＭ＆テキスト設定画面１０７ｇを介して設定登録されたＲＳＳ＆ＡＴＯＭコンテンツデータ及びテキストコンテンツデータのうち、コンテンツ選択画面１０７ｆで選択され、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータをコンテンツデータ管理部１０４ｂから抽出して所定の順番に一覧表示するとともに、一覧表示されているＲＳＳ＆ＡＴＯＭコンテンツ及びテキストコンテンツの番組への配信順を編集する機能、一覧表示されているＲＳＳ＆ＡＴＯＭコンテンツ及びテキストコンテンツを編集した配信順でインターネット放送番組の放送枠の一部に共通に設けられているシステム放送枠内へ登録する機能、編集した配信順のＲＳＳ＆ＡＴＯＭコンテンツ及びテキストコンテンツの組合せ全体を一つのコンテンツとしてインターネット放送番組製作会員が利用できるようにする機能、及び受信端末配信ツール６０２にシステム放送枠内番組を配信するためのタグ書き出し機能を備えている。
詳しくは、ＲＳＳ＆ＡＴＯＭ＆テキスト一覧表示部１０７ｊ−２は、次の項目１０７ｊ−２−１〜１０７ｊ−２−１４を有している。
【０５８７】
[項目１０７ｊ−２ａ，ｂ]（表示頁指定部）
表示頁指定部１０７ｊ−２ａ，１０７ｊ−２ｂは、ＲＳＳ＆ＡＴＯＭ＆テキスト一覧表示部１０７ｊ−２に表示されるデータが複数頁に及ぶ場合に、テキスト入力ボックス１０７ｊ−２ａに数字を入力し、ＧＯボタン１０７ｊ−２ｂを押すことで、所望の頁を表示する機能を備えている。
【０５８８】
[項目１０７ｊ−２−２]（チェックボックス）
チェックボックス１０７ｊ−２−２は、後述の削除ボタン１０７ｊ−２−１０、サンプル画面表示指示ボタン１０７ｊ−２−１１、システム放送枠内へのＲＳＳ＆ＡＴＯＭ＆テキスト登録ボタン１０７ｊ−２−１２などの処理ボタンを押したときに処理対象となるコンテンツデータを特定するための入力項目である。
例えば、所望のチェックボックス１０７ｊ−２−２にチェックを入れ、削除ボタン１０７ｊ−２−１０を押すと、チェックボックス１０７ｊ−２−２にチェックが入れられたＲＳＳ＆ＡＴＯＭコンテンツデータ、テキストコンテンツデータのＲＳＳ＆ＡＴＯＭ＆テキスト一覧表示部１０７ｊ−２上での表示を削除する。さらに、システムは、番組設定記録部１０４ｅの「「番組リストへ追加」ボタンを押したときに記録される項目」に記録されているコンテンツＩＤのうち、チェックボックス１０７ｊ−２−２にチェックが入れられているＲＳＳ＆ＡＴＯＭ＆テキストコンテンツに固有のコンテンツＩＤを削除する。
【０５８９】
[項目１０７ｊ−２−３]（配信順位）
システムは、初期表示（ディフォルト）状態においては、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータをコンテンツデータ管理部１０４ｂから抽出し、抽出されたＲＳＳ＆ＡＴＯＭコンテンツデータ、テキストコンテンツデータの更新日順に番号を割り当てて配信順位１０７ｊ−２−３に表示する。
配信順位１０７ｊ−２−３は、番号を変更することで、１番組内におけるＲＳＳ＆ＡＴＯＭコンテンツ、テキストコンテンツの配信順を変えることができる機能を備えた入力項目である。変更した配信順位は、後述のサンプル画面表示指示ボタン１０７ｊ−２−１１を押すことで、サンプル配信ツール画面６０１へと反映させることができるようになっている。
また、後述するシステム放送枠内へのＲＳＳ＆ＡＴＯＭ＆テキスト登録ボタン１０７ｊ−２−１２を押すと、押したときに配信順位１０７ｊ−２−３に設定されている配信順でもって番組を受信端末配信ツール６０２に反映させることができるようになっている。
【０５９０】
［項目１０７ｊ−２−４］（ＲＳＳ＆ＡＴＯＭ＆テキスト表示欄）
ＲＳＳ＆ＡＴＯＭ＆テキスト表示欄１０７ｊ−２−４は、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータにおける、コンテンツデータ管理部１０４ｂに記録されているＲＳＳ＆ＡＴＯＭコンテンツデータ、テキストコンテンツデータを表示する機能を備えた表示項目である。
【０５９１】
[項目１０７ｊ−２−５]（コンテンツＩＤ）
コンテンツＩＤ１０７ｊ−２−５は、番組設定記録部１０４ｅの「「番組リストへ追加」ボタンを押したときに記録される項目」に記録されている、各ＲＳＳ＆ＡＴＯＭ＆テキストコンテンツに固有の識別情報を表示する機能を備えた表示項目である。
【０５９２】
[項目１０７ｊ−２−６]（カテゴリ）
カテゴリ１０７ｊ−２−６は、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータにおける、コンテンツデータ管理部１０４ｂに記録されているカテゴリを表示する機能を備えた表示項目である。
【０５９３】
［項目１０７ｊ−２−７］（タイトル）
タイトル１０７ｊ−２−７は、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータにおける、コンテンツデータ管理部１０４ｂに記録されているタイトルを表示する機能を備えた表示項目である。
【０５９４】
[項目１０７ｊ−２−８]（更新日）
更新日１０７ｊ−２−８は、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータにおける、コンテンツデータ管理部１０４ｂに記録されている、ＲＳＳ＆ＡＴＯＭ＆テキストコンテンツの設定登録を行った日時を表示する機能を備えた表示項目である。
【０５９５】
[項目１０７ｊ−２−９]（ライセンス）
ライセンス１０７ｊ−２−９は、番組設定記録部１０４ｅの「「番組リストへ追加」ボタンを押したときに記録される項目」に記録されているＲＳＳ＆ＡＴＯＭ＆テキストコンテンツに固有のコンテンツＩＤに対応するデータにおける、コンテンツデータ管理部１０４ｂに記録されているＲＳＳ＆ＡＴＯＭ＆テキストコンテンツのライセンス種類に応じたライセンスマークを表示する機能を備えた表示項目である。
ＲＳＳ＆ＡＴＯＭ＆テキストコンテンツのライセンスマークは、図３８に示したシステム管理者管理画面入室画面１０７ａのライセンス設定１０７ａ−３における項目１０７ａ−３−１（提供するコンテンツを利用することができる主体の範囲（選択入力））〜１０７ａ−３−３（提供するコンテンツを営利目的で利用することへの許可・不許可（選択入力））の選択内容に対応して付加される所定のライセンス種類であって、その内容が分かり易くなるように図案化したアイコンである。
【０５９６】
[項目１０７ｊ−２−１０]（削除）
削除ボタン１０７ｊ−２−１０を押すと、システムは、チェックボックス１０７ｊ−２−２にチェックが入れられたＲＳＳ＆ＡＴＯＭコンテンツデータ、テキストコンテンツデータのＲＳＳ＆ＡＴＯＭ＆テキスト一覧表示部１０７ｊ−２上での表示を削除する。さらに、システムは、番組設定記録部１０４ｅの「「番組リストへ追加」ボタンを押したときに記録される項目」に記録されているコンテンツＩＤのうち、チェックボックス１０７ｊ−２−２にチェックが入れられているＲＳＳ＆ＡＴＯＭ＆テキストコンテンツに固有のコンテンツＩＤを削除する。
【０５９７】
[項目１０７ｊ−２−１１]（サンプル画面表示指示ボタン）
サンプル画面表示指示（サンプル画面で見る）ボタン１０７ｊ−２−１１を押すと、システムは、チェックボックス１０７ｊ−２−２にチェックが入れられているＲＳＳ＆ＡＴＯＭ＆テキストコンテンツに関する項目１０７ｊ−２−３（配信順位）〜項目１０７ｊ−２−９（ライセンス）の内容及び未変換コンテンツデータ保管部１０４ｇから抽出した当該ＲＳＳ＆ＡＴＯＭ＆テキストコンテンツデータを、サンプル受信端末配信ツール６０１のＲＳＳ用テキスト表示部６０１ａへ反映するとともに、メニューボタン６０１ｇ−ａの操作を介して、項目１０７ｊ−２−９（ライセンス）の内容を反映したメニュー表示スクリーン６０１ｇ−ｂ（図示省略）をサンプル受信端末配信ツール６０１のモニタ画面上に重ねて、配信順位１０７ｊ−２−３の配信順に従って表示する。なお、メニューボタン６０１ｇ−ａの操作によって、項目１０７ｊ−２−９（ライセンス）の内容を反映したメニュー表示スクリーン６０１ｇ−ｂ（図示省略）の表示・非表示が切替わるようになっている。
また、システムは、同時に、番組設定記録部１０４ｅの「「番組リストへ追加」ボタンを押したときに記録される項目」に記録されているコンテンツＩＤのうち、チェックボックス１０７ｊ−２−２にチェックが入れられているＲＳＳ＆ＡＴＯＭ＆テキストコンテンツに固有のコンテンツＩＤを、配信順位１０７ｊ−２−３の配信順に対応した所定領域にそれぞれ配置し、所定の番組ＩＤを付加して、番組設定記録部１０４ｅの「「サンプル画面を見る」ボタンを押したときに記録される項目」に記録する。
【０５９８】
[項目１０７ｊ−２−１２]（システム放送枠内へのＲＳＳ＆ＡＴＯＭ＆テキスト登録ボタン）
システム放送枠内へのＲＳＳ＆ＡＴＯＭ＆テキスト登録ボタン１０７ｊ−２−１２を押すと、システムは、番組設定記録部１０４ｅの「「番組リストへ追加」ボタンを押したときに記録される項目」に記録されているコンテンツＩＤのうち、チェックボックス１０７ｊ−２−２にチェックが入れられているＲＳＳ＆ＡＴＯＭ＆テキストコンテンツに固有のコンテンツＩＤを、配信順位１０７ｊ−２−３の配信順に対応した所定領域にそれぞれ配置し、所定の番組ＩＤを付加して、番組設定記録部１０４ｅの「「コンテンツ番組へ登録」ボタンを押したときに記録される項目」に記録する。
なお、システムは、既に当該番組ＩＤの番組が、受信端末配信配信ツール６０２へ配信されている場合は、番組設定記録部１０４ｅの「「コンテンツ番組へ登録」ボタンを押したときに記録される項目」に記録された同一番組ＩＤ内のコンテンツＩＤに対応するコンテンツを、番組設定記録部１０４ｅの「「コンテンツ番組へ登録」ボタンを押したときに記録される項目」にコンテンツＩＤが記録されている順に従って配信する。一方、当該番組ＩＤの番組が、未だ受信端末配信配信ツール６０２へ配信されていない場合は、上述した番組設定記録部１０４ｅの「「コンテンツ番組へ登録」ボタンを押したときに記録される項目」への記録のみが行われる。この場合は、後述するタグ書き出しボタン１０７ｊ−２−１４を介してタグの書き出しを行うことで、受信端末配信配信ツール６０２へ配信することができるようになっている。
【０５９９】
[項目１０７ｊ−２−１３]（システム放送枠内ＲＳＳ＆ＡＴＯＭ＆テキスト番組のコンテンツ登録ボタン）
システム放送枠内ＲＳＳ＆ＡＴＯＭ＆テキスト番組のコンテンツ登録ボタン１０７ｊ−２−１３は、編集した配信順のＲＳＳ＆ＡＴＯＭ＆テキストコンテンツの組合せ全体を一つのコンテンツとしてインターネット放送番組製作会員が利用できるようにする機能を備えている。
詳しくは、システム放送枠内ＲＳＳ＆ＡＴＯＭ＆テキスト番組のコンテンツ登録ボタン１０７ｊ−２−１３を押すと、システムは、図２に示すウェブサーバ部１０５の入出力制御部１０５ｆを介して、システム放送枠内番組ＲＳＳ＆ＡＴＯＭ＆テキストコンテンツに固有の（非ディフォルト値の）システム放送枠内番組ＲＳＳ＆ＡＴＯＭ＆テキストコンテンツＩＤを付与する。
そして、システムは、番組設定記録部１０４ｅの「「コンテンツ番組へ登録」ボタンを押したときに記録される項目」にシステム放送枠内ＲＳＳ＆ＡＴＯＭ＆テキスト番組を意味する所定の番組ＩＤを付加して記録されている、配信順位１０７ｊ−２−３の配信順に対応した所定領域にそれぞれ配置されたＲＳＳ＆ＡＴＯＭ＆テキストコンテンツデータのコンテンツＩＤの束を、システム放送枠内番組ＲＳＳ＆ＡＴＯＭ＆テキストコンテンツＩＤとともにコンテンツデータ管理部１０４ｂに記録する。
【０６００】
[項目１０７ｊ−２−１４]（システム放送枠内ＲＳＳ＆ＡＴＯＭ＆テキスト番組のタグ書き出しボタン）
システム放送枠内ＲＳＳ＆ＡＴＯＭ＆テキスト番組のタグ書き出しボタン１０７ｊ−２−１４は、受信端末配信ツール６０２に当該システム放送枠内ＲＳＳ＆ＡＴＯＭ＆テキスト番組を配信するためのタグ書き出しを指示する指示ボタンである。
システム放送枠内ＲＳＳ＆ＡＴＯＭ＆テキスト番組のタグ書き出しボタン１０７ｉ−２−１４を押すと、システムは、タグ出力部１０５ｇを介して、番組設定記録部１０４ｅの「「番組へ登録」ボタンを押したときに記録される項目」から「番組ＩＤ」を参照し、番組ＩＤを参照するためのプログラムと、このプログラムのＵＲＬとなるタグを書き出す。
番組ＩＤを参照するためのプログラムは、番組ＩＤを参照すると共に、受信端末配信ツール６０２のデザインを反映するために、ＦＬＡＳＨ（swf）ファイルを読み込み、番組ＩＤの左３桁の情報に従って、インターネット放送番組製作会員管理画面設定記録管理部１０４ｈを介して予め用意されているデザインデータ（フレーム形状、フレーム模様、フレーム色）を組合せて、受信端末配信ツール６０２のフレーム部６０２ｉに反映させる。
また、タグは、受信端末に関する情報と、番組において配信されるコンテンツ情報と、コンテンツのＵＲＬ等で構成される。
【０６０１】
［項目１０７ｊ−３］（テキスト＆字幕一覧表示部）
テキスト＆字幕一覧表示部１０７ｊ−３は、テキスト＆字幕設定画面１０３ｇ、テキスト＆字幕設定画面１０７ｈを介して設定登録されたテキスト＆字幕コンテンツデータのうち、コンテンツ選択画面１０７ｆで選択され、番組設定記録部１０４ｅの「「番組リストへ追加」ボタンを押したときに記録される項目」に記録されているテキスト＆字幕コンテンツに固有のコンテンツＩＤに対応するデータをコンテンツデータ管理部１０４ｂから抽出して所定の順番に一覧表示するとともに、一覧表示されているテキスト＆字幕コンテンツの番組への配信順を編集する機能、一覧表示されているテキスト＆字幕コンテンツを編集した配信順でインターネット放送番組の放送枠の一部に共通に設けられているシステム放送枠内へ登録する機能、編集した配信順のテキスト＆字幕コンテンツの組合せ全体を一つのコンテンツとしてインターネット放送番組製作会員が利用できるようにする機能、及び受信端末配信ツール６０２にシステム放送枠内番組を配信するためのタグ書き出し機能を備えている。
詳しくは、テキスト＆字幕一覧表示部１０７ｊ−３は、次の項目１０７ｊ−３−１〜１０７ｊ−３−１４を有している。
【０６０２】
[項目１０７ｊ−３ａ，ｂ]（表示頁指定部）
表示頁指定部１０７ｊ−３ａ，１０７ｊ−３ｂは、テキスト＆字幕一覧表示部１０７ｊ−３に表示されるデータが複数頁に及ぶ場合に、テキスト入力ボックス１０７ｊ−３ａに数字を入力し、ＧＯボタン１０７ｊ−３ｂを押すことで、所望の頁を表示する機能を備えている。
【０６０３】
[項目１０７ｊ−３−２]（チェックボックス）
チェックボックス１０７ｊ−３−２は、後述の削除ボタン１０７ｊ−３−１０、サンプル画面表示指示ボタン１０７ｊ−３−１１、システム放送枠内へのテキスト＆字幕登録ボタン１０７ｊ−３−１２などの処理ボタンを押したときに処理対象となるコンテンツデータを特定するための入力項目である。
例えば、所望のチェックボックス１０７ｊ−３−２にチェックを入れ、削除ボタン１０７ｊ−３−１０を押すと、チェックボックス１０７ｊ−３−２にチェックが入れられたテキスト＆字幕コンテンツデータのテキスト＆字幕一覧表示部１０７ｊ−３上での表示を削除する。さらに、システムは、番組設定記録部１０４ｅの「「番組リストへ追加」ボタンを押したときに記録される項目」に記録されているコンテンツＩＤのうち、チェックボックス１０７ｊ−３−２にチェックが入れられているテキスト＆字幕コンテンツに固有のコンテンツＩＤを削除する。
【０６０４】
[項目１０７ｊ−３−３]（配信順位）
システムは、初期表示（ディフォルト）状態においては、番組設定記録部１０４ｅの「「番組リストへ追加」ボタンを押したときに記録される項目」に記録されているテキスト＆字幕コンテンツに固有のコンテンツＩＤに対応するデータをコンテンツデータ管理部１０４ｂから抽出し、抽出されたテキスト＆字幕コンテンツデータの更新日順に番号を割り当てて配信順位１０７ｊ−３−３に表示する。
配信順位１０７ｊ−３−３は、番号を変更することで、１番組内におけるテキスト＆字幕コンテンツの配信順を変えることができる機能を備えた入力項目である。変更した配信順位は、後述のサンプル画面表示指示ボタン１０７ｊ−３−１１を押すことで、サンプル配信ツール画面６０１へと反映させることができるようになっている。
また、後述するシステム放送枠内へのテキスト＆字幕登録ボタン１０７ｊ−３−１２を押すと、押したときに配信順位１０７ｊ−３−３に設定されている配信順でもって番組を受信端末配信ツール６０２に反映させることができるようになっている。
【０６０５】
［項目１０７ｊ−３−４］（テキスト＆字幕表示欄）
テキスト＆字幕表示欄１０７ｊ−３−４は、番組設定記録部１０４ｅの「「番組リストへ追加」ボタンを押したときに記録される項目」に記録されているテキスト＆字幕コンテンツに固有のコンテンツＩＤに対応するデータにおける、コンテンツデータ管理部１０４ｂに記録されているテキスト＆字幕コンテンツデータを表示する機能を備えた表示項目である。
【０６０６】
[項目１０７ｊ−３−５]（コンテンツＩＤ）
コンテンツＩＤ１０７ｊ−３−５は、番組設定記録部１０４ｅの「「番組リストへ追加」ボタンを押したときに記録される項目」に記録されている、各テキスト＆字幕コンテンツに固有の識別情報を表示する機能を備えた表示項目である。
【０６０７】
[項目１０７ｊ−３−６]（カテゴリ）
カテゴリ１０７ｊ−３−６は、番組設定記録部１０４ｅの「「番組リストへ追加」ボタンを押したときに記録される項目」に記録されているテキスト＆字幕コンテンツに固有のコンテンツＩＤに対応するデータにおける、コンテンツデータ管理部１０４ｂに記録されているカテゴリを表示する機能を備えた表示項目である。
【０６０８】
［項目１０７ｊ−３−７］（タイトル）
タイトル１０７ｊ−３−７は、番組設定記録部１０４ｅの「「番組リストへ追加」ボタンを押したときに記録される項目」に記録されているテキスト＆字幕コンテンツに固有のコンテンツＩＤに対応するデータにおける、コンテンツデータ管理部１０４ｂに記録されているタイトルを表示する機能を備えた表示項目である。
【０６０９】
[項目１０７ｊ−３−８]（更新日）
更新日１０７ｊ−３−８は、番組設定記録部１０４ｅの「「番組リストへ追加」ボタンを押したときに記録される項目」に記録されているテキスト＆字幕コンテンツに固有のコンテンツＩＤに対応するデータにおける、コンテンツデータ管理部１０４ｂに記録されている、テキスト＆字幕コンテンツの設定登録を行った日時を表示する機能を備えた表示項目である。
【０６１０】
[項目１０７ｊ−３−９]（ライセンス）
ライセンス１０７ｊ−３−９は、番組設定記録部１０４ｅの「「番組リストへ追加」ボタンを押したときに記録される項目」に記録されているテキスト＆字幕コンテンツに固有のコンテンツＩＤに対応するデータにおける、コンテンツデータ管理部１０４ｂに記録されているテキスト＆字幕コンテンツのライセンス種類に応じたライセンスマークを表示する機能を備えた表示項目である。
テキスト＆字幕コンテンツのライセンスマークは、図３８に示したシステム管理者管理画面入室画面１０７ａのライセンス設定１０７ａ−３における項目１０７ａ−３−１（提供するコンテンツを利用することができる主体の範囲（選択入力））〜１０７ａ−３−３（提供するコンテンツを営利目的で利用することへの許可・不許可（選択入力））の選択内容に対応して付加される所定のライセンス種類であって、その内容が分かり易くなるように図案化したアイコンである。
【０６１１】
[項目１０７ｊ−３−１０]（削除）
削除ボタン１０７ｊ−３−１０を押すと、システムは、チェックボックス１０７ｊ−３−２にチェックが入れられたテキスト＆字幕コンテンツデータのテキスト＆字幕一覧表示部１０７ｊ−３上での表示を削除する。さらに、システムは、番組設定記録部１０４ｅの「「番組リストへ追加」ボタンを押したときに記録される項目」に記録されているコンテンツＩＤのうち、チェックボックス１０７ｊ−３−２にチェックが入れられているテキスト＆字幕コンテンツに固有のコンテンツＩＤを削除する。
【０６１２】
[項目１０７ｊ−３−１１]（サンプル画面表示指示ボタン）
サンプル画面表示指示（サンプル画面で見る）ボタン１０７ｊ−３−１１を押すと、システムは、チェックボックス１０７ｊ−３−２にチェックが入れられているテキスト＆字幕コンテンツに関する項目１０７ｊ−３−３（配信順位）〜項目１０７ｊ−３−９（ライセンス）の内容及び未変換コンテンツデータ保管部１０４ｇから抽出した当該テキスト＆字幕コンテンツデータを、サンプル受信端末配信ツール６０１のＲＳＳ用テキスト表示部６０１ａへ反映するとともに、メニューボタン６０１ｇ−ａの操作を介して、項目１０７ｊ−３−９（ライセンス）の内容を反映したメニュー表示スクリーン６０１ｇ−ｂ（図示省略）をサンプル受信端末配信ツール６０１のモニタ画面上に重ねて、配信順位１０７ｊ−３−３の配信順に従って表示する。なお、メニューボタン６０１ｇ−ａの操作によって、項目１０７ｊ−３−９（ライセンス）の内容を反映したメニュー表示スクリーン６０１ｇ−ｂ（図示省略）の表示・非表示が切替わるようになっている。
また、システムは、同時に、番組設定記録部１０４ｅの「「番組リストへ追加」ボタンを押したときに記録される項目」に記録されているコンテンツＩＤのうち、チェックボックス１０７ｊ−３−２にチェックが入れられているテキスト＆字幕コンテンツに固有のコンテンツＩＤを、配信順位１０７ｊ−３−３の配信順に対応した所定領域にそれぞれ配置し、所定の番組ＩＤを付加して、番組設定記録部１０４ｅの「「サンプル画面を見る」ボタンを押したときに記録される項目」に記録する。
【０６１３】
[項目１０７ｊ−３−１２]（システム放送枠内へのテキスト＆字幕登録ボタン）
システム放送枠内へのテキスト＆字幕登録ボタン１０７ｊ−３−１２を押すと、システムは、番組設定記録部１０４ｅの「「番組リストへ追加」ボタンを押したときに記録される項目」に記録されているコンテンツＩＤのうち、チェックボックス１０７ｊ−３−２にチェックが入れられているテキスト＆字幕コンテンツに固有のコンテンツＩＤを、配信順位１０７ｊ−３−３の配信順に対応した所定領域にそれぞれ配置し、所定の番組ＩＤを付加して、番組設定記録部１０４ｅの「「コンテンツ番組へ登録」ボタンを押したときに記録される項目」に記録する。
なお、システムは、既に当該番組ＩＤの番組が、受信端末配信配信ツール６０２へ配信されている場合は、番組設定記録部１０４ｅの「「コンテンツ番組へ登録」ボタンを押したときに記録される項目」に記録された同一番組ＩＤ内のコンテンツＩＤに対応するコンテンツを、番組設定記録部１０４ｅの「「コンテンツ番組へ登録」ボタンを押したときに記録される項目」にコンテンツＩＤが記録されている順に従って配信する。一方、当該番組ＩＤの番組が、未だ受信端末配信配信ツール６０２へ配信されていない場合は、上述した番組設定記録部１０４ｅの「「コンテンツ番組へ登録」ボタンを押したときに記録される項目」への記録のみが行われる。この場合は、後述するタグ書き出しボタン１０７ｊ−３−１４を介してタグの書き出しを行うことで、受信端末配信配信ツール６０２へ配信することができるようになっている。
【０６１４】
[項目１０７ｊ−３−１３]（システム放送枠内テキスト＆字幕番組のコンテンツ登録ボタン）
システム放送枠内テキスト＆字幕番組のコンテンツ登録ボタン１０７ｊ−３−１３は、編集した配信順のテキスト＆字幕コンテンツの組合せ全体を一つのコンテンツとしてインターネット放送番組製作会員が利用できるようにする機能を備えている。
詳しくは、システム放送枠内テキスト＆字幕番組のコンテンツ登録ボタン１０７ｊ−３−１３を押すと、システムは、図２に示すウェブサーバ部１０５の入出力制御部１０５ｆを介して、システム放送枠内番組テキスト＆字幕コンテンツに固有の（非ディフォルト値の）システム放送枠内番組テキスト＆字幕コンテンツＩＤを付与する。
そして、システムは、番組設定記録部１０４ｅの「「コンテンツ番組へ登録」ボタンを押したときに記録される項目」にシステム放送枠内テキスト＆字幕番組を意味する所定の番組ＩＤを付加して記録されている、配信順位１０７ｊ−３−３の配信順に対応した所定領域にそれぞれ配置されたテキスト＆字幕コンテンツデータのコンテンツＩＤの束を、システム放送枠内番組テキスト＆字幕コンテンツＩＤとともにコンテンツデータ管理部１０４ｂに記録する。
【０６１５】
[項目１０７ｊ−３−１４]（システム放送枠内テキスト＆字幕番組のタグ書き出しボタン）
システム放送枠内テキスト＆字幕番組のタグ書き出しボタン１０７ｊ−３−１４は、受信端末配信ツール６０２に当該システム放送枠内テキスト＆字幕番組を配信するためのタグ書き出しを指示する指示ボタンである。
システム放送枠内テキスト＆字幕番組のタグ書き出しボタン１０７ｉ−３−１４を押すと、システムは、タグ出力部１０５ｇを介して、番組設定記録部１０４ｅの「「番組へ登録」ボタンを押したときに記録される項目」から「番組ＩＤ」を参照し、番組ＩＤを参照するためのプログラムと、このプログラムのＵＲＬとなるタグを書き出す。
番組ＩＤを参照するためのプログラムは、番組ＩＤを参照すると共に、受信端末配信ツール６０２のデザインを反映するために、ＦＬＡＳＨ（swf）ファイルを読み込み、番組ＩＤの左３桁の情報に従って、インターネット製作会員管理画面設定記録管理部１０４ｈを介して予め用意されているデザインデータ（フレーム形状、フレーム模様、フレーム色）を組合せて、受信端末配信ツール６０２のフレーム部６０２ｉに反映させる。
また、タグは、受信端末に関する情報と、番組において配信されるコンテンツ情報と、コンテンツのＵＲＬ等で構成される。
【０６１６】
なお、本実施形態のシステムでは、システム管理者によるシステム放送枠を、インターネット番組制作会員が製作した番組の後に追加するような形態で設けている。例えば、インターネット番組制作会員によって製作された所定の番組においてインターネット番組制作会員が選択したコンテンツ番組（ここでは、コンテンツと、ＣＭコンテンツと、ＲＳＳ＆テキスト、字幕＆テキストコンテンツ等とを組合せたもの）が５つあった場合には、システム放送枠は、配信順位が６番目に設けられる。
【０６１７】
規約，著作権等編集画面１０７ｋ、免責事項，ＨＥＬＰ，問い合わせ，ＦＡＱの編集追加削除画面１０７ｌ
規約，著作権等編集画面１０７ｋを図５５、免責事項，ＨＥＬＰ，問い合わせ，ＦＡＱの編集追加削除画面１０７ｌを図５６にそれぞれ示す。
なお、規約，著作権等編集画面１０７ｋ、免責事項，ＨＥＬＰ，問い合わせ，ＦＡＱの編集追加削除画面１０７ｌは、それぞれ一部の領域にサンプル受信端末配信ツール６０１の画面が表示されるようにレイアウトされている。
【０６１８】
［項目１０７ｋ−１］（規約編集部）
本実施形態のシステムの利用規約を編集加工する機能を備えた項目であり、規約編集入力部１０７ｋ−１ａと、サンプル画面表示指示ボタン１０７ｋ−１ｂと、編集内容登録ボタン１０７ｋ−１ｃを有している。
【０６１９】
［項目１０７ｋ−２］（著作権編集部）
本実施形態のシステムにおいて著作権に関する説明を編集加工する機能を備えた項目であり、著作権編集入力部１０７ｋ−２ａと、サンプル画面表示指示ボタン１０７ｋ−２ｂと、編集内容登録ボタン１０７ｋ−２ｃを有している。
【０６２０】
［項目１０７ｌ−１］（免責事項編集部）
本実施形態のシステムにおける免責事項を編集加工する機能を備えた項目であり、免責事項編集入力部１０７ｌ−１ａと、サンプル画面表示指示ボタン１０７ｌ−１ｂと、編集内容登録ボタン１０７ｌ−１ｃを有している。
【０６２１】
［項目１０７ｌ−２］（ＨＥＬＰ事項編集部）
本実施形態のシステムの操作におけるＨＥＬＰ事項を編集加工する機能を備えた項目であり、ＨＥＬＰ事項編集入力部１０７ｌ−２ａと、サンプル画面表示指示ボタン１０７ｌ−２ｂと、編集内容登録ボタン１０７ｌ−２ｃを有している。
【０６２２】
［項目１０７ｌ−３］（問い合わせ事項編集部）
本実施形態のシステムにおける会員からの問い合わせに対する回答事項を編集加工する機能を備えた項目であり、問い合わせ回答事項編集入力部１０７ｌ−３ａと、サンプル画面表示指示ボタン１０７ｌ−３ｂと、編集内容登録ボタン１０７ｌ−３ｃを有している。
【０６２３】
［項目１０７ｌ−４］（ＦＡＱ事項編集部）
本実施形態のシステムにおけるＦＡＱ事項を編集加工する機能を備えた項目であり、ＦＡＱ事項編集入力部１０７ｌ−４ａと、サンプル画面表示指示ボタン１０７ｌ−４ｂと、編集内容登録ボタン１０７ｌ−４ｃを有している。
【０６２４】
規約，著作権等編集画面１０７ｋ、免責事項，ＨＥＬＰ，問い合わせ，ＦＡＱの編集追加削除画面１０７ｌにおけるそれぞれの編集入力内容は、それぞれのサンプル画面表示指示ボタンを押すことにより、サンプル受信端末配信ツール６０１のメニューボタン６０１ｇ−ａの操作を介して、それぞれの編集入力内容を反映したメニュー表示スクリーン６０１ｇ−ｂ（図示省略）をサンプル受信端末配信ツール６０１のモニタ画面上に重ねて表示するようになっている。
また、それぞれの編集入力内容は、それぞれの内容登録ボタンを押すことにより、ウェブデータ記録管理部１０４ｉに記録される。
なお、便宜上、詳細な説明を省略するが、本実施形態のシステムでは、各画面内の所定箇所（例えば、右側上部）に、規約，著作権，ＨＥＬＰ，問い合わせ，免責事項，ＦＡＱのそれぞれに関するボタンを設け、それぞれのボタンを押すと、ウェブデータ記録管理部１０４ｉに記録された上記編集入力内容を表示する画面するように構成されている。
【０６２５】
ＣＭ費の編集，レベニュー率の編集画面１０７ｍ
ＣＭ費の編集，レベニュー率の編集画面１０７ｍを図５７に示す。
【０６２６】
［項目１０７ｍ−１］（ＣＭ費編集）
ＣＭ費の編集１０７ｍ−１は、ＣＭコンテンツを用いた番組におけるＣＭコンテンツのインタラクション率に応じてその番組の１インプレッション当たりのＣＭ単価を設定するための入力項目である。
【０６２７】
［項目１０７ｍ−１ａ］（インタラクション率設定）
インタラクション率設定１０７ｍ−１ａは、次に述べる１インプレッション単価の基準となるＣＭコンテンツのインタラクション率の範囲を設定するための入力項目である。
【０６２８】
［項目１０７ｍ−１ｂ］（１インプレッション単価設定）
１インプレッション単価設定１０７ｍ−１ｂは、インタラクション率設定１０７ｍ−１ａにおいて設定されたインタラクション率の範囲において、当該ＣＭを用いた番組が１回視聴されることに対して発生するＣＭ費用の単価を設定するための入力項目である。
【０６２９】
［項目１０７ｍ−１ｃ］（編集内容登録ボタン）
編集登録ボタン１０７ｍ−１ｃを押すと、システムは、入出力制御部１０５ｆを介して、項目１０７ｍ−１ａのインタラクション率、項目１０７ｍ−１ｂの１インプレッション単価での設定内容を、ＣＭ／収益計算処理記録管理部１０４ｆに記録する。
上述したように、システムは、ユーザのパソコンである受信端末６００から受信端末配信ツール６０２を介して視聴される番組の視聴数（インプレッション数）を、１回ごとに１視聴数（１インプレッション）としてカウントする。
また、その番組に使用されたコンテンツやＣＭコンテンツに対し、それぞれ視聴者が何らかのアクション（マウスオーバーやクリック）を行う割合をインタラクション率としている。そして、システムは、視聴数（インプレッション数）とＣＭコンテンツのインタラクション率とを用いてＣＭ費を決定する。
【０６３０】
図５７はインタラクション率及び１インプレッション単価の一設定例を示している。
図５７の例を用いて説明すると、例えば、所定の番組に使用されたＣＭコンテンツに対し、視聴者が何らかのアクション（マウスオーバーやクリック）を行う割合が１パーセントである場合には、ユーザのパソコンである受信端末６００から受信端末配信ツール６０２を介してサーバ１００からの番組が１回配信される毎に１円のＣＭ費が発生することになる。また、例えば、所定の番組に使用されたＣＭコンテンツに対し、視聴者が何らかのアクション（マウスオーバーやクリック）を行う割合が３０パーセント以上である場合には、ユーザのパソコンである受信端末６００から受信端末配信ツール６０２を介してサーバ１００からの番組が１回配信される毎に１５０円のＣＭ費が発生することになる。
なお、発生したＣＭ費の収益は、次に述べるレベニュー率を用いて、インターネット放送番組制作会員、コンテンツ会員、システム管理者に分配される。
【０６３１】
［項目１０７ｍ−２］（レベニュー率編集）
レベニュー率編集１０７ｍ−２は、発生したＣＭ費用の収益をインターネット放送番組制作会員、コンテンツ会員、システム管理者に分配するためのレベニュー率を設定するための入力項目である。図５７の例では、所定のインプレッション数に応じて、インターネット放送番組会員、コンテンツ会員、システム管理者それぞれの収益分配率を設定するようになっている。
【０６３２】
［項目１０７ｍ−２ａ］（インプレッション数設定）
インプレッション数設定１０７ｍ−２ａは、収益分配率の基準となるインプレッション数の範囲を設定するための入力項目である。
【０６３３】
［項目１０７ｍ−２ｂ］（インターネット放送番組制作会員収益分配率設定）
インターネット放送番組制作会員収益分配率設定１０７ｍ−２ｂは、番組の視聴数（インプレッション数）が、インプレッション数設定１０７ｍ−２ａにおいて設定された範囲の回数である場合における、ＣＭ費用収益のインターネット放送番組制作会員への収益分配率を設定するための入力項目である。
なお、図５７の例では、インターネット会員が当該ＣＭを使用して製作する番組にコンテンツを１つのみ使用した場合（項目１０７ｍ−２ｂ１（ＮＯＮＭＩＸ））と２つ以上使用した場合（［項目１０７ｍ−２ｂ２］（ＭＩＸ）とに分けて収益分配率を設定することができるようにしている。
また、ＭＩＸ１０７ｍ−２ｂ２は、使用したコンテンツ１つ当たりの収益分配率を設定するようになっている。従って、例えば、使用したコンテンツが２つの場合に、収益分配率を５．０％に設定すると、インターネット製作会員に分配される当該ＣＭ収益の分配率は１０．０％になる。
【０６３４】
［項目１０７ｍ−２ｃ］（コンテンツ会員収益分配率設定）
コンテンツ会員収益分配率設定１０７ｍ−２ｃは、番組の視聴数（インプレッション数）が、インプレッション数設定１０７ｍ−２ａにおいて設定された範囲の回数である場合における、ＣＭ費用収益のコンテンツ会員への収益分配率を設定するための入力項目である。
なお、図５７の例では、インターネット会員と同様に、インターネット製作会員が当該ＣＭを使用して製作する番組にコンテンツ会員のコンテンツが１つのみ使用された場合（［項目１０７ｍ−２ｃ１］（ＮＯＮＭＩＸ））と２つ以上使用された場合（［項目１０７ｍ−２ｃ２］（ＭＩＸ））とに分けて収益分配率を設定することができるようにしている。
また、ＭＩＸ１０７ｍ−２ｃ２は、使用されたコンテンツ１つ当たりの収益分配率を設定するようになっている。従って、例えば、使用されたコンテンツが２つの場合に、収益分配率を５．０％に設定すると、コンテンツ会員に分配される当該ＣＭ収益の分配率は１０．０％になる。
【０６３５】
［項目１０７ｍ−２ｄ］（システム管理者収益分配率設定）
システム管理者収益分配率設定１０７ｍ−２ｄは、番組の視聴数（インプレッション数）がインプレッション数設定１０７ｍ−２ａにおいて設定された範囲の回数である場合における、ＣＭ費用収益のシステム管理者への収益分配率を設定するための入力項目である。
なお、図５７の例では、インターネット製作会員が当該ＣＭを使用して製作する番組にシステム管理者の提供するコンテンツが１つのみ使用された場合と２つ以上使用された場合とに分けないで収益分配率を設定するようにしている。
また、システム管理者収益分配率設定１０７ｍ−２ｄは、使用されたシステム管理者提供コンテンツ１つ当たりの収益分配率を設定するようになっている。従って、例えば、使用されたシステム管理者提供コンテンツが２つの場合に、収益分配率を０．５％に設定すると、システム管理者に分配される当該ＣＭ収益の分配率は１．０％になる。
なお、図５７の例では、システム管理者提供コンテンツ１つ当たりの収益分配率は、番組の視聴数に関わりなく一定の値が設定されている。
【０６３６】
［項目１０７ｍ−２ｅ］（編集内容登録ボタン）
編集内容登録ボタン１０７ｍ−２ｅを押すと、システムは、入出力制御部１０５ｆを介して、項目１０７ｍ−２ａ〜１０７ｍ−２ｄでの設定内容を、ＣＭ／収益計算処理記録管理部１０４ｆに記録する。
ここで、図５７に示した数値でもってＣＭ費の編集，レベニュー率が設定された場合におけるＣＭ費用収益分配額の一例を説明する。
例えば、ＣＭのインタラクション率が２５％であって、番組のインプレッション数が１２万回であるとする。また、インターネット放送番組制作会員が使用するコンテンツの個数が３個であって、そのうち、コンテンツ会員の提供によるコンテンツの個数が２個、システム管理者提供コンテンツの個数が１個であるとする。
その場合には、１インプレッション単価は１００円であるから、ＣＭ費用収益は、１００円×１２万＝１２００万円となる。
また、収益分配率は、インターネット放送番組制作会員が１７．５×３＝５２．５％、コンテンツ会員が１５×２＝３０％、システム管理者が０．５×１＝０．５％となる。
従って、それぞれに分配されるＣＭ収益額は、インターネット放送番組制作会員が１２００万円×５２．５％＝６３０万円、コンテンツ会員が１２００万円×３０％＝３６０万円、システム管理者が１２００万円×０．５％＝６万円となる。
なお、配分される収益の残りは、本実施形態のシステム提供者の取り分となる。
【０６３７】
ＣＭ掲載の開始・停止・削除画面１０７ｎ
ＣＭ掲載の開始・停止・削除画面１０７ｎを図５８に示す。
本実施形態のシステムでは、実際の運営に際し、ＣＭ会員からＣＭ予算をＣＭ費として予納してもらい、ＣＭ費の受領を確認後にＣＭ掲載を開始できるようにしている。
なお、ＣＭ会員からのＣＭ費の支払いが確認できない場合、ＣＭ掲載停止を行う。その他、規約違反や不正行為などがあった場合、ＣＭ掲載の停止またはＣＭの削除を行う。
ＣＭ掲載の開始・停止・削除画面１０７ｎは、そのような設定を行うための画面であり、次の項目１０７ｎ−１〜１０７ｎ−１０を備えている。
【０６３８】
［項目１０７ｎ−１］（検索）
検索１０７ｎ−１は、アップロードされているＣＭコンテンツをフリーワードを入力することによりＣＭコンテンツのＩＤやタイトル、会員名（ＣＭ提供社名）などから検索できる機能を備えている。
システム管理者は、検索入力欄１０７ｎ−１ａに検索キーワードを入力して、検索ボタン１０７ｎ−１ｂを押す。
システムは、図１３に示したＣＭコンテンツアップロード画面１０２ｃにおいてアップロードされたデータから、検索キーワードに該当するデータを抽出してアップロード順に一覧表示する。
【０６３９】
[項目１０７ｎ−２ａ，ｂ]（表示頁指定部）
表示頁指定部１０７ｎ−２ａ，１０７ｎ−２ｂは、ＣＭ掲載開始と停止、削除画面１０７ｎに表示される検索データが複数頁に及ぶ場合に、テキスト入力ボックス１０７ｎ−２ａに数字を入力し、ＧＯボタン１０７ｎ−２ｂを押すことで、所望の頁を表示する機能を備えている。
【０６４０】
[項目１０７ｎ−３]（チェックボックス）
チェックボックス１０７ｎ−３は、後述の掲載の開始ボタン１０７ｎ−１０ａ、掲載の停止ボタン１０７ｎ−１０ｂ、削除ボタン１０７ｎ−１１などの処理ボタンを押したときに処理対象となるＣＭコンテンツデータを特定するための入力項目である。
例えば、所望のチェックボックス１０７ｎ−３にチェックを入れ、掲載の停止ボタン１０７ｎ−１０ｂを押すと、システムは、チェックボックス１０７ｎ−３にチェックが入れられたＣＭコンテンツデータの掲載を停止する。詳しくは、ＣＭデータ管理部１０４ｃにおける当該ＣＭコンテンツＩＤの所定の管理領域にＣＭ掲載の停止状態を記録する。システムは、ＣＭ掲載の停止状態が記録されているＣＭコンテンツＩＤに対しては、インターネット番組制作におけるＣＭの選択対象や、受信端末配信ツール６０２を介した番組内におけるＣＭの配信対象から除外するようにしている。
【０６４１】
[項目１０７ｎ−４]（ＣＭコンテンツＩＤ）
ＣＭコンテンツＩＤ１０７ｎ−４は、図１３に示したＣＭコンテンツアップロード画面１０２ｃでの入力操作を介してアップロードされた各ＣＭコンテンツに必ず割り当てられる、大文字小文字の英数字を羅列した固有の識別情報を表示する機能を備えている。
【０６４２】
[項目１０７ｎ−５]（タイトル）
タイトル１０７ｎ−５は、図１３に示したＣＭコンテンツアップロード画面１０２ｃのＣＭコンテンツのタイトル入力１０２ｃ−４−３において入力され、ＣＭデータ保管管理部１０４ｃに記録されているＣＭコンテンツのタイトルを表示する機能を備えている。
【０６４３】
［項目１０７ｎ−６］（会員名（ＣＭ提供社名））
会員名（ＣＭ提供社名）１０７ｎ−６は、図１０(b)に示したＣＭ会員ＩＤ登録画面１０２ａの氏名１０２ａ−２において入力されたＣＭ会員の氏名を表示するための表示項目である。
【０６４４】
[項目１０７ｎ−７]（掲載期間／残掲載期間）
掲載期間／残掲載期間１０７ｎ−７は、図１３に示したＣＭコンテンツアップロード画面１０２ｃの入力項目１０２ｃ−５で設定された掲載期間を表示するとともに、残りの掲載期間も同時に表示するための表示項目である。なお、本実施形態のシステムでは、掲載期間／残掲載期間は、ＣＭ／収益計算処理記録管理部１０４ｆに記録されており、その内容を表示するようにしている。
【０６４５】
[項目１０７ｎ−８]（ＣＭ予算／残ＣＭ予算）
ＣＭ予算／残ＣＭ予算１０７ｎ−８は、ＣＭコンテンツアップロード画面１０２ｃの入力項目１０２ｃ−６で設定された予算を表示するとともに、残りのＣＭ予算も同時に表示するための表示項目である。なお、本実施形態のシステムでは、ＣＭ予算／残ＣＭ予算は、ＣＭ／収益計算処理記録管理部１０４ｆに記録されており、その内容を表示するようにしている。
【０６４６】
［項目１０７ｎ−９］（掲載状況）
掲載状況１０７ｎ−９は、当該ＣＭコンテンツが現在掲載中であるか掲載停止（未掲載も含む）状態であるかを表示する機能を備えた表示項目である。当該ＣＭコンテンツの掲載状況は、ＣＭデータ管理部１０４ｃにおける所定の管理領域に記録されている。
【０６４７】
［項目１０７ｎ−１０］（掲載設定）
掲載設定１０７ｎ−１０は、チェックボックス１０７ｎ−３にチェックが入れられているＣＭコンテンツデータの掲載の開始及び停止を設定するための操作ボタンである。
【０６４８】
［項目１０７ｎ−１０ａ］（掲載開始）
掲載開始ボタン１０７ｎ−１０ａを押すと、システムは、チェックボックス１０７ｎ−３にチェックが入れられている当該ＣＭコンテンツＩＤのＣＭコンテンツが掲載停止（未掲載も含む）状態にある場合、その掲載を開始状態にする。
詳しくは、チェックボックス１０７ｎ−３にチェックが入れられている当該ＣＭコンテンツＩＤのＣＭコンテンツデータが、ＣＭデータ管理部１０４ｃの所定の管理領域に、掲載停止状態又は未掲載状態が記録されている場合、掲載開始，継続状態に書き換える。
【０６４９】
［項目１０７ｎ−１０ｂ］（掲載停止）
掲載停止ボタン１０７ｎ−１０ｂを押すと、システムは、チェックボックス１０７ｎ−３にチェックが入れられている当該ＣＭコンテンツＩＤのＣＭコンテンツデータが掲載中の状態にある場合、その掲載を停止する。
詳しくは、チェックボックス１０７ｎ−３にチェックが入れられている当該ＣＭコンテンツＩＤのＣＭコンテンツデータが、ＣＭデータ管理部１０４ｃの所定の管理領域に、掲載開始，継続状態が記録されている場合、掲載停止状態に書き換える。
【０６５０】
［項目１０７ｎ−１１］（削除）
削除ボタン１０７ｎ−１１を押すと、システムは、チェックボックス１０７ｎ−３にチェックが入れられている当該ＣＭコンテンツＩＤのＣＭコンテンツデータのＣＭ掲載の開始・停止・削除画面１０７ｎ上での表示を削除する。また、システムは、また、システムは、変換コンテンツデータ保管部１０４ｇ、未変換コンテンツデータ保管部１５０ａ、ＣＭデータ管理部１０４ｃ、及びライセンス管理部１５０ｂに当該ＣＭコンテンツデータ及び当該ＣＭコンテンツデータに関する所定の管理情報が記録されている場合には、変換コンテンツデータ保管部１０４ｇ、未変換コンテンツデータ保管部１５０ａ、コンテンツデータ管理部１０４ｂ、及びライセンス管理部１５０ｂから当該ＣＭコンテンツデータ及び当該ＣＭコンテンツデータに関する所定の管理情報を削除する。
なお、システムは、システム管理者がＣＭコンテンツを削除した場合には、当該番組において所定の指標に基づく優先順位がその次に高いＣＭコンテンツへの自動切り替えを行うようになっている。
ここでは、優先順位の指標は、コンテンツ選択画面１０３ｅ、１０７ｆを介してコンテンツを選択する際において評価ボタンを介した評価等によってポイント化され、ＣＭデータ管理部１０４ｃに記録された評価ポイントとしており、評価ポイントの高い順に次のＣＭコンテンツに切替えるようにしている。
【０６５１】
インターネット放送番組制作会員資格の開始・停止設定画面１０７ｏ
インターネット放送番組制作会員資格の開始・停止設定画面１０７ｏを図５９に示す。
本実施形態のシステムでは、実際の運営に際し、インターネット放送番組制作会員のうちのＣ会員については、システムの使用に対する所定料の月額使用料を納付してもらい、月額使用料の受領を確認後にインターネット放送番組制作を開始することができるようにしている。
ここで、インターネット放送番組制作会員のうちのＣ会員に対しては、月額使用料の支払いが確認できない場合、会員資格の停止として番組配信の停止を行う。この他、インターネット放送番組制作会員において、規約違反や不正行為などがあった場合、当該会員のインターネット放送番組制作会員資格の停止または会員資格の削除を行う。
インターネット放送番組制作会員資格の開始・停止設定画面１０７ｏは、そのような設定を行うための画面であり、次の項目１０７ｏ−１〜１０７ｏ−１０を備えている。
【０６５２】
［項目１０７ｏ−１］（検索）
検索１０７ｏ−１は、ユーザ管理部１０４ａに記録されているインターネット放送番組制作会員データをフリーワード入力することによりインターネット放送番組制作会員ＩＤや会員名などから検索できる機能を備えている。
システム管理者は、検索入力欄１０７ｏ−１ａに検索キーワードを入力して、検索ボタン１０７ｏ−２を押す。
システムは、検索キーワードに該当するデータを抽出して登録順に一覧表示する。
【０６５３】
［項目１０７ｏ−２ａ，ｂ]（表示頁指定部）
表示頁指定部１０７ｏ−２ａ，１０７ｏ−２ｂは、インターネット放送番組制作会員資格の開始・停止設定画面１０７ｏに表示される検索データが複数頁に及ぶ場合に、テキスト入力ボックス１０７ｏ−２ａに数字を入力し、ＧＯボタン１０７ｏ−２ｂを押すことで、所望の頁を表示する機能を備えている。
【０６５４】
［項目１０７ｏ−３]（チェックボックス）
チェックボックス１０７ｏ−３は、後述の会員資格の開始ボタン１０７ｏ−９ａ、会員資格の停止ボタン１０７ｏ−９ｂ、削除ボタン１０７ｏ−１０などの処理ボタンを押したときに処理対象となるインターネット放送番組制作会員データを特定するための入力項目である。
例えば、所望のチェックボックス１０７ｏ−３にチェックを入れ、会員資格の停止ボタン１０７ｏ−９ｂを押すと、システムは、チェックボックス１０７ｏ−３にチェックが入れられたインターネット放送番組制作会員の資格を停止する。詳しくは、システムは、番組設定記録部１０４ｅにおける当該インターネット放送番組制作会員ＩＤの番組データに関し、所定の領域に番組の停止状態を記録する。システムは、番組の停止状態が記録されている番組に対しては、受信端末配信ツール６０２を介した番組の配信対象から除外するようにしている。また、システムは、ユーザ管理部１０４ａにおける当該インターネット放送番組制作会員ＩＤの管理データの所定の管理領域に会員資格停止状態を記録する。なお、本実施形態のシステムでは、ユーザ管理部１０４ａにおける当該インターネット放送番組制作会員の管理データの所定の管理領域に会員資格停止情報が記録されている場合には、当該インターネット放送番組制作会員の管理画面１０３ｂへの入室ができなくなるように制御している。
【０６５５】
[項目１０７ｏ−４]（インターネット放送番組制作会員ＩＤ）
インターネット放送番組制作会員ＩＤ１０７ｏ−４は、図１７に示したインターネット放送番組製作会員ＩＤ登録画面１０３ａでの入力操作を介して作成された、各インターネット放送番組制作会員に必ず割り当てられる、大文字小文字の英数字を羅列した固有の識別情報を表示する機能を備えている。
【０６５６】
［項目１０７ｏ−５］（会員名）
会員名１０７ｏ−５は、図１７(b)に示したインターネット放送番組制作会員ＩＤ登録画面１０３ａの氏名１０３ａ−３において入力されたインターネット放送番組制作会員の氏名を表示するための表示項目である。
【０６５７】
[項目１０７ｏ−６]（番組数）
番組数１０７ｏ−６は、インターネット放送番組制作会員が製作した番組総数を表示するための表示項目である。
システムは、番組設定記録部１０４ｅに記録されている当該インターネット放送番組製作会員ＩＤをキーとした番組ＩＤを抽出し、その番組ＩＤの数を集計し、番組総数として番組数１０７ｏ−６に表示するようにしている。
【０６５８】
[項目１０７ｏ−７]（インプレッション数）
インプレッション数１０７ｏ−７は、同一インターネット放送番組制作会員が製作した全てのインターネット放送番組について受信端末配信ツール６０２を介して一般視聴者に視聴された総数を表示するための表示項目である。
詳しくは、本実施形態のシステムでは、一般視聴者であるユーザが、受信端末６００から所望のホームページに接続し、そのホームページに貼り付けられた受信端末配信ツール６０２を介してサーバ１００へ番組の配信をリクエストしたときにインターネット放送番組を配信するように構成されている。
そして、システムは、ユーザが、受信端末配信ツール６０２を介してサーバ１００へ番組の配信をリクエストしたときのその１回のリクエストで、１回の視聴があったものとして、番組放送枠で流れるコンテンツとＣＭコンテンツ等の組合せに対しそれぞれ１インプレッションを加算するようにしている。
また、１つの番組放送枠内にコンテンツとＣＭコンテンツ等の組合せが２組あった場合には、１つの番組に対する１回のリクエストで、それぞれの組合せにおけるコンテンツ、ＣＭコンテンツに１インプレッションを加算するようにしている。
また、同じ番組が２回リクエストされた場合には、２インプレッションを加算するようにしている。
そして、システムは、このインプレッション数を、ＣＭ／収益計算処理記録管理部１０４ｆに随時記録するようにしている。
インプレッション数１０７ｏ−７には、このＣＭ／収益計算処理記録管理部１０４ｆに記録されている同一インターネット番組放送製作会員ＩＤのデータのインプレッション数の合計を、総視聴数として表示するようにしている。
【０６５９】
［項目１０７ｏ−８]（資格状況）
資格状況１０７ｏ−８は、当該インターネット放送番組制作会員資格が現在継続中であるか停止状態であるかを表示する機能を備えた表示項目である。当該インターネット放送番組制作会員の資格状況は、ユーザ管理部１０４ａにおける当該インターネット放送番組制作会員の管理データの所定の管理領域に記録されている。
なお、本実施形態のシステムでは、ユーザ管理部１０４ａにおける当該インターネット放送番組制作会員の管理データの所定の管理領域に会員資格停止情報が記録されている場合には、当該インターネット放送番組制作会員の管理画面１０３ｂへの入室ができなくなるように制御している。
【０６６０】
［項目１０７ｏ−９］（資格設定）
資格設定１０７ｏ−９は、チェックボックス１０７ｏ−３にチェックが入れられているインターネット放送番組制作会員資格の開始及び停止を設定するための操作ボタンである。
【０６６１】
［項目１０７ｏ−９ａ］（資格開始）
資格開始ボタン１０７ｏ−９ａを押すと、システムは、チェックボックス１０７ｏ−３にチェックが入れられている当該インターネット放送番組制作会員ＩＤの会員資格が停止状態にある場合、その会員資格を開始状態にする。
詳しくは、ユーザ管理部１０４ａにおける当該インターネット放送番組制作会員ＩＤの管理データの所定の管理領域に会員資格停止状態が記録されている場合、会員資格開始，継続状態に書き換える。
また、システムは、番組設定記録部１０４ｅにおける当該インターネット放送番組制作会員ＩＤの番組データに関し、所定の領域に記録されている番組の停止状態を解除する。
【０６６２】
［項目１０７ｏ−９ｂ］（資格停止）
資格停止ボタン１０７ｏ−９ｂを押すと、システムは、チェックボックス１０７ｏ−３にチェックが入れられている当該インターネット放送番組制作会員ＩＤのインターネット放送番組制作会員資格が継続中の状態にある場合、その会員資格を停止する。
詳しくは、システムは、ユーザ管理部１０４ａにおける当該インターネット放送番組制作会員ＩＤの管理データの所定の管理領域に会員資格開始，継続状態が記録されている場合、会員資格停止状態に書き換える。
また、システムは、番組設定記録部１０４ｅにおける当該インターネット放送番組制作会員ＩＤの番組データに関し、所定の領域に番組の停止状態を記録する。
【０６６３】
［項目１０７ｏ−１０］（削除）
削除ボタン１０７ｏ−１０を押すと、システムは、チェックボックス１０７ｏ−３にチェックが入れられている当該インターネット放送番組制作会員ＩＤのインターネット放送番組製作会員データのＣＭ掲載の開始・停止・削除画面１０７ｎ上での表示を削除する。また、システムは、ユーザ管理部１０４ａに記録されている当該インターネット放送番組制作会員ＩＤの管理データを削除する。さらにシステムは、番組設定記録部１０４ｅにおける当該インターネット放送番組制作会員ＩＤの番組データを削除する。さらに、システムは、当該インターネット放送番組制作会員ＩＤのデータとして変換コンテンツデータ保管部１０４ｇ、未変換コンテンツデータ保管部１５０ａ、ＣＭデータ管理部１０４ｃ、及びライセンス管理部１５０ｂにＣＭコンテンツデータ及びＣＭコンテンツデータに関する所定の管理情報が記録されている場合には、変換コンテンツデータ保管部１０４ｇ、未変換コンテンツデータ保管部１５０ａ、コンテンツデータ管理部１０４ｂ、及びライセンス管理部１５０ｂからＣＭコンテンツデータ及びＣＭコンテンツデータに関する所定の管理情報を削除する。
なお、システムは、システム管理者がコンテンツやＣＭコンテンツを削除した場合には、当該番組において所定の指標に基づく優先順位がその次に高いコンテンツやＣＭコンテンツへの自動切り替えを行うようになっている。
ここでは、優先順位の指標は、コンテンツ選択画面１０３ｅ、１０７ｆを介してコンテンツを選択する際において評価ボタンを介した評価等によってポイント化され、コンテンツデータ管理部１０４ｂや、ＣＭデータ管理部１０４ｃに記録された評価ポイントとしており、評価ポイントの高い順に次のコンテンツ、ＣＭコンテンツに切替えるようにしている。
【０６６４】
コンテンツ会員資格の開始・停止設定画面１０７ｐ
コンテンツ会員資格の開始・停止設定画面１０７ｐを図６０に示す。
本実施形態のシステムでは、実際の運営に際し、コンテンツ会員による規約違反や不正行為などがあった場合、当該コンテンツ会員資格の停止または会員資格の削除を行う。
コンテンツ会員資格の開始・停止設定画面１０７ｐは、そのような設定を行うための画面であり、次の項目１０７ｐ−１〜１０７ｐ−１０を備えている。
【０６６５】
［項目１０７ｐ−１］（検索）
検索１０７ｐ−１は、アップロードされているコンテンツをフリーワードを入力することによりコンテンツのＩＤやタイトル、会員名などから検索できる機能を備えている。
システム管理者は、検索入力欄１０７ｐ−１ａに検索キーワードを入力して、検索ボタン１０７ｐ−１ｂを押す。
システムは、図６に示したコンテンツアップロード画面１０１ｃにおいてアップロードされたデータから、検索キーワードに該当するデータを抽出してアップロード順に一覧表示する。
【０６６６】
［項目１０７ｐ−２ａ，ｂ]（表示頁指定部）
表示頁指定部１０７ｐ−２ａ，１０７ｐ−２ｂは、コンテンツ会員資格の開始・停止設定画面１０７ｐに表示される検索データが複数頁に及ぶ場合に、テキスト入力ボックス１０７ｐ−２ａに数字を入力し、ＧＯボタン１０７ｐ−２ｂを押すことで、所望の頁を表示する機能を備えている。
【０６６７】
［項目１０７ｐ−３]（チェックボックス）
チェックボックス１０７ｐ−３は、後述の会員資格の開始ボタン１０７ｐ−９ａ、会員資格の停止ボタン１０７ｐ−９ｂ、削除ボタン１０７ｐ−１０などの処理ボタンを押したときに処理対象となるコンテンツ会員データを特定するための入力項目である。
例えば、所望のチェックボックス１０７ｐ−３にチェックを入れ、会員資格の停止ボタン１０７ｐ−９ｂを押すと、システムは、チェックボックス１０７ｐ−３にチェックが入れられたコンテンツ会員の資格を停止する。詳しくは、システムは、ユーザ管理部１０４ａにおける当該コンテンツ会員ＩＤの管理データの所定の管理領域に会員資格停止状態を記録する。なお、本実施形態のシステムでは、ユーザ管理部１０４ａにおける当該コンテンツ会員の管理データの所定の管理領域に会員資格停止情報が記録されている場合には、当該コンテンツ会員の管理画面１０１ｂへの入室ができなくなるように制御している。
また、詳しくは、コンテンツデータ管理部１０４ｂにおける当該コンテンツＩＤの所定の管理領域にコンテンツ掲載の停止状態を記録する。システムは、コンテンツ掲載の停止状態が記録されているコンテンツＩＤに対しては、インターネット番組制作におけるコンテンツの選択対象や、受信端末配信ツール６０２を介した番組内におけるコンテンツの配信対象から除外するようにしている。
【０６６８】
［項目１０７ｐ−４]（コンテンツ会員ＩＤ）
コンテンツ会員ＩＤ１０７ｐ−４は、図３に示したコンテンツ会員ＩＤ登録画面１０１ａでの入力操作を介して作成された、各コンテンツ会員に必ず割り当てられる、大文字小文字の英数字を羅列した固有の識別情報を表示する機能を備えている。
【０６６９】
［項目１０７ｐ−５］（会員名）
会員名１０７ｐ−５は、図３(b)に示したコンテンツ会員ＩＤ登録画面１０１ａの氏名１０１ａ−２において入力されたコンテンツ会員の氏名を表示するための表示項目である。
【０６７０】
［項目１０７ｐ−６]（番組数）
番組数１０７ｐ−６は、コンテンツ会員が提供したコンテンツを使用して製作されたインターネット放送番組の総数を表示するための表示項目である。
システムは、番組設定記録部１０４ｅに記録されている当該コンテンツＩＤが用いられている番組ＩＤを抽出し、その番組ＩＤの数を集計し、番組総数として番組数１０７ｐ−６に表示するようにしている。
【０６７１】
［項目１０７ｐ−７]（インプレッション数）
インプレッション数１０７ｐ−７は、同一コンテンツ会員が提供したコンテンツを使用して製作された全てのインターネット放送番組について受信端末配信ツール６０２を介して一般視聴者に視聴された総数を表示するための表示項目である。
詳しくは、本実施形態のシステムでは、一般視聴者であるユーザが、受信端末６００から所望のホームページに接続し、そのホームページに貼り付けられた受信端末配信ツール６０２を介してサーバ１００へ番組の配信をリクエストしたときにインターネット放送番組を配信するように構成されている。
そして、システムは、ユーザが、受信端末配信ツール６０２を介してサーバ１００へ番組の配信をリクエストしたときのその１回のリクエストで、１回の視聴があったものとして、番組放送枠で流れるコンテンツとＣＭコンテンツ等の組合せに対しそれぞれ１インプレッションを加算するようにしている。
また、１つの番組放送枠内にコンテンツとＣＭコンテンツ等の組合せが２組あった場合には、１つの番組に対する１回のリクエストで、それぞれの組合せにおけるコンテンツ、ＣＭコンテンツに１インプレッションを加算するようにしている。
また、同じ番組が２回リクエストされた場合には、２インプレッションを加算するようにしている。
そして、システムは、このインプレッション数を、番組収益計算処理記録管理部１０４ｆに随時記録するようにしている。
インプレッション数１０７ｐ−７には、この番組収益計算処理記録管理部１０４ｆに記録されている同一コンテンツ会員ＩＤのコンテンツＩＤを含んだ番組データのインプレッション数の合計を、総視聴数として表示するようにしている。
【０６７２】
［項目１０７ｐ−８]（資格状況）
資格状況１０７ｐ−８は、当該コンテンツ会員資格が現在継続中であるか停止状態であるかを表示する機能を備えた表示項目である。当該コンテンツ会員の資格状況は、ユーザ管理部１０４ａにおける当該コンテンツ会員の管理データの所定の管理領域に記録されている。
なお、本実施形態のシステムでは、ユーザ管理部１０４ａにおける当該コンテンツ会員の管理データの所定の管理領域に会員資格停止情報が記録されている場合には、当該コンテンツ会員の管理画面１０１ｂへの入室ができなくなるように制御している。
また、本実施形態のシステムでは、コンテンツデータ管理部１０４ｂにおける当該コンテンツＩＤの所定の管理領域にコンテンツ掲載の停止状態を記録する。そして、システムは、コンテンツ掲載の停止状態が記録されているコンテンツＩＤに対しては、インターネット番組制作におけるコンテンツの選択対象や、受信端末配信ツール６０２を介した番組内におけるコンテンツの配信対象から除外するようにしている。
【０６７３】
［項目１０７ｐ−９］（資格設定）
資格設定１０７ｐ−９は、チェックボックス１０７ｐ−３にチェックが入れられているコンテンツ会員資格の開始及び停止を設定するための操作ボタンである。
【０６７４】
［項目１０７ｐ−９ａ］（資格開始）
資格開始ボタン１０７ｐ−９ａを押すと、システムは、チェックボックス１０７ｐ−３にチェックが入れられている当該コンテンツ会員ＩＤの会員資格が停止状態にある場合、その会員資格を開始状態にする。
詳しくは、ユーザ管理部１０４ａにおける当該コンテンツ会員ＩＤの管理データの所定の管理領域に会員資格停止状態が記録されている場合、会員資格開始，継続状態に書き換える。
また、本実施形態のシステムでは、コンテンツデータ管理部１０４ｂにおける当該コンテンツＩＤの所定の管理領域に記録されているコンテンツ掲載の停止状態を解除する。
【０６７５】
［項目１０７ｐ−９ｂ］（資格停止）
資格停止ボタン１０７ｐ−９ｂを押すと、システムは、チェックボックス１０７ｐ−３にチェックが入れられている当該コンテンツ会員ＩＤの資格が継続中の状態にある場合、その会員資格を停止する。
詳しくは、システムは、ユーザ管理部１０４ａにおける当該コンテンツ会員ＩＤの管理データの所定の管理領域に会員資格停止状態を記録する。
また、システムは、コンテンツデータ管理部１０４ｂにおける当該コンテンツＩＤの所定の管理領域にコンテンツ掲載の停止状態を記録する。
【０６７６】
［項目１０７ｐ−１０］（削除）
削除ボタン１０７ｐ−１０を押すと、システムは、チェックボックス１０７ｐ−３にチェックが入れられている当該コンテンツ会員ＩＤのコンテンツ会員データのコンテンツ会員の会員資格開始・停止設定画面１０７ｐ上での表示を削除する。また、システムは、ユーザ管理部１０４ａに記録されている当該コンテンツ会員ＩＤの管理データを削除する。さらに、システムは、当該コンテンツ会員ＩＤのデータとして変換コンテンツデータ保管部１０４ｇ、未変換コンテンツデータ保管部１５０ａ、及びライセンス管理部１５０ｂにコンテンツデータ及びコンテンツデータに関する所定の管理情報が記録されている場合には、変換コンテンツデータ保管部１０４ｇ、未変換コンテンツデータ保管部１５０ａ、コンテンツデータ管理部１０４ｂ、及びライセンス管理部１５０ｂからコンテンツデータ及びコンテンツデータに関する所定の管理情報を削除する。
なお、システムは、システム管理者がコンテンツを削除した場合には、当該番組において所定の指標に基づく優先順位がその次に高いコンテンツへの自動切り替えを行うようになっている。
ここでは、優先順位の指標は、コンテンツ選択画面１０３ｅ、１０７ｆを介してコンテンツを選択する際において評価ボタンを介した評価等によってポイント化され、コンテンツデータ管理部１０４ｂに記録された評価ポイントとしており、評価ポイントの高い順に次のコンテンツに切替えるようにしている。
【０６７７】
データベース部１０４
データベース部１０４は、ユーザ管理部１０４ａと、コンテンツデータ管理部１０４ｂと、ＣＭデータ管理部１０４ｃと、アクセス／視聴数記録部１０４ｄと、番組設定記録部１０４ｅと、ＣＭ／収益計算処理記録管理部１０４ｆと、変換コンテンツデータ保管部１０４ｇと、インターネット放送番組製作会員管理画面設定記録管理部１０４ｈと、ウェブデータ記録管理部１０４ｉを備えている。
【０６７８】
ユーザ管理部１０４ａ
ユーザ管理部１０４ａは、コンテンツデータ受付手段１０１を介して登録されたコンテンツ提供者３００に関する識別情報と、ＣＭデータ受付手段１０２を介して登録されたＣＭスポンサー４００に関する識別情報と、インターネット放送番組用データ申し込み受付手段１０３を介して登録されたインターネット放送番組製作者５００に関する識別情報とを、蓄積管理する。
【０６７９】
図６１は本実施形態のシステムにおけるユーザ管理部１０４ａのレコードレイアウトを示す説明図である。
ユーザ管理部１０４ａは、ユーザＩＤ１０４ａ−１と、会員種類１０４ａ−２と、インターネット放送番組制作会員種別１０４ａ−３と、会員名１０４ａ−４と、会員資格状況（管理領域）１０４ａ−５と、パスワード１０４ａ−６と、メールアドレス１０４ａ−７と、ディフォルトライセンス１０４ａ−８と、会員住所、会員電話番号、会員カード番号、会員口座番号その他の個人情報項目を有している。
【０６８０】
ユーザＩＤ１０４ａ−１、会員氏名１０４ａ−４、パスワード１０４ａ−６及びメールアドレス１０４ａ−７には、コンテンツ会員ＩＤ登録画面１０１ａ、ＣＭ会員ＩＤ登録画面１０２ａ及びインターネット放送番組製作会員ＩＤ登録画面１０３ａにおいて入力された各会員の登録情報が記録される。
会員種類１０４ａ−２には、登録画面１０１ａ，１０２ａ，１０３ａに対応した会員種類としてコンテンツ会員、ＣＭ会員、インターネット放送番組製作会員のいずれかが記録される。
【０６８１】
インターネット放送番組制作会員種別１０４ａ−３は、インターネット放送番組製作会員ＩＤ登録情報に固有のデータ項目である。インターネット放送番組制作会員種別１０４ａ−３には、インターネット放送番組製作会員ＩＤ登録画面１０３ａの会員選択入力項目１０３ａ−１ａ，１０３ａ−１ｂ，１０３ａ−１ｃのいずれかの入力に対応した会員種別としてＡ会員、Ｂ会員、Ｃ会員のいずれかが記録される。
【０６８２】
会員資格状況１０４ａ−５は、インターネット放送番組制作会員資格の開始・停止設定画面１０７ｏにおける資格設定１０７ｏ−９や、コンテンツ会員資格の開始・停止設定画面１０７ｐにおける資格設定１０７ｐ−９を介して設定された、会員資格の開始継続又は停止のいずれかが記録される。
【０６８３】
ディフォルトライセンス１０４ａ−８には、コンテンツ会員管理画面入室画面１０１ｂ、ＣＭ会員管理画面入室画面１０２ｂ及びインターネット放送番組製作会員管理画面入室画面１０３ｂのそれぞれライセンス設定１０１ｂ−３、１０２ｂ−３、１０３ｂ−３において初期設定された内容が記録される。
なお、コンテンツ会員管理画面入室画面１０１ｂ及びインターネット放送番組製作会員管理画面入室画面１０３ｂでのライセンス設定に際し、システムは、ライセンス設定１０１ｂ−３、１０３ｂ−３における選択項目についての選択枝の組合せに応じて複数のライセンス種類に記号化（例えば、Ａライセンス、Ｂライセンス、・・・ｅｔｃ）して、ディフォルトライセンス１０４ａ−８に記録するようにしている。
【０６８４】
その他、会員住所、会員電話番号、会員カード番号、会員口座番号等の個人情報項目は、図３、図１０、図１７においては図示を省略したが、コンテンツ会員ＩＤ登録画面１０１ａ、ＣＭ会員ＩＤ登録画面１０２ａ及びインターネット放送番組製作会員ＩＤ登録画面１０３ａにそれぞれ入力項目として設けられており、それらの入力内容が記録される。
【０６８５】
コンテンツデータ管理部１０４ｂ
コンテンツデータ管理部１０４ｂは、コンテンツ提供者３００からのコンテンツデータを蓄積管理する。
【０６８６】
図６２は本実施形態のシステムにおけるコンテンツデータ管理部１０４ｂのレコードレイアウトを示す説明図である。
コンテンツデータ管理部１０４ｂは、コンテンツＩＤ１０４ｂ−１と、コンテンツ会員ＩＤ１０４ｂ−２と、データ名１０４ｂ−３と、共有識別１０４ｂ−４と、データ種類１０４ｂ−５と、カテゴリ大項目１０４ｂ−６ａと、カテゴリ中項目１０４ｂ−６ｂと、カテゴリ小項目１０４ｂ−６ｃと、評価１０４ｂ−７と、時間１０４ｂ−８と、サイズ１０４ｂ−９と、更新日１０４ｂ−１０と、保存先１０４ｂ−１１と、ライセンス種別１０４ｂ−１２と、タイトル１０４ｂ−１３と、ＵＲＬ１０４ｂ−１４と、コメント１０４ｂ−１５と、受信端末配信先ＵＲＬ１０４ｂ−１６を有している。
【０６８７】
コンテンツＩＤ１０４ｂ−１には、入出力制御部１０５ｆを介して自動発行された、コンテンツ毎に固有のＩＤが記録される。
【０６８８】
コンテンツ会員ＩＤ１０４ｂ−２には、入出力制御部１０５ｆを介して自動発行された、コンテンツ会員毎に固有のＩＤが記録される。
【０６８９】
データ名１０４ｂ−３には、入出力制御部１０５ｆを介して自動発行された、コンテンツとコンテンツ会員との組合せ毎に固有の名称が記録される。
【０６９０】
共有識別１０４ｂ−４には、コンテンツ会員管理画面入室画面１０１ｂにおけるライセンス設定１０１ｂ−３、コンテンツアップロード画面１０１ｃにおけるライセンス設定１０１ｃ−４、ＲＳＳ＆ＡＴＯＭ＆テキスト設定画面１０３ｆやテキスト＆字幕設定画面１０３ｇにおける共有ボタンの押下の有無等により設定された当該コンテンツを他人と共有使用することの可否が記録される。
【０６９１】
データ種類１０４ｂ−５には、コンテンツアップロード画面１０１ｃにおけるデータ種類１０１ｃ−３での選択入力等を介して設定されたコンテンツのデータの種類が記録される。
【０６９２】
カテゴリ大項目１０４ｂ−６ａ、カテゴリ中項目１０４ｂ−６ｂ、カテゴリ小項目１０４ｂ−６ｃには、コンテンツアップロード画面１０１ｃにおけるカテゴリ１０１ｃ−２での選択入力等を介して設定されたカテゴリが記録される。
【０６９３】
評価１０４ｂ−７は、例えば、フリーワード検索コンテンツ表示選択画面１０３ｅ−Ａの評価ボタン１０３ｅ−Ａ９ｊを介してインターネット放送番組製作会員等が行った、視聴対象として選択されたコンテンツに対する評価についての、ポイント換算した合計値が記録される。
【０６９４】
時間１０４ｂ−８、サイズ１０４ｂ−９、更新日１０４ｂ−１０には、コンテンツアップロード画面１０１ｃにおいて、コンテンツのアップロードを行ったときのアップロードの時間、コンテンツのサイズ、アップロードをした日又はコンテンツ一覧画面１０１ｄにおいて、アップロードしたコンテンツに関する情報が更新された日等が記録される。
【０６９５】
保存先１０４ｂ−１１には、コンテンツアップロード画面１０１ｃのファイル選択１０１ｃ−１において選択されてアップロードされたコンテンツの保存先が記録される。
【０６９６】
ライセンス１０４ｂ−１２には、コンテンツ会員管理画面入室画面１０１ｂのライセンス設定１０１ｂ−３や、コンテンツアップロード画面１０１ｃのライセンス設定１０１ｃ−４を介して設定された所定の選択入力内容に対応する所定のライセンス種類が記録される。
【０６９７】
タイトル１０４ｂ−１３、ＵＲＬ１０４ｂ−１４、コメント１０４ｂ−１５には、コンテンツ会員管理画面入室画面１０１ｂのライセンス設定１０１ｂ−３や、コンテンツアップロード画面１０１ｃのライセンス設定１０１ｃ−４を介して設定された入力内容がそれぞれ記録される。
【０６９８】
受信端末配信先ＵＲＬ１０４ｂ−１６には、コンテンツ，ＲＳＳ＆ＡＴＯＭ，テキスト＆字幕一覧、タグ書き出し(番組制作）画面１０３ｉのタグ書き出しボタン１０３ｉ−４や、コンテンツ，ＲＳＳ＆ＡＴＯＭ，テキスト＆字幕一覧、タグ書き出し(番組制作）画面１０７ｊのタグ書き出しボタン１０７ｊ−１−１７を介して書き出された番組のタグを記録する。
【０６９９】
ＣＭデータ管理部１０４ｃ
ＣＭデータ管理部１０４ｃは、ＣＭスポンサー４００からのＣＭデータを蓄積管理する。
【０７００】
図６３は本実施形態のシステムにおけるＣＭデータ管理部１０４ｃのレコードレイアウトを示す説明図である。
ＣＭデータ管理部１０４ｃは、ＣＭコンテンツＩＤ１０４ｃ−１と、ＣＭ会員ＩＤ１０４ｃ−２と、データ名１０４ｃ−３と、共有識別１０４ｃ−４と、データ種類１０４ｃ−５と、カテゴリ大項目１０４ｃ−６ａと、カテゴリ中項目１０４ｃ−６ｂと、カテゴリ小項目１０４ｃ−６ｃと、評価１０４ｃ−７と、時間１０４ｃ−８と、サイズ１０４ｃ−９と、更新日１０４ｃ−１０と、保存先１０４ｃ−１１と、ライセンス種別１０４ｃ−１２と、タイトル１０４ｃ−１３と、ＵＲＬ１０４ｃ−１４と、コメント１０４ｃ−１５と、受信端末配信先ＵＲＬ１０４ｃ−１６を有している。
【０７０１】
ＣＭコンテンツＩＤ１０４ｃ−１には、入出力制御部１０５ｆを介して自動発行された、ＣＭコンテンツ毎に固有のＩＤが記録される。
【０７０２】
ＣＭ会員ＩＤ１０４ｃ−２には、入出力制御部１０５ｆを介して自動発行された、ＣＭ会員毎に固有のＩＤが記録される。
【０７０３】
データ名１０４ｃ−３には、入出力制御部１０５ｆを介して自動発行された、ＣＭコンテンツとＣＭ会員との組合せ毎に固有の名称が記録される。
【０７０４】
共有識別１０４ｃ−４には、ＣＭ会員管理画面入室画面１０２ｂにおけるライセンス設定１０２ｂ−３、ＣＭコンテンツアップロード画面１０２ｃにおけるライセンス設定１０２ｃ−４、ＲＳＳ＆ＡＴＯＭ＆テキスト設定画面１０３ｆやテキスト＆字幕設定画面１０３ｇにおける共有ボタンの押下の有無等により設定された当該コンテンツを他人と共有使用することの可否が記録される。
【０７０５】
データ種類１０４ｃ−５には、ＣＭコンテンツアップロード画面１０２ｃにおけるデータ種類１０２ｃ−３での選択入力等を介して設定されたＣＭコンテンツのデータの種類が記録される。
【０７０６】
カテゴリ大項目１０４ｃ−６ａ、カテゴリ中項目１０４ｃ−６ｂ、カテゴリ小項目１０４ｃ−６ｃには、ＣＭコンテンツアップロード画面１０２ｃにおけるカテゴリ１０２ｃ−２での選択入力等を介して設定されたカテゴリが記録される。
【０７０７】
評価１０４ｃ−７は、例えば、フリーワード検索コンテンツ表示及び自動選択ＣＭ表示選択画面１０３ｅ−Ｂの評価ボタン１０３ｅ−Ｂ９ｊを介してインターネット放送番組製作会員等が行った、視聴対象として選択されたコンテンツに対する評価についての、ポイント換算した合計値が記録される。
【０７０８】
時間１０４ｃ−８、サイズ１０４ｃ−９、更新日１０４ｃ−１０には、ＣＭコンテンツアップロード画面１０２ｃにおいて、コンテンツのアップロードを行ったときのアップロードの時間、ＣＭコンテンツのサイズ、アップロードをした日又はＣＭコンテンツ一覧画面１０２ｄにおいて、アップロードしたＣＭコンテンツに関する情報が更新された日等が記録される。
【０７０９】
保存先１０４ｃ−１１には、コンテンツアップロード画面１０２ｃのファイル選択１０２ｃ−１において選択されてアップロードされたＣＭコンテンツの保存先が記録される。
【０７１０】
ライセンス１０４ｃ−１２には、ＣＭ会員管理画面入室画面１０２ｂのライセンス設定１０２ｂ−３や、ＣＭコンテンツアップロード画面１０２ｃのライセンス設定１０２ｃ−４を介して設定された所定の選択入力内容に対応する所定のライセンス種類が記録される。
【０７１１】
タイトル１０４ｃ−１３、ＵＲＬ１０４ｃ−１４、コメント１０４ｃ−１５には、ＣＭ会員管理画面入室画面１０２ｂのライセンス設定１０２ｂ−３や、ＣＭコンテンツアップロード画面１０２ｃのライセンス設定１０２ｃ−４を介して設定された入力内容がそれぞれ記録される。
【０７１２】
受信端末配信先ＵＲＬ１０４ｃ−１６には、コンテンツ，ＲＳＳ＆ＡＴＯＭ，テキスト＆字幕一覧、タグ書き出し(番組制作）画面１０３ｉのタグ書き出しボタン１０３ｉ−４や、コンテンツ，ＲＳＳ＆ＡＴＯＭ，テキスト＆字幕一覧、タグ書き出し(番組制作）画面１０７ｊのタグ書き出しボタン１０７ｊ−１−１７を介して書き出された番組のタグが記録される。
【０７１３】
また、ＣＭデータ管理部１０４ｃは、さらに所定の管理領域１０４ｃ−１７を有している。
所定の管理領域には、ＣＭ掲載の開始・停止・削除画面１０７ｎにおける掲載設定１０７ｎ−１０を介して設定された、ＣＭコンテンツ会員におけるＣＭ掲載の停止状態又はＣＭ掲載開始，継続状態が記録される。
【０７１４】
アクセス／視聴数記録部１０４ｄは、受信端末配信ツール６０２を介してサーバ１００より配信される番組へのアクセス数等を計数し記録する。
【０７１５】
図６４は本実施形態のシステムにおけるアクセス／視聴数記録部１０４ｄのレコードレイアウトを示す説明図である。
アクセス／視聴数記録部１０４ｄは、ＩＤ１０４ｄ−１と、ユーザＩＤ１０４ｄ−２と、設定インプレッション数１０４ｄ−３と、インプレッション数１０４ｄ−４と、インタラクション数（マウスオーバー）１０４ｄ−５ａと、インタラクション数（クリック）１０４ｄ−５ｂと、インタラクション率１０４ｄ−６、番組評価部１０４ｄ−７と、その他、リンク元ＵＲＬ、リンク元ドメイン、検索エンジン、検索語句、検索単語、ブラウザ、ＯＳ、ＣＰＵ、画面情報、画面サイズ、画面色数、クッキー、ＪＡＶＡ（登録商標）、ＪＡＶＡ（登録商標）ＳＣＲＩＰＴ、言語圏、都道府県、プロバイダ、プロキシサーバ、訪問間隔、閲覧時間、アクセス履歴、番組配信先ＵＲＬ等のシステム情報を有している。
【０７１６】
ＩＤ１０４ｄ−１には、コンテンツＩＤや、番組ＩＤが記録される。
ユーザＩＤ１０４ｄ−２には、コンテンツ会員ＩＤや、インターネット放送番組制作会員ＩＤが記録される。
設定インプレッション数１０４ｄ−３には、ＣＭコンテンツ視聴率（インプレッション数）／掲載期間／ＣＭ予算確認画面１０２ｅのインプレッション設定１０２ｅ−７で設定された、当該ＣＭコンテンツを用いて製作される番組において制限されるインプレッション数が記録される。
インプレッション数１０４ｄ−４には、本実施形態のシステムによってカウントされた、当該コンテンツとＣＭコンテンツを用いて製作された番組の視聴数が記録される。
インタラクション数（マウスオーバー）１０４ｄ−５ａには、本実施形態のシステムによってカウントされた、番組内のＣＭコンテンツに対して視聴者がマウスオーバーをした回数が記録される。
インタラクション数（クリック）１０４ｄ−５ｂには、本実施形態のシステムによってカウントされた、番組内のＣＭコンテンツに対して視聴者がクリックをした回数が記録される。
インタラクション率１０４ｄ−６には、本実施形態のシステムによって算出された、番組内のＣＭコンテンツに対して何らかのアクション（マウスオーバーやクリック）を視聴者がした回数の、当該番組のインプレッション数に対する割合が記録される。  番組評価部１０４ｄ−７には、受信端末配信ツール６０２のアンケート部６０２を介してなされた評価がポイントに換算して加算・減算を行った値の集計値が記録される。
【０７１７】
番組設定記録部１０４ｅ
番組設定記録部１０４ｅは、インターネット放送番組製作者５００を介して設定された番組データを記録管理する。
【０７１８】
図６５は本実施形態のシステムにおける番組設定記録部１０４ｅのレコードレイアウトを示す説明図であり、(a)はレコードの全体レイアウトを示す図、(b)は(a)における番組ＩＤの割り当て方法を示す説明図である。
番組設定記録部１０４ｅは、「「番組へ登録」ボタンを押したときに記録される項目」１０４ｅ−１、「「サンプル画面で見る」ボタンを押したときに記録される項目」１０４ｅ−２、「「番組リストへ追加」ボタンを押したときに記録される項目」１０４ｅ−３を有し、それぞれに、番組ＩＤ、ユーザＩＤ、コンテンツＩＤ（第１配信順目）、コンテンツＩＤ（第２配信順目）、・・・コンテンツＩＤ（第ｎ配信順目）を有している。
【０７１９】
番組ＩＤには、左３桁に、受信端末配信ツールデザイン選択画面１０３ｃにおいて選択されたフレーム形状、フレーム模様、フレーム色の各情報が記録され、７桁目以降に、入出力制御部１０５ｆを介して発行される固有のＩＤが記録される。
ユーザＩＤには、インターネット放送番組製作会員ＩＤが記録される。
コンテンツＩＤには、コンテンツ選択画面１０３ｅ，１０７ｆで選択され、番組リストへ追加ボタンを押されたコンテンツが「「番組へ登録」ボタンを押したときに記録される項目」１０４ｅ−１内に選択順に記録される。
また、コンテンツ，ＲＳＳ＆ＡＴＯＭ，テキスト＆字幕一覧、タグ書き出し(番組制作）画面１０３ｉ，１０７ｊにおいて、チェックボックスにチェックを入れられたコンテンツデータ、ＲＳＳ＆ＡＴＯＭ＆テキストコンテンツ、テキスト＆字幕コンテンツが、設定された配信順位でもって、サンプル画面表示指示ボタンが押されたときには、「「サンプル画面で見る」ボタンを押したときに記録される項目」１０４ｅ−２内に記録され、番組リストへ追加ボタンを押したときには、「「番組リストへ追加」ボタンを押したときに記録される項目」１０４ｅ−３内に記録される。
【０７２０】
ＣＭ／収益計算処理記録管理部１０４ｆ
ＣＭ／収益計算処理記録管理部１０４ｆは、前記番組に含まれるＣＭデータのＣＭスポンサー４００から提供されるＣＭ収益を、アクセス／視聴数記録部１０４ｄを介して記録されたアクセス数に応じて、該番組を設定したインターネット放送番組製作者５００と該番組に含まれるコンテンツを提供したコンテンツ提供者３００とに所定の割合で分配する。
【０７２１】
図６６は本実施形態のシステムにおけるＣＭ／収益計算処理記録管理部１０４ｆのレコードレイアウトを示す説明図である。
ＣＭ／収益計算処理記録管理部１０４ｆは、ＣＭコンテンツ用と、コンテンツ用及び番組用とでレコードレイアウトが異なっている。
【０７２２】
ＣＭコンテンツ用レコードレイアウト
ＣＭコンテンツ用レコードレイアウトは、ＩＤ１０４ｆ−１と、ユーザＩＤ１０４ｆ−２と、予算設定１０４ｆ−３と、ＣＭ掲載期間／残掲載期間１０４ｆ−４と、ＣＭ予算／残予算１０４ｆ−５と、総合計ＣＭ費１０４ｆ−６と、現合計ＣＭ費１０４ｆ−７とで構成されている。
ＣＭコンテンツ用レコードレイアウトにおいては、ＩＤ１０４ｆ−１には、ＣＭコンテンツＩＤが記録される。
ユーザＩＤ１０４ｆ−２には、ＣＭ会員ＩＤが記録される。
予算設定１０４ｆ−３には、ＣＭコンテンツ視聴率（インプレッション数）／掲載期間／ＣＭ予算確認画面１０２ｅ（図１５）の予算設定１０２ｅ−６で設定されたポイントが記録される。
ＣＭ掲載期間／残掲載期間１０４ｆ−４は、ＣＭ掲載期間１０４ｆ−４ａとＣＭ残掲載期間１０４ｆ−４ｂとからなる。
ＣＭ掲載期間１０４ｆ−４ａには、図１３に示したＣＭコンテンツアップロード画面１０２ｃの入力項目１０２ｃ−５で設定された掲載期間が記録される。
ＣＭ残掲載期間１０４ｆ−４ｂには、次のようにして求めたＣＭの残掲載期間が記録される。
【０７２３】
上述したように、本実施形態のシステムでは、ＣＭコンテンツを使用して製作された番組の視聴数（インプレッション数）とインタラクション率を用いるとともに、システム管理画面１０７のインタラクション率によるＣＭ費の設定欄１０７ｃで予め設定されているＣＭ費を基準として現時点での徴収すべきＣＭ費を計算する。次に、図１３に示したＣＭコンテンツアップロード画面１０２ｃの入力項目１０２ｃ−６で設定されたＣＭ予算から現時点のＣＭ費を引き算して残ＣＭ予算を算出する。次に、残ＣＭ予算と、ＣＭコンテンツを使用して製作された番組の視聴数（インプレッション数）とインタラクション率とからＣＭの残りの掲載期間を算出する。
なお、ＣＭの残掲載期間は、以後の残ＣＭ予算に対する視聴者の視聴数（インプレッション数）とインタラクション率により変動しうる。
【０７２４】
ＣＭ予算／残予算１０４ｆ−５は、ＣＭ予算１０４ｆ−５ａと、ＣＭ残予算１０４ｆ−５ｂとからなる。
ＣＭ予算１０４ｆ−５ａには、図１３に示したＣＭコンテンツアップロード画面１０２ｃの入力項目１０２ｃ−６で設定されたＣＭ予算が記録される。
ＣＭ残予算１０４ｆ−５ｂには、次のようにして求めたＣＭ残予算が記録される。
【０７２５】
上述したように、本実施形態のシステムでは、ＣＭコンテンツを使用して製作された番組の視聴数（インプレッション数）とインタラクション率を用いるとともに、システム管理画面１０７のインタラクション率によるＣＭ費の設定欄１０７ｃで予め設定されているＣＭ費を基準として現時点での徴収すべきＣＭ費を計算する。次に、図１３に示したＣＭコンテンツアップロード画面１０２ｃの入力項目１０２ｃ−６で設定されたＣＭ予算から現時点のＣＭ費を引き算して残ＣＭ予算を算出する。
【０７２６】
総合計ＣＭ費１０４ｆ−６には、ＣＭ／収益計算処理記録管理部１０４ｆに記録されている、同一ＣＭ会員ＩＤのＣＭ会員についての全てのＣＭコンテンツのＣＭ予算の合計が記録される。
【０７２７】
現合計ＣＭ費１０４ｆ−７には、ＣＭ／収益計算処理記録管理部１０４ｆに記録されている、同一ＣＭ会員ＩＤのＣＭ会員についての全てのＣＭコンテンツの現時点でのＣＭ残予算の合計が記録される。
【０７２８】
コンテンツ用レコードレイアウト
コンテンツ用レコードレイアウトは、ＩＤ１０４ｆ−１と、合計インプレッション１０４ｆ−８と、インタラクション率１０４ｆ−９と、収益１０４ｆ−１０とで構成されている。
コンテンツ用レコードレイアウトにおいては、ＩＤ１０４ｆ−１には、コンテンツＩＤが記録される。
ユーザＩＤ１０４ｆ−２には、コンテンツ会員ＩＤが記録される。
合計インプレッション１０４ｆ−８には、システムによってカウントされた、同一コンテンツ会員ＩＤのコンテンツＩＤを含んだ全ての番組のインプレッション数の合計が記録される。
インタラクション率１０４ｆ−９には、システムによってカウントされた、当該コンテンツを使用して製作された全ての番組に使用された全てのＣＭコンテンツに対するインタラクション率が記録される。
収益１０４ｆ−１０には、当該コンテンツを使用して製作された全ての番組のインプレッション数とその番組に使用された全てのＣＭコンテンツに対するインタラクション率により、図２に示すシステム管理画面１０７のＣＭ費，レベニュー率編集画面１０７ｍで設定された収益率（分配率）をもとに計算された収益が記録される。
【０７２９】
番組用レコードレイアウト
番組用レコードレイアウトは、コンテンツ用レコードレイアウトと同様に、ＩＤ１０４ｆ−１と、合計インプレッション１０４ｆ−８と、インタラクション率１０４ｆ−９と、収益１０４ｆ−１０とで構成されている。
コンテンツ用レコードレイアウトにおいては、ＩＤ１０４ｆ−１には、番組ＩＤが記録される。
ユーザＩＤ１０４ｆ−２には、インターネット放送番組製作会員ＩＤが記録される。
合計インプレッション１０４ｆ−８には、システムによってカウントされた、同一インターネット放送番組製作会員ＩＤの番組ＩＤの番組のインプレッション数の合計が記録される。
インタラクション率１０４ｆ−９には、システムによってカウントされた、当該番組に使用された全てのＣＭコンテンツに対するインタラクション率が記録される。
収益１０４ｆ−１０には、当該番組のインプレッション数とその番組に使用された全てのＣＭコンテンツに対するインタラクション率により、図２に示すシステム管理画面１０７のＣＭ費，レベニュー率編集画面１０７ｍで設定された収益率（分配率）をもとに計算された収益が記録される。
【０７３０】
変換コンテンツデータ保管部１０４ｇ
変換コンテンツデータ保管部１０４ｇには、コンテンツアップロード画面１０１ｃのファイル選択１０１ｃ−１を介して選択され、コンテンツデータ変換部１０５ｉを介して番組配信用のデータ形式に変換されたコンテンツが、コンテンツ会員ＩＤ、コンテンツＩＤとともに記録される。
また、変換コンテンツデータ保管部１０４ｇには、ＣＭコンテンツアップロード画面１０２ｃのファイル選択１０２ｃ−１を介して選択され、コンテンツデータ変換部１０５ｉを介して番組配信用のデータ形式に変換されたＣＭコンテンツが、ＣＭ会員ＩＤ、ＣＭコンテンツＩＤとともに記録される。
【０７３１】
また、変換コンテンツデータ保管部１０４ｇには、番組制作者提供コンテンツアップロード画面１０３ｄのファイル選択１０３ｄ−１を介して選択され、コンテンツデータ変換部１０５ｉを介して番組配信用のデータ形式に変換された番組制作者提供コンテンツが、インターネット放送番組制作会員ＩＤ、番組制作者提供コンテンツＩＤとともに記録される。
また、変換コンテンツデータ保管部１０４ｇには、ＲＳＳ＆ＡＴＯＭ＆テキスト設定画面１０３ｆのＲＳＳ＆ＡＴＯＭ入力部１０３ｆ−１やテキスト入力部１０３ｆ−２を介して入力されたＲＳＳ＆ＡＴＯＭコンテンツデータ、テキストデータが、インターネット放送番組制作会員ＩＤ、ＲＳＳ＆ＡＴＯＭ＆テキストコンテンツＩＤとともに記録される。
また、変換コンテンツデータ保管部１０４ｇには、テキスト＆字幕設定画面１０３ｇのテキスト＆字幕入力部１０３ｇ−１を介して入力されたテキスト＆字幕コンテンツデータが、インターネット放送番組制作会員ＩＤ、テキスト＆字幕コンテンツＩＤとともに記録される。
また、変換コンテンツデータ保管部１０４ｇには、録画・録音設定画面１０３ｈのリアルタイム録画・録音操作部１０３ｈ−１を介して作業領域に一時的に取り込まれ、コンテンツデータ変換部１０５ｉで番組配信用データにデータ形式を変換された映像や音声データが、インターネット放送番組制作会員ＩＤ、リアルタイム録画・録音コンテンツＩＤとともに記録される。
【０７３２】
また、変換コンテンツデータ保管部１０４ｇには、システム管理者提供コンテンツアップロード画面１０７ｅのファイル選択１０７ｅ−１を介して選択され、コンテンツデータ変換部１０５ｉを介して番組配信用のデータ形式に変換されたシステム管理者提供コンテンツが、システム管理者ＩＤ、システム管理者提供コンテンツＩＤとともに記録される。
また、変換コンテンツデータ保管部１０４ｇには、ＲＳＳ＆ＡＴＯＭ＆テキスト設定画面１０７ｇのＲＳＳ＆ＡＴＯＭ入力部１０７ｇ−１、テキスト入力部１０７ｇ−２を介して入力されたＲＳＳ＆ＡＴＯＭコンテンツデータ、テキストコンテンツデータが、システム管理者ＩＤ、ＲＳＳ＆ＡＴＯＭ＆テキストコンテンツＩＤとともに記録される。
また、変換コンテンツデータ保管部１０４ｇには、テキスト＆字幕設定画面１０７ｈのテキスト＆字幕入力部１０７ｈ−１を介して入力されたテキスト＆字幕コンテンツデータが、インターネット放送番組制作会員ＩＤ、テキスト＆字幕コンテンツＩＤとともに記録される。
さらに、変換コンテンツデータ保管部１０４ｇには、録画・録音設定画面１０７ｉのリアルタイム録画・録音操作部１０７ｉ−１を介して作業領域に一時的に取り込まれ、コンテンツデータ変換部１０５ｉで番組配信用データにデータ形式を変換された映像や音声データが、システム管理者ＩＤ、リアルタイム録画・録音コンテンツＩＤとともに記録される。
【０７３３】
インターネット放送番組製作会員管理画面設定記録管理部１０４ｈ
インターネット放送番組製作会員管理画面設定記録管理部１０４ｈには、受信端末配信ツールデザイン追加変更画面１０７ｄのフレーム形状追加、変更部１０７ｄ−１、フレーム模様追加、変更部１０７ｄ−２、フレーム色追加、変更部１０７ｄ−３を介して、追加、変更された、受信端末配信ツールデザイン選択画面１０３ｃにおいてインターネット放送番組製作会員による選択枝として表示するためのフレーム形状、フレーム模様、フレーム色が記録される。
【０７３４】
ウェブデータ記録管理部１０４ｉ
ウェブデータ記録管理部１０４ｉには、規約，著作権等編集画面１０７ｋ、免責事項，ＨＥＬＰ，問い合わせ，ＦＡＱの編集追加削除画面１０７ｌにおいて編集された本実施形態のシステムの利用規約，著作権に関する説明事項、免責事項、ＨＥＬＰ事項、問い合わせに対する回答事項、ＦＡＱ事項が記録される。
【０７３５】
ウェブサーバ部１０５
ウェブサーバ部１０５は、コンテンツ会員管理画面１０１、ＣＭ会員管理画面１０２、インターネット放送番組制作会員管理画面１０３、システム管理画面１０７、サンプル受信端末配信ツール６０１、受信端末配信ツール６０２を介して、入力、設定、登録情報を受け取り、所定の解析、制御、処理、検索、出力、変換等を行うなど、データベース１０４との間でコンテンツデータやインターネット放送番組などのやり取りを行う。
詳しくは、ウェブサーバ部１０５は、パラメータ解析部１０５ａと、ファイル検索部１０５ｂと、表示データ生成部１０５ｃ−１と、表示タイミング制御部１０５ｃ−２と、コンテンツ／ＣＭ受信部１０５ｅと、入出力制御部１０５ｆと、タグ出力部１０５ｇと、自動切替制御部１０５ｈと、コンテンツデータ変換部１０５ｉを有している。
【０７３６】
パラメータ解析部１０５ａは、各会員及びシステム管理者のＩＤ並びにパスワードの照合を行う機能を備えている。
詳しくは、パラメータ解析部１０５ａは、コンテンツ会員管理画面入室画面１０１ｂにおいて入力されたコンテンツ会員ＩＤ及びパスワードをユーザ管理部１０４ａに記録されているコンテンツ会員ＩＤ及びパスワードと照合して、コンテンツ会員管理画面への入室の許可・不許可を制御する機能を備えている。
また、パラメータ解析部１０５ａは、ＣＭ会員管理画面入室画面１０２ｂにおいて入力されたＣＭ会員ＩＤ及びパスワードをユーザ管理部１０４ａに記録されているＣＭ会員ＩＤ及びパスワードと照合して、ＣＭ会員管理画面への入室の許可・不許可を制御する機能を備えている。
また、パラメータ解析部１０５ａは、インターネット放送番組製作会員管理画面入室画面１０３ｂにおいて入力されたインターネット放送番組製作会員ＩＤ及びパスワードをユーザ管理部１０４ａに記録されているインターネット放送番組製作会員ＩＤ及びパスワードと照合して、インターネット放送番組製作会員管理画面への入室の許可・不許可を制御する機能を備えている。
さらに、パラメータ解析部１０５ａは、システム管理者管理画面入室画面１０７ａにおいて入力されたシステム管理者ＩＤ及びパスワードをユーザ管理部１０４ａに記録されているシステム管理者会員ＩＤ及びパスワードと照合して、システム管理者管理画面への入室の許可・不許可を制御する機能を備えている。
【０７３７】
ファイル検索部１０５ｂは、インターネット放送番組制作会員やシステム管理者が、番組に用いるコンテンツやＣＭコンテンツを選択するためにコンテンツ選択画面におけるコンテンツやＣＭコンテンツの検索操作等を行ったときに機能し、コンテンツデータ管理部１０４ｂやＣＭデータ管理部１０４ｃから当該データに関する管理情報及び当該データの保管先を読み取り、未変換コンテンツデータ保管部１０４ｇから当該データを抽出する。
【０７３８】
表示データ生成部１０５ｃ−１は、受信端末配信ツール６０２を介した番組配信のためにタグを貼り付けられたホームページやブログサイトに、ユーザのパソコンである受信端末６００からのアクセスを受けて、当該タグがそのタグの持つ要求内容に従って表示するようにサーバ１００へリクエストをしたときに、番組設定記録部１０４ｅの「「番組リストへ追加」ボタンを押したときに記録される項目」に記録されている番組におけるコンテンツ、ＣＭコンテンツ、ＲＳＳ＆ＡＴＯＭ＆テキストコンテンツ、テキスト＆字幕コンテンツ等の組合せを、記録されている配列順でもって、受信端末配信ツール６０２を介して配信する機能を備えている。
【０７３９】
表示タイミング制御部１０５ｃ−２は、受信端末配信ツール６０２を介した番組データの表示タイミングを制御する機能を備えている。
詳しくは、表示タイミング制御部１０５ｃ−２は、例えば、受信端末配信ツール６０２のＲＳＳ用テキスト表示部６０２ａ、映像、アニメーション表示部６０２ｂ、字幕、テキスト表示部６０２ｃでの表示データの表示が終了したときに、所定のインターバルをもって（例えば１秒）再度繰り返して表示するように制御することができるようになっている。
【０７４０】
コンテンツ／ＣＭ受信部１０５ｅは、コンテンツ会員、ＣＭ会員、インターネット放送番組制作会員、システム管理者から、アップロード画面より、コンテンツ、ＣＭコンテンツを提供されたときに、提供されるコンテンツ等の容量やデータ形式が適正であるか否かを判断し、適正であると判断したときに、変換コンテンツデータ保管部１０４ｇに記録するように制御する。
【０７４１】
入出力制御部１０５ｆは、各会員のＩＤやパスワード、各コンテンツ（ＣＭコンテンツ、ＲＳＳ＆ＡＴＯＭ＆テキストコンテンツ、テキスト＆字幕コンテンツ、リアルタイム録画・録音コンテンツなどを含む）のＩＤ、及び各番組のＩＤを発行する機能を備えている。
【０７４２】
タグ出力部１０５ｇは、インターネット番組制作会員やシステム管理者が、コンテンツ，ＲＳＳ＆ＡＴＯＭ，テキスト＆字幕一覧、タグ書き出し(番組制作）画面１０３ｉ，１０７ｊ（図３５、図５４）において、タグ書き出しボタン１０３ｉ−４，１０７ｊ−１−１７，１０７ｊ−２−１４，１０７ｊ−３−１４を押したときに、タグを書き出す機能を備えている。
詳しくは、タグ出力部１０５ｇは、番組設定記録部１０４ｅの「「番組へ登録」ボタンを押したときに記録される項目」から「番組ＩＤ」を参照し、番組ＩＤを参照するためのプログラムと、このプログラムのＵＲＬとなるタグを書き出す。
番組ＩＤを参照するためのプログラムは、番組ＩＤを参照すると共に、受信端末配信ツール６０２のデザインを反映するために、ＦＬＡＳＨ（swf）ファイルを読み込み、番組ＩＤの左３桁の情報に従って、インターネット放送番組製作会員管理画面設定記録管理部１０４ｈを介して予め用意されているデザインデータ（フレーム形状、フレーム模様、フレーム色）を組合せて、受信端末配信ツール６０２のフレーム部６０２ｉに反映させる。
また、タグは、受信端末に関する情報と、番組において配信されるコンテンツ情報と、コンテンツのＵＲＬ等で構成される。
【０７４３】
自動切替制御部１０５ｈは、例えば、番組内においてコンテンツやＣＭコンテンツが削除された場合に、所定の指標に基づく優先順位でもって、当該番組においてその次に優先順位の高いコンテンツやＣＭコンテンツに自動切り替えを行う機能を備えている。
【０７４４】
コンテンツデータ変換部１０５ｉは、アップロードされたコンテンツデータ、ＣＭコンテンツデータを番組配信用のデータ形式に変換する機能を備えている。
【０７４５】
サンプル受信端末配信ツール６０１
サンプル受信端末配信ツール６０１は、例えば、インターネット放送番組制作会員やシステム管理者が、コンテンツ，ＲＳＳ＆ＡＴＯＭ，テキスト＆字幕一覧、タグ書き出し(番組制作）画面１０３ｉ，１０７ｊ（図３５、図５４）において、番組を受信端末配信ツール６０２へと正式に配信するためのタグ書き出しをするに先立ち、その番組を試験的に配信して内容や配信順を確認し、又は、例えば、コンテンツ会員やＣＭコンテンツ会員が、コンテンツアップロード画面１０１ｃ、ＣＭコンテンツアップロード画面１０２ｃにおいて、コンテンツ、ＣＭコンテンツを提供するに先立ち、試験的に配信して内容を確認するなど、所定の画面において設定された情報をその画面内に配信して内容を確認することができるように構成されている。
【０７４６】
詳しくは、サンプル受信端末配信ツール６０１は、ＲＳＳ用テキスト表示部６０１ａと、映像、アニメーション表示部６０１ｂと、字幕、テキスト表示部６０１ｃと、再生、戻る、次へボタン６０１ｄと、ボリューム調整ボタン６０１ｅと、配信状態表示部６０１ｆと、メニュー部６０１ｇと、フレーム部６０１ｈと、ニックネーム表示部６０１ｉを有している。
【０７４７】
ＲＳＳ用テキスト表示部６０１ａは、ＲＳＳ＆ＡＴＯＭ＆テキスト設定画面１０３ｆ，１０７ｇにおいて入力されたＲＳＳ＆ＡＴＯＭデータやテキストデータを、サンプル画面表示指示ボタンが押されたときに表示する機能を備えている。
【０７４８】
映像、アニメーション表示部６０１ｂは、例えば、ＲＳＳ＆ＡＴＯＭ，テキスト＆字幕一覧、タグ書き出し(番組制作）画面１０３ｉ，１０７ｊ（図３５、図５４）において、コンテンツデータ、ＣＭコンテンツデータ等を、サンプル画面表示指示ボタンが押されたときに、設定した配信順位に従って表示する機能を備えている。
【０７４９】
字幕、テキスト表示部６０１ｃは、例えば、テキスト＆字幕設定画面１０３ｇ，１０７ｈにおいて入力されたテキスト＆字幕データを、サンプル画面表示指示ボタンが押されたときに表示する機能を備えている。
【０７５０】
再生、戻る、次へボタン６０１ｄは、サンプル受信端末配信ツール６０１を介してサンプル表示されている番組等の表示データの再表示、前データの表示、次データの表示をさせるための操作機能を備えている。
【０７５１】
ボリューム調整ボタン６０１ｅは、サンプル受信端末配信ツール６０１を介してサンプル配信されている映像コンテンツ、アニメーションコンテンツなどのコンテンツにおける音声、音などのボリュームを調整する機能を備えている。
【０７５２】
配信状態表示部６０１ｆは、サンプル受信端末配信ツール６０１でサンプル表示されている映像コンテンツ、又はアニメーションコンテンツにおける全配信データ量に対し、現在背信されている配信データ量の相対的な割合を示す機能を備えている。
【０７５３】
メニュー部６０１ｇは、メニューボタン６０１ｇ−ａと、メニュー表示スクリーン６０１ｇ−ｂとで構成され、メニューボタン６０１ｇ−ａの操作を介して、例えば、コンテンツアップロード画面１０１ｃのライセンス設定１０１ｃ−４での設定内容や、ＣＭコンテンツアップロード画面１０２ｃのライセンス設定１０２ｃ−４での設定内容などを反映してメニュー表示スクリーン６０１ｇ−ｂ（図示省略）をサンプル受信端末配信ツール６０１のモニタ画面上に重ねて表示する機能を備えている。なお、メニューボタン６０１ｇ−ａの操作によって、例えば、項目１０１ｃ−４，１０２ｃ−４（ライセンス設定）での設定内容を反映したメニュー表示スクリーン６０１ｇ−ｂ（図示省略）の表示・非表示が切替わるようになっている。
【０７５４】
フレーム部６０１ｈは、サンプル受信端末配信ツール６０１の外枠部分である。フレーム部６０１ｈには、受信端末配信ツールデザイン選択画面１０３ｃにおいて設定されたフレーム形状、フレーム模様、フレーム色が反映される。
【０７５５】
ニックネーム表示部６０１ｉには、インターネット放送番組製作会員ＩＤ登録画面１０３ａにおけるニックネーム１０３ａ−４’への入力を介してユーザ管理部１０４ａに記録されているニックネームが反映される。
【０７５６】
未変換データ格納用サーバ部１５０
未変換データ格納用サーバ部１５０は、未変換コンテンツデータ保管部１５０ａとライセンス管理部１５０ｂを有して構成されている。
未変換コンテンツデータ保管部１５０ａには、ＣＭコンテンツデータを含む全てのコンテンツデータに関し、アップロードされる際における、配信データ形式に変換される前のデータが記録される。
ライセンス管理部１５０ｂには、本実施形態のシステムを利用する各会員が設定するライセンスの内容が記録される。
【０７５７】
受信端末配信ツール６０２
受信端末配信ツール６０２は、本発明のシステムにおける番組データ提供手段であって、ＲＳＳ用テキスト表示部６０２ａと、映像、アニメーション表示部６０２ｂと、字幕、テキスト表示部６０２ｃと、再生、戻る、次へボタン６０２ｄと、ボリューム調整ボタン６０２ｅと、配信状態表示部６０２ｆと、メニュー部６０２ｇと、アンケート部６０２ｈと、フレーム部６０２ｉと、ニックネーム表示部６０２ｊを有している。
【０７５８】
ＲＳＳ用テキスト表示部６０２ａは、ＲＳＳ＆ＡＴＯＭ＆テキスト設定画面１０３ｆ，１０７ｇを介して登録され、コンテンツ選択画面１０３ｅ，１０７ｆにおいて選択された、ＲＳＳ＆ＡＴＯＭデータやテキストデータを含んだ番組に対し、コンテンツ，ＲＳＳ＆ＡＴＯＭ，テキスト＆字幕一覧、タグ書き出し(番組制作）画面１０３ｉ，１０７ｊにおいてタグの書き出しボタンが押されることによってタグが書き出されたＲＳＳ＆ＡＴＯＭデータやテキストデータを、タグを介して受信端末配信ツール６０２が貼り付けられているインターネット放送番組制作会員のホームページやブログサイト、携帯サイトなどに、一般視聴者であるユーザがパソコンの受信端末６００を介して番組がリクエストされたときに表示する機能を備えている。
【０７５９】
映像、アニメーション表示部６０２ｂは、例えば、コンテンツ選択画面１０３ｅ，１０７ｆにおいて選択された、映像、アニメーションのコンテンツデータを含んだ番組に対し、コンテンツ，ＲＳＳ＆ＡＴＯＭ，テキスト＆字幕一覧、タグ書き出し(番組制作）画面１０３ｉ，１０７ｊにおいてタグの書き出しボタンが押されることによってタグが書き出された映像、アニメーションのコンテンツデータを、タグを介して受信端末配信ツール６０２が貼り付けられているインターネット放送番組制作会員のホームページやブログサイト、携帯サイトなどに、一般視聴者であるユーザがパソコンの受信端末６００を介して番組がリクエストされたときに表示する機能を備えている。
【０７６０】
字幕、テキスト表示部６０２ｃは、テキスト＆字幕設定画面１０３ｇ，１０７ｈを介して登録され、コンテンツ選択画面１０３ｅ，１０７ｆにおいて選択された、テキスト＆字幕データを含んだ番組に対し、コンテンツ，ＲＳＳ＆ＡＴＯＭ，テキスト＆字幕一覧、タグ書き出し(番組制作）画面１０３ｉ，１０７ｊにおいてタグの書き出しボタンが押されることによってタグが書き出されたテキスト＆字幕データを、タグを介して受信端末配信ツール６０２が貼り付けられているインターネット放送番組制作会員のホームページやブログサイト、携帯サイトなどに、一般視聴者であるユーザがパソコンの受信端末６００を介して番組がリクエストされたときに表示する機能を備えている。
【０７６１】
再生、戻る、次へボタン６０２ｄは、受信端末配信ツール６０２を介して表示されている番組等の表示データの再表示、前データの表示、次データの表示をさせるための操作機能を備えている。
【０７６２】
ボリューム調整ボタン６０２ｅは、受信端末配信ツール６０２を介して配信されている映像コンテンツ、アニメーションコンテンツなどのコンテンツにおける音声、音などのボリュームを調整する機能を備えている。
【０７６３】
配信状態表示部６０２ｆは、受信端末配信ツール６０２でサンプル表示されている映像コンテンツ、又はアニメーションコンテンツにおける全配信データ量に対し、現在背信されている配信データ量の相対的な割合を示す機能を備えている。
【０７６４】
メニュー部６０２ｇは、メニューボタン６０２ｇ−ａと、メニュー表示スクリーン６０２ｇ−ｂとで構成され、メニューボタン６０２ｇ−ａの操作を介して、番組で配信されたコンテンツやＣＭコンテンツに関し、例えば、コンテンツアップロード画面１０１ｃのライセンス設定１０１ｃ−４等で設定された内容や、ＣＭコンテンツアップロード画面１０２ｃのライセンス設定１０２ｃ−４等で設定された内容などを反映して、メニュー表示スクリーン６０２ｇ−ｂ（図示省略）を受信端末配信ツール６０２のモニタ画面上に重ねて表示する機能を備えている。なお、メニューボタン６０２ｇ−ａの操作によって、例えば、項目１０１ｃ−４，１０２ｃ−４（ライセンス設定）での設定内容を反映したメニュー表示スクリーン６０２ｇ−ｂ（図示省略）の表示・非表示が切替わるようになっている。
【０７６５】
アンケート部６０２ｈは、視聴者がインターネット放送番組製作会員の製作した番組の評価を受付ける機能を備えている。評価方法は、例えば、図２５に示したフリーワード検索コンテンツ表示選択画面１０３ｅ−Ａにおける評価ボタン１０３ｅ−Ａ９ｊによる評価と同様、「良かった」、「やや良かった」、「つまらなかった」などの選択入力ボタンを備えており、視聴者がこれらのうちのいずれかのボタンを選択入力することができるようになっている。
なお、システムでは、この番組の評価をポイントに換算して加算・減算を行い、その合計ポイントをアクセス／視聴数記録部１０４ｄへ記録するようにしている。その場合の評価ボタンの換算方法は、例えば、「良かった」が＋３ポイント、「やや良かった」が＋１ポイント、「つまらなかった」が−１ポイントとしている。
また、アクセス／視聴数記録部１０４ｄへ記録された評価は、インターネット番組制作会員管理画面の視聴数（インプレッション数）／インタラクション率／アクセス履歴／ＣＭの掲載期間／残掲載期間／ＣＭ予算／残ＣＭ予算／番組配信先一覧／収益／番組評価確認画面１０３ｊの番組評価確認１０３ｊ−８に表示するようにしている。
【０７６６】
フレーム部６０２ｉは、受信端末配信ツール６０２の外枠部分である。フレーム部６０２ｉには、番組が配信されるときに、当該番組に関し、受信端末配信ツールデザイン選択画面１０３ｃにおいて設定されたフレーム形状、フレーム模様、フレーム色が反映される。
【０７６７】
ニックネーム表示部６０２ｊは、番組が配信されるときに、当該番組を制作したインターネット放送番組制作会員に関し、インターネット放送番組製作会員ＩＤ登録画面１０３ａにおけるニックネーム１０３ａ−４’への入力を介してユーザ管理部１０４ａに記録されているニックネームが反映される。
【０７６８】
また、受信端末配信ツール６０２は、HTML（Hyper Text Markup Language）の他java（登録商標）script、cgi、php、perl、XML（eXtensible Markup Language）、RSS（RDF Site Summary）、ATOM（The Atom Syndication Format）などのタグを用いて表示させることができるように構成されている。
これらのタグには、グラフィックス、コントロール及びその他の機能を表示するような様々なタグが含まれている。また、タグを用いてＷＥＢページやコンテンツの閲覧を要求するサーバ１００または他のWWWサーバで利用できるＷＥＢページのURLをリンク先として指定することも可能になっている。
従って、受信端末配信ツール６０２における「受信端末」とは、HTMLの他java（登録商標）script、cgi、php、perl、XML（eXtensible Markup Language）、RSS（RDF Site Summary）、ATOM（The Atom Syndication Format）などに、インターネット番組製作者が行った各種設定の属性が加わったタグのことである。
そして、受信端末配信ツール６０２は、インターネット番組製作者が、これらのタグをホームページやブログサイト、携帯サイトなどにタグを埋め込み、且つ、サーバ１００とリンクされるようにすることにより、表示データ生成部１０５ｃを経由しての配信が可能となるように構成されている。
そのようにして、受信端末配信ツール６０２は、表示データ生成部１０５ｃをリンクとして一般視聴者の受信端末６００でインターネット放送番組製作者が製作した番組を視聴することができるように構成されている。
【０７６９】
このように構成された本実施形態のインターネット放送番組制作支援システムでは、コンテンツは、コンテンツデータ受付手段１０１を介して多数のコンテンツ提供者から提供されまた、ＣＭは、ＣＭデータ受付手段１０２を介して多数のＣＭ提供者から提供され、それぞれデータベース部１０４に蓄積される。
そして、インターネット放送番組制作を行うことを所望する者は、インターネット放送用データ申し込み受付手段１０３において、コンテンツ選択画面１０３ｅ等を介してデータベース部１０４に蓄積されているコンテンツのうち番組に用いることを所望するコンテンツを選択し、コンテンツ，ＲＳＳ＆ＡＴＯＭ，テキスト＆字幕一覧、タグ書き出し(番組制作）画面１０３ｉを介して、タグの書き出しを行うことによって、所望のコンテンツを組合せた番組を配信端末受信ツール６０２を介して一般視聴者に配信することができる。
【０７７０】
このため、本実施形態のシステムによれば、番組に用いるコンテンツを番組制作者自らが作成していた従来の個人放送局とは異なり、インターネット放送番組製作者がコンテンツ提供者から提供される既成のコンテンツを任意に組合せてカスタマイズして配信することができるので、ネットワーク、サーバ、プログラム、映像、音楽、画像などの専門的な知識を持たず、自らで番組用のコンテンツを準備することが難しい個人ユーザであっても個人放送局を容易に立ち上げることができるようになる。その結果、専門的な知識を有する一部の者に立ち上げが限定されていた、従来の個人放送局によるインターネット放送番組の配信システムとは別個の一般ユーザによる全く新しい個人放送局としての配信システムを構築させて、インターネットを用いた放送局数を飛躍的に増大させることができる。
【０７７１】
また、コンテンツ提供者にとっては、自らがインターネット番組の放送局を立ち上げなくても、自ら提供するコンテンツが多数の個人放送局の番組に用いられることが可能となり、コンテンツの提供機会を飛躍的に増加させることができる。
【０７７２】
また、本実施形態のインターネット放送番組制作支援システムでは、インターネット番組の制作に際し、コンテンツ提供者から提供されるコンテンツとともにＣＭコンテンツ提供者から提供されたＣＭを選択できるようにしたので、所望のコンテンツとＣＭとを組合せた多様な形態の多数の番組が多数の個人放送局より配信されるようになる。その結果、ＣＭの提供機会も飛躍的に増加させることができる。
【０７７３】
ところで、ＣＭをインターネット放送を介して効果的に視聴者に視聴されるか否かは、ＣＭを用いた番組のインプレッションに依存する。しかるに、従来のコンテンツ提供者が放送局を兼ねた配信システムにおいては、ＣＭの視聴数は、コンテンツ提供者を兼ねた放送局開設者のホームページに依存する度合いが大きく、番組が視聴者にアクセスされない場合にはＣＭを一般視聴者に効率的に提供できる余地がなかった、
これに対し、本実施形態のインターネット放送番組制作支援システムによれば、そのＣＭを用いたインターネット放送番組を制作した不特定多数の個人放送局を介して一般視聴者にアクセスされるようにすることができる。このため、ＣＭを効率的に提供できる機会を飛躍的に増やすことができる。
【０７７４】
なお、これらの効果を十分に発揮できるようにするためには、本実施形態のインターネット放送番組制作支援システムにおいて、多数のコンテンツ提供者により、多数のコンテンツが提供されるとともに、個人放送局を立ち上げたインターネット放送番組製作者により、その提供されたコンテンツを用いた多数の番組が製作されることが必要である。そのために、コンテンツ提供者やインターネット放送番組製作者に対し、コンテンツ提供や番組制作のためのインセンティブを持たせることが望まれる。
【０７７５】
しかるに、本実施形態のインターネット放送番組制作支援システムでは、ＣＭ提供者からＣＭ費として提供されるＣＭ収益を、データベース部１０４のアクセス／視聴数記録部１０４ｄやＣＭ／収益計算処理記録管理部１０４ｆ等を介して、そのＣＭを用いたインターネット放送番組の製作者とともに、そのインターネット放送番組に用いられたコンテンツの提供者に対して、インターネット放送番組のインプレッション数と、そのインターネット放送番組に用いられたＣＭのインタラクション率に応じて、配分して還元するようにしたので、個人放送者にコンテンツを提供するのみで個人放送局は開設しないコンテンツ提供者や、インターネット放送番組製作者に対し、コンテンツ提供や番組制作のためのインセンティブを持たせることができる。
【０７７６】
このように、本実施形態のインターネット放送番組制作支援によれば、インターネット番組の放送局の立ち上げに関する十分な専門知識を有さず、コンテンツ提供者を兼ね難い個人ユーザが簡単に個人放送局を実現することができ、また、放送番組に応じてコンテンツを様々に組合せてカスタマイズして配信することができ、しかも、個人放送者にコンテンツを提供するのみで個人放送局は開設しないコンテンツ提供者とともにコンテンツ提供者を兼ねない個人ユーザに対してもＣＭのアクセス数に応じてＣＭスポンサーからの利益を配分して還元することが可能なインターネット放送番組制作支援システムが得られる。
【０７７７】
なお、本実施形態のインターネット放送番組制作支援システムによれば、コンテンツデータ受付手段１０１において受付けるコンテンツに関するデータと、ＣＭデータ受け受付手段１０２において受付けるＣＭに関するデータとしてカテゴリを含み、そのカテゴリが互いに合致できるようにし、インターネット放送番組用データ申し込み受付手段１０３においてインターネット放送番組製作者を介して任意のコンテンツデータが選択されたときに、該コンテンツデータのカテゴリに一致したＣＭデータをデータベース１０４のＣＭデータ管理部１０４ｂに蓄積されたＣＭデータから抽出し、抽出されたＣＭデータの中から所望のＣＭデータを該インターネット放送番組製作者が選択できるようにしたので、インターネット放送番組を制作する際のコンテンツとＣＭとの組合せ作業が容易になる。
【０７７８】
また、本実施形態のインターネット放送番組制作支援システムによれば、ＣＭデータ受付手段１０２が、ＣＭ提供者が提供するＣＭに関する指定事項として、ＣＭ掲載期間及びＣＭの予算（１０２ｃ−５，１０２ｃ−６）を含んでおり、インターネット放送番組用データ申し込み受付手段１０３において、インターネット放送番組製作者が、所望のＣＭデータを選択する際に、ＣＭにおける掲載期間及び予算を確認できるとともに、当該ＣＭを視聴することができるように構成されているので、インターネット放送番組制作者は、番組の制作に際し、番組内においてＣＭ効果を十分に発揮しうるＣＭを十分に吟味して選択できる。
【０７７９】
また、本実施形態のインターネット放送番組制作支援システムによれば、インターネット放送番組用データ申し込み受付手段１０３においてインターネット放送番組製作者がコンテンツデータ及びＣＭデータを選択して番組を設定するときに、１つのコンテンツに対して少なくとも１つ以上のＣＭデータを組合せたものを１つの基本セットとし、１回の外部（視聴者）からのアクセスに対して４セットまでの番組を放送でき、且つ、回数を無制限に放送できるようにしている。このように番組内の配信順位を異ならせたセット数を４セットに抑えると、番組制作がし易いとともに、ＣＭ費用の利益配分も複雑化しなくて済む。
【０７８０】
また、本実施形態のインターネット放送番組制作支援システムによれば、さらに、インターネット放送番組用データ申し込み受付手段１０３においてインターネット放送番組製作者がコンテンツデータ及びＣＭデータを選択して番組を設定するときに、ＣＭデータのみからなる番組、又はコンテンツのみからなる番組を選択設定可能としたので、番組の制作内容の自由度がより一層大きくなる。
【０７８１】
また、本実施形態のインターネット放送番組制作支援システムによれば、コンテンツデータ受付手段１０２が、コンテンツデータに関する所定事項として、コンテンツデータのカテゴリ、コンテンツの著作権情報、著作者情報、提供者のメールアドレス、コメントをコンテンツ提供者の指定に応じて設定することができるように構成されており、インターネット放送番組制作者が、インターネット放送番組用データ申し込み受付手段１０３において、コンテンツデータのカテゴリ、コンテンツの著作権情報、著作者情報、提供者のメールアドレス、コメントのそれぞれをキーとしてコンテンツデータを検索することができるようにしたので、インターネット放送番組制作者が、番組制作に用いるコンテンツをより選択し易くなる。
【０７８２】
また、本実施形態のインターネット放送番組制作支援システムによれば、コンテンツ提供者から提供されるコンテンツの種類は、映像コンテンツ、画像コンテンツ、音楽（音声）コンテンツ、文字コンテンツであり、インターネット放送番組用データ申し込み受付手段１０３においてインターネット放送番組製作者が番組の制作に際しこれらのコンテンツを単独及び組合せて用いることができるようにしたので、インターネット放送番組製作者の意図に応じて多様な形態のインターネット放送番組を視聴者に提供することができる。
【０７８３】
また、本実施形態のインターネット放送番組制作支援システムでは、コンテンツ提供者から提供されるコンテンツを、インターネット放送番組製作者を介して評価できるようにするとともに、その評価内容に応じて、コンテンツの利用に制限を加えることができるようにしている。
このため、コンテンツ提供者から提供されるコンテンツの質を向上させることができる。
【０７８４】
また、本実施形態のインターネット放送番組制作支援システムによれば、コンテンツデータ受付手段１０１においてコンテンツ提供者が提供するコンテンツ毎に該コンテンツの利用範囲等を設定することが可能に構成されているので、画面を通して提供するコンテンツごとに詳細なライセンス設定をすることが可能になる。
【０７８５】
また、本実施形態のインターネット放送番組制作支援システムにおいては、インターネット放送番組製作者が、他のインターネットウェブサイトから配信されているプログラムから特定の情報を抽出して、受信端末配信ツール６０２から配信することができるシステムをも備えるのが好ましい。
【０７８６】
また、本実施形態のインターネット放送番組制作支援システムにおいては、インターネット放送番組用データ申し込み受付手段１０３においてインターネット放送番組製作者が配信端末配信ツール６０２のデザインを随時変更することができるようにするのが好ましい。
このようにすれば、インターネット放送番組製作者の提供する番組に適合した受信端末配信ツール６０２のデザインを選ぶことができるので、番組をより効果的な態様で一般視聴者に配信することができる。
【０７８７】
また、本実施形態のインターネット放送番組制作支援システムによれば、インターネット放送番組用データ申し込み受付手段１０３においてインターネット放送番組製作者がテキスト入力することで配信用ツールに該テキストを配信することができるように構成したので、映像データ等とともに、番組コンテンツを多面的な情報を持って配信することができる。
【０７８８】
また、本実施形態のインターネット放送番組制作支援システムによれば、インターネット放送番組用データ申し込み受付手段１０３においてインターネット放送番組製作者が、パソコンに接続されたカメラやマイクなどを介した、映像、音声又は音楽のリアルタイム配信、又は録画、録音による配信を行うことができるように構成したので、番組に用いるコンテンツをより一層充実させることができる。
【０７８９】
また、本実施形態のインターネット放送番組制作支援システムによれば、配信される番組にシステム管理手段を介して提供されたインターネット放送番組支援システム管理者が提供するコンテンツを随時組み入れることができるようにしたので、番組の放送を通じてシステムの宣伝広告を有効に行うことができる。
【０７９０】
また、本実施形態のインターネット放送番組制作支援システムにおいて、インターネット放送番組製作者が、番組を制作しタグに書き出して、受信端末配信ツール６０２を利用する場合に、携帯やパソコンその他の通信端末などを用いてアクセスされるホームページなどに貼り付けるための受信端末配信ツール６０２用プログラムを、利用する情報端末の種別に応じて選択することができるように備えれば、異なる情報端末に対して番組を配信できる機会がより一層広がる。
【０７９１】
また、本実施形態のインターネット放送番組制作支援システムによれば、アクセス数が、当該番組を放送した回数を示すインプレッション数と視聴者が当該番組においてＣＭデータにアクセスした回数を示すインタラクション数を含み、番組に含まれるＣＭデータのＣＭスポンサーから提供されるＣＭ収益が、インプレッション数に対するインタラクション数の割合であるインタラクション率に応じて、該番組を設定したインターネット放送番組製作者と該番組に含まれるコンテンツを提供したコンテンツ提供者とに所定の割合で分配されるようにしたので、コンテンツ提供者、インターネット放送番組製作者のそれぞれにコンテンツの提供のインセンティブや、インターネット放送番組の制作のインセンティブを増大させることができ、個人放送局によるインターネット放送番組の配信ネットワークシステムによるＣＭ提供の機会、コンテンツ提供の機会、及び番組提供の機会を相乗的に増加させることができる。
【０７９２】
また、本実施形態のインターネット放送番組制作支援システムによれば、インターネット放送番組用データ申し込み受付手段１０３においてインターネット放送番組製作者がコンテンツデータ及びＣＭデータを選択して番組を設定する場合に、コンテンツとＣＭとを組合せた番組の他に、さらにＢ会員によりＣＭのみからなる番組や、Ｃ会員によりコンテンツのみからなる番組を選択して設定可能にしたので、インターネット放送番組製作者が製作する番組内におけるコンテンツやＣＭの組合せの自由度をより大きくとることができる。
【０７９３】
インターネットを利用した個人ユーザによるインターネット放送局を介したコンテンツ、ＣＭを用いた番組の配信を行う分野において有用である。
【図面の簡単な説明】
【０７９４】
【図１】本発明の一実施形態にかかるインターネット放送番組制作支援システムの概略構成を示す説明図である。
【図２】図１のシステムを構成する要部の具体的なデータ構成を示す説明図である。
【図３】本実施形態のシステムにおけるコンテンツデータ受付手段１０１に備わるコンテンツ会員管理画面におけるコンテンツ会員ＩＤ登録画面１０１ａの画面レイアウトを示す説明図である。
【図４】本実施形態のシステムにおけるコンテンツデータ受付手段１０１に備わるコンテンツ会員管理画面におけるコンテンツ会員管理画面入室画面１０１ｂの画面レイアウトを示す説明図であって、ＩＤ等の入力画面を示す図である。
【図５】本実施形態のシステムにおけるコンテンツデータ受付手段１０１に備わるコンテンツ会員管理画面におけるコンテンツ会員管理画面入室画面１０１ｂの画面レイアウトを示す説明図であって、処理選択メニュー画面を示す図である。
【図６】本実施形態のシステムにおけるコンテンツデータ受付手段１０１に備わるコンテンツアップロード画面１０１ｃの画面レイアウトを示す説明図である。
【図７】本実施形態のシステムにおいてカテゴリ選択ボタンが押されたときに選択肢として表示されるカテゴリを示す説明図である。
【図８】本実施形態のシステムにおけるコンテンツデータ受付手段１０１に備わるコンテンツ一覧画面１０１ｄの画面レイアウトを示す説明図である。
【図９】本実施形態のシステムにおけるコンテンツデータ受付手段１０１に備わるコンテンツ視聴率（インプレッション数）／収益確認画面１０１ｅの画面レイアウトを示す説明図である。
【図１０】本実施形態のシステムにおけるＣＭデータ受付手段１０２に備わるＣＭ会員管理画面におけるＣＭ会員ＩＤ登録画面１０２ａの画面レイアウトを示す説明図である。
【図１１】本実施形態のシステムにおけるＣＭデータ受付手段１０２に備わるＣＭ会員管理画面におけるＣＭ会員管理画面入室画面１０２ｂの画面レイアウトを示す説明図であって、ＩＤ等の入力画面を示す図である。
【図１２】本実施形態のシステムにおけるＣＭデータ受付手段１０２に備わるＣＭ会員管理画面におけるＣＭ会員管理画面入室画面１０２ｂの画面レイアウトを示す説明図であって、処理選択メニュー画面を示す図である。
【図１３】本実施形態のシステムにおけるＣＭデータ受付手段１０２に備わるＣＭ会員管理画面におけるＣＭコンテンツアップロード画面１０２ｃの画面レイアウトを示す説明図である。
【図１４】本実施形態のシステムにおけるＣＭデータ受付手段１０２に備わるＣＭ会員管理画面におけるＣＭコンテンツアップロード画面１０２ｃの画面レイアウトを示す説明図である。
【図１５】本実施形態のシステムにおけるＣＭデータ受付手段１０２に備わるＣＭ会員管理画面におけるＣＭコンテンツ視聴率（インプレッション数）／掲載期間／ＣＭ予算確認画面１０２ｅの画面レイアウトを示す説明図である。
【図１６】ＣＭコンテンツ視聴率（インプレッション数）／掲載期間／ＣＭ予算確認画面１０２ｅにおける予算設定の一例を示す説明図であり、(a)はポイントの移動を示す図、(b)は予算枠の制限を示す図である。
【図１７】本実施形態のシステムにおけるインターネット放送番組データ申し込み受付手段１０３に備わるインターネット放送番組制作会員管理画面におけるインターネット放送番組制作会員ＩＤ登録画面１０３ａの画面レイアウトを示す説明図である。
【図１８】本実施形態のシステムにおけるインターネット放送番組データ申し込み受付手段１０３に備わるインターネット放送番組制作会員管理画面におけるインターネット放送番組製作会員管理画面入室画面１０３ｂの画面レイアウトを示す説明図である。
【図１９】本実施形態のシステムにおけるインターネット放送番組データ申し込み受付手段１０３に備わるインターネット放送番組制作会員管理画面における受信端末配信ツールデザイン選択画面１０３ｃの画面レイアウトを示す説明図である。
【図２０】本実施形態のシステムにおけるインターネット放送番組データ申し込み受付手段１０３に備わるインターネット放送番組制作会員管理画面におけるＡ会員用の処理選択メニュー画面の画面レイアウトを示す説明図である。
【図２１】本実施形態のシステムにおけるインターネット放送番組データ申し込み受付手段１０３に備わるインターネット放送番組制作会員管理画面におけるＢ会員用の処理選択メニュー画面の画面レイアウトを示す説明図である。
【図２２】本実施形態のシステムにおけるインターネット放送番組データ申し込み受付手段１０３に備わるインターネット放送番組制作会員管理画面におけるＣ会員用の処理選択メニュー画面の画面レイアウトを示す説明図である。
【図２３】本実施形態のシステムにおけるインターネット放送番組データ申し込み受付手段１０３に備わるインターネット放送番組制作会員管理画面における番組制作者提供コンテンツアップロード画面１０３ｄの画面レイアウトを示す説明図である。
【図２４】本実施形態のシステムにおけるインターネット放送番組データ申し込み受付手段１０３に備わるインターネット放送番組制作会員管理画面におけるコンテンツ選択画面１０３ｅの画面レイアウトを示す説明図である。
【図２５】本実施形態のシステムにおけるインターネット放送番組データ申し込み受付手段１０３に備わるインターネット放送番組制作会員管理画面におけるフリーワード検索コンテンツ表示選択画面１０３ｅ−Ａの画面レイアウトを示す説明図である。
【図２６】本実施形態のシステムにおけるインターネット放送番組データ申し込み受付手段１０３に備わるインターネット放送番組制作会員管理画面におけるフリーワード検索コンテンツ表示及び自動選択ＣＭ表示選択画面１０３ｅ−Ｂの画面レイアウトを示す説明図である。
【図２７】本実施形態のシステムにおけるインターネット放送番組データ申し込み受付手段１０３に備わるインターネット放送番組制作会員管理画面におけるフリーワード検索ＣＭコンテンツ表示選択画面１０３ｅ−Ｄの画面レイアウトを示す説明図である。
【図２８】本実施形態のシステムにおけるインターネット放送番組データ申し込み受付手段１０３に備わるインターネット放送番組制作会員管理画面における選択カテゴリ等検索コンテンツ表示選択画面１０３ｅ−Ｃの画面レイアウトを示す説明図である。
【図２９】本実施形態のシステムにおけるインターネット放送番組データ申し込み受付手段１０３に備わるインターネット放送番組制作会員管理画面におけるＣＭコンテンツ選択用カテゴリ等選択画面１０３ｅ−Ｆの画面レイアウトを示す説明図である。
【図３０】本実施形態のシステムにおけるインターネット放送番組データ申し込み受付手段１０３に備わるインターネット放送番組制作会員管理画面におけるフリーワード検索ＣＭコンテンツ表示及び自動選択コンテンツ表示選択画面１０３ｅ−Ｅの画面レイアウトを示す説明図である。
【図３１】本実施形態のシステムにおけるインターネット放送番組データ申し込み受付手段１０３に備わるインターネット放送番組制作会員管理画面における選択カテゴリ等検索ＣＭコンテンツ表示選択画面１０３ｅ−Ｇの画面レイアウトを示す説明図である。
【図３２】本実施形態のシステムにおけるインターネット放送番組データ申し込み受付手段１０３に備わるインターネット放送番組制作会員管理画面におけるＲＳＳ＆ＡＴＯＭ＆テキスト設定画面１０３ｆの画面レイアウトを示す説明図である。
【図３３】本実施形態のシステムにおけるインターネット放送番組データ申し込み受付手段１０３に備わるインターネット放送番組制作会員管理画面におけるテキスト＆字幕設定画面１０３ｇの画面レイアウトを示す説明図である。
【図３４】本実施形態のシステムにおけるインターネット放送番組データ申し込み受付手段１０３に備わるインターネット放送番組制作会員管理画面における録画・録音設定画面１０３ｈの画面レイアウトを示す説明図である。
【図３５】本実施形態のシステムにおけるインターネット放送番組データ申し込み受付手段１０３に備わるインターネット放送番組制作会員管理画面におけるコンテンツ，ＲＳＳ＆ＡＴＯＭ，テキスト＆字幕一覧、タグ書き出し(番組制作）画面１０３ｉの画面レイアウトを示す説明図である。
【図３６】本実施形態のシステムにおけるインターネット放送番組データ申し込み受付手段１０３に備わるインターネット放送番組制作会員管理画面における視聴数（インプレッション数）／インタラクション率／アクセス履歴／ＣＭの掲載期間／残掲載期間／ＣＭ予算／残ＣＭ予算／番組配信先一覧／収益／番組評価確認画面１０３ｊの画面レイアウトを示す説明図である。
【図３７】本実施形態のシステムにおけるインターネット放送番組データ申し込み受付手段１０３に備わるインターネット放送番組制作会員管理画面における著作権について/コンテンツの使用について/使用許諾内容表示画面１０３ｋの画面レイアウトを示す説明図である。
【図３８】本実施形態のシステムにおけるインターネット放送番組データ申し込み受付手段１０３に備わるシステム管理者管理画面におけるシステム管理者管理画面入室画面１０７ａの画面レイアウトを示す説明図である。
【図３９】本実施形態のシステムにおけるインターネット放送番組データ申し込み受付手段１０３に備わるシステム管理者管理画面における全コンテンツ登録内容確認画面１０７ｂの画面レイアウトを示す説明図である。
【図４０】本実施形態のシステムにおけるインターネット放送番組データ申し込み受付手段１０３に備わるシステム管理者管理画面における全体アクセス解析／視聴数（インプレッション数）／インタラクション率／アクセス履歴／ＣＭの掲載期間／残掲載期間／ＣＭ予算／残ＣＭ予算／収益確認／番組配信先一覧画面１０７ｃの画面レイアウトを示す説明図である。
【図４１】本実施形態のシステムにおけるインターネット放送番組データ申し込み受付手段１０３に備わるシステム管理者管理画面における受信端末配信ツールデザイン追加変更画面１０７ｄの画面レイアウトを示す説明図である。
【図４２】本実施形態のシステムにおけるインターネット放送番組データ申し込み受付手段１０３に備わるシステム管理者管理画面におけるシステム管理者提供コンテンツアップロード画面１０７ｅの画面レイアウトを示す説明図である。
【図４３】本実施形態のシステムにおけるインターネット放送番組データ申し込み受付手段１０３に備わるシステム管理者管理画面におけるコンテンツ選択画面１０７ｆの画面レイアウトを示す説明図である。
【図４４】本実施形態のシステムにおけるインターネット放送番組データ申し込み受付手段１０３に備わるシステム管理者管理画面におけるフリーワード検索コンテンツ表示選択画面１０７ｆ−Ａの画面レイアウトを示す説明図である。
【図４５】本実施形態のシステムにおけるインターネット放送番組データ申し込み受付手段１０３に備わるシステム管理者管理画面におけるフリーワード検索コンテンツ表示及び自動選択ＣＭ表示選択画面１０７ｆ−Ｂの画面レイアウトを示す説明図である。
【図４６】本実施形態のシステムにおけるインターネット放送番組データ申し込み受付手段１０３に備わるシステム管理者管理画面におけるフリーワード検索ＣＭコンテンツ表示選択画面１０７ｆ−Ｄの画面レイアウトを示す説明図である。
【図４７】本実施形態のシステムにおけるインターネット放送番組データ申し込み受付手段１０３に備わるシステム管理者管理画面における選択カテゴリ等検索コンテンツ表示選択画面１０７ｆ−Ｃの画面レイアウトを示す説明図である。
【図４８】本実施形態のシステムにおけるインターネット放送番組データ申し込み受付手段１０３に備わるシステム管理者管理画面におけるＣＭコンテンツ選択用カテゴリ等選択画面１０７ｆ−Ｆの画面レイアウトを示す説明図である。
【図４９】本実施形態のシステムにおけるインターネット放送番組データ申し込み受付手段１０３に備わるシステム管理者管理画面におけるフリーワード検索ＣＭコンテンツ表示及び自動選択コンテンツ表示選択画面１０７ｆ−Ｅの画面レイアウトを示す説明図である。
【図５０】本実施形態のシステムにおけるインターネット放送番組データ申し込み受付手段１０３に備わるシステム管理者管理画面における選択カテゴリ等検索ＣＭコンテンツ表示選択画面１０７ｆ−Ｇの画面レイアウトを示す説明図である。
【図５１】本実施形態のシステムにおけるインターネット放送番組データ申し込み受付手段１０３に備わるシステム管理者管理画面におけるＲＳＳ＆ＡＴＯＭ＆テキスト設定画面１０７ｇの画面レイアウトを示す説明図である。
【図５２】本実施形態のシステムにおけるインターネット放送番組データ申し込み受付手段１０３に備わるシステム管理者管理画面におけるテキスト＆字幕設定画面１０７ｈの画面レイアウトを示す説明図である。
【図５３】本実施形態のシステムにおけるインターネット放送番組データ申し込み受付手段１０３に備わるシステム管理者管理画面における録画・録音設定画面１０７ｉの画面レイアウトを示す説明図である。
【図５４】本実施形態のシステムにおけるインターネット放送番組データ申し込み受付手段１０３に備わるシステム管理者管理画面におけるコンテンツ，ＲＳＳ＆ＡＴＯＭ，テキスト＆字幕一覧、タグ書き出し(番組制作）画面１０７ｊの画面レイアウトを示す説明図である。
【図５５】本実施形態のシステムにおけるインターネット放送番組データ申し込み受付手段１０３に備わるシステム管理者管理画面における規約，著作権等編集画面１０７ｋの画面レイアウトを示す説明図である。
【図５６】本実施形態のシステムにおけるインターネット放送番組データ申し込み受付手段１０３に備わるシステム管理者管理画面における免責事項，ＨＥＬＰ，問い合わせ，ＦＡＱの編集追加削除画面１０７ｌの画面レイアウトを示す説明図である。
【図５７】本実施形態のシステムにおけるインターネット放送番組データ申し込み受付手段１０３に備わるシステム管理者管理画面におけるＣＭ費の編集，レベニュー率の編集画面１０７ｍの画面レイアウトを示す説明図である。
【図５８】本実施形態のシステムにおけるインターネット放送番組データ申し込み受付手段１０３に備わるシステム管理者管理画面におけるＣＭ掲載の開始・停止・削除画面１０７ｎの画面レイアウトを示す説明図である。
【図５９】本実施形態のシステムにおけるインターネット放送番組データ申し込み受付手段１０３に備わるシステム管理者管理画面におけるインターネット放送番組制作会員資格の開始・停止設定画面１０７ｏの画面レイアウトを示す説明図である。
【図６０】本実施形態のシステムにおけるインターネット放送番組データ申し込み受付手段１０３に備わるシステム管理者管理画面におけるコンテンツ会員資格の開始・停止設定画面１０７ｐの画面レイアウトを示す説明図である。
【図６１】本実施形態のシステムにおけるユーザ管理部１０４ａのレコードレイアウトを示す説明図である。
【図６２】本実施形態のシステムにおけるコンテンツデータ管理部１０４ｂのレコードレイアウトを示す説明図である。
【図６３】本実施形態のシステムにおけるＣＭデータ管理部１０４ｃのレコードレイアウトを示す説明図である。
【図６４】本実施形態のシステムにおけるアクセス／視聴数記録部１０４ｄのレコードレイアウトを示す説明図である。
【図６５】本実施形態のシステムにおける番組設定記録部１０４ｅのレコードレイアウトを示す説明図であり、(a)はレコードの全体レイアウトを示す図、(b)は(a)における番組ＩＤの割り当て方法を示す説明図である。
【図６６】本実施形態のシステムにおけるＣＭ／収益計算処理記録管理部１０４ｆのレコードレイアウトを示す説明図である。
【符号の説明】
【０７９５】
１００          サーバ
１０１          コンテンツデータ受付手段
１０１ａ        コンテンツ会員ＩＤ登録画面
１０１ｂ        コンテンツ会員管理画面入室画面
１０１ｃ        コンテンツアップロード画面
１０１ｄ        コンテンツ一覧画面
１０１ｅ        視聴数（インプレッション数）／収益確認画面
１０２          ＣＭデータ受付手段
１０２ａ        ＣＭ会員ＩＤ登録画面
１０２ｂ        ＣＭ会員管理画面入室画面
１０２ｃ        ＣＭデータアップロード画面
１０２ｄ        ＣＭ一覧画面
１０２ｅ        視聴数（インプレッション数）／掲載期間／ＣＭ予算確認画面
１０３          インターネット放送番組用データ申し込み受付手段
１０３ａ        番組制作会員ＩＤ登録画面
１０３ｂ        インターネット放送番組制作会員管理画面入室画面
１０３ｃ        受信端末配信ツールデザイン選択画面
１０３ｄ        番組制作者提供コンテンツアップロード画面
１０３ｅ        コンテンツ選択画面
１０３ｆ        ＲＳＳ＆ＡＴＯＭ＆テキスト設定画面
１０３ｇ        テキスト＆字幕設定画面
１０３ｈ        録画・録音設定画面
１０３ｉ        コンテンツ，ＲＳＳ＆ＡＴＯＭ，テキスト＆字幕一覧、タグ書き出し（番組制作）画面
１０３ｊ        視聴数（インプレッション数）／インタラクション率／アクセス履歴／ＣＭ掲載期間／残掲載期間／ＣＭ予算／残ＣＭ予算／番組配信先一覧／収益／番組評価確認画面
１０３ｋ        著作権について／コンテンツの使用について／使用許諾内容表示画面
１０４          データベース部
１０４ａ        ユーザ管理部
１０４ｂ        コンテンツデータ管理部
１０４ｃ        ＣＭデータ管理部
１０４ｄ        アクセス／視聴数記録部
１０４ｅ        番組設定記録部
１０４ｆ        ＣＭ／収益計算処理記録管理部
１０４ｇ        変換コンテンツデータ保管部
１０４ｈ        インターネット放送番組製作会員管理画面設定記録管理部
１０４ｉ        ウェブデータ記録管理部
１０５          ウェブサーバ部
１０５ａ        パラメータ解析部
１０５ｂ        ファイル検索部
１０５ｃ−１    表示データ生成部
１０５ｃ−２    表示タイミング制御部
１０５ｅ        コンテンツ／ＣＭ受信部
１０５ｆ        入出力制御部
１０５ｇ        タグ出力部
１０５ｈ        自動切替制御部
１０５ｉ        コンテンツデータ変換部
１０７          システム管理手段
１０７ａ        システム管理者管理画面入室画面
１０７ｂ        全コンテンツ登録内容確認画面
１０７ｃ        全体アクセス解析／視聴数（インプレッション数）／インタラクション率／アクセス履歴／ＣＭの掲載期間／残掲載期間／ＣＭ予算／残ＣＭ予算／収益確認／番組配信先一覧画面
１０７ｄ        配信ツールデザイン追加変更画面
１０７ｅ        システム管理者提供コンテンツアップロード画面
１０７ｆ        コンテンツ選択画面
１０７ｇ        ＲＳＳ＆ＡＴＯＭ＆テキスト設定画面
１０７ｈ        テキスト＆字幕設定画面
１０７ｉ        録画・録音設定画面
１０７ｊ        コンテンツ，ＲＳＳ＆ＡＴＯＭ，テキスト＆字幕一覧、タグ書き出し（番組制作）画面
１０７ｋ        規約，著作権等編集画面
１０７ｌ        免責事項，ＨＥＬＰ，問い合わせ，ＦＡＱの編集追加削除画面
１０７ｍ        ＣＭ費編集画面
１０７ｎ        ＣＭ掲載開始・停止・削除設定画面
１０７ｏ        インターネット放送番組制作会員の会員資格開始・停止設定画面
１０７ｐ        コンテンツ会員の会員資格開始・停止設定画面
１５０          未変換データ格納用サーバ部
１５０ａ        未変換コンテンツデータ保管部
１５０ｂ        ライセンス管理部
２００          インターネット
３００          コンテンツ提供者（の通信端末）
４００          ＣＭスポンサー（の通信端末）
５００          個人放送番組制作者（の通信端末）
６００          一般視聴者（の通信端末）
６０１          サンプル受信端末配信ツール
６０１ａ        ＲＳＳ用テキスト表示部
６０１ｂ        映像、アニメーション表示部
６０１ｃ        字幕、テキスト表示部
６０１ｄ        再生、戻る、次へボタン
６０１ｅ        ボリューム調整ボタン
６０１ｆ        配信状態表示部
６０１ｇ        メニュー部
６０１ｈ        フレーム部
６０１ｉ        ニックネーム表示部
６０２          受信端末配信ツール
６０２ａ        ＲＳＳ用テキスト表示部
６０２ｂ        映像、アニメーション表示部
６０２ｃ        字幕、テキスト表示部
６０２ｄ        再生、戻る、次へボタン
６０２ｅ        ボリューム調整ボタン
６０２ｆ        配信状態表示部
６０２ｇ        メニュー部
６０２ｈ        アンケート部
６０２ｉ        フレーム部
６０２ｊ        ニックネーム表示部
７００          システム管理者（の通信端末）
【図１】
2008042589.tif 000003
【図２】
2008042589.tif 000004
【図３】
2008042589.tif 000005
【図４】
2008042589.tif 000006
【図５】
2008042589.tif 000007
【図６】
2008042589.tif 000008
【図７】
2008042589.tif 000009
【図８】
2008042589.tif 000010
【図９】
2008042589.tif 000011
【図１０】
2008042589.tif 000012
【図１１】
2008042589.tif 000013
【図１２】
2008042589.tif 000014
【図１３】
2008042589.tif 000015
【図１４】
2008042589.tif 000016
【図１５】
2008042589.tif 000017
【図１６】
2008042589.tif 000018
【図１７】
2008042589.tif 000019
【図１８】
2008042589.tif 000020
【図１９】
2008042589.tif 000021
【図２０】
2008042589.tif 000022
【図２１】
2008042589.tif 000023
【図２２】
2008042589.tif 000024
【図２３】
2008042589.tif 000025
【図２４】
2008042589.tif 000026
【図２５】
2008042589.tif 000027
【図２６】
2008042589.tif 000028
【図２７】
2008042589.tif 000029
【図２８】
2008042589.tif 000030
【図２９】
2008042589.tif 000031
【図３０】
2008042589.tif 000032
【図３１】
2008042589.tif 000033
【図３２】
2008042589.tif 000034
【図３３】
2008042589.tif 000035
【図３４】
2008042589.tif 000036
【図３５】
2008042589.tif 000037
【図３６】
2008042589.tif 000038
【図３７】
2008042589.tif 000039
【図３８】
2008042589.tif 000040
【図３９】
2008042589.tif 000041
【図４０】
2008042589.tif 000042
【図４１】
2008042589.tif 000043
【図４２】
2008042589.tif 000044
【図４３】
2008042589.tif 000045
【図４４】
2008042589.tif 000046
【図４５】
2008042589.tif 000047
【図４６】
2008042589.tif 000048
【図４７】
2008042589.tif 000049
【図４８】
2008042589.tif 000050
【図４９】
2008042589.tif 000051
【図５０】
2008042589.tif 000052
【図５１】
2008042589.tif 000053
【図５２】
2008042589.tif 000054
【図５３】
2008042589.tif 000055
【図５４】
2008042589.tif 000056
【図５５】
2008042589.tif 000057
【図５６】
2008042589.tif 000058
【図５７】
2008042589.tif 000059
【図５８】
2008042589.tif 000060
【図５９】
2008042589.tif 000061
【図６０】
2008042589.tif 000062
【図６１】
2008042589.tif 000063
【図６２】
2008042589.tif 000064
【図６３】
2008042589.tif 000065
【図６４】
2008042589.tif 000066
【図６５】
2008042589.tif 000067
【図６６】
2008042589.tif 000068
【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
インターネットを利用したウェブシステムであって、
コンテンツ提供者に関する識別情報を登録する機能と該コンテンツ提供者からのコンテンツデータを受付ける機能と該コンテンツデータに関する所定事項を該コンテンツ提供者の指定に応じて設定する機能とを少なくとも備えるコンテンツデータ受付手段と、
ＣＭスポンサーに関する識別情報を登録する機能と該ＣＭスポンサーからのＣＭデータを受付ける機能と該ＣＭデータに関する所定事項を該ＣＭスポンサーの指定に応じて設定する機能とを少なくとも備えるＣＭデータ受付手段と、
インターネット放送番組製作者に関する識別情報を登録する機能と所望の前記コンテンツデータ及び前記ＣＭデータを選択して番組を設定可能な機能とを少なくとも備えるインターネット放送番組用データ申し込み受付手段と、
前記コンテンツデータ受付手段を介して登録されたコンテンツ提供者に関する識別情報と前記ＣＭデータ受付手段を介して登録されたＣＭスポンサーに関する識別情報と前記インターネット放送番組用データ申し込み受付手段を介して登録されたインターネット放送番組製作者に関する識別情報とを蓄積管理するユーザ管理部と、前記コンテンツ提供者からのコンテンツデータを蓄積管理するコンテンツデータ管理部と、前記ＣＭスポンサーからのＣＭデータを蓄積管理するＣＭデータ管理部と、前記インターネット放送番組製作者を介して設定された、前記コンテンツデータ及び前記ＣＭデータのうちの所望のデータを抽出するためのキー情報を組合せてなる番組データを記録管理する設定番組記録管理部と、提供される番組へのアクセス数を計数し記録する番組アクセス数計数記録部と、前記番組に含まれるＣＭデータのＣＭスポンサーから提供されるＣＭ収益を、前記番組アクセス数計数記録部を介して記録されたアクセス数に応じて、該番組についての番組データを設定した前記インターネット放送番組製作者と該番組に含まれるコンテンツを提供したコンテンツ提供者とに所定の割合で分配するＣＭ収益管理部を備えたデータベース部と、
前記番組データを提供する配信ツールからなる番組データ提供手段と、を有し、
前記アクセス数が、視聴者に対し当該番組を放送した回数を示すインプレッション数と視聴者が当該番組におけるＣＭコンテンツに対しマウスオーバー又はクリックした回数を示すインタラクション数を含み、さらに、
前記インプレッション数に対する前記インタラクション数の割合である前記インタラクション率に応じたＣＭ費の１インプレッション当たりの単価を定めるとともに、前記インプレッション数に応じたインターネット放送番組製作者と当該番組に含まれるコンテンツを提供したコンテンツ提供者に対するＣＭ費の分配率を定めておくようにし、
前記番組に含まれるＣＭデータのＣＭスポンサーから提供されるＣＭ予算から徴収するためのＣＭ費を収益として、前記インタラクション率に応じた１インプレッション当たりの単価とインプレッション数とを掛け合わせて算出し、算出したＣＭ費の収益を、前記インプレッション数に応じて定めた配分率に応じて、当該番組についての番組データを設定した前記インターネット放送番組製作者と当該番組に含まれるコンテンツを提供したコンテンツ提供者に分配するようにしたことを特徴とするインターネット放送番組制作支援システム。
【請求項２】
前記コンテンツデータ受付手段が、前記コンテンツ提供者が指定するコンテンツデータに関する所定事項に、コンテンツデータのカテゴリを含むとともに、
前記ＣＭデータ受付手段が、前記ＣＭスポンサーが指定するＣＭデータに関する所定事項に、ＣＭデータのカテゴリを含んでおり、
前記インターネット放送番組用データ申し込み受付手段において前記インターネット放送番組製作者を介して任意のコンテンツデータが選択されたときに、該コンテンツデータのカテゴリに一致したＣＭデータを前記データベース部の前記ＣＭデータ管理部に蓄積されたＣＭデータから抽出し、抽出されたＣＭデータの中から所望のＣＭデータを該インターネット放送番組製作者が選択できるように構成されていることを特徴とする請求項１に記載のインターネット放送番組制作支援システム。
【請求項３】
前記ＣＭデータ受付手段が、前記ＣＭスポンサーが指定するＣＭデータに関する所定事項に、ＣＭの掲載期間及びＣＭの予算を含んでおり、
前記インターネット放送番組用データ申し込み受付手段において前記インターネット放送番組製作者が、前記抽出されたＣＭデータの中から所望のＣＭデータを選択する際に、前記抽出されたそれぞれのＣＭにおける掲載期間及び予算を確認できるとともに、当該ＣＭを視聴することができるように構成されていることを特徴とする請求項２に記載のインターネット放送番組制作支援システム。
【請求項４】
前記インターネット放送番組用データ申し込み受付手段において前記インターネット放送番組製作者が前記コンテンツデータ及び前記ＣＭデータを選択して番組データを設定するときに、１つのコンテンツに対して少なくとも１つ以上のＣＭデータを組合せたものを１つの基本セットとし、１回の外部からのアクセスに対して４セットまでの番組を放送でき、且つ、回数を無制限に放送できるようにしたことを特徴とする請求項１に記載のインターネット放送番組制作支援システム。
【請求項５】
さらに、前記インターネット放送番組用データ申し込み受付手段において前記インターネット放送番組製作者が前記コンテンツデータ及び前記ＣＭデータを選択して番組データを設定するときに、ＣＭデータのみからなる番組データ、又はコンテンツのみからなる番組データを選択設定可能としたことを特徴とする請求項４に記載のインターネット放送番組制作支援システム。
【請求項６】
前記コンテンツデータ受付手段が、前記コンテンツデータに関する所定事項として、コンテンツデータのカテゴリ、コンテンツの著作権情報、著作者情報、提供者のメールアドレス、コメントを前記コンテンツ提供者の指定に応じて設定することができるように構成されており、
前記インターネット放送番組制作者が、前記インターネット放送番組用データ申し込み受付手段において、前記コンテンツデータのカテゴリ、コンテンツの著作権情報、著作者情報、提供者のメールアドレス、コメントのそれぞれをキーとしてコンテンツデータを検索することができるようにしたことを特徴とする請求項１に記載のインターネット放送番組制作支援システム。
【請求項７】
前記コンテンツ提供者から提供されるコンテンツの種類は、映像コンテンツ、画像コンテンツ、音楽（音声）コンテンツ、文字コンテンツであり、
インターネット放送番組用データ申し込み受付手段においてインターネット放送番組製作者がこれらのコンテンツを単独及び組合せて用いることができるようにしたことを特徴とする請求項１に記載のインターネット放送番組制作支援システム。
【請求項８】
前記コンテンツ提供者から提供されるコンテンツを、前記インターネット放送番組製作者を介して評価できるようにするとともに、その評価内容に応じて、コンテンツの利用に制限を加えることができるようにしたシステムを備えたことを特徴とする請求項１に記載のインターネット放送番組制作支援システム。
【請求項９】
前記コンテンツデータ受付手段において前記コンテンツ提供者が提供するコンテンツ毎に利用範囲を設定することが可能に構成されていることを特徴とする請求項１に記載のインターネット放送番組制作支援システム。
【請求項１０】
前記インターネット放送番組製作者が、他のインターネットウェブサイトから配信されているプログラムの文書から特定のＲＳＳ及びＡＴＯＭ情報を抽出し、コンテンツデータとして、前記配信ツールから配信することができるシステムをも備えたことを特徴とする請求項１に記載のインターネット放送番組制作支援システム。
【請求項１１】
前記インターネット放送番組用データ申し込み受付手段において前記インターネット放送番組製作者が前記配信ツールのデザインを随時変更することができるようにしたことを特徴とする請求項１に記載のインターネット放送番組制作支援システム。
【請求項１２】
前記インターネット放送番組用データ申し込み受付手段において前記インターネット放送番組製作者がテキスト入力することで前記配信ツールに該テキストを配信することができるように構成されていることを特徴とする請求項１に記載のインターネット放送番組制作支援システム。
【請求項１３】
前記インターネット放送番組用データ申し込み受付手段において前記インターネット放送番組製作者が、パソコンに接続されたカメラやマイクなどを介した、映像、音声又は音楽のリアルタイム配信、又は録画、録音による配信を行うことができるように構成されていることを特徴とする請求項１に記載のインターネット放送番組制作支援システム。
【請求項１４】
配信される番組に随時インターネット放送番組制作支援システム管理者が提供するコンテンツを組み入れることができるようにしたことを特徴とする請求項１に記載のインターネット放送番組制作支援システム。
【請求項１５】
前記インターネット放送番組製作者が前記配信ツールを利用する場合に、利用する情報端末の種別に応じた配信ツール用タグを選択して、当該情報端末を介してアクセスされるウェブページを構成するソース文書に貼り付けることができるようにしたことを特徴とする請求項１に記載のインターネット放送番組制作支援システム。
【手続補正２】
【補正対象書類名】明細書
【補正対象項目名】００１２
【補正方法】変更
【補正の内容】
【００１２】
上記目的を達成するため、本発明によるインターネット放送番組制作支援システムは、インターネットを利用したウェブシステムであって、コンテンツ提供者に関する識別情報を登録する機能と該コンテンツ提供者からのコンテンツデータを受付ける機能と該コンテンツデータに関する所定事項を該コンテンツ提供者の指定に応じて設定する機能とを少なくとも備えるコンテンツデータ受付手段と、ＣＭスポンサーに関する識別情報を登録する機能と該ＣＭスポンサーからのＣＭデータを受付ける機能と該ＣＭデータに関する所定事項を該ＣＭスポンサーの指定に応じて設定する機能とを少なくとも備えるＣＭデータ受付手段と、インターネット放送番組製作者に関する識別情報を登録する機能と所望の前記コンテンツデータ及び前記ＣＭデータを選択して番組を設定可能な機能とを少なくとも備えるインターネット放送番組用データ申し込み受付手段と、前記コンテンツデータ受付手段を介して登録されたコンテンツ提供者に関する識別情報と前記ＣＭデータ受付手段を介して登録されたＣＭスポンサーに関する識別情報と前記インターネット放送番組用データ申し込み受付手段を介して登録されたインターネット放送番組製作者に関する識別情報とを蓄積管理するユーザ管理部と、前記コンテンツ提供者からのコンテンツデータを蓄積管理するコンテンツデータ管理部と、前記ＣＭスポンサーからのＣＭデータを蓄積管理するＣＭデータ管理部と、前記インターネット放送番組製作者を介して設定された、前記コンテンツデータ及び前記ＣＭデータのうちの所望のデータを抽出するためのキー情報を組合せてなる番組データを記録管理する設定番組記録管理部と、提供される番組へのアクセス数を計数し記録する番組アクセス数計数記録部と、前記番組に含まれるＣＭデータのＣＭスポンサーから提供されるＣＭ収益を、前記番組アクセス数計数記録部を介して記録されたアクセス数に応じて、該番組についての番組データを設定した前記インターネット放送番組製作者と該番組に含まれるコンテンツを提供したコンテンツ提供者とに所定の割合で分配するＣＭ収益管理部を備えたデータベース部と、前記番組データを提供する配信ツールからなる番組データ提供手段と、を有し、前記アクセス数が、視聴者に対し当該番組を放送した回数を示すインプレッション数と視聴者が当該番組におけるＣＭコンテンツに対しマウスオーバー又はクリックした回数を示すインタラクション数を含み、さらに、前記インプレッション数に対する前記インタラクション数の割合である前記インタラクション率に応じたＣＭ費の１インプレッション当たりの単価を定めるとともに、前記インプレッション数に応じたインターネット放送番組製作者と当該番組に含まれるコンテンツを提供したコンテンツ提供者に対するＣＭ費の分配率を定めておくようにし、前記番組に含まれるＣＭデータのＣＭスポンサーから提供されるＣＭ予算から徴収するためのＣＭ費を収益として、前記インタラクション率に応じた１インプレッション当たりの単価とインプレッション数とを掛け合わせて算出し、算出したＣＭ費の収益を、前記インプレッション数に応じて定めた配分率に応じて、当該番組についての番組データを設定した前記インターネット放送番組製作者と当該番組に含まれるコンテンツを提供したコンテンツ提供者に分配するようにしたことを特徴としている。
【手続補正３】
【補正対象書類名】明細書
【補正対象項目名】００１５
【補正方法】変更
【補正の内容】
【００１５】
また、本発明のインターネット放送番組制作支援システムにおいては、前記インターネット放送番組用データ申し込み受付手段において前記インターネット放送番組製作者が前記コンテンツデータ及び前記ＣＭデータを選択して番組データを設定するときに、１つのコンテンツに対して少なくとも１つ以上のＣＭデータを組合せたものを１つの基本セットとし、１回の外部からのアクセスに対して４セットまでの番組を放送でき、且つ、回数を無制限に放送できるようにするのが好ましい。
【手続補正４】
【補正対象書類名】明細書
【補正対象項目名】００１６
【補正方法】変更
【補正の内容】
【００１６】
また、本発明のインターネット放送番組制作支援システムにおいては、さらに、前記インターネット放送番組用データ申し込み受付手段において前記インターネット放送番組製作者が前記コンテンツデータ及び前記ＣＭデータを選択して番組データを設定するときに、ＣＭデータのみからなる番組データ、又はコンテンツのみからなる番組データを選択設定可能とするのが好ましい。
【手続補正５】
【補正対象書類名】明細書
【補正対象項目名】００２１
【補正方法】変更
【補正の内容】
【００２１】
また、本発明のインターネット放送番組制作支援システムにおいては、前記インターネット放送番組製作者が、他のインターネットウェブサイトから配信されているプログラムの文書から特定のＲＳＳ及びＡＴＯＭ情報を抽出し、コンテンツデータとして、前記配信ツールから配信することができるシステムをも備えるのが好ましい。
【手続補正６】
【補正対象書類名】明細書
【補正対象項目名】００２２
【補正方法】変更
【補正の内容】
【００２２】
また、本発明のインターネット放送番組制作支援システムにおいては、前記インターネット放送番組用データ申し込み受付手段において前記インターネット放送番組製作者が前記配信ツールのデザインを随時変更することができるようにするのが好ましい。
【手続補正７】
【補正対象書類名】明細書
【補正対象項目名】００２３
【補正方法】変更
【補正の内容】
【００２３】
また、本発明のインターネット放送番組制作支援システムにおいては、前記インターネット放送番組用データ申し込み受付手段において前記インターネット放送番組製作者がテキスト入力することで前記配信ツールに該テキストを配信することができるように構成されているのが好ましい。
【手続補正８】
【補正対象書類名】明細書
【補正対象項目名】００２６
【補正方法】変更
【補正の内容】
【００２６】
また、本発明のインターネット放送番組制作支援システムにおいては、前記インターネット放送番組製作者が前記配信ツールを利用する場合に、利用する情報端末の種別に応じた配信ツール用タグを選択して、当該情報端末を介してアクセスされるウェブページを構成するソース文書に貼り付けることができるようにするのが好ましい。
【手続補正９】
【補正対象書類名】明細書
【補正対象項目名】００２７
【補正方法】削除
【補正の内容】
【手続補正１０】
【補正対象書類名】明細書
【補正対象項目名】０７２０
【補正方法】変更
【補正の内容】
【０７２０】
ＣＭ／収益計算処理記録管理部１０４ｆ
ＣＭ／収益計算処理記録管理部１０４ｆは、前記番組に含まれるＣＭデータのＣＭスポンサー４００から提供されるＣＭ収益を、アクセス／視聴数記録部１０４ｄを介して記録されたアクセス数に応じて、該番組についての番組データを設定したインターネット放送番組製作者５００と該番組に含まれるコンテンツを提供したコンテンツ提供者３００とに所定の割合で分配する。
【手続補正１１】
【補正対象書類名】明細書
【補正対象項目名】０７７９
【補正方法】変更
【補正の内容】
【０７７９】
また、本実施形態のインターネット放送番組制作支援システムによれば、インターネット放送番組用データ申し込み受付手段１０３においてインターネット放送番組製作者がコンテンツデータ及びＣＭデータを選択して番組データを設定するときに、１つのコンテンツに対して少なくとも１つ以上のＣＭデータを組合せたものを１つの基本セットとし、１回の外部（視聴者）からのアクセスに対して４セットまでの番組を放送でき、且つ、回数を無制限に放送できるようにしている。このように番組内の配信順位を異ならせたセット数を４セットに抑えると、番組制作がし易いとともに、ＣＭ費用の利益配分も複雑化しなくて済む。
【手続補正１２】
【補正対象書類名】明細書
【補正対象項目名】０７８０
【補正方法】変更
【補正の内容】
【０７８０】
また、本実施形態のインターネット放送番組制作支援システムによれば、さらに、インターネット放送番組用データ申し込み受付手段１０３においてインターネット放送番組製作者がコンテンツデータ及びＣＭデータを選択して番組データを設定するときに、ＣＭデータのみからなる番組データ、又はコンテンツのみからなる番組データを選択設定可能としたので、番組の制作内容の自由度がより一層大きくなる。
【手続補正１３】
【補正対象書類名】明細書
【補正対象項目名】０７８５
【補正方法】変更
【補正の内容】
【０７８５】
また、本実施形態のインターネット放送番組制作支援システムにおいては、インターネット放送番組製作者が、他のインターネットウェブサイトから配信されているプログラムの文書から特定のＲＳＳ及びＡＴＯＭ情報を抽出し、コンテンツデータとして、受信端末配信ツール６０２から配信することができるシステムをも備えるのが好ましい。
【手続補正１４】
【補正対象書類名】明細書
【補正対象項目名】０７８７
【補正方法】変更
【補正の内容】
【０７８７】
また、本実施形態のインターネット放送番組制作支援システムによれば、インターネット放送番組用データ申し込み受付手段１０３においてインターネット放送番組製作者がテキスト入力することで配信ツールに該テキストを配信することができるように構成したので、映像データ等とともに、番組コンテンツを多面的な情報を持って配信することができる。
【手続補正１５】
【補正対象書類名】明細書
【補正対象項目名】０７９０
【補正方法】変更
【補正の内容】
【０７９０】
また、本実施形態のインターネット放送番組制作支援システムにおいて、インターネット放送番組製作者が、番組を制作しタグに書き出して、受信端末配信ツール６０２を利用する場合に、携帯やパソコンその他の通信端末などを用いてアクセスされるホームページを構成するソース文書などに貼り付けるための受信端末配信ツール６０２用タグを、利用する情報端末の種別に応じて選択することができるように備えれば、異なる情報端末に対して番組を配信できる機会がより一層広がる。
【手続補正１６】
【補正対象書類名】明細書
【補正対象項目名】０７９１
【補正方法】変更
【補正の内容】
【０７９１】
また、本実施形態のインターネット放送番組制作支援システムによれば、アクセス数が、視聴者に対し当該番組を放送した回数を示すインプレッション数と視聴者が当該番組におけるＣＭコンテンツに対しマウスオーバー又はクリックした回数を示すインタラクション数を含み、さらに、インプレッション数に対するインタラクション数の割合であるインタラクション率に応じたＣＭ費の１インプレッション当たりの単価を定めるとともに、インプレッション数に応じたインターネット放送番組製作者と当該番組に含まれるコンテンツを提供したコンテンツ提供者に対するＣＭ費の分配率を定めておくようにし、番組に含まれるＣＭデータのＣＭスポンサーから提供されるＣＭ予算から徴収するためのＣＭ費を収益として、インタラクション率に応じた１インプレッション当たりの単価とインプレッション数とを掛け合わせて算出し、算出したＣＭ費の収益を、インプレッション数に応じて定めた配分率に応じて、当該番組についての番組データを設定したインターネット放送番組製作者と当該番組に含まれるコンテンツを提供したコンテンツ提供者に分配するようにしたので、コンテンツ提供者、インターネット放送番組製作者のそれぞれにコンテンツの提供のインセンティブや、インターネット放送番組の制作のインセンティブを増大させることができ、個人放送局によるインターネット放送番組の配信ネットワークシステムによるＣＭ提供の機会、コンテンツ提供の機会、及び番組提供の機会を相乗的に増加させることができる。
【手続補正１７】
【補正対象書類名】明細書
【補正対象項目名】０７９２
【補正方法】変更
【補正の内容】
【０７９２】
また、本実施形態のインターネット放送番組制作支援システムによれば、インターネット放送番組用データ申し込み受付手段１０３においてインターネット放送番組製作者がコンテンツデータ及びＣＭデータを選択して番組データを設定する場合に、コンテンツとＣＭとを組合せた番組データの他に、さらにＢ会員によりＣＭのみからなる番組データや、Ｃ会員によりコンテンツのみからなる番組データを選択して設定可能にしたので、インターネット放送番組製作者が製作する番組内におけるコンテンツやＣＭの組合せの自由度をより大きくとることができる。